(57)【要約】【課題】窮屈感を生じさせることなく、ウエスト周りへのフィット性を高めることができること。【解決手段】ズボン１は、ウエストベルト部１０のカーブに対応する曲線形状を有してウエストベルト部１０の表側及び裏側を形成し、前身頃４Ｆに縫着しない端部１１ｔが延出自在な延出部１１と、ウエストベルト部１０のカーブに対応する曲線形状を有して延出部１１と共にウエストベルト部１０の表側及び裏側を形成し、延出部１１の端部１１ｔを収容した収容部１２と、収容部１２の内部で収容部１２と延出部１１の間を平ゴム１５Ｅによって接続した接続部１５とを有し、平ゴム１５Ｅが、その上端から下端に向かって伸縮自在な長さを長くして収容部１２と延出部１１の間を接続している。【選択図】図１
2020105650.tif 000002
【特許請求の範囲】
【請求項１】
ウエスト方向に延びる帯状をなすウエストベルト部がカーブしたボトムスであって、
前記ウエストベルト部のカーブに対応する曲線形状を有して前記ウエストベルト部の表側及び裏側を形成し、身頃に縫着しない端部側が延出自在な延出部と、
前記ウエストベルト部のカーブに対応する曲線形状を有して前記延出部と共に前記ウエストベルト部の表側及び裏側を形成し、前記延出部の前記身頃に縫着しない前記端部側を収容した収容部と、
前記収容部の内部で前記収容部と前記延出部の間を弾性材によって弾性的に接続した接続部と
を具備し、
前記接続部の前記弾性材は、その上端から下端に向かって伸縮自在な長さを長くして前記収容部と前記延出部の間を接続していることを特徴とするボトムス。
【請求項２】
ウエスト方向に延びる帯状をなすウエストベルト部がカーブしたボトムスであって、
前記ウエストベルト部のカーブに対応する曲線形状を有して前記ウエストベルト部の表側及び裏側を形成し、身頃に縫着しない端部側が延出自在な延出部と、
前記ウエストベルト部のカーブに対応する曲線形状を有して前記延出部と共に前記ウエストベルト部の表側及び裏側を形成し、前記延出部の前記身頃に縫着しない前記端部側を収容した収容部と、
前記収容部の内部で前記収容部と前記延出部の間を弾性材によって弾性的に接続した接続部と
を具備し、
前記接続部の前記弾性材は、前記収容部の内部に対し、前記ウエストベルト部の幅方向の下端寄りに縫付け、前記延出部側に縫付けた端部側よりも、前記収容部側に縫付けた端部側の方を低位置としたことを特徴とするボトムス。
【請求項３】
ウエスト方向に延びる帯状をなすウエストベルト部がカーブしたボトムスであって、
前記ウエストベルト部のカーブに対応する曲線形状を有して前記ウエストベルト部の表側を形成し、身頃に縫着しない端部側が延出自在な延出部と、
前記ウエストベルト部のカーブに対応する曲線形状を有して前記延出部と共に前記ウエストベルト部の表側を形成し、前記延出部の前記身頃に縫着しない前記端部側を収容した収容部と、
前記収容部の内部で弾性材によって前記収容部と前記延出部の間を弾性的に接続した接続部と、
前記ウエスト方向に一体に連続して前記ウエストベルト部の裏側を形成し、前記弾性材とは別の他の弾性材によって伸縮自在な腰裏ベルト部と
を具備し、
前記接続部の前記弾性材は、その上端から下方に向かって伸縮自在な長さを長くして前記収容部と前記延出部の間を接続していることを特徴とするボトムス。
【請求項４】
ウエスト方向に延びる帯状をなすウエストベルト部がカーブしたボトムスであって、
前記ウエストベルト部のカーブに対応する曲線形状を有して前記ウエストベルト部の表側を形成し、身頃に縫着しない端部側が延出自在な延出部と、
前記ウエストベルト部のカーブに対応する曲線形状を有して前記延出部と共に前記ウエストベルト部の表側を形成し、前記延出部の前記身頃に縫着しない前記端部側を収容した収容部と、
前記収容部の内部で弾性材によって前記収容部と前記延出部の間を弾性的に接続した接続部と、
前記ウエスト方向に一体に連続して前記ウエストベルト部の裏側を形成し、前記弾性材とは別の他の弾性材によって伸縮自在な腰裏ベルト部と
を具備し、
前記接続部の前記弾性材は、前記収容部の内部に対し、前記ウエストベルト部の幅方向の下端寄りに縫付け、前記延出部側に縫付けた端部側よりも、前記収容部側に縫付けた端部側の方を低位置としたことを特徴とするボトムス。
【請求項５】
更に、前記身頃の前身頃側であって片側の脇または両脇の脇線に沿って取付けた脇ポケット部を有し、
前記脇ポケット部には、それを構成する袋布の向こう布側にその上端から下方に向かって延びた襞状のタック部が形成され、前記タック部の襞がその上方を除いて縫合されていることを特徴とする請求項１乃至請求項４の何れか１つに記載のボトムス。
【請求項６】
前記タック部の襞は、前記袋布の縦幅の中間部から上寄りで縫合されていることを特徴とする請求項５に記載のボトムス。
【請求項７】
前記タック部の襞を縫合する始点は、前記袋布の上がり線から垂直方向に下に３ｃｍ以上、６ｃｍ以下の範囲内にあり、前記タック部の襞を縫合する終点は、前記始点から下に垂直方向の長さで、３ｃｍ以上、６ｃｍ以下の範囲内にあることを特徴とする請求項６に記載のボトムス。
【請求項８】
前記タック部の襞は、前記タック部の折畳み状態で前記袋布の向こう布の外面に表れない方の折り目から１ｃｍ以内で中縫いによって縫合されていることを特徴とする請求項６または請求項７に記載のボトムス。
【請求項９】
前記タック部の襞は、前記袋布の縦幅の中間部から下寄りで縫合されていることを特徴とする請求項５に記載のボトムス。
【請求項１０】
前記タック部の襞を縫合する始点は、前記脇ポケット部のポケット口外縁の末端の高さに対応する位置から垂直方向の長さで上に２ｃｍ以上、８ｃｍ以下の範囲内にあり、前記タック部の襞を縫合する終点は前記脇ポケット部のポケット口外縁の末端の高さに対応する位置またはそれよりも下にあることを特徴とする請求項９に記載のボトムス。
【請求項１１】
前記タック部の襞は、前記タック部の折畳み状態で前記袋布の向こう布の外面側に表れている方の折り目から０．６ｃｍ以内で縫合されていることを特徴とする請求項９または請求項１０に記載のボトムス。
【請求項１２】
前記腰裏ベルト部は、前記収容部の裏側に縫付けた収容部側裏ベルトと前記延出部の裏側に縫付けた延出部側裏ベルトの間を前記他の弾性材によって弾性的に接続してなることを特徴とする請求項３乃至請求項１１の何れか１つに記載のボトムス。
【請求項１３】
前記腰裏ベルト部の前記他の弾性材は、上方の弾性材及び下方の弾性材の２本の弾性材によって形成され、前記上方の弾性材の下方に前記下方の弾性材の上方を重複させて上下に配設されていることを特徴とする請求項１２に記載のボトムス。
【請求項１４】
前記ウエストベルト部の表側を形成する前記延出部の内面側には、前記腰裏ベルト部の前記他の弾性材に対応する位置に裏地が取付けられていることを特徴とする請求項１２または請求項１３に記載のボトムス。
【発明の詳細な説明】
【技術分野】
【０００１】
本発明は、カーブベルトを採用した被服、すなわち、綿パン等のズボン（パンツ）、スカート、キュロットスカート等（以下、「ボトムス（bottoms）」という）に関するもので、特に、ウエストサイズを伸縮自在としたボトムスに関するものである。
【背景技術】
【０００２】
近年、特に、女性用のボトムスにおいては、ファッションの多様化、着用時の美観向上の要求が高まり、身体のウエスト周りに位置するウエストベルト部を直線的なラインではなく、カーブするラインとする、所謂、カーブベルトが普及している。このようなカーブベルトを採用すると、着用時にウエスト周りにフィットすることから、着用時に滑らかなシルエットを形成できると共に、着用者がしゃがんだ際に背中側のウエスト周りで下着が見え難いものとなる。このため、主に若い人の間で流行している股上が浅い、ウエスト周りが低い（ローウエストタイプ、ローライズタイプ）ボトムスを中心にカーブベルトが広く普及した。そして、最近では、ミセス世代のボトムスでも股上をやや浅くする傾向にあり、主に女性用のボトムスにおいて、年代を問わずカーブベルトの取り入れが主流になりつつある。
ところが、このようなカーブベルトは、ウエスト周りへのフィット性を高めることができる反面、ウエスト周りに窮屈感を与える問題がある。
【０００３】
そこで、特許文献１では、身頃開口縁に帯状を成すベルトの前身のうち少なくとも一部を、平面視において直状又は略直状に延在する第１のベルト部で形成し、後身のうち身体背面中心を跨ぐ部位の少なくとも一部を、平面視において弧状又は略弧状に延在する第２のベルト部で形成することによって、即ち、腹部（前身）にはストレートベルトを、背中（後身）の後側にはカーブベルトをというようにベルトを区分することによって、腹部へのくい込みを防止して腹部の迫り出しを抑止でき、穿き心地や装着感の改善を図る方法を開示している。
【先行技術文献】
【特許文献】
【０００４】
【特許文献１】特開２００６−３２８６２５号公報
【発明の概要】
【発明が解決しようとする課題】
【０００５】
この特許文献１の技術によれば、前身側は従来と同様に直線状に延びる帯状に形成することで、前身側では、カーブベルトによるフィット性の向上による窮屈感の増大の問題はない。しかしながら、後身側はカーブベルトであるから、依然としてウエスト周りに窮屈感を与える問題がある。特に、着用者のウエストの動きによっては、強力な締め付け感、窮屈感が増大することもある。
【０００６】
そこで、本発明は、窮屈感を生じさせることなく、ウエスト周りへのフィット性を高めることができるボトムスの提供を課題とするものである。
【課題を解決するための手段】
【０００７】
請求項１の発明のボトムスは、曲線形状を有し、身頃に縫着しない端部側が延出自在な延出部と、曲線形状を有し、前記延出部の前記身頃に縫着しない前記端部側を収容した収容部と、前記収容部の内部で前記収容部と前記延出部の間を弾性材によって弾性的に接続した接続部とによって、ウエスト方向に延びる帯状がカーブしたウエストベルト部を構成しているものである。そして、前記接続部の前記弾性材が、その上端から下端に向かって伸縮自在な長さを長くし、前記収容部と前記延出部の間を接続しているものである。
【０００８】
ここで、上記ウエストベルト部は、着用時に人体のウエスト周りに配設する部位であり、身頃に縫合わされてボトムスの履き口となる上部において、ウエスト周囲に亘って延びる帯状であり、その帯がカーブ状に形成されて曲線形状を有するものである。
【０００９】
そして、上記カーブの曲線形状は、ボトムスの両脇の脇線に沿って前身頃及び後身頃を重ねた状態で見たときに、一般的には、前身頃の前中心方向及び後身頃の後中心方向から両脇方向に向かって上昇する曲線形状である。左側の前身頃及び後身頃と右側の前身頃及び後身頃とを重ねた状態でみると、両脇の脇線方向から前身頃の前中心方向及び後身頃の後中心方向に向かって上昇する曲線形状である。特に、通常は、ウエストベルト部の前側よりも後ろ側でそのカーブを強くする。しかし、ボトムスのデザイン、生地の素材、縫製等によっては、或いは、デザイナー、製造者、購買者の要望等によって、少なくともボトムスの後ろ側でウエストベルト部が大きくカーブしていればストレートのものと比較してフィット性等が向上するから、必ずしも、ボトムスの前側では、即ち、前身頃への接続側ではウエストベルト部をカーブさせずに略直線状とすることもある。つまり、ボトムスの両脇の脇線に沿って前身頃及び後身頃を重ねた状態で見たときに、前身頃の前中心方向から両脇方向に向かっては、略直線状とする場合もある。即ち、左側の前身頃及び後身頃並びに右側の前身頃及び後身頃を重ねた状態で見たときに、両脇の脇線方向から前身頃の前中心方に向かっては、略直線状とする場合もある。
したがって、上記ウエストベルト部は、ボトムスの両脇の脇線に沿って前身頃及び後身頃を重ねた状態で見たときに、少なくとも、後身頃の後中心方向から両脇方向に向かって上昇する曲線形状を有すればよい。即ち、左側の前身頃及び後身頃並びに右側の前身頃及び後身頃を重ねた状態で見たときには、少なくとも、両脇の脇線方向から後身頃の後中心方に向かって上昇する曲線形状を有していればよい。
【００１０】
上記延出部は、前記ウエストベルト部のウエスト方向の長さの一部でその表裏を形成する帯状をなし、前記ウエストベルト部のカーブに対応する曲線形状を有するものであり、その長さ方向の端部（一端部または両端部）側が身頃に縫着されずに収容部に挿入されて収容され、かつ、収容部から延出自在とされるものである。
【００１１】
上記収容部は、前記延出部を除く残りの前記ウエストベルト部のウエスト方向の長さの一部でその表裏を形成する帯状をなし、前記ウエストベルト部のカーブに対応する曲線形状を有するものであり、その長さ方向の端部（一端部または両端部）側に前記延出部の身頃に縫着されない端部側が挿入されて収められたものである。
【００１２】
上記延出部と収容部の関係は、例えば、ボトムスの前中心側に収容部を配設し、後中心側に延出部を配設してもよいし、その逆の配置、つまり、前中心側を延出部、後中心側を収容部としてもよい。通常は、ボトムスの脇線の上方付近で、延出部の延出自在な端部が前記ウエストベルト部の表裏の外面側（表裏面側）から隠れるように収容部内に入れられ、収容部に対し延出部の端部側が収容されて収容部と延出部が重複する。
このような延出部及び収容部によって、ウエストベルト部の表側及び裏側を形成する構成は、例えば、延出部や収容部の表側と裏側は、１枚布をウエストベルト部の上端部で折り曲げる構成としてもよいし、ウエストベルト部の上端部で表裏の生地を接ぐ構成としてもよい。
【００１３】
上記接続部は、前記収容部に対し前記延出部の前記身頃に縫着しない端部側を入れて重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本または３本以上であってもよい。即ち、２本以上の弾性材を前記収容部と前記延出部の間に並列的に配置し、ウエストの周方向に対し略垂直な方向で各弾性材が上下方向に配置するようにしてもよい。このときの各弾性材同士は離間していてもよいし、互いに近接していてもよいし、一部で厚みを重複させていてもよい。
【００１４】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材としての伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００１５】
更に、上記接続部の前記弾性材は、その上端から下端に向かって伸縮自在な長さを長くしているものである。
上記伸縮自在な長さとは、前記弾性材の全体長さを意味するものではなく、前記ウエストベルト部に引張り力が掛かった際に伸ばすことができる部分の長さであり、弾性材の弾性力が機能する部分の長さである。前記収容部と前記延出部に直接的に弾性材を縫付けによって取付けたときには、前記収容部に縫付けたときの縫付線と前記延出部に縫付けたときの縫付線との間の弾性材の未伸長状態での長さ（前記収容部と前記延出部を接続する接続長さ）のことである。
そして、上記弾性材の上端から下端に向かって伸縮自在な長さを長くしているとは、上端の伸びによる変化よりも下端の伸びによる変化を大きくしていることを意味する。
【００１６】
請求項２の発明のボトムスは、曲線形状を有し、身頃に縫着しない端部側が延出自在な延出部と、曲線形状を有し、前記延出部の前記身頃に縫着しない前記端部側を収容した収容部と、前記収容部の内部で前記収容部と前記延出部の間を弾性材によって弾性的に接続した接続部とによって、ウエスト方向に延びる帯状がカーブしたウエストベルト部を構成しているものである。そして、前記接続部の前記弾性材が、前記収容部の内部に対し、前記ウエストベルト部の幅方向の下端寄りに縫付けられ、前記延出部側に縫付けた端部側よりも、前記収容部側に縫付けた端部側の方を低位置としているものである。
【００１７】
ここで、上記ウエストベルト部は、着用時に人体のウエスト周りに配設する部位であり、身頃に縫合わされてボトムスの履き口となる上部において、ウエスト周囲に亘って延びる帯状であり、その帯がカーブ状に形成されて曲線形状を有するものである。
【００１８】
そして、上記カーブの曲線形状は、ボトムスの両脇の脇線に沿って前身頃及び後身頃を重ねた状態で見たときに、一般的には、前身頃の前中心方向及び後身頃の後中心方向から両脇方向に向かって上昇する曲線形状である。左側の前身頃及び後身頃と右側の前身頃及び後身頃とを重ねた状態でみると、両脇の脇線方向から前身頃の前中心方向及び後身頃の後中心方向に向かって上昇する曲線形状である。特に、通常は、ウエストベルト部の前側よりも後ろ側でそのカーブを強くする。しかし、ボトムスのデザイン、生地の素材、縫製等によっては、或いは、デザイナー、製造者、購買者の要望等によって、少なくともボトムスの後ろ側でウエストベルト部が大きくカーブしていればストレートのものと比較してフィット性等が向上するから、必ずしも、ボトムスの前側では、即ち、前身頃への接続側ではウエストベルト部をカーブさせずに略直線状とすることもある。つまり、ボトムスの両脇の脇線に沿って前身頃及び後身頃を重ねた状態で見たときに、前身頃の前中心方向から両脇方向に向かっては、略直線状とする場合もある。即ち、左側の前身頃及び後身頃並びに右側の前身頃及び後身頃を重ねた状態で見たときに、両脇の脇線方向から前身頃の前中心方に向かっては、略直線状とする場合もある。
したがって、上記ウエストベルト部は、ボトムスの両脇の脇線に沿って前身頃及び後身頃を重ねた状態で見たときに、少なくとも、後身頃の後中心方向から両脇方向に向かって上昇する曲線形状を有すればよい。即ち、左側の前身頃及び後身頃並びに右側の前身頃及び後身頃を重ねた状態で見たときには、少なくとも、両脇の脇線方向から後身頃の後中心方に向かって上昇する曲線形状を有していればよい。
【００１９】
上記延出部は、前記ウエストベルト部のウエスト方向の長さの一部でその表裏を形成する帯状をなし、前記ウエストベルト部のカーブに対応する曲線形状を有するものであり、その長さ方向の端部（一端部または両端部）側が身頃に縫着されずに収容部に挿入されて収容され、かつ、収容部から延出自在とされるものである。
【００２０】
上記収容部は、前記延出部を除く残りの前記ウエストベルト部のウエスト方向の長さの一部でその表裏を形成する帯状をなし、前記ウエストベルト部のカーブに対応する曲線形状を有するものであり、その長さ方向の端部（一端部または両端部）側に前記延出部の身頃に縫着されない端部側が挿入されて収められたものである。
【００２１】
上記延出部と収容部の関係は、例えば、ボトムスの前中心側に収容部を配設し、後中心側に延出部を配設してもよいし、その逆の配置、つまり、前中心側を延出部、後中心側を収容部としてもよい。通常は、ボトムスの脇線の上方付近で、延出部の延出自在な端部が前記ウエストベルト部の表裏の外面側（表裏面側）から隠れるように収容部内に入れられ、収容部に対し延出部の端部側が収容されて収容部と延出部が重複する。
このような延出部及び収容部によって、ウエストベルト部の表側及び裏側を形成する構成は、例えば、延出部や収容部の表側と裏側は、１枚布をウエストベルト部の上端部で折り曲げる構成としてもよいし、ウエストベルト部の上端部で表裏の生地を接ぐ構成としてもよい。
【００２２】
上記接続部は、前記収容部に対し前記延出部の前記身頃に縫着しない端部側を入れて重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本または３本以上であってもよい。即ち、２本以上の弾性材を前記収容部と前記延出部の間に並列的に配置し、ウエストの周方向に対し略垂直な方向で各弾性材が上下方向に配置するようにしてもよい。このときの各弾性材同士は離間していてもよいし、互いに近接していてもよいし、一部で厚みを重複させていてもよい。
【００２３】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材としての伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００２４】
更に、上記接続部の弾性材は、前記収容部の内部に対し、前記ウエストベルト部の幅方向の下端寄りに縫付け、前記延出部側に縫付けた端部側よりも、前記収容部側に縫付けた端部側の方を低位置としたものである。つまり、上記接続部の弾性材は、収容部の内部のウエスト方向において、収容部への縫付側から延出部への縫付側に向かって斜めに上昇する挿入状態である。
【００２５】
請求項３の発明のボトムスは、曲線形状を有し、身頃に縫着しない端部側が延出自在な延出部と、曲線形状を有し、前記延出部の前記身頃に縫着しない前記端部側を収容した収容部とによって、ウエスト方向に延びる帯状がカーブしたウエストベルト部の表側を形成し、また、前記収容部の内部で前記収容部と前記延出部の間を弾性材によって弾性的に接続し、更に、前記弾性材とは別の他の弾性材を設けた腰裏ベルト部によって、前記ウエスト方向に一体に連続してウエスト方向に延びる帯状がカーブした前記ウエストベルト部の裏側を形成したものである。そして、前記接続部の前記弾性材が、その上端から下方に向かって伸縮自在な長さを長くし、前記収容部と前記延出部の間を接続しているものである。
【００２６】
ここで、上記ウエストベルト部は、着用時に人体のウエスト周りに配設する部位であり、身頃に縫合わされてボトムスの履き口となる上部において、ウエスト周囲に亘って延びる帯状であり、その帯がカーブ状に形成されて曲線形状を有するものである。
【００２７】
そして、上記カーブの曲線形状は、ボトムスの両脇の脇線に沿って前身頃及び後身頃を重ねた状態で見たときに、一般的には、前身頃の前中心方向及び後身頃の後中心方向から両脇方向に向かって上昇する曲線形状である。左側の前身頃及び後身頃と右側の前身頃及び後身頃とを重ねた状態でみると、両脇の脇線方向から前身頃の前中心方向及び後身頃の後中心方向に向かって上昇する曲線形状である。特に、通常は、ウエストベルト部の前側よりも後ろ側でそのカーブを強くする。しかし、ボトムスのデザイン、生地の素材、縫製等によっては、或いは、デザイナー、製造者、購買者の要望等によって、少なくともボトムスの後ろ側でウエストベルト部が大きくカーブしていればストレートのものと比較してフィット性等が向上するから、必ずしも、ボトムスの前側では、即ち、前身頃への接続側ではウエストベルト部をカーブさせずに略直線状とすることもある。つまり、ボトムスの両脇の脇線に沿って前身頃及び後身頃を重ねた状態で見たときに、前身頃の前中心方向から両脇方向に向かっては、略直線状とする場合もある。即ち、左側の前身頃及び後身頃並びに右側の前身頃及び後身頃を重ねた状態で見たときに、両脇の脇線方向から前身頃の前中心方に向かっては、略直線状とする場合もある。
したがって、上記ウエストベルト部は、ボトムスの両脇の脇線に沿って前身頃及び後身頃を重ねた状態で見たときに、少なくとも、後身頃の後中心方向から両脇方向に向かって上昇する曲線形状を有すればよい。即ち、左側の前身頃及び後身頃並びに右側の前身頃及び後身頃を重ねた状態で見たときには、少なくとも、両脇の脇線方向から後身頃の後中心方に向かって上昇する曲線形状を有していればよい。
【００２８】
上記延出部は、前記ウエストベルト部のウエスト方向の長さの一部でその表側を形成する帯状をなし、前記ウエストベルト部のカーブに対応する曲線形状を有するものであり、その長さ方向の端部（一端部または両端部）側が身頃に縫着されずに収容部に挿入されて収容され、かつ、収容部から延出自在とされるものである。
【００２９】
上記収容部は、前記延出部を除く残りの前記ウエストベルト部のウエスト方向の長さの一部でその表側を形成する帯状をなし、前記ウエストベルト部のカーブに対応する曲線形状を有するものであり、その長さ方向の端部（一端部または両端部）側に前記延出部の身頃に縫着されない端部側が挿入されて収められたものである。
【００３０】
前記延出部及び前記収容部の関係は、例えば、ボトムスの前中心側に収容部を配設し、後中心側に延出部を配設してもよいし、その逆の配置、つまり、前中心側を延出部、後中心側を収容部としてもよい。通常は、ボトムスの脇線の上方付近で、前記延出部の延出自在な端部が前記ウエストベルト部の表裏の外面側（表裏面側）から隠れるように前記収容部内に入れられ、前記収容部に対し前記延出部の端部側が収容されて前記収容部と前記延出部が重複する。
【００３１】
上記接続部は、前記収容部に対し前記延出部の前記身頃に縫着しない端部側を入れて重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本以上であってもよい。即ち、２本以上の弾性材を前記収容部と前記延出部の間に並列的に配置し、ウエストの周方向に略垂直な方向で各弾性材が上下方向に配置するようにしてもよい。このときの各弾性材同士は離間していてもよいし、互いに近接していてもよいし、一部で厚みを重複させていてもよい。
【００３２】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材として伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００３３】
更に、上記接続部の前記弾性材は、その上端から下端に向かって伸縮自在な長さを長くしているものである。
上記伸縮自在な長さとは、前記弾性材の全体長さを意味するものではなく、前記ウエストベルト部に引張り力が掛かった際に伸ばすことができる部分の長さであり、弾性材の弾性力が機能する部分の長さである。前記収容部と前記延出部に直接的に弾性材を縫付けによって取付けたときには、前記収容部に縫付けたときの縫付線と前記延出部に縫付けたときの縫付線との間の弾性材の未伸長状態での長さ（前記収容部と前記延出部を接続する接続長さ）のことである。
そして、上記弾性材の上端から下端に向かって伸縮自在な長さを長くしているとは、上端の伸びによる変化よりも下端の伸びによる変化を大きくしていることを意味する。
【００３４】
また、上記腰裏ベルト部は、前記ウエスト方向に一体に連続して前記ウエストベルト部の裏側を形成し、前記弾性材とは別の他の弾性材によって伸縮自在なものであり、全体を前記弾性材とは別の他の弾性材で構成することで伸縮自在な構成としてもよいし、腰裏ベルト部の一部に前記弾性材とは別の他の弾性材を配設する構成であってもよい。即ち、前記ウエストベルト部の裏側の全周を他の弾性材で形成してもよいし、前記ウエストベルト部のウエスト周方向の一部を１または２以上の弾性材で形成するものであってもよい。例えば、上記腰裏ベルト部は、前記延出部に縫付けた延出部側裏ベルトと、前記収容部に縫付けた収容部側裏ベルトと、前記延出部側裏ベルトの一端及び前記収容部側裏ベルトの一端の間を接続した前記弾性材とは別の他の弾性材とから構成されて、前記延出部側裏ベルトと前記収容部側裏ベルトの間の弾性材によってウエスト方向に伸縮自在とされるものであってもよい。この腰裏ベルト部は、前記ウエストベルト部の表側を形成する収容部及び延出部に対応する曲線形状に形成されたものとしてもよいし、前記ウエストベルト部の表側に縫着する際にいせ込んで（細かくダブらせて）縫付けることによって、前記ウエストベルト部の表側を形成する収容部及び延出部の曲線形状に対応させてもよい。
【００３５】
請求項４の発明のボトムスは、曲線形状を有し、身頃に縫着しない端部側が延出自在な延出部と、曲線形状を有し、前記延出部の前記身頃に縫着しない前記端部側を収容した収容部とによって、ウエスト方向に延びる帯状がカーブしたウエストベルト部の表側を形成し、また、前記収容部の内部で前記収容部と前記延出部の間を弾性材によって弾性的に接続し、更に、前記弾性材とは別の他の弾性材を設けた腰裏ベルト部によって、前記ウエスト方向に一体に連続してウエスト方向に延びる帯状がカーブした前記ウエストベルト部の裏側を形成したものである。そして、前記接続部の前記弾性材が、前記収容部の内部に対し、前記ウエストベルト部の幅方向の下端寄りに縫付けられ、前記延出部側に縫付けた端部側よりも、前記収容部側に縫付けた端部側の方を低位置としているものである。
【００３６】
ここで、上記ウエストベルト部は、着用時に人体のウエスト周りに配設する部位であり、身頃に縫合わされてボトムスの履き口となる上部において、ウエスト周囲に亘って延びる帯状であり、その帯がカーブ状に形成されて曲線形状を有するものである。
【００３７】
そして、上記カーブの曲線形状は、ボトムスの両脇の脇線に沿って前身頃及び後身頃を重ねた状態で見たときに、一般的には、前身頃の前中心方向及び後身頃の後中心方向から両脇方向に向かって上昇する曲線形状である。左側の前身頃及び後身頃と右側の前身頃及び後身頃とを重ねた状態でみると、両脇の脇線方向から前身頃の前中心方向及び後身頃の後中心方向に向かって上昇する曲線形状である。特に、通常は、ウエストベルト部の前側よりも後ろ側でそのカーブを強くする。しかし、ボトムスのデザイン、生地の素材、縫製等によっては、或いは、デザイナー、製造者、購買者の要望等によって、少なくともボトムスの後ろ側でウエストベルト部が大きくカーブしていればストレートのものと比較してフィット性等が向上するから、必ずしも、ボトムスの前側では、即ち、前身頃への接続側ではウエストベルト部をカーブさせずに略直線状とすることもある。つまり、ボトムスの両脇の脇線に沿って前身頃及び後身頃を重ねた状態で見たときに、前身頃の前中心方向から両脇方向に向かっては、略直線状とする場合もある。即ち、左側の前身頃及び後身頃並びに右側の前身頃及び後身頃を重ねた状態で見たときに、両脇の脇線方向から前身頃の前中心方に向かっては、略直線状とする場合もある。
したがって、上記ウエストベルト部は、ボトムスの両脇の脇線に沿って前身頃及び後身頃を重ねた状態で見たときに、少なくとも、後身頃の後中心方向から両脇方向に向かって上昇する曲線形状を有すればよい。即ち、左側の前身頃及び後身頃並びに右側の前身頃及び後身頃を重ねた状態で見たときには、少なくとも、両脇の脇線方向から後身頃の後中心方に向かって上昇する曲線形状を有していればよい。
【００３８】
上記延出部は、前記ウエストベルト部のウエスト方向の長さの一部でその表側を形成する帯状をなし、前記ウエストベルト部のカーブに対応する曲線形状を有するものであり、その長さ方向の端部（一端部または両端部）側が身頃に縫着されずに収容部に挿入されて収容され、かつ、収容部から延出自在とされるものである。
【００３９】
上記収容部は、前記延出部を除く残りの前記ウエストベルト部のウエスト方向の長さの一部でその表側を形成する帯状をなし、前記ウエストベルト部のカーブに対応する曲線形状を有するものであり、その長さ方向の端部（一端部または両端部）側に前記延出部の身頃に縫着されない端部側が挿入されて収められたものである。
【００４０】
前記延出部及び前記収容部の関係は、例えば、ボトムスの前中心側に収容部を配設し、後中心側に延出部を配設してもよいし、その逆の配置、つまり、前中心側を延出部、後中心側を収容部としてもよい。通常は、ボトムスの脇線の上方付近で、前記延出部の延出自在な端部が前記ウエストベルト部の表裏の外面側（表裏面側）から隠れるように前記収容部内に入れられ、前記収容部に対し前記延出部の端部側が収容されて前記収容部と前記延出部が重複する。
【００４１】
上記接続部は、前記収容部に対し前記延出部の前記身頃に縫着しない端部側を入れて重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本以上であってもよい。即ち、２本以上の弾性材を前記収容部と前記延出部の間に並列的に配置し、ウエストの周方向に略垂直な方向で各弾性材が上下方向に配置するようにしてもよい。このときの各弾性材同士は離間していてもよいし、互いに近接していてもよいし、一部で厚みを重複させていてもよい。
【００４２】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材として伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００４３】
更に、上記接続部の弾性材は、前記収容部の内部に対し、前記ウエストベルト部の幅方向の下端寄りに縫付け、前記延出部側に縫付けた端部側よりも、前記収容部側に縫付けた端部側の方を低位置としたものである。つまり、上記接続部の弾性材は、収容部の内部のウエスト方向において、収容部への縫付側から延出部への縫付側に向かって斜めに上昇する挿入状態である。
【００４４】
また、上記腰裏ベルト部は、前記ウエスト方向に一体に連続して前記ウエストベルト部の裏側を形成し、前記弾性材とは別の他の弾性材によって伸縮自在なものであり、全体を前記弾性材とは別の他の弾性材で構成することで伸縮自在な構成としてもよいし、腰裏ベルト部の一部に前記弾性材とは別の他の弾性材を配設する構成であってもよい。即ち、前記ウエストベルト部の裏側の全周を他の弾性材で形成してもよいし、前記ウエストベルト部のウエスト周方向の一部を１または２以上の弾性材で形成するものであってもよい。例えば、上記腰裏ベルト部は、前記延出部に縫付けた延出部側裏ベルトと、前記収容部に縫付けた収容部側裏ベルトと、前記延出部側裏ベルトの一端及び前記収容部側裏ベルトの一端の間を接続した前記弾性材とは別の他の弾性材とから構成されて、前記延出部側裏ベルトと前記収容部側裏ベルトの間の弾性材によってウエスト方向に伸縮自在とされるものであってもよい。この腰裏ベルト部は、前記ウエストベルト部の表側を形成する収容部及び延出部に対応する曲線形状に形成されたものとしてもよいし、前記ウエストベルト部の表側に縫着する際にいせ込んで（細かくダブらせて）縫付けることによって、前記ウエストベルト部の表側を形成する収容部及び延出部の曲線形状に対応させてもよい。
【００４５】
請求項５の発明のボトムスは、請求項１乃至請求項４の何れか１つの構成において、前記身頃の前身頃側であって片方の脇または両脇の脇線に沿って取付けられた脇ポケット部を構成する袋布の向こう布において、その上端から下方に向かって延びた襞状のタック部が形成され、前記タック部の襞がその上方を除いて縫合されているものである。
【００４６】
上記脇ポケット部は、後身頃及び前身頃からなる身頃のうちの前身頃側であってボトムスの片側または両脇の脇線に沿って設けられているものである。上記脇ポケット部の形状としては、ボトムスの表側のポケット口の外縁が直線状、外縁が略Ｌ字型形状（Ｌポケット）、その変形で外縁が略Ｓ字型形状（Ｓポケット）等が挙げられる。また、上記脇ポケット部は、左右のどちらかの脇または左右の両脇に設けられるが、両脇のポケットが左右対称であってもよいし、左右対称でなくともよく、右脇のポケットと左脇のポケットとが種類、形態が異なっていてもよい。
【００４７】
そして、上記脇ポケット部は、それを形成している袋布の向こう布側にその上端から下方に向かって延びた襞状のタック部を有するものである。
ここで、上記タック部とは、袋布の向こう布の布地に形成した所定の折り目に沿って折り返す、即ち、折畳むことで襞状に形成されたものであり、ウエストベルト部の伸びに伴い袋布に掛かる引張り力を襞の展開によって逃がすものである。そして、上記タック部では、その上方を除いて一部の襞が縫合されており、その縫合の部分では襞の展開が制限されるものである。なお、上記タック部の上方を除いた一部の襞が縫合とは、タック部の上方除いて一部の襞が縫合されていることを意味するが、タックの襞を縫合する位置は、必ずしもタック部の下端までタックの襞が縫合されていることまでを要するものではない。即ち、タック部の襞の縫合は、ウエストベルト部が伸びたときに袋布の上方で所定の展開量を確保する点から、少なくともタック部の上方を除く必要があるが、タック部の下端側まで縫合されている必要はない。なお、タック部の上方を除いては、タックの長さの中間位置から上でタックの襞が縫合されていないことを意味するものではなく、タックの上端から下に所定範囲ではタックの襞が縫合されていないことを意味する。つまり、上記タック部の襞がその上方を除いて縫合とは、タック部の襞（折り返し部分）が少なくともその上方を除く縫合であることを意味する。
【００４８】
なお、上記向こう布とは、ボトムスの外側（表側）において袋布の布地（裏布）が見えないように袋布に貼付けられる身頃等の共地向こう布を意味するものではなく、袋状の袋布のうちボトムスの裏面側（身体側）に配設する側を向こう布とし、ボトムスの表面側に近い方に配設する手前布と区別するものである。身頃と共地であってもよいし、身頃とは異なる生地、例えば、スレーキ生地等の裏地を使用することも可能である。
【００４９】
請求項６の発明のボトムスは、請求項５の構成において、前記タック部の襞が、前記袋布の縦幅の中間部から上寄りで縫合されているものであり、比較的長さが短いタックに好適なものである。即ち、例えば、婦人用のボトムスのように袋布を落ち着かるためのアイロン等のプレスを行わないときにはその袋布のタックの長さは比較的短くなるが、そのような比較的短いタックの場合にも好適である。
【００５０】
請求項７の発明のボトムスは、請求項６の構成において、前記タック部の襞を縫合する始点が、前記袋布の前記向こう布の上がり線から垂直方向に下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあり、前記タック部の襞を縫合する終点が前記始点から下に垂直方向の長さで、３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあるものである。即ち、前記タック部の襞を縫合する始点が、前記袋布の前記向こう布の上がり線から垂直方向に下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあり、そこから下に垂直方向の長さで、３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内で前記タック部の襞を縫合するものである。
【００５１】
上記向こう布の上がり線とは、ボトムスの表側からみてウエストベルト部の下端に相当する仕上がり線を意味し、裁ち切り線よりも下に、例えば、１ｃｍ下に位置するものである。
また、上記始点、終点は、前記タック部の襞（折り返し部分）を縫合したときの縫合線の端を意味し、縫製時の縫い始め、縫い終わりの縫製方向までを意味するものではない。
そして、上記終点が前記始点から下に垂直方向の長さで、３ｃｍ以上、６ｃｍ以下の範囲内とは、前記タック部の襞を縫合したときの縫合線の長さや方向を意味するものではなく、襞を縫合する縦幅（垂直方向）の範囲を意味するものである。
なお、上記の数値は、厳格なものでなく概ねであり、当然、生地の種類、縫製糸の種類、縫い目の種類等による誤差を含む概略値であり、数割の誤差を否定するものではない。
【００５２】
請求項８の発明のボトムスは、請求項６または請求項７の構成において、前記タック部の襞が、前記襞を形成する２本の折り目のうち、前記タック部の折畳み状態で前記袋布の向こう布の外面に表れていない折り目から１ｃｍ以内、好ましくは、０．１ｃｍ以上、０．８ｃｍ以内、より好ましくは、０．１ｃｍ以上、０．６ｃｍ以内で中縫いにより縫合されているものである。
上記袋布の向こう布の外面側に表れていない折り目とは、タックの襞を形成するために谷折りした折り目線を意味するものである。
また、中縫いは、襞を縫合するときの縫合線（縫い目）が向こう布の外面側にでないように襞を縫合する縫い方である。
なお、上記の数値は、厳格なものでなく概ねであり、当然、生地の種類、縫製糸の種類、縫い目の種類等による誤差を含む概略値であり、数割の誤差を否定するものではない。
【００５３】
請求項９の発明のボトムスは、請求項５の構成において、前記タック部の襞が、前記袋布の縦幅の中間部から下寄りで縫合されているものであり、比較的長さが長いタックの場合に好適なものである。例えば、紳士用のボトムスのようにアイロン等のプレスで皺とり、クセとりを行い袋布を落ち着かせるときには、その袋布のタックの長さは比較的長くなるが、そのような比較的長いタックの場合に好適である。
【００５４】
請求項１０の発明のボトムスは、請求項９の構成において、前記タック部の襞（折り返し部分）を縫合する始点が、前記脇ポケット部のポケット口外縁の末端の高さに対応する位置から垂直方向に上に２ｃｍ以上、８ｃｍ以下、好ましくは、２．５ｃｍ以上、７．５ｃｍ以下、より好ましくは、３ｃｍ以上、７ｃｍ以下の範囲内にあり、前記タック部の襞を縫合する終点は前記脇ポケット部のポケット口外縁の末端の高さに対応する位置またはそれよりも下にあるものである。
上記ポケット口外縁の末端は、ボトムスの表側に表出しているポケット口の外縁の下端であって、脇線との交点である。
また、上記始点、終点とは、前記タック部の襞（折り返し部分）を縫合した縫合線の端を意味し、縫製時の縫い始め、縫い終わりの縫製方向までを意味するものではない。そして、このときの襞の縫合は、その縫合線（縫い目）が向こう布の外面側にでないように襞を縫合する中縫いであってもよいし、縫合線（縫い目）が向こう布の外面側にでることになるコバステッチであってもよい。
なお、上記の数値は、厳格なものでなく概ねであり、当然、生地の種類、縫製糸の種類、縫い目の種類等による誤差を含む概略値であり、数割の誤差を否定するものではない。
【００５５】
請求項１１の発明のボトムスは、請求項９または請求項１０の構成において、前記タック部の襞が、前記襞を形成する２本の折り目のうち、前記タック部の折畳み状態で前記袋布の向こう布の外面に表れている折り目から０．６ｃｍ以内、好ましくは、０．１ｃｍ以上、０．５ｃｍ以下、より好ましくは、０．１ｃｍ以上、０．４ｃｍ以内で縫合されているものである。
上記袋布の向こう布の外面側に表れている折り目とは、タックの襞を形成するために山折りした折り目線を意味するものである。
なお、上記の数値は、厳格なものでなく概ねであり、当然、生地の種類、縫製糸の種類、縫い目の種類等による誤差を含む概略値であり、数割の誤差を否定するものではない。
【００５６】
請求項１２の発明のボトムスの前記腰裏ベルト部は、請求項３乃至請求項１１の何れか１つの構成において、前記収容部の裏側に縫付けた収容部側裏ベルトと前記延出部の裏側に縫付けた延出部側裏ベルトの間を前記他の弾性材によって弾性的に接続してなるものである。
即ち、上記腰裏ベルト部は、前記延出部に縫付けた延出部側裏ベルトと、前記収容部に縫付けた収容部側裏ベルトと、前記延出部側裏ベルトの一端及び前記収容部側裏ベルトの一端の間を接続した前記弾性材とは別の他の弾性材とから構成されて、前記延出部側裏ベルトと前記収容部側裏ベルトの間の弾性材によってウエスト方向に伸縮自在とされるものである。
このような腰裏ベルト部は、前記ウエストベルト部の表側を形成する前記延出部及び前記収容部に対し、通常、前記ウエストベルト部の上端部で、延出部側裏ベルトが前記延出部に接がれ、また、収容部側裏ベルトが前記収容部に接がれる。そして、延出部側裏ベルトと収容部側裏ベルトの間を接続する前記弾性材とは別の弾性材は、前記延出部が入れられる前記収容部の開口端側付近で前記延出部に縫着されず前記延出部の裏側に配設される。上記延出部側裏ベルトと収容部側裏ベルトの間を接続する弾性材は、１本のゴム等の弾性材であっても良いし、２本または３本以上の弾性材を並列的に配置し、ウエストの周方向に対し略垂直な方向で各弾性材が上下方向に配置するようにしてもよい。
【００５７】
請求項１３の発明のボトムスは、請求項１２の構成において、前記腰裏ベルト部の前記他の弾性材が、上方の弾性材及び下方の弾性材の２本の弾性材によって形成され、前記上方の弾性材の下方に前記下方の弾性材の上方を重複させて上下に配設されているものである。
上記上方の弾性材と下方の弾性材は、上方の弾性材の下方に下方の弾性材の上方が重ねられており、互いに厚みの一部を重ねて重複させているものであり、ボトムスの裏側から見て上方の弾性材の手前側に下方の弾性材を重ねてもよいし、上方の弾性材の後ろで下方の弾性材を重ねてるようにしてもよい。
【００５８】
請求項１４の発明のボトムスは、請求項１２または請求項１３の構成において、前記ウエストベルト部の表側を形成する前記延出部の内面側であって、前記腰裏ベルト部の前記他の弾性材に対応する位置で、裏地が取付けられているものである。
上記裏地の取付けは、例えば、前記延出部の上部及び下部が内折りされ、前記延出部の内折りされた上部の外側に裏地の上端を縫付けまたは貼付け、また、前記延出部の内折りされた下部の外側または内側に前記裏地の下端を縫付けまたは貼付けることによって取付けられる。この裏地は、前記延出部とそれに縫着されてない前記腰裏ベルト部の前記他の弾性材との間から、前記延出部の内面側が見えたときにその見栄えを損なわないように取付けるものであるから、少なくとも前記延出部の前記腰裏ベルト部の前記他の弾性材に対応する位置に取付けられていればよく、前記延出部の先端部側であればよい。
上記裏地としては、好ましくは、ポリエステル系の生地、ナイロン系の生地、スレーキ、リボンテープ等の伸縮性を有しない生地（接着芯等の芯材を含む）を用いることで前記収容部に対する前記延出部の摺動性を向上させることも可能である。
【発明の効果】
【００５９】
請求項１の発明に係るボトムスによれば、ウエスト方向に延びる帯状がカーブしたウエストベルト部の表側及び裏側が前記ウエストベルト部のカーブに対応する曲線形状を有する延出部及び収容部で形成されており、前記収容部に対し前記延出部の身頃に縫着しない端部側が収容されて前記収容部から前記延出部の端部が延出自在であり、前記収容部の内部で前記延出部と前記収容部の間が接続部の弾性材によって弾性的に接続されている。そして、前記接続部の前記弾性材は、その上端から下端に向かって伸縮自在な長さを長くし、前記収容部と前記延出部の間を接続している。
【００６０】
このように、請求項１の発明に係るボトムスによれば、ウエストベルト部がカーブしているから、ウエストベルト部のカーブによって、着用者のウエスト周りに対するフィット性を向上させることができる。しかも、カーブしたウエストベルト部に対しウエスト方向に引張り力が掛かった際には、ウエストベルト部を構成する延出部と収容部の間を弾性的に接続した接続部の弾性材の伸びによって、収容部から延出部が延出することにより、ウエストベルト部が伸長する。また、引張り力が解放されると、弾性材の弾性力によって、伸長したウエストベルト部は元に戻る。即ち、カーブしたウエストベルト部は、延出部と収容部の間を弾性的に接続した弾性材の弾性力によって伸縮自在である。
【００６１】
したがって、請求項１の発明に係るボトムスによれば、ウエストベルト部のカーブによって、着用者のウエスト周りのフィット性を向上させることができるうえ、延出部と収容部の間を弾性的に接続した弾性材の弾性力によりカーブしたウエストベルト部が伸縮自在であることで、身体のウエスト周りの動きに追随できるから、ウエストベルト部のカーブ形状に伴うウエスト周りの圧迫感、窮屈感を解消できる。よって、ウエスト周りへの締め付け力、窮屈感を強調させることなく、ウエストベル部のカーブ形状及び伸縮自在な構造によってウエスト周りへのフィット性を高めることができる。
【００６２】
請求項２の発明に係るボトムスによれば、ウエスト方向に延びる帯状がカーブしたウエストベルト部の表側及び裏側が前記ウエストベルト部のカーブに対応する曲線形状を有する延出部及び収容部で形成されており、前記収容部に対し前記延出部の身頃に縫着しない端部側が収容されて前記収容部から前記延出部の端部が延出自在であり、前記収容部の内部で前記延出部と前記収容部の間が接続部の弾性材によって弾性的に接続されている。そして、前記接続部の前記弾性材が、前記収容部の内部に対し、前記ウエストベルト部の幅方向の下端寄りに縫付けられ、前記延出部側に縫付けた端部側よりも、前記収容部側に縫付けた端部側の方を低位置としている。
【００６３】
このように、請求項２の発明に係るボトムスによれば、ウエストベルト部がカーブしているから、ウエストベルト部のカーブによって、着用者のウエスト周りに対するフィット性を向上させることができる。しかも、カーブしたウエストベルト部に対しウエスト方向に引張り力が掛かった際には、ウエストベルト部を構成する延出部と収容部の間を弾性的に接続した接続部の弾性材の伸びによって、収容部から延出部が延出することにより、ウエストベルト部が伸長する。また、引張り力が解放されると、弾性材の弾性力によって、伸長したウエストベルト部は元に戻る。即ち、カーブしたウエストベルト部は、延出部と収容部の間を弾性的に接続した弾性材の弾性力によって伸縮自在である。
【００６４】
したがって、請求項２の発明に係るボトムスによれば、ウエストベルト部のカーブによって、着用者のウエスト周りのフィット性を向上させることができるうえ、延出部と収容部の間を弾性的に接続した弾性材の弾性力によりカーブしたウエストベルト部が伸縮自在であることで、身体のウエスト周りの動きに追随できるから、ウエストベルト部のカーブ形状に伴うウエスト周りの圧迫感、窮屈感を解消できる。よって、ウエスト周りへの締め付け力、窮屈感を強調させることなく、ウエストベル部のカーブ形状及び伸縮自在な構造によってウエスト周りへのフィット性を高めることができる。
【００６５】
請求項３の発明に係るボトムスによれば、ウエスト方向に延びる帯状をなすカーブしたウエストベルト部の表側が前記ウエストベルト部のカーブに対応する曲線形状を有する延出部及び収容部で形成されており、前記収容部に対し前記延出部の身頃に縫着しない端部側が収容され、収容部から延出部の端部が延出自在であり、前記収容部の内部で前記延出部とゼ前記収容部の間が接続部の弾性材によって弾性的に接続されている。また、カーブしたウエストベルト部の裏側は、前記弾性材とは別の他の弾性材によって伸縮自在な腰裏ベルト部で形成されている。そして、前記接続部の前記弾性材は、その上端から下端に向かって伸縮自在な長さを長くし、前記収容部と前記延出部の間を接続している。
【００６６】
このように、請求項３の発明に係るボトムスによれば、ウエストベルト部がカーブしているから、ウエストベルト部のカーブによって、着用者のウエスト周りに対するフィット性を向上させることができる。しかも、カーブしたウエストベルト部に対しウエスト方向に引張り力が掛かった際には、ウエストベルト部の表側を構成する延出部と収容部の間を弾性的に接続した接続部の弾性材の伸びによって、収容部から延出部が延出すると共に、ウエストベルト部の裏側を構成する腰裏ベルト部の弾性材の伸びによって腰裏ベルト部が伸びることにより、ウエストベルト部が伸長する。また、引張り力が解放されると、それら弾性材の弾性力によって伸長したウエストベルト部は元に戻る。即ち、カーブしたウエストベルト部は、延出部と収容部の間を弾性的に接続した弾性材の弾性力及び腰裏ベルト部の弾性材の弾性力によって伸縮自在である。
【００６７】
したがって、請求項３の発明に係るボトムスによれば、ウエストベルト部のカーブによって、着用者のウエスト周りのフィット性を向上させることができるうえ、延出部と収容部の間を弾性的に接続した弾性材及び腰裏ベルト部の弾性材の弾性力によりカーブしたウエストベルト部が伸縮自在であることで、身体のウエスト周りの動きに追随できるから、ウエストベルト部のカーブ形状に伴うウエスト周りの圧迫感、窮屈感を解消できる。よって、ウエスト周りへの締め付け力、窮屈感を強調させることなく、ウエストベル部のカーブ形状及び伸縮自在な構造によってウエスト周りへのフィット性を高めることができる。
【００６８】
請求項４の発明に係るボトムスによれば、ウエスト方向に延びる帯状をなすカーブしたウエストベルト部の表側が前記ウエストベルト部のカーブに対応する曲線形状を有する延出部及び収容部で形成されており、前記収容部に対し前記延出部の身頃に縫着しない端部側が収容され、収容部から延出部の端部が延出自在であり、前記収容部の内部で前記延出部とゼ前記収容部の間が接続部の弾性材によって弾性的に接続されている。また、カーブしたウエストベルト部の裏側は、前記弾性材とは別の他の弾性材によって伸縮自在な腰裏ベルト部で形成されている。そして、前記接続部の前記弾性材が、前記収容部の内部に対し、前記ウエストベルト部の幅方向の下端寄りに縫付けられ、前記延出部側に縫付けた端部側よりも、前記収容部側に縫付けた端部側の方を低位置としている。
【００６９】
このように、請求項４の発明に係るボトムスによれば、ウエストベルト部がカーブしているから、ウエストベルト部のカーブによって、着用者のウエスト周りに対するフィット性を向上させることができる。しかも、カーブしたウエストベルト部に対しウエスト方向に引張り力が掛かった際には、ウエストベルト部の表側を構成する延出部と収容部の間を弾性的に接続した接続部の弾性材の伸びによって、収容部から延出部が延出すると共に、ウエストベルト部の裏側を構成する腰裏ベルト部の弾性材の伸びによって腰裏ベルト部が伸びることにより、ウエストベルト部が伸長する。また、引張り力が解放されると、それら弾性材の弾性力によって伸長したウエストベルト部は元に戻る。即ち、カーブしたウエストベルト部は、延出部と収容部の間を弾性的に接続した弾性材の弾性力及び腰裏ベルト部の弾性材の弾性力によって伸縮自在である。
【００７０】
したがって、請求項４の発明に係るボトムスによれば、ウエストベルト部のカーブによって、着用者のウエスト周りのフィット性を向上させることができるうえ、延出部と収容部の間を弾性的に接続した弾性材及び腰裏ベルト部の弾性材の弾性力によりカーブしたウエストベルト部が伸縮自在であることで、身体のウエスト周りの動きに追随できるから、ウエストベルト部のカーブ形状に伴うウエスト周りの圧迫感、窮屈感を解消できる。よって、ウエスト周りへの締め付け力、窮屈感を強調させることなく、ウエストベル部のカーブ形状及び伸縮自在な構造によってウエスト周りへのフィット性を高めることができる。
【００７１】
請求項５の発明に係るボトムスによれば、前身頃側であって片側または両脇の脇線に沿って取付けた脇ポケット部を構成する袋布の向こう布側において、その上端から下方に向かって延びた襞状のタック部を形成し、タック部の襞をその上方を除いて縫合している。これより、タック部の開きが制限され袋布の生地の遊び、余裕が少なくなるから、請求項１乃至請求項４の何れか１つに記載の効果に加えて、ウエストベルト部のカーブによる着用者のウエスト周りへのフィット性の向上によって、脇ポケット部の袋布に掛かる引き攣り量が増大しても、ズボンの外側のポケット口から袋布が吹き出す事態が防止され、見栄えや外観性を維持できる。
【００７２】
請求項６の発明に係るボトムスによれば、前記タック部の襞は、前記袋布の縦幅の中間部から上寄りで縫合されているから、請求項５に記載の効果に加えて、比較的タックが短い設計のズボンであっても、例えば、婦人用のボトムスのように袋布を落ち着かるためのアイロン等のプレスを行わないときにはその袋布のタックの長さは比較的短くなるが、そのような比較的タックが短いものでも、前記袋布の縦幅の中間部から上側の所定範囲で縫合することによって、ボトムス外側のポケット口から袋布が吹き出すのを効果的に抑制できる。
【００７３】
請求項７の発明に係るボトムスによれば、前記タック部の襞を縫合する始点は、前記袋布の上がり線から垂直方向に下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあり、前記タック部の襞を縫合する終点は、前記始点から垂直方向に、３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にある。これより、タック部の上方の襞の展開量を確保しつつ、タック部の下方で襞の展開を制限することができる。よって、請求項６に記載の効果加えて、ウエストベルト部に引張り力が掛かった際でも袋布の上方の引き攣りを抑えて見栄えを損なうことなく、ボトムスの外側のポケット口から袋布が吹き出るのを抑制できる。
【００７４】
請求項８の発明の前記タック部の襞は、前記タック部の折畳み状態で前記袋布の向こう布の外面に表れていない折り目から１ｃｍ以内、好ましくは、０．１ｃｍ以上、０．８ｃｍ以内、より好ましくは、０．１ｃｍ以上、０．６ｃｍ以内で中縫いによって縫合されているから、前記タック部の襞を縫合した部分でも所定の展開量を確保できる。よって、請求項６または請求項７に記載の効果に加えて、脇ポケット部のポケット止まりの周囲に生じやすい引き攣りを抑制して見栄えを向上させることができる。更に、袋布の上方の引き攣りを抑えて見栄えを向上できる。
【００７５】
請求項９の発明のボトムスの前記タック部の襞は、前記袋布の縦幅の中間部から下寄りで縫合されているから、請求項５に記載の効果に加えて、比較的タックが長い場合、例えば、紳士用のボトムスのようにアイロン等のプレスで皺とり、クセとりを行い袋布を落ち着かせるときには、その袋布のタックの長さは比較的長くなるが、そのようにタックが比較的長いものでは、前記袋布の縦幅の中間部から下寄りで縫合することによって、ボトムス外側のポケット口から袋布が吹き出すのを効果的に抑制できる。
【００７６】
請求項１０の発明に係るボトムスによれば、前記タック部の襞（折り返し部分）を縫合する始点は、前記脇ポケット部のポケット口外縁の末端の高さに対応する位置から垂直方向に上に２ｃｍ以上、８ｃｍ以下、好ましくは、２．５ｃｍ以上、７．５ｃｍ以下、より好ましくは、３ｃｍ以上、７ｃｍ以下の範囲内にあり、前記タック部の襞を縫合する終点は、前記脇ポケット部のポケット口外縁の末端の高さに対応する位置またはそれよりも下にある。これより、タック部の上方の襞の展開量を確保しつつ、タック部の一部で襞の展開を制限できる。よって、請求項９に記載の効果に加えて、ウエストベルト部に引張り力が掛かった際でも袋布の上方の引き攣りを抑えて見栄えを損なうことなく、ボトムスの外側のポケット口から袋布が吹き出るのを抑制できる。
【００７７】
請求項１１の発明のボトムスの前記タック部の襞は、前記タック部の折畳み状態で前記袋布の向こう布の外面に表れている折り目から０．６ｃｍ以内、好ましくは、０．１ｃｍ以上、０．５ｃｍ以下、より好ましくは、０．１ｃｍ以上、０．４ｃｍ以内で縫合されているから、前記タック部の襞を縫合した部分では、その襞が殆ど展開しない。よって、請求項９または請求項１０に記載の効果に加えて、身頃等の生地が薄いものでも、脇ポケット部の皺寄りを効果的に抑え、見栄えを維持できる。
【００７８】
請求項１２の発明に係るボトムスによれば、前記ウエストベルト部の裏側は、前記収容部の裏側に縫付けた収容部側裏ベルトと前記延出部の裏側に縫付けた延出部側裏ベルトの間を前記弾性材とは別の他の弾性材によって弾性的に接続してなる腰裏ベルト部で形成されているものである。したがって、請求項３乃至請求項１１の何れか１つに記載の効果に加えて、前記弾性材とは別の他の弾性材が一部のみの配設であるから、低コストで済み、また、伸縮に伴う弛みも少なくなるから見栄えも良い。
【００７９】
請求項１３の発明に係るボトムスによれば、前記腰裏ベルト部の前記他の弾性材は、上方の弾性材及び下方の弾性材の２本の弾性材によって形成され、前記上方の弾性材の下方に前記下方の弾性材の上方を重複させて上下に配設されているから、強力な締め付け感、窮屈感を生じさせることなく弾性力を強化でき、少ない外力で高い伸縮力を得ることができる。よって、請求項１２に記載の効果に加えて、より少ない締め付け感、窮屈感で人体のウエストの動きに追従するフィット性を高めることができ、着用感を向上させることができる。
【００８０】
請求項１４の発明に係るボトムスによれば、前記ウエストベルト部の表側を形成する前記延出部の内面側には、前記腰裏ベルト部の前記他の弾性材に対応する位置で、裏地が取付けられている。よって、請求項１２または請求項１３に記載の効果に加えて、前記延出部と前記腰裏ベルト部の前記他の弾性材との間から前記延出部の内面が見えたときでも裏地が見えるだけであるから、商品イメージの低下を防止できる。
【図面の簡単な説明】
【００８１】
【図１】図１（ａ）は本発明の実施の形態１に係るズボンの正面図であり、図１（ｂ）は本発明の実施の形態１に係るズボンの背面図であり、図１（ｃ）は本発明の実施の形態１に係るズボンを右側面から見たときのウエスト部周辺の部分拡大図であり、図１（ｄ）は本発明の実施の形態１に係るズボンを左側面から見たときのウエスト部周辺の部分拡大図である。
【図２】図２は本発明の実施の形態１に係るズボンのウエスト周りを示す斜視図である。
【図３】図３は本発明の実施の形態１に係るズボンのウエスト周りを展開して裏側から見た展開図である。
【図４】図４（ａ）は本発明の実施の形態１に係るズボンの延出部及び弾性材の構造を説明するための部分展開図であり、図４（ｂ）は本発明の実施の形態１に係るズボンの延出部及び弾性材の構造を説明するための説明図である。
【図５】図５（ａ）は本発明の実施の形態１に係るズボンのウエストベルト部の構造を説明するための部分展開図であり、図５（ｂ）は本発明の実施の形態１に係るズボンの接続部の構造を説明するための部分拡大図である。
【図６】図６（ａ）は本発明の実施の形態１に係るズボンのウエストベルト部及びその周囲の構造をズボンの裏側から見た部分拡大図であり、図６（ｂ）は本発明の実施の形態１に係るズボンのウエストベルト部及びその周囲の構造をズボンの表側から見た部分拡大図である。
【図７】図７（ａ）は本発明の実施の形態１に係るズボンのウエスト周りが伸長する前のウエストベルト部及びその周囲の構造をズボンの表側から見た部分拡大図であり、図７（ｂ）は本発明の実施の形態１に係るズボンのウエスト周りが伸長した状態のウエストベルト部及びその周囲の構造をズボンの表側から見た部分拡大図である。
【図８】図８（ａ）は本発明の実施の形態１に係るズボンの収容部と延出部の間を平ゴムで接続した構成を示してゴムの縫着状態、伸長時のゴムの動き及び収容部から抜き出る延出部の動きを説明する説明図であり、図８（ｂ）は本発明の実施の形態１に係るズボンにおいてウエストベルト部に引張り力が掛かった際に、収容部から延出部が引き出されるときの延出部の動きを説明する説明図である。
【図９】図９（ａ）は本発明の実施の形態２に係るズボンの収容部と延出部の間を平ゴムで接続した構成を示してゴムの縫着状態、伸長時のゴムの動き及び収容部から抜き出る延出部の動きを説明するための説明図であり、図９（ｂ）は本発明の実施の形態２に係るズボンにおいてウエストベルト部に引張り力が掛かった際に、収容部から延出部が引き出されるときの延出部の動きを説明する説明図である。
【図１０】図１０（ａ）は本発明の実施の形態１に係るズボンの収容部と延出部の間を接続する平ゴムを、収容部の裏面側に縫付けたときのウエストベルト部の構造を示す部分展開図であり、図１０（ｂ）は本発明の実施の形態１に係るズボンの収容部と延出部の間を接続する平ゴムを、収容部の裏面側に縫付けたときの接続部の構造を示す部分拡大図である。
【図１１】図１１（ａ）は本発明の実施の形態１に係るズボンの脇ポケット部を形成する袋布の身頃に縫付ける前の部品展開図であり、図１１（ｂ）は本発明の実施の形態１に係るズボンの脇ポケット部を形成する袋布を身頃に縫付ける前の袋布の作製途中の構成を示す説明図であり、図１１（ｃ）は本発明の実施の形態１に係るズボンの脇ポケット部を形成する袋布を身頃に縫付ける前の袋布の作製途中の構成であって、タック部を形成し、一部のタック部の襞を縫合した状態を示す説明図であり、図１１（ｄ）は本発明の実施の形態１に係るズボンの脇ポケット部を形成する袋布を身頃に縫付ける前の袋布の作製途中の構成であって、袋布の内面側を示して、一部のタック部の襞が縫合されていることを説明するための説明図である。
【図１２】図１２（ａ）は本発明の実施の形態１に係るズボンの脇ポケット部を形成する袋布の身頃への縫着状態をズボンの裏側から見て示す説明図であり、図１２（ｂ）は本発明の実施の形態１に係るズボンの脇ポケット部を形成する袋布の身頃への縫着状態をズボンの表側から見て示す説明図である。
【図１３】図１３（ａ）は本発明の実施の形態１に係るズボンの脇ポケット部を形成する袋布が身頃及びウエストベルト部に縫着された状態のウエストベルト部及びその周囲の構造をズボンの裏側から見て示す部分拡大展開図であり、図１３（ｂ）は本発明の実施の形態１に係るズボンの脇ポケット部を形成する袋布が身頃及びウエストベルト部に縫着された状態のウエストベルト部及びその周囲の構造をズボンの裏側から見て示す部分拡大図である。
【図１４】図１４（ａ）は本発明の実施の形態１に係るズボンのウエスト周りが伸長する前のウエスト部の構造をズボンの表側から見た部分拡大図であり、図１４（ｂ）は本発明の実施の形態１に係るズボンのウエスト周りが伸長した状態のウエスト部の構造をズボンの表側から見た部分拡大図である。
【図１５】図１５（ａ）はウエストベルト部がカーブしたズボンを着用した際に、脇ポケット部の袋布がポケット口から吹き出したり、脇ポケット部及びその周囲で皺寄りが生じたりする状態を示す説明図であり、図１５（ａ）は本発明の実施の形態１に係るズボンを着用した際の脇ポケット部及びその周囲の状態を示す説明図である。
【図１６】図１６（ａ）は本発明の実施の形態１に係るズボンの変形例１の脇ポケット部を形成する袋布の身頃に縫付ける前の部品展開図であり、図１６（ｂ）は本発明の実施の形態１に係るズボンの変形例１の脇ポケット部を形成する袋布を身頃に縫付ける前の袋布の作製途中の構成を示す説明図であり、図１６（ｃ）は本発明の実施の形態１に係るズボンの変形例１の脇ポケット部を形成する袋布を身頃に縫付ける前の袋布の作製途中の構成であって、タック部を形成し、一部のタック部の襞を縫合した状態を示す説明図であり、図１６（ｄ）は本発明の実施の形態１に係るズボンの変形例１の脇ポケット部を形成する袋布を身頃に縫付ける前の袋布の作製途中の構成であって、袋布の内面側を示して、一部のタック部の襞が縫合されていることを説明するための説明図である。
【図１７】図１７（ａ）は本発明の実施の形態１に係るズボンのウエスト周りが伸長する前の変形例１の脇ポケット部の状態を説明するために、ズボンの表側から見たウエスト部の部分拡大図であり、図１７（ｂ）は本発明の実施の形態１に係るズボンのウエスト周りが伸長した状態の変形例１の脇ポケット部を説明するために、ズボンの表側から見たウエスト部の部分拡大図である。
【図１８】図１８（ａ）は本発明の実施の形態１に係るズボンの変形例２の脇ポケット部を形成する袋布の身頃に縫付ける前の部品展開図であり、図１８（ｂ）は本発明の実施の形態１に係るズボンの変形例２の脇ポケット部を形成する袋布を身頃に縫付ける前の袋布の作製途中の構成を示す説明図であり、図１８（ｃ）は本発明の実施の形態１に係るズボンの変形例２の脇ポケット部を形成する袋布を身頃に縫付ける前の袋布の作製途中の構成であって、タック部を形成し、一部のタック部の襞を中縫いによって縫合した状態を示す説明図であり、図１８（ｄ）は本発明の実施の形態１に係るズボンの変形例２の脇ポケット部を形成する袋布を身頃に縫付ける前の袋布の作製途中の構成であって、袋布の内面側を示して、一部のタック部の襞が中縫いで縫合されていることを説明するための説明図であり、図１８（ｅ）は本発明の実施の形態１に係るズボンの変形例２の脇ポケット部を形成する袋布を身頃に縫付ける前の袋布の作製途中の構成であって、タック部を形成し、一部のタック部の襞をコバステッチで縫合した状態を示す説明図である。
【図１９】図１９（ａ）は本発明の実施の形態１に係るズボンの変形例２の脇ポケット部を形成する袋布が身頃及びウエストベルト部に縫着された状態のウエストベルト部及びその周囲の構造をズボンの裏側から見て示す部分拡大展開図であり、図１９（ｂ）は本発明の実施の形態１に係るズボンの変形例２の脇ポケット部を形成する袋布が身頃及びウエストベルト部に縫着された状態のウエストベルト部及びその周囲の構造をズボンの裏側から見て示す部分拡大図である。
【図２０】図２０（ａ）は本発明の実施の形態１に係るズボンのウエスト周りが伸長する前の変形例２の脇ポケット部の状態を説明するために、ズボンの表側から見たウエスト部の部分拡大図であり、図２０（ｂ）は本発明の実施の形態１に係るズボンのウエスト周りが伸長した状態の変形例２の脇ポケット部の状態を説明するために、ズボンの表側から見たウエスト部の部分拡大図である。
【図２１】図２１は変形例３に係るズボンのウエスト周りを示す斜視図である。
【図２２】図２２は変形例３に係るズボンのウエスト周りを展開して裏側から見た展開図である。
【図２３】図２３は変形例３に係るズボンのウエストベルト部の構成を説明するための要部分解斜視図である。
【図２４】図２４（ａ）は変形例３に係るズボンの延出部の内面に裏地を取付ける説明図であり、図２４（ｂ）は本発明の実施の形態２に係るズボンの延出部の内面に対し、裏地の上端を延出部の上端部の外面側に縫付け、裏地の下端を延出部の下端部の外面側に縫付けた例の説明図であり、図２４（ｃ）は本発明の実施の形態２に係るズボンの延出部の内面に対し、裏地の上端を延出部の上端部の外面側に縫付け、裏地の下端を延出部の下端部の内面側に縫付けた例の説明図である。
【図２５】図２５は変形例４の腰裏ベルト部の構成を説明するためのウエストベルト部の要部分解斜視図である。
【図２６】図２６（ａ）は変形例４の腰裏ベルト部の表面側を弾性材の一部を展開した（捲った）状態で示した説明図であり、図２６（ｂ）は変形例４の腰裏ベルト部の裏面側を弾性材の一部を展開した（捲った）状態で示した説明図である。
【図２７】図２７は、脇ポケット部のその他の例として、Ｌ字形状の大ポケット部及び脇中間ポケット部を説明する説明図である。
【図２８】図２８（ａ）は、図２７に示したＬ字形状の大ポケット部及び脇中間ポケット部からなる脇ポケット部の構造を説明するために、ズボンの裏側から見て脇中間ポケット部を形成する袋布を一部捲った状態で示した説明図であり、図２８（ｂ）は、図２７に示したＬ字形状の大ポケット部及び脇中間ポケット部からなる脇ポケット部の構造をズボンの裏側から見て示す説明図である。
【発明を実施するための形態】
【００８２】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００８３】
［実施の形態１］
まず、本発明の実施の形態１に係るボトムスとしてのズボン１の概略構成について、図１を参照して説明する。
【００８４】
本実施の形態１に係るズボン１は、下半身を包む前身頃４Ｆ及び後身頃４Ｂと、それら前身頃４Ｆ及び後身頃４Ｂの上部に接続され着用時に人体のウエスト周りに位置するウエストベルト部１０とを有するものである。
【００８５】
また、本実施の形態１に係るズボン１は、着用時に人体のウエスト付近に位置するウエスト部Ｗにおいて、前身頃４Ｆ側であって左脇線ＬＳの近傍及び右脇線ＲＳの近傍に左右で一対の脇ポケット部２０を有している。
【００８６】
ここで、本実施の形態１に係るズボン１において、人体のウエスト方向の全長に沿って延びる帯状のウエストベルト部１０はカーブしている。即ち、図１（ａ）に示すように、前身頃４Ｆ及び後身頃４Ｂが縫合された左脇線ＬＳ及び右脇線ＲＳに沿って前身頃４Ｆ及び後身頃４Ｂを重ねた状態で、ウエストベルト部１０の正面側（前側）が前中心ＦＣ側から左脇線ＬＳ及び右脇線ＲＳの両脇側に向かって上昇する弧状に延びた曲線形状に形成されている。また、図１（ｂ）に示すように、ウエストベルト部１０の背面側（後側）も後中心ＢＣ側から左脇線ＬＳ及び右脇線ＲＳの両脇側に向かって上昇する弧状に延びた曲線形状に形成されている。
【００８７】
つまり、本実施の形態１のウエストベルト部１０は、その正面側（前側）では、上端（上辺）及び下端（下辺）が前中心ＦＣ側から左脇線ＬＳ及び右脇線ＲＳの両脇側に向かって上昇する曲線ラインを有し、背面側（後側）では、上端（上辺）及び下端（下辺）が後中心ＢＣ側から左脇線ＬＳ及び右脇線ＲＳの両脇側に向かって上昇する曲線ラインを有するカーブベルトであり、上端（上辺）よりも下端（下辺）のウエスト周りの長さが長くなっている。
勿論、ウエストベルト部１０の下部には前身頃４Ｆ及び後身頃４Ｂが縫合されているから、ウエストベルト部１０の下端は、それに接続した前身頃４Ｆ及び後身頃４Ｆの上端と共に、前中心ＦＣ側及び後中心ＢＣ側から左脇線ＬＳ及び右脇線ＲＳの両脇に向かって上昇する曲線状となっている。
【００８８】
なお、本実施の形態１のカーブしたウエストベルト部１０をズボン１の側面側からみると、図１（ｃ）及び図１（ｄ）に示すように、左脇線ＬＳ及び右脇線ＲＳ側から後中心ＢＣ側に向かって上昇する曲線形状に形成され、また、左脇線ＬＳ及び右脇線ＲＳ側から前中心ＦＣ側に向かっても僅かに上昇する曲線形状に形成されている。特に、左脇線ＬＳ及び右脇線ＲＳ側から前中心ＦＣ側に向かっては、僅かに上昇する緩いカーブ形状であるが、左脇線ＬＳ及び右脇線ＲＳ側から後中心ＢＣ側に向かっては、前中心ＦＣ側と比較して急な上昇のカーブ形状となっている。
【００８９】
因みに、左脇線ＬＳ、右脇線ＲＳとは、身頃部においては、前身頃４Ｆ及び後身頃４Ｂが縫合された縫い目であるが、ウエストベルト部１０においては、図１（ａ）及び図１（ｂ）に示したように、前身頃４Ｆ及び後身頃４Ｂが縫合された左脇線ＬＳ及び右脇線ＲＳに沿って前身頃４Ｆ及び後身頃４Ｂを重ねた状態で、前身頃４Ｆ及び後身頃４Ｂを接いだときの縫い目からウエストベルト部１０に延長した外形線を左脇線ＬＳ及び右脇線ＲＳとする。即ち、後述するように、本実施の形態１のウエストベルト部１０の表側及び裏側においては、別体である収容部１２及び延出部１１によって形成され、脇ポケット部２０の上部近傍で収容部１２及び延出部１１が重ねられた重ね合わせ部１３を有し、収容部１２及び延出部１１の境界が脇ポケット部２０の上部近傍に位置するが、左脇線ＬＳ、右脇線ＲＳは、それら収容部１２及び延出部１１の境界を示すものではなく、図１（ａ）及び図１（ｂ）に示したように、前身頃４Ｆ及び後身頃４Ｂを接いだときの縫い目に沿って前身頃４Ｆ及び後身頃４Ｂを重ねたときの延長でウエストベルト部１０の前側と後側を重ねたときの側部の外形線である。なお、ズボン１のデザイン、規格等によっては、収容部１２及び延出部１１の境界が左脇線ＬＳ及び右脇線ＲＳと一致させる場合もあるし、不一致とする場合もある。
【００９０】
ここで、このような曲線形状をなす本実施の形態１のウエストベルト部１０の構造について、主に、図２、図３、図５、図７を参照して、詳細に説明する。
図２及び図３に示すように、本実施の形態１において、ウエスト方向に延びる帯状、かつ、カーブ状のウエストベルト部１０は、ウエスト長を収容部１２と延出部１１に分割し、後身頃４Ｂに縫合わされる収容部１２と端部を除いて前身頃４Ｆに縫合わされる延出部１１とを脇線ＬＳ，ＲＳ近傍の各脇ポケット部２０の上方で重ね合わせて重ね合わせ部１３を形成している。
即ち、脇線ＬＳ，ＲＳ近傍で、収容部１２の端部に延出部１１の端部を挿入し収容することで、特に、延出部１１の前身頃４Ｆに縫着されない端部をウエストベルト部１０の表裏の意匠面側から隠れるように収容部１２内に入れることで、収容部１２及び延出部１１の重なりによる重ね合わせ部１３を形成し、このような収容部１２及び延出部１１によってウエストベルト部１０の表側及び裏側が形成されている。
【００９１】
そして、本実施の形態１のウエストベルト部１０においては、延出部１１の端部が収められた収容部１２の内部（内側）において、図５等に示すように、延出部１１の端部と収容部１２の内面側とが弾性材としての平ゴム１５Ｅで構成される接続部１５によって弾性的に接続されている。
【００９２】
このように、本実施の形態１では、ウエスト方向に延びる帯状のウエストベルト部１０を収容部１２及び延出部１１の別体で構成し、延出部１１の前身頃４Ｆに縫着しない端部側を収容部１２に挿入し、収容部１２に対し延出部１１が収容されている状態で収容部１２の内部において収容部１２及び延出部１１の間を平ゴム１５Ｅによって弾性的に接続していることで、平ゴム１５Ｅの弾性力により収容部１２から延出部１１を延出自在としている。
【００９３】
即ち、ウエストベルト部１０に引張り力が掛かった際には、図７等に示すように、平ゴム１５Ｅの伸長によって収容部１２から延出部１１が引き出されて延出し、ウエストベルト部１０が伸長する。そして、ウエスト周りを伸ばそうとする力が解除されると、平ゴム１５Ｅが弾性力によって元の本来の長さに戻るから、再び延出部１１が収容部１２内に収容される方向に移動し元の状態に戻る。
こうして、本実施の形態１では、カーブ状としたウエストベルト部１０を伸縮自在な構成としている。
【００９４】
このような本実施の形態１のウエストベルト部１０の伸縮自在な構造について、図４乃至図８を参照して、より具体的に説明する。
本実施の形態１では、収容部１２及び延出部１１は何れも前身頃４Ｆ及び後身頃４Ｂと共地（例えば、綿系、ポリエステル系、ウール系の生地等）で作製され、ウエストベルト部１０の表側の生地と裏側の生地の両者をウエストベルト部１０の上端側で接続している構成である。
【００９５】
即ち、本実施の形態１では、ズボン１の外観側となるウエストベルト部１０の表側（外側）を形成する延出部表ベルト１１Ｆの布地、及び、身体が挿入される側となるウエストベルト部１０の裏側（内側）を形成する延出部裏ベルト１１Ｂの布地は、共に身頃４Ｆ，４Ｂと共地とし、延出部表ベルト１１Ｆ及び延出部裏ベルト１１Ｂの両者を上側で接いで延出部１１を構成している。また、ウエストベルト部１０の表側（外側）を形成する収容部表ベルト１２Ｆの布地及びウエストベルト部１０の裏側（内側）を形成する収容部裏ベルト１２Ｂの布地も共に身頃４Ｆ，４Ｂと共地とし、収容部表ベルト１２Ｆ及び収容部裏ベルト１２Ｂの両者を上側で接いで収容部１２を構成している。
【００９６】
詳しくは、ウエストベルト部１０の表側及び裏側を構成する収容部１２は、身頃４Ｆ，４Ｂと共地からなりカーブ状に切り出された所定幅の収容部表ベルト１２Ｆ及び収容部裏ベルト１２Ｂの布地の各上下端部が内折りされ、折り返した上端部の折り目に沿ってまたはその近傍で収容部表ベルト１２Ｆ及び収容部裏ベルト１２Ｂの両者が縫合線６２Ａにて縫合わされている（図５等参照）。また、収容部表ベルト１２Ｆの下側は、その折り返した下端部の折り目に沿ってまたはその近傍で後身頃４Ｂの上端部に縫合線６２Ｃにて縫合わされ、収容部表ベルト１２Ｆに対応する収容部裏ベルト１２Ｂの下側もその折り返した下端部の折り目の近傍で後身頃４Ｂの上端部に縫合線６２Ｂにて縫合わされている（図５及び図６参照）。なお、縫合線６２Ｃと縫合線６２Ｂは、通常、統一されるが、収容部裏ベルト１２Ｂの下側は、後身頃４Ｂに対しウエスト方向の数箇所の部分的な縫付けであってもよい。
【００９７】
このとき収容部表ベルト１２Ｆや収容部裏ベルト１２Ｂの布地の内面（裏面）には、接着芯等の芯材としてのソフト芯やハード芯がアイロンプレス等によって貼付けられる。本実施の形態１では、ハード芯ＨＣが収容部表ベルト１２Ｆ及び収容部裏ベルト１２Ｂの布地において折り返しのない中央部分に貼付けられている。また、必要に応じで、ソフト芯が収容部表ベルト１２Ｆや収容部裏ベルト１２Ｂの布地の上端部や下端部の折り返し部分に貼付けられる。更に、必要に応じ、収容部１２に入れられる延出部１１の滑りを良くするために、延出部１１が挿入される収容部１２の端部（開口側）の内面においてソフト芯やハード芯の上に、伸縮性を有しない生地、例えば、ポリエステル系生地等からなる接着布、裏地等を、アイロンプレス等によって貼付けることもある。
【００９８】
即ち、本実施の形態１では、収容部表ベルト１２Ｆ及び収容部裏ベルト１２Ｂの布地のそれぞれに対し、所定の曲率及び幅でカーブ状に切り出されたハード芯ＨＣが貼付けられ、そのカーブしたハード芯ＨＣの形状に沿って収容部表ベルト１２Ｆや収容部裏ベルト１２Ｂの布地の上下端部を内折りすることで、収容部表ベルト１２Ｆ及び収容部裏ベルト１２Ｂがウエスト周方向で均一な幅となるようにその幅が設定され、収容部表ベルト１２Ｆ及び収容部裏ベルト１２の両者がそれらの上方で縫合線６２Ａにて接がれ、また、下方で後身頃４Ｂと縫合され、それら収容部表ベルト１２Ｆ及び収容部裏ベルト１２によって、帯状をなす曲線形状の収容部１２を形成している。
【００９９】
また、ウエストベルト部１０を構成する延出部１１についても、身頃４Ｆ，４Ｂと共地からなりカーブ状に切り出された所定幅の延出部表ベルト１１Ｆ及び延出部裏ベルト１１Ｂの布地の各上下端部が内折りされ、折り返した上端部の折り目に沿ってまたはその近傍で延出部表ベルト１１Ｆ及び延出部裏ベルト１１Ｂの両者が縫合線６１Ａにて縫合わされている（図４乃至図６参照）。更に、延出部表ベルト１１Ｆの下側は、収容部１２に挿入される先端部１１ｔを除いて、前身頃４Ｆ及び後述するポケットの袋布２１の一部に縫合線６１Ｃにて縫合わされ、それに対応する延出部裏ベルト１１Ｂの下側も、収容部１２に挿入される先端部１１ｔ側の一部を除いて前身頃４Ｆ及び後述するポケットの袋布２１の一部に縫合線６１Ｂにて縫合わされている（図５及び図６参照）。なお、縫合線６１Ｃと縫合線６１Ｂも、通常、統一されるが、延出部裏ベルト１１Ｂの下側は、前身頃４Ｆに対しウエスト方向の数箇所の部分的な縫付けであってもよい。
一方で、収容部１２内に挿入される延出部１１の先端部１１ｔは、前身頃４Ｆの上端部と縫合わされず自由な状態になっている。これより、図７及び図８に示すように、収容部１２に入れられた延出部１１の先端部１１ｔは、収容部１２から延出自在、つまり、ウエスト方向に相対移動自在とされる。
【０１００】
そして、収容部１２と同様、延出部１１についても、延出部表ベルト１１Ｆや延出部裏ベルト１１Ｂの布地の内面（裏面）には、接着芯等の芯材としてのソフト芯やハード芯がアイロンプレス等で貼付けられる。本実施の形態１では、ハード芯ＨＣが延出部表ベルト１１Ｆ及び延出部裏ベルト１１Ｂの布地において折り返しのない中央部分に貼付けられている。また、必要に応じて、ソフト芯が延出部表ベルト１１Ｆや延出部裏ベルト１１Ｂの布地の上端部や下端部の折り返し部分に貼付けられる。
【０１０１】
ここで、本実施の形態１において、図４乃至図８で示したように、延出部表ベルト１１Ｆ及び延出部裏ベルト１１Ｂからなる延出部１１は、収容部１２に対して摺動し易いように、前身頃４Ｆに縫着されない先端部１１ｔにおいて、その先端側に向かって徐々に幅を細くしている。詳細には、本実施の形態１の延出部１１の収容部１２に挿入される先端部１１ｔでは、その上端が先端１１ｅに向かって緩やかに上昇するラインである一方で、下端は上端よりも急な傾斜で先端に向かって上昇するラインである。一方、延出部１１の収容部１２に挿入される先端部１１ｔを除いては、収容部１２と同様に延出部１１の延出部表ベルト１１Ｆ及び延出部裏ベルト１１Ｂがウエスト周方向で均一な幅となるようにその幅が設定されている。
【０１０２】
即ち、本実施の形態１では、延出部表ベルト１１Ｆ及び延出部裏ベルト１１Ｂの布地のそれぞれに対し、所定の曲率及び幅でカーブ状に切り出されたハード芯ＨＣが貼付けられ、そのカーブしたハード芯ＨＣの形状に沿って延出部表ベルト１１Ｆや延出部裏ベルト１１Ｂの布地の上下端部を内折りすることで、収容部１２に挿入される先端部１１ｔを除いては、延出部表ベルト１１Ｆ及び延出部裏ベルト１１Ｂがウエスト方向に均一な幅となるようにその幅が設定され、また、収容部１２に挿入される先端部１１ｔでは、その端に向かって徐々に幅が細くなるように延出部表ベルト１１Ｆ及び延出部裏ベルト１１Ｂの幅が設定されている。これら延出部表ベルト１１Ｆ及び延出部裏ベルト１１Ｂは、両者がそれらの上方で縫合線６１Ａにて接がれ、また、下方で前身頃４Ｆと縫合され、それら延出部表ベルト１１Ｆ及び延出部裏ベルト１１Ｂによって、帯状をなす曲線形状の延出部１１を形成している。
なお、ウエストベルト部１０の表側のベルト縦幅は、例えば、３ｃｍ〜５ｃｍ程度である。
【０１０３】
そして、本実施の形態１のウエストベルト部１０の表側及び裏側を構成するこれら収容部１２と延出部１１は、延出部１１の前身頃４Ｂに縫着されていない先端部１１ｔが収容部１２内に挿入されて収容され、収容部１２及び延出部１１が重なる重ね合わせ部１３（図２、図３、図６等参照）を形成している。
【０１０４】
ここで、本実施の形態１において、ウエストベルト部１０の表側及び裏側を構成する収容部１２は、後身頃４Ｂの上端部に接続して、着用時に人の胴体の後ろ側、即ち、人体の背面、臀部側から脇側（側部側）の範囲に位置するものであり、延出部１１が延出する収容部１２の端１２ｅは、各脇ポケット部２０の上方に位置し、左脇線ＬＳ及び右脇線ＲＳの付近にある。
このような本実施の形態１の収容部１２は、図１（ａ）及び図（ｂ）に示したように、左脇線ＬＳ及び右脇線ＲＳに沿って前身頃４Ｆ及び後身頃４Ｂを重ねた状態で、背面側から見たときに、後中心ＢＣ側から左脇線ＬＳ及び右脇線ＲＳ側、即ち、延出部１１が挿入される端１２ｅ側に向かって上昇する曲線形状に形成される。図１（ｃ）及び図１（ｄ）に示したように、ズボン１の側面側から見たときには、左脇線ＬＳ及び右脇線ＲＳ側、即ち、延出部１１が挿入される端１２ｅ側から、後中心ＢＣ側に向かって上昇する曲線形状である。
【０１０５】
一方、ウエストベルト部１０の表側及び裏側を構成する延出部１１は、人の胴体の前側、即ち、人体の腹部側から脇側（側部側）の範囲に位置するものであり、延出部１１の先端部１１ｔは左脇線ＬＳ及び右脇線ＲＳの付近で収容部１２の端１２ｅ側に挿入される。
このような本実施の形態１の延出部１１は、図１（ａ）に示したように、左脇線ＬＳ及び右脇線ＲＳに沿って前身頃４Ｆ及び後身頃４Ｂを重ねた状態で、正面側から見たときに、前中心ＦＣ側から左脇線ＬＳ及び右脇線ＲＳ側、即ち、収容部１２に挿入される側に向かって上昇する曲線形状に形成される。
【０１０６】
このとき、本実施の形態１では、延出部１１が挿入される側の収容部１２の端１２ｅは、脇線ＬＳ，ＲＳの近傍で僅かにウエストベルト部１０の前側（例えば、脇線ＬＳ，ＲＳから１ｃｍ〜２ｃｍ程度前中心ＦＣ側）に位置している。
一方、収容部１２に挿入される延出部１１の端部１１ｔは、脇線ＬＳ，ＲＳの近傍であるが、収容部１２に深く挿入されて、その端部１１ｔの先端１１ｅは、ウエストベルト部１０の後側の深い位置（例えば、脇線ＬＳ，ＲＳから４ｃｍ〜１０ｃｍ程度後中心ＢＣ側）まで挿入される。
【０１０７】
このため、本実施の形態１の延出部１１について、図５乃至図７等で示したように、ズボン１の側面側から見たとき、収容部１２に挿入されない範囲では、収容部１２の開口している端１２ｅ側から前中心ＦＣ側に向かって僅かに上昇する曲線形状とし、一方、収容部１２に重ね合わせられる先端部１１ｔでは、その先端１１ｅが収容部１２に深く挿入され後中心ＢＣ側に近づくから、収容部１２のカーブ形状に対応し、収容部１２の開口している端１２ｅ側から延出部１１の先端１１ｅ側に向かって上昇する曲線形状としている。
即ち、収容部１２に重ね合わせられる延出部１１の先端部１１ｔでは、収容部１２の形状が、上述したように、延出部１１が挿入される端１２ｅ側から、後中心ＢＣ側に向かって上昇する曲線形状であるから、その収容部１２の形状に対応し、収容部１２の開口端１２ｅ側から延出部１１の先端１１ｅ側に向かって上昇する曲線形状に形成されている。
【０１０８】
したがって、ウエストベルト部１０の表側及び裏側を形成している延出部１１の全体形状は、図４（ｂ）及び図８（ａ）等に示したように、下方に凸状に湾曲する曲線形状に近く、特に、延出部１１の前中心ＦＣ側に向かっては、僅かに上昇する緩いカーブ形状であるが、収容部１２に挿入される先端１１ｅ側に向かっては、前中心ＦＣ側と比較して急な上昇の曲線形状である。なお、図８（ａ）においては、後述する伸び止め材１６については省略している。
【０１０９】
そして、本実施の形態１のウエストベルト部１０では、このように所定のカーブ状に形成された収容部１２と延出部１１は、図５乃至図７に示したように、収容部１２の内部（内面側）において、それらの間が所定長さの平ゴム１５Ｅからなる接続部１５によって接続されている。
平ゴム１５Ｅとしては、例えば、織ゴム、編ゴム、コールゴム、ゴムテープ等が使用される。平ゴム１５Ｅには、例えば、１５ｍｍ〜３０ｍｍの範囲内、好ましくは、２３ｍｍ〜２８ｍｍの範囲内のゴム幅のものが用いられ、その全体長さが、例えば、５ｃｍ〜１０ｃｍ、好ましくは、６ｃｍ〜８ｃｍの範囲内のものが用いられるが、このゴムの幅及び全長は弾性力、コスト等に応じて設定できる。
【０１１０】
本実施の形態１において、平ゴム１５Ｅは、その長さ方向の一端部側を延出部１１の先端１１ｅ付近であって延出部１１を構成する延出部表ベルト１１Ｆの上部の内折りする内面側に縫付線５１にて縫付け、また、反対側の他端部側を収容部１２を構成する収容部表ベルト１１Ｆの折り返しのない内面側に縫付線５２にて縫付けることで、収容部１２と延出部１１の間を接続している。なお、平ゴム１５の延出部１１側とは反対側の他端は、収容部１２に深く入り込んで後中心ＢＣ寄りであり、収容部１２の端１２ｅから遠く離れた位置で縫付けられている。
【０１１１】
このとき、本実施の形態１では、延出部１１の先端１１ｅ側に縫付ける平ゴム１５Ｅの一端部側は、後述する帯状の伸び止め材１６の一方の端部側と共に、延出部表ベルト１１Ｆと延出部裏ベルト１１Ｂの間に挟まれて縫付線５１にて縫付けられている。この縫付線５１は、縫付強度を確保できれば、１本であってもよいし、２本以上としてもよいが、少なくとも１本の縫付線は、延出部表ベルト１１Ｆと延出部裏ベルト１１Ｂを貫通する縫い目としている。また、平ゴム１５Ｅの反対側の他端部側も、後述する帯状の伸び止め材１６の他方の端部側と共に、収容部表ベルト１１Ｆに対しその表裏を貫通する縫い目の縫付線５２にて縫付けられている。この縫付線５２も、縫付強度を確保できれば、１本であってもよいし、２本以上としてもよい。
【０１１２】
ここで、上述したように、本実施の形態１のウエストベルト部１０はカーブ形状であり、ズボン１の側面側から見たときに、ウエストベルト部１０を構成する延出部１１の収容部１２の挿入される先端部１１ｔでは、収容部１２の端１２ｅ側から延出部１１の先端１１ｅ側に向かって上昇する曲線形状であるから（図５乃至図７参照）、まず、その所定のカーブ形状の延出部１１の先端部１１ｔ側に直線状の平ゴム１５Ｅを縫付線５１にて縫付けると、図４及び図８（ａ）の上段に示すように、平ゴム１５Ｅは延出部１１に縫付けた一端部側から反対側の他端部側に向かって上昇するラインとなる。即ち、図４及び図８（ａ）の上段に示すように、平ゴム１５Ｅは、その長さ方向において、延出部１１側に縫付けた一端側よりも未縫着の反対側の他端側が高位置となる。
【０１１３】
ところが、この状態の平ゴム１５Ｅの反対側の他端部を収容部１２の所定の深さで収容部１２の内部に縫付線５２にて縫付けようとすると、平ゴム１５Ｅの上端が収容部１２の上端に当接しやすく、平ゴム１５Ｅの弾性力によるスムースな動き及び所定の伸びを確保することができない。
そこで、平ゴム１５Ｅの上端が収容部１２の上端に当接して滑りが悪くならいように、図８（ａ）の中段に示したように、延出部１１に縫付けた平ゴム１５Ｅの反対側の他端部を収容部１２の内部に縫付ける際には、平ゴム１５Ｅの延出部１１側とは反対側の他端部を幾分下方に下げて収容部１２の内面に縫付線５２にて縫付けることになる。
【０１１４】
即ち、平ゴム１５Ｅは、その長さ方向において、収容部１２側に縫付ける他端部側を、延出部１１側に縫付けた一端部側と高さが略同等の位置となるように、或いは、延出部１１側に縫付けた一端部側よりも低位置となるように、収容部１２の内面に縫付線５２にて縫付けることになる。例えば、ウエストベルト部１０のカーブの曲率にもよるが、縫製の分かり易さからすると、収容部表ベルト１２Ｆの折り返しのない中央部分において、図８（ａ）の中段に示したように、収容部表ベルト１２Ｆの幅方向の中間位置への縫付けであれば縫製に不慣れな作業者でも縫製が分かりやすく作業効率が良好である。そして、この収容部表ベルト１２Ｆの幅方向の中間位置へ平ゴム１５Ｅを縫付けるとなると、図８（ａ）の中段に示したように、収容部１２側に縫付ける他端部側は延出部１１側に縫付けた一端部側よりも低位置となる。即ち、収容部１２の内面において、平ゴム１５Ｅは、延出部１１側に縫付けた一端部側よりも収容部１２側に縫付けた他端部側の方が低位置となり、収容部１２の内面に縫付けた一方の端部側から延出部１１に縫付けた反対の端部側に向かって斜めに上昇する挿入状態となる。
【０１１５】
このとき、図８（ａ）の上段に示した延出部１１に縫付線５１にて縫付けた平ゴム１５Ｅは、延出部１１側とは反対側の他端部側が延出部１１側の一端部側の高さ位置と略同等或いはそれよりも低位置となるように、図８（ａ）の中段に示すように、平ゴム１５Ｅの他端部側を下方に落として収容部１２の内面に縫付線５２にて縫付けることになるため、収容部１２及び延出部１１に縫着した平ゴム１５Ｅは、その下方で浮き、弛み、歪み、撚れ等が生じることになる。即ち、収容部１２及び延出部１１に縫着した平ゴム１５Ｅは、その上方側でテンションが高く、下方でテンションが低い状態となる。
【０１１６】
ここで、収容部１２及び延出部１１の間に縫着した平ゴム１５Ｅの上方側のテンションが高く、下方のテンションが低い状態にあると、つまり、上方と下方で張力に差があると、ウエストベルト部１０に引張り力が掛かり平ゴム１５Ｅが伸びたときに、平ゴム１５Ｅの延出部１１側が下がり、平ゴム１５Ｅの延出部１１側に縫付けた一端部側が下方に落ちやすくなる。そして、平ゴム１５Ｅの延出部１１側に縫付けた一端部側が下方に落ちると、平ゴム１５Ｅが縫付けられた延出部１１が、収容部１２から抜き出た際に下方へ下がり、収容部１２と延出部１１の間に大きな段差が生じて見栄え、外観性が大きく損なわれてしまう。
【０１１７】
特に、延出部１１は、収容部１２に対して摺動しやすいように、収容部１２に挿入される先端部１１ｔにおいて、平ゴム１５Ｅが縫付けられた先端１１ｅ側に向かってその下端側を上端側よりも急な傾きで上昇させることによって、幅を細くしているから、それによっても、ウエストベルト部１０に引張り力が掛かり収容部１２から延出部１１が引き出される際に、平ゴム１５Ｅが下方へ下がりやすいものとなっている。また、延出部１１は、収容部１２に挿入される先端部１１ｔが、その先端１１ｅ側に向かって上昇するカーブ形状、換言すれば、先端１１ｅ側から延出部１１が引き出される方向に向かって下降するカーブ形状である。このため、収容部１２の開口端１２ｅから延出部１１が引き出されたときに、延出部１１が見た目に大きく下降しやすい。
【０１１８】
そこで、本実施の形態１では、図５及び図８（ａ）に示したように、延出部１１と収容部１２間を接続する平ゴム１５Ｅにおいて、その長さ方向の一端部側を延出部１１に縫付けるときの縫付線５１は、平ゴム１５Ｅの幅方向に並行する直線とする一方、反対側の他端部側を収容部１２に縫付けるときの縫付線５２は、平ゴム１５Ｅの幅方向の下端から上端に向かい延出部１１側に傾く斜めとした。これより、平ゴム１５Ｅは、その下端で、縫付線５１と縫付線５２の間の長さが最も長く、その上端で、縫付線５１と縫付線５２の間の長さが最も短くなる。
【０１１９】
ここで、平ゴム１５Ｅの上端の伸縮自在な長さは、縫付線５１の上端と縫付線５２の上端の間のゴム長さ（距離）ＬAであり、平ゴム１５Ｅの下端の伸縮自在な長さは、縫付線５１の下端と縫付線５２の下端の間のゴム長さ（距離）ＬBであるから、平ゴム１５Ｅの上端の縫付線５１と縫付線５２の間の長さが最も短いとは、平ゴム１５Ｅの上端の伸縮自在な長さＬAが最も短いことを意味し、平ゴム１５Ｅの下端の縫付線５１と縫付線５２の間の長さが最も長いとは、平ゴム１５Ｅの下端の伸縮自在な長さＬBが最も長いことを意味する。
【０１２０】
つまり、本実施の形態１では、延出部１１と収容部１２の間で縫着した平ゴム１５Ｅの伸縮自在な長さを、その下端から上端に向かって短くしている。換言すると、延出部１１と収容部１２の間で縫着した平ゴム１５Ｅの伸縮自在な長さは、その上端から下端に向かって長くなっている。これより、平ゴム１５Ｅの下方がその上方よりも長く伸びる分、平ゴム１５Ｅの下方にテンションが掛かり易くなり、平ゴム１５Ｅが伸びたときの上方と下方のテンションの差を小さくできる。よって、平ゴム１５Ｅの延出部１１側に縫付けた一端部側を下方に落ち難くでき、平ゴム１５Ｅの伸び方向が延出部１１と収容部１２間で縫着した平ゴム１５Ｅの未伸長状態での長さ方向になる直線運動に近づく。したがって、平ゴム１５Ｅが縫付けられた延出部１１が、収容部１２から抜き出た際に下方へ下がり難く、収容部１２と延出部１１の間の段差が目立たずに、ウエストベルト部１０の見栄えが維持される。特に、本発明者らの実験研究によれば、縫付線５１の下端と縫付線５２の下端の間のゴム長さ（距離）ＬBは、縫付線５１の上端と縫付線５２の上端の間のゴム長さ（距離）ＬAの１．０５倍〜１．５倍の範囲内とするのが好ましく、より好ましくは、１．１倍〜１．３倍の範囲内である。
【０１２１】
更に、本実施の形態１においては、下方寄り、中央側、または上方寄りかによる張力差の大きさの相違がゴムの落ちに表れ難く、平ゴム１５Ｅの縫付位置の誤差による延出部１１と収容部１２の段差のバラつきが生じ難い。即ち、平ゴム１５Ｅの縫付位置に高い精度が要求されず、熟練者による縫製でなくとも一定の品質及び信頼性を確保できる。
【０１２２】
こうして、本実施の形態１のウエストベルト部１０においては、収容部１２の内部で収容部１２及び延出部１１を接続する弾性材としての平ゴム１５Ｅは、その上端から下端に向かって伸縮自在な長さを長くしていることによって、ウエストベルト部１０に引張り力が掛かった際に、平ゴム１５Ｅは、上端から下端に向かって長く伸びるから、ゴムの伸びによる張力を下方から上方に向かって小さくできる。
【０１２３】
したがって、平ゴム１５Ｅの下方から上方に向かってテンションが掛かりやすい縫着であっても、ゴムの伸びによる張力は下方から上方に向かって小さくすることで、上方と下方の張力差を小さくしバランスさせることができる。故に、張力差によるゴムの降下、変形を抑えることが可能となる。
【０１２４】
即ち、平ゴム１５Ｅの一端側を、先端１１ｅに向かって上昇するカーブ形状の延出部１１の先端部１１ｔ側に縫付け、平ゴム１５Ｅの反対側の他端側を、端部１２ｅ側から後中心ＢＣ側に向かって上昇するカーブ形状の収容部１２の内部に縫付けたときに、接続部１５の下方から上方に向かってテンションが掛かりやすい縫着となっても、ウエストベルト部１０に引張り力が掛かった際に、ゴムの伸びによる張力を下方から上方に向かって小さくできることで、上方と下方の張力差を小さくして、平ゴム１５Ｅが上に凸に湾曲したカーブ状に伸び難く、延出部１１側に下降し難い直線運動に近い伸びとなり、ゴムの延出部１１側が下方に下がり難くなる。
【０１２５】
よって、本実施の形態１のズボン１によれば、ウエストベルト部１０をカーブさせていても、ウエストベルト部１０の収容部１２及び延出部１１を弾性的に接続する接続部１５の平ゴム１５Ｅの上端から下端に向かって伸縮自在な長さを長くしていることで、ウエストベルト部１０に引張り力が掛かった際でも、平ゴム１５Ｅの下方と上方の張力差が小さくて、平ゴム１５Ｅが上に凸に湾曲したカーブ状に伸び難く、延出部１１側に下降し難い直線運動に近い伸びとなる。
故に、ウエストベルト部１０に引張り力が掛かり収容部１２から延出部１１が引き出される際でも、カーブしている延出部１１が下方へ下がり難いから、収容部１２と延出部１１の間に段差が生じ難く、見栄えのよいウエスト周りとなる。
【０１２６】
ところで、本実施の形態１では、平ゴム１５Ｅに対しては、平ゴム１５Ｅの厚さよりも薄い非伸縮性の生地、例えば、リボンテープ等からなる帯状の伸び止め材１６を縫着しており、この伸び止め材１６によって平ゴム１５Ｅの最大の伸び長さを規定している。即ち、平ゴム１５Ｅの最大伸びに相当する長さだけ弛ませて伸び止め材１６が平ゴム１５Ｅに並設して縫着されている。
【０１２７】
伸び止め材１６としては、平ゴム１５Ｅの伸びを規定する役割からすれば、伸縮性に乏しく、適度な強度を有する生地が好適であり、更に、平ゴム１５Ｅよりも厚みが薄いと嵩を抑制できる点で好ましく、例えば、スレーキ生地や、リボンテープや、ポリエステル系、ナイロン系、レーヨン系、綿等からなる生地等が使用できる。
【０１２８】
本実施の形態１において、この伸び止め材１６は、その長手方向の一端部側が、収容部１２内に挿入される延出部１１の先端部１１ｔ側に平ゴム１５Ｅを縫付けるときの縫付線５１にて、延出部１１と共に平ゴム１５Ｅの一端部側に縫付けられている。また、伸び止め材１６の延出部１１側とは反対側の他端部側は、平ゴム１５Ｅを収容部表ベルト１２Ｆに縫付けるときの縫付線５２にて、収容部表ベルト１２Ｆと共に平ゴム１５Ｅの他端部側に縫付けられている。このように本実施の形態１において、帯状の伸び止め材１６は、平ゴム１５Ｅに対しその両端部側に縫付線５１、縫付線５２にて縫付けている。
【０１２９】
このとき、伸び止め材１６は、平ゴム１５Ｅの伸びを許容する分だけ、即ち、平ゴム１５Ｅの伸びる許容範囲の長さ（例えば、１．５ｃｍ〜５ｃｍ）だけ弛ませ平ゴム１５Ｅの両端部側に縫付線５１，縫付線５２にて縫付けている。なお、平ゴム１５Ｅの最大伸びに相当する長さだけ弛ませて平ゴム１５Ｅに縫付けている伸び止め材１６は縫付線５１及び縫付線５２間の弛みを折畳む折り目の形成により、嵩張りを少なくできる。
【０１３０】
これにより、平ゴム１５Ｅに引張り力が掛かっても、この伸び止め材１６が縫付線５１及び縫付線５２間で弛ませている（折畳まれている）長さまでしか平ゴム１５Ｅが伸びることのないようにし、平ゴム１５Ｅの過度の伸びを防止している。即ち、伸び止め材１６によって平ゴム１５Ｅに無理な引張り力が掛かるのを防止するから、平ゴム１５Ｅを長持ちさせることができる。
なお、図５等において、伸び止め材１６は、平ゴム１５Ｅの表裏面のうち収容部表ベルト１２Ｆ側とは反対面側、即ち、収容部裏ベルト１２Ｂ側に取付けられているが、本発明を実施する場合には、収容部表ベルト１２Ｆ側に取付けてもよい。
【０１３１】
こうして、本実施の形態１のカーブ状としたウエストベルト部１０では、平ゴム１５Ｅが延出部１１の先端部１１ｔ側に接続すると共に、収容部１２の内部に接続し、平ゴム１５Ｅによって収容部１２と延出部１１の間が弾性的に接続されていることによって、ウエストベルト部１０に引張り力が掛かった際には、平ゴム１５Ｅの弾性力により収容部１２に挿入された延出部１１を、ウエスト方向に延出自在、即ち、相対移動自在とする。つまり、収容部１２と延出部１１の間を接続した平ゴム１５Ｅの弾性力により、ウエストベルト部１０を伸縮自在としている。
【０１３２】
このとき、本実施の形態１では、平ゴム１５Ｅの本来の長さよりも長くて伸縮性のない生地からなる帯状の伸び止め材１６が折畳まれてまたは弛んだ状態で平ゴム１５Ｅの両端部に対して縫付けられているため、ウエストベルト部１０に引張り力がかかった際には、伸び止め材１６が折畳まれていた長さまたは弛ませていた長さ（縫付線５１及び縫付線５２の間で平ゴム１５Ｅに接続する伸び止め材１６の接続長さ）までしか平ゴム１５Ｅが伸びることができないようになっている。即ち、平ゴム１５Ｅに並設して取付けた伸び止め材１６によって、平ゴム１５Ｅの伸びの限界が規定されている。
【０１３３】
したがって、本実施の形態１のズボン１においては、平ゴム１５Ｅに無理な引張り力が掛かり平ゴム１５Ｅが過度に伸びてしまう事態を防止して、ゴムを長持ちさせることができる。そして、平ゴム１５Ｅの最大の伸びが伸び止め材１６で規制されると、平ゴム１５Ｅに過剰な張力が加わって収容部１２から抜き出る延出部１１が下方に落ちて見栄えが低下する事態を防止でき、長期の使用によってもゴムのヘタリ、破れが生じ難いものとなる。更に、ウエストベルト部１０が伸縮する布地で形成されていても、特定の伸縮性に設定できる。また、このように平ゴム１５Ｅにその最大伸びを特定する伸び止め材１６を並設していることで、収容部１２及び延出部１１の重ね合わせ部１３に過度な張力が加えられないようにその伸び長さを制限できることから、重ね合わせ部１３の見栄えを維持することもできる。
【０１３４】
なお、本実施の形態１では、伸び止め材１６の両端部を平ゴム１５Ｅの両端部に縫付ける構成としているが、本発明を実施する場合には、伸び止め材１６を長くし、その長くした伸び止め材１６を上平ゴム１５Ｅの最大伸びに相当する長さだけ弛ませて平ゴム１５Ｅの長さ方向の両端側に縫付け、更に、平ゴム１５Ｅの一端または両端よりも突出させて延出部１１や収容部１２の内部に縫付けるようにしてもよい。この場合には、平ゴム１５Ｅを収容部表ベルト１２Ｆや延出部１１に直接縫い付けず、伸び止め材１６を収容部表ベルト１２Ｆや延出部１１に縫付けることで、平ゴム１５Ｅが収容部表ベルト１２Ｆや延出部１１に対し伸び止め材１６を介して接続する構成となる。このような構成によって、収容部１２及び延出部１１の間を平ゴム１５Ｅによって弾性的に接続する接続部１５を形成してもよい。
【０１３５】
例えば、伸び止め材１６の端部の一方を平ゴム１５Ｅの一方の端部に縫付け、また、伸び止め材１６の途中に平ゴム１５Ｅの端部の他方を縫付け、そして、伸び止め材１６の端部の他方を、収容部表ベルト布１２Ｆの内面に縫付ける構成では、伸び止め材１６の端部の他方を、収容部表ベルト布１２Ｆの内面に縫付けるときの縫付線を収容部１２の開口端１２ｅ側からより離れた遠い位置に持ってくることができる。このため、後述するように、収容部表ベルト布１２Ｆの内面に縫付けるときの縫付線をベルト通し５Ａで隠す場合には、隣り合ったベルト通し５の間隔を長くすることができるようになり、ベルト通しの配置数を少なくすることが可能となる。
【０１３６】
しかし、本発明を実施する場合、伸び止め材１６については省略することも可能である。伸び止め材１６を省略した場合には、例えば、脇ポケット部２０を構成する袋布２１のタック部２２の展開量によって、平ゴム１５Ｅの最大の伸び長さを特定することも可能である。
【０１３７】
ところで、本実施の形態１のズボン１において、延出部１１の先端部１１ｔ側に伸び止め材１６と共に平ゴム１５Ｅを縫付けたときの縫付線５１は、延出部１１の先端が収容部１２内に収容されるため、ズボン１の表側及び裏側の意匠面側からは見えない。
しかしながら、平ゴム１５Ｅを伸び止め材１６と共に収容部表ベルト１２Ｆに縫付けたときの縫付線５２は収容部表ベルト１２Ｆの表裏面を貫通しズボン１の表側に出ることとなる。
【０１３８】
そこで、本発明を実施する場合には、美観を向上させるために、図２で示すように、ウエストベルト部１０の表側で縫付線５２及び縫付線５２をベルト通し５Ａで隠すようにすることも可能である。また、このようなベルト通し５は、図２で示すように、例えば、ウエストベルト部１０の表側で、延出部１１が延出される収容部１２の開口端１２ｅを覆い隠すように収容部１２の表側の開口端１２ｅ縁にも取付けると、ウエストベルト部１０の見栄えや美感を向上させることができる。勿論、図２で示すように、ズボン１のウエストベルト部１０の正面側及び背面側にも、同様のベルト通し５が適当な間隔をとって取付けられる。なお、図２以外の図面においては、ベルト通し５，５Ａを省略している。
【０１３９】
また、本実施の形態１では、平ゴム１５Ｅの延出部１１側とは反対側の他端部を収容部１２の収容部表ベルト１２Ｆの内面（裏面）側に縫付けている。このように、平ゴム１５Ｅを収容部表ベルト１２Ｆの内面（裏面）側に縫付ける場合には、平ゴム１５Ｅの面方向と並行方向への縫付けであるから、縫製に不慣れな熟練者にもその縫付けが分かりやすく、熟練の有無に関わらず、正確な縫製が容易にでき作業効率も良好となる。
【０１４０】
しかし、本発明を実施する場合には、図１０に示すように、平ゴム１５Ｅの延出部１１側とは反対側の他端部を、収容部１２の収容部裏ベルト１２Ｂの内面（裏面）側に縫付線５２及び縫付線５２にて縫付けてもよい。図１０に示すように、平ゴム１５Ｅを収容部裏ベルト１２Ｂの内面側に縫付けても、収容部表ベルト１２Ｆの内面側に縫付けたときと同様に、ウエストベルト部１０に引張り力が掛かった際に収容部１２から抜き出る延出部１１が下方に落ち難くなる効果は得られる。
【０１４１】
特に、平ゴム１５Ｅを収容部裏ベルト１２Ｂの内面側に縫付けると、平ゴム１５Ｅを収容部１２に縫付けるときの縫付線５２及び縫付線５２は、収容部１２の表側から見えなくなるから、婦人用のスカート等のベルト通しを設けないボトムスであっても、見栄え、美感を維持できる。
なお、図１０において、伸び止め材１６は、平ゴム１５Ｅの表裏面のうちの収容部裏ベルト１２Ｂ側に取付けられているが、勿論、収容部裏ベルト１２Ｂ側とは反対面側の収容部表ベルト１２Ｆ側に取付けてもよい。
【０１４２】
次に、ウエストベルト部１０の周辺の構造について詳細を説明する。
上述したように、本実施の形態１のウエストベルト部１０は、後身頃４Ｂ側に縫合した収容部１２の内部に前身頃４Ｆ側に縫合した延出部１１の先端部１１ｔが挿入されてウエスト周りが形成され、収容部１２の内部において平ゴム１５Ｅにより収容部１２と延出部１１の間が接続されている構成である。
【０１４３】
ここで、図７等に示したように、本実施の形態１のズボン１において、カーブ状に形成したウエストベルト部１０の収容部１２及び延出部１１は、両脇の脇線ＬＳ，ＲＳの上方付近で収容部１２に延出部１１が挿入されることで重ね合わせられて、収容部１２及び延出部１１が重複した重ね合わせ部１３を形成している。そして、本実施の形態１のズボン１においては、この収容部１２と延出部１１の重ね合わせ部１３付近の下方であって、脇線ＬＳ，ＲＳの近傍に脇ポケット部２０が形成されている。
【０１４４】
脇ポケット部２０の製作及び取付けについての詳細を、主に、図１１乃至図１５を参照にして説明する。
本実施の形態１の脇ポケット部２０は、ズボン１の脇線ＬＳ，ＲＳに沿って前身頃４Ｆと後身頃４Ｂの間で袋布２１を縫付けることによって脇線ＬＳ，ＲＳ近傍の前身頃４Ｆ側に形成されている。
この袋布２１は、図１１（ａ）及び図１１（ｂ）に示すように、例えば、綿生地、スレーキ生地等の１枚の布地を所定形状に切断し、それを中央側で折畳み、図１１（ａ）に示した略直線状に近い一方の端部２１ｂ側を、図１２（ａ）に示すように、ズボン１の後身頃４Ｂに縫付けて脇線ＬＳ、ＲＳを形成すると共に、図１１（ａ）に示した端部２１ｂ側とは反対側の他方の斜めの端部２１ｆ側を、図１２（ａ）及び図１２（ｂ）に示すように、前身頃４Ｆの上部の斜めの端部に縫付け、前中心ＦＣ側から脇線ＬＳ，ＲＳ側に向かって傾斜するポケット口外縁７６を形成している。即ち、袋布２１は、前身頃４Ｆと後身頃４Ｂの間で縫着されている。
【０１４５】
そして、この袋布２１は、その表側（反身体側）の手前布２１Ｆの下端及びその裏側（身体側）の向こう布２１Ｂの下端をステッチ７３で閉じることで袋状に形成され、手前布２１Ｆのポケット口外縁７６とそれに対向する向こう布２１Ｂとの間がポケット口２３となり、手前布２１Ｆと向こう布２１Ｂの間がポケットとしての収容空間となっている。
なお、ズボン１の表側（外側）からみたときのポケット口外縁７６の下端と脇線ＬＳ，ＲＳの交点であるポケット止まり７５には、必要に応じ、縫製の縫い目を補強する閂止めが施される。
【０１４６】
このような袋布２１によって構成される脇ポケット部２０のサイズ、容量は、ズボン１の種類、デザイン、紳士用・婦人用等に応じて任意に設定され、例えば、ズボン１の表側（外側）からみたときの脇ポケット部２０のポケット口２３の開口幅（縦幅）ｍ（図８（ｂ）参照）は、紳士用のズボン１で１５〜１７ｃｍ、婦人用のズボン１で１３〜１５ｃｍ程度に設定され、前中心ＦＣ側から脇線ＬＳ，ＲＳ側に向かって傾斜するポケット口外縁７６の長さｌ（図８（ｂ）参照）は、紳士用のズボン１で１５．５〜１７．５ｃｍ、婦人用のズボン１で１３．５〜１５．５ｃｍ程度に設定される。なお、ポケット口２３の開口幅（縦幅）ｍは、ウエストベルト部１０の下端からポケット止まり７５の位置までの垂直方向の長さ（距離）である。また、ポケット口外縁７６の長さｌは、斜めのポケット口外縁７６のウエストベルト部１０の下端からポケット止まり７５の位置までの長さである。
そして、袋布２１の上端から下端までの垂直方向の縦幅は、例えば、２２〜２９ｃｍ程度、好ましくは、２３〜２８ｃｍ程度であり、後述する上がり線ＯＬを基準とするとそこから下端までは、２３〜２８ｃｍ程度、好ましくは、２４〜２７ｃｍ程度である。また、袋布２１の左端から右端までの上端の最大横幅は、タック部２２が折畳まれ状態において、１３ｃｍ〜１８ｃｍ程度、好ましくは、１４ｃｍ〜１７ｃｍ程度である。
【０１４７】
ここで、上述したように、延出部１１の延出部表ベルト１１Ｆは、前身頃４Ｆに対し、前中心ＦＣ側から脇ポケット部２０のポケット口外縁７６の上端の位置まで縫合線６１Ｃにて縫付けられ（図１４等参照）、延出部１１の延出部裏ベルト１１Ｂも、前身頃４Ｆに対し前中心ＦＣ側から袋布２１のタック部２２の第１の折り目２２１の位置まで縫合線６１Ｂにて縫付けられているが（図６参照）、延出部１１の収容部１２に挿入される先端部１１ｔ側は前身頃４Ｆに縫着されておらず収容部１２から延出自在となっている。
これより、図８（ｂ）及び図１４に示されるように、ウエストベルト部１０に引張り力が掛かったときには、脇ポケット部２０のポケット口外縁７６の上部も延出部１１が収容部１２から抜き出る方向に延出部１１と一体に移動し、収容部１２の開口端１２ｅ側、即ち、脇線ＬＳ，ＲＳ側から離れる方向に位置する。
【０１４８】
このとき、本実施の形態１では、脇ポケット部２０の袋布２１がズボン１の表側（外側）から見えないようにするために、前身頃４と共地の共布向こう布２５が脇ポケット部２０の外側に縫付けられている。即ち、袋布２１の生地が脇ポケット部２０の表側（外側）から見えないようにするため、図１１（ａ）に示した袋布２１を形成する所定形状の綿生地、スレーキ生地等の布地に対し、向こう布２１Ｂとなる方に前身頃４と共地の共布向こう布２５を重ねて縫付けている。なお、必要に応じて、前身頃４Ｆの斜めの端部に縫付ける手前布２１Ｆ側にも、前身頃４と共地の補強布２６が重ねて縫付けられ、ポケット口外縁７６側の補強がなされる。
【０１４９】
更に、本実施の形態１では、図１１（ａ）に示した袋布２１の向こう布２１Ｂとなる方において、ズボン１の後身頃４Ｂに縫合される前に、予め、図１１（ｂ）及び図１１（ｃ）に示すように、所定の位置にて２本の折り目２２１、２２２を付しそれらの折り目に沿って所定幅で折重ねることにより、タック（折り返し）部２２を形成している。
このタック部２２は、図１１（ｂ）及び図１１（ｃ）に示すように、袋布２１の向こう布２１Ｂにおいて、上端から下方に延びる２本の折り目２２１、２２２を形成し、２本の折り目２２１、２２２のうち手前布２１Ｆ及び向こう布２１Ｂの閉鎖端部側に近い方（図１１（ｂ）において右側）の第１の折り目２２１を谷折りとし、もう一方の第２の折り目２２２を山折りにすることで襞状に形成されている。
なお、このとき、タック部２２を形成するための２本の折り目２２１、２２２にアイロン等によりプレスしてしっかり折り目を付すことも可能であるが、例えば、婦人用のボトムスでは、そのような処理を施すことなく、タック部２２が形成される場合もある。
【０１５０】
このように向こう布２１Ｂの一部を折畳んだタック部２２の形成により、ウエスト部Ｗに引張り力が掛かった際には、ウエストベルト部１０の延出部１１が収容部１２から抜き出る移動と共に、折畳んだタック部２２が開くから、袋布２１に掛かる引張り力を逃すことができ、ウエスト周りをスムースに伸ばすことができる。そして、タック部２２が開閉することによってウエストベルト部１０が伸縮する際でも、ウエストベルト部１０の下部の身頃４Ｆ，４Ｂの生地に皺等を生じさせないから、見栄えの良いズボン１となる。
【０１５１】
このときタック部２２の上端部の折畳み長さは、ウエストベルト部１０の伸び量に応じウエストベルト部１０を伸ばしたときに袋布２１の上方の引き攣りが少なくウエストベルト部１０のスムースな伸びを確保できる長さであればよく、好ましくは、ウエストベルト部１０の伸び長さ以上に設定される。タック部２２の襞（折り返し部分）の幅、即ち、２本の折り目２２１と折り目２２２の間の間隔幅からすると、袋布２１の向こう布２１Ｂの上端で第１の折り目２２１と第２の折り目２２２の間の間隔、即ち、横幅長さｗ（図１２（ｂ）参照）は、好ましくは、ウエストベルト部１０の最大の伸び長さの０．５倍〜０．７倍である。
【０１５２】
例えば、平ゴム１５Ｅに縫着した伸び止め材１６の折畳み長さを３ｃｍとし、その伸び止め材１６の折畳み長さによって平ゴム１５Ｅの最大伸びを約３ｃｍに規制する場合、即ち、ウエストベルト部１０の伸び長さを３ｃｍとする場合には、袋布２１の向こう布２１Ｂの上端で第１の折り目２２１と第２の折り目２２２の間の横幅長さｗを約１．５ｃｍ以上とする。より好ましくは、約１．５ｃｍ以上、２ｃｍ以下である。
また、例えば、平ゴム１５Ｅに縫着した伸び止め材１６の折畳み長さを４ｃｍとし、その伸び止め材１６の折畳み長さによって平ゴム１５Ｅの最大伸びを約４ｃｍに規制する場合、即ち、ウエストベルト部１０の伸び長さを４ｃｍとする場合には、袋布２１の向こう布２１Ｂの上端で第１の折り目２２１と第２の折り目２２２の間の横幅長さｗを約２ｃｍ以上とする。より好ましくは、２ｃｍ以上、２．５ｃｍ以下である。
上述したように、タック部２２の上端部の折り返し幅によって、ウエストベルト部１０の伸びの限界を規定することも可能である。
【０１５３】
なお、ウエストベルト部１０が伸びるときに袋布２１に掛かる引張り力は、袋布２１において、ウエストベルト部１０の配設側の上端側から下方に向かって徐々に減少する。そこで、それに併せて、本実施の形態１においては、タック部２２の折畳み長さは、その上端側から下方に向かって徐々に小さくなるように設定されている。即ち、本実施の形態１においては、２本の折り目２２１及び折り目２２２は上端側から下方に向かって徐々に近づくように設定されている。例えば、図１１（ｃ）において、第１の折り目２２１及び第２の折り目２２２は両方とも上端側から下方に向かって前中心ＦＣ側から脇線ＬＳ，ＲＳ側に傾く斜めに形成されているが、第１の折り目２２１を第２の折り目２２２よりも急な傾きとし、２本の折り目２２１及び折り目２２２が上端側から下方に向かって徐々に近づくようにしている。
これにより、ウエストベルト部１０の伸縮による袋布２１の引き攣りを減らすことができて見栄えを良くできる。
【０１５４】
そして、タック部２２を形成した向こう布２１Ｂにおいて、後身頃４Ｂ側に縫付ける端部２１ｂ側から第２の折り目２２２までの間の布地を後側布地２１ＢＢとし、端部２１ｂとは反対側の閉鎖端部側から第１の折り目２２１までの間の布地を前側布地２１ＢＦとし、後側布地２１ＢＢと前側布地２１ＢＦの間の布地、即ち、第２の折り目２２２と第１の折り目１１１の間の布地を中間布地２１ＢＭとしたとき、第１の折り目２２１及び第２の折り目２２２に沿って折畳んで形成した襞状のタック部２２では、それら後側布地２１ＢＢと中間布地２１ＢＭと前側布地２１ＢＦとが重なり合って重複している。
【０１５５】
ところで、本実施の形態１のズボン１においては、ウエストベルト部１０がカーブしているから、着用したときに身体のウエストラインに沿ってウエストベルト部１０をフィットさせることができ、ウエスト周りへのフィット性を向上させることができる。しかしながら、このようなカーブ状のウエストベルト部１０を採用すると、ストレート（直線状）のベルトと比べて、着用した際に、身体のウエスト周りの立体的な体型へのフィット性、密着性の向上によって、脇線ＲＳ，ＬＳ付近に設けた袋布２１の引き攣り量、引張り量が大きくなる。特に、女性の体型では、ウエストが細い一方で骨盤やヒップが大きく、ウエストからヒップにかけての脇ラインが極端に変化しているから、着用時にウエストベルト部１０に接続する身頃４Ｆ，４Ｂの上部に引き攣り、引張りが生じやすい。このため、ズボン１の着用時に、ウエストベルト部１０が伸びた際、図１５（ａ）に示したように、脇ポケット部２０の袋布２１（共布向こう布２５を含む）がポケット口２３から吹き出して露出したり、袋布２１（共布向こう布２５を含む）や脇ポケット部２０周囲の身頃４Ｂ，４Ｆに皺寄りが生じたりし、見栄えが大きく低下する問題がある。
【０１５６】
そこで、本実施の形態１では、この問題を解決するために、２本の折り目２２１，２２２に沿って折畳んで形成した襞状のタック部２２を長く形成し、その一部でタック部２２の襞（折り返し部分）を閉じるように中縫いを行って、タック部２２の中間布地２１ＢＭと前側布地２１ＢＦを縫合線７８にて縫合している。
【０１５７】
即ち、本実施の形態１のタック部２２では、後側布地２１ＢＢと中間布地２１ＢＭと前側布地２１ＢＦのうち、中縫いを行うことによって、第１の折り目２２１と第２の折り目２２２の間の布地である中間布地２１ＢＭと、第１の折り目２２１から閉鎖端部側（ループ側）の間の布地である前側布地２１ＢＦとを、タックの長さ方向の一部で縫合線７８にて縫合することにより、一部の襞を閉じている。
なお、中縫いによる中間布地２１ＢＭと表側布地２２Ｆの縫合では、縫合線７８の縫い目が中間布地２１ＢＭと表側布地２１Ｆを貫通しているのみで、裏側布地２１Ｂを貫通していないから、ズボン１の腰裏側から見て縫合線７８の縫い目は表出していない。
【０１５８】
特に、本実施の形態１のタック部２２においては、向こう布２１Ｂの上端から所定範囲は、タック部２２の襞を縫合することなくタックの折畳みの開閉を自在とし、タックの上端から所定位置より下で中縫いによって中間布地２１ＢＭと後側布地２１ＢＢを縫合線７８にて縫合している。即ち、タック部２２の上方を除いてタック部２２の襞が縫合されている。
【０１５９】
ここで、本実施の形態１において、タック部２２の縦幅の長さｘ（図１３参照）は、例えば、向こう布２１Ｂの上がり線ＯＬ（図１３参照）から垂直方向の長さで、９ｃｍ以上、１５ｃｍ以下が好ましく、より好ましくは、１０ｃｍ以上、１４ｃｍ以下である。なお、ここでの上がり線ＯＬとは、ウエストベルト部１０の表側の下端、詳しくは、ウエストベルト部１０の表側の延出部表ベルト１１の下端のラインに一致するものである。向こう布２１Ｂの裁ち切り線からすると、上がり線ＯＬはその裁ち切り線よりも、通常、１ｃｍ程度下位に位置する。
【０１６０】
このような所定長さのタック部２２の形成により袋布２１の下方の布地の遊びもズボン１の表側に響かない程度になる。そして、この所定の長さのタック部２２の襞に対し、その上方を除いて縫合線７８にて中間布地２１ＢＭと後側布地２１ＢＢを縫合することで、ズボン１の着用時に袋布２１（共布向こう布２５を含む）がポケット口２３から吹き出して露出したり、袋布２１の変形、歪み等により袋布２１（共布向こう布２５を含む）や脇ポケット部２０周囲の身頃４Ｂ，４Ｆに皺寄りが発生したりするのが抑制される。
【０１６１】
特に、本実施の形態１においては、タック部２２の襞を中縫いすることで、向こう布２１Ｂの中間布地２１ＢＭと前側布地２１ＢＦを縫合線７８で縫合するが、後側布地２１ＢＢの上端（裁ち切り線）から下に所定長さの範囲は、タック部２２の襞を縫合することなく、タック部２２の下方側を縫合する。
【０１６２】
図１３を参照して具体的に説明すると、本実施の形態１では、向こう布２１Ｂの上がり線ＯＬとタック部２２を縫合する始点７８ｓとの間の垂直方向の長さ（縦幅）をＹａ（ｃｍ）としたとき、３≦Ｙａ≦６が好ましい。即ち、タック部２２の縫合の始点７８ｓは、向こう布２１Ｂの上がり線ＯＬから下に３ｃｍ以上、６ｃｍ以下の範囲内に位置させるのが好ましい。
【０１６３】
ここで、Ｙａが短すぎる場合、即ち、タック部２２の襞を縫合する位置が向こう布２１Ｂの上端に近すぎる場合、タック部２２の展開量を十分に確保できない。このため、ウエストベルト部１０に引張り力が掛かった際にウエストベルト部１０のスムースな動きを確保できず窮屈感を生じさせたり、また、袋布２１の上方で引き攣り、引っ張りによる歪み、皺寄り等が生じ、それがズボン１の表側にも響いて、見栄えが低下したりする。一方で、Ｙａが長すぎる場合、即ち、タック部２２の襞を縫合する位置が下方に下がり過ぎる場合、袋布２１の布地の遊びが多くなって、ズボン１の着用時に脇ポケット部２０の袋布２１（共布向こう布２５を含む）がポケット口２３から吹き出しやすくなる。
【０１６４】
しかし、向こう布２１Ｂの上がり線ＯＬとタック部２２の縫合の始点７８ｓとの間の垂直方向の長さＹａが、３ｃｍ以上、６ｃｍ以下の範囲内であれば、布地の種類、厚み、伸び特性や、袋布２１やポケット口の大きさ等を問わず、ウエストベルト部１０が伸びたときでも袋布２１の上方の見栄えを損なうことなく、ズボン１の着用時に袋布２１（共布向こう布２５を含む）がポケット口２３から吹き出して露出するのを効果的に抑えることができ、ズボン１を表側から見たときの良好な見栄えを保つことができる。更に、本発明者らの実験研究によれば、より好ましくは、３．５≦Ｙａ≦５．５、更に、好ましくは、４≦Ｙａ≦５であれば、身頃４Ｆ，４Ｂ等が薄生地であっても、ウエスト部Ｗが伸びたときの袋布２１のポケット口２３からの吹き出し、袋布２１の変形を抑え、脇ポケット２０部及びその周囲の皺寄りの発生を防止でき、かつ、脇ポケット部２０の上方で引き攣りが生じ難いものとなる。
【０１６５】
こうして、本実施の形態１では、向こう布２１Ｂの裁ち切り線（上端）と上がり線ＯＬとの間を含め、向こう布２１Ｂの上がり線ＯＬから下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内はタック部２２の襞を縫合することなく、上がり線ＯＬの３ｃｍ〜６ｃｍ下の位置から下方で中縫いにより中間布地２１ＢＭと前側布地２１ＢＦを縫合線７８にて縫合することで、タック部２２の一部の襞を縫合している。
なお、向こう布２１Ｂの裁ち切り線（上端）と上がり線ＯＬとの間を１ｃｍとし、前側布地２１ＢＦの裁ち切り線（上端）を基準にすると、その裁ち切り線（上端）から下に４ｃｍ以上、７ｃｍ以下の範囲内、好ましくは、４．５ｃｍ以上、６．５ｃｍ以下の範囲内、より好ましくは、５ｃｍ以上、６ｃｍ以下はタック部２２の襞が縫合されることなく、断ち切り線（上端）の４ｃｍ〜７ｃｍ下の位置から下方で中縫いにより中間布地２１Ｍと前側布地２１ＢＦが縫合線７８にて縫合されていることになる。
【０１６６】
このとき、本実施の形態１のタック部２２においては、上述したように、タック部２２の折畳み長さは、その上端側から下方に向かって徐々に小さくなるように設定され、タック部２２を形成する２本の折り目２２１及び折り目２２２間の間隔、即ち、横幅長さが上端側から下方に向かって徐々に縮小しているから、第１の折り目２２１と第２の折り目２２２の間の間隔、即ち、横幅長さが向こう布２１Ｂの上端（断ち切り線）の横幅長さｗの、例えば、０．５〜０．９倍、より好ましくは、０．６〜０．８倍となる位置がタック部２２の縫合の始点７８ｓとされ、そこから下が縫合線７８にて縫合されることになる。
【０１６７】
つまり、本実施の形態１では、第１の折り目２２１と第２の折り目２２２間の間隔である横幅長さが向こう布１１の上端における横幅長さｗの、例えば、０．５〜０．９倍、より好ましくは、０．６〜０．８倍となる位置までは、タック部２２の襞を閉じることなく、第１の折り目２２１と第２の折り目２２２の間の間隔である横幅長さが向こう布１１の上端における横幅長さｗの０．５〜０．９倍、より好ましくは、０．６〜０．８倍となる位置から下を縫合線７８にて縫合する。
【０１６８】
そして、タック部２２の襞を縫合する長さ、即ち、縫合線７８の長さは、タック部２２の襞を縫合する始点７８ｓと終点７８ｔの間の垂直方向の長さ（縦幅）をＹｂ（ｃｍ）としたとき、３≦Ｙｂ≦６が好ましい。
【０１６９】
ここで、Ｙｂが短すぎると、即ち、タック部２２を縫合する長さが短すぎる場合、袋布２１の遊びが多くなることで、布地の種類によっては、ズボン１の着用時に脇ポケット部２０の袋布２１（共布向こう布２５を含む）がポケット口２３から吹き出しやすくなる。一方で、Ｙｂが長すぎると、即ち、タック部２２を縫合する長さが長すぎる場合、袋布２１の布地の余裕が少なくなることで、ウエストベルト部１０が伸びたときに、袋布２１に引き攣りによる歪みが生じたり皺が寄ったりし、それがズボン１の表側に響いて、外観性や見栄えを損なう恐れがある。
【０１７０】
特に、ポケット口外縁７６の下端と脇線ＬＳ，ＲＳの交点であるポケット止まり７５が前身頃４Ｆ、後身頃４Ｂ及び袋布２１ａの接続点であるから、ウエストベルト部１０が伸びたときに、ポケット止まり７５の周囲に引張り力が生じ易く、更に、そこに強度向上のために閂止めが施されている場合には、その周囲でより強い引張り力が生じやすくなる。このため、Ｙｂが長すぎると、脇ポケット部２０の下方のポケット止まり７５の周囲で袋布２１の引き攣り量、引っ張り量が多くなり、そこに負荷がかかって布地が損傷しやすくなる。また、脇ポケット部２０のポケット止まり７５の周辺で袋布２１の引き攣りによる歪みが生じたり皺が寄ったりし、ズボン１を表側から見たときの外観性や見栄えを損なう恐れがある。
【０１７１】
しかし、タック部２２の縫合の始点７８ｓと終点７８ｔの間の垂直方向の長さ（縦幅）Ｙｂが、３ｃｍ以上、６ｃｍ以下であれば、布地の種類、厚み、伸び特性や、袋布２１やポケット口の大きさ等を問わず、ズボン１の着用時に袋布２１（共布向こう布２５を含む）がポケット口２３から吹き出して露出するのを効果的に抑えることができ、かつ、ウエストベルト部１０が伸びたときでも脇ポケット部２０及びその周辺に引き攣りが生じ難く、ズボン１を表側から見たときの良好な見栄えを保つことができる。更に、本発明者らの実験研究によれば、より好ましくは、３．５≦Ｙｂ≦５．５、更に、好ましくは、４≦Ｙｂ≦５であれば、身頃４Ｆ，４Ｂ等が薄生地であっても、ウエスト部Ｗが伸びたときの袋布２１のポケット口２３からの吹き出し、袋布２１の変形を抑え、脇ポケット２０部及びその周囲の皺寄りの発生を防止でき、かつ、脇ポケット部２０及びその周辺に引き攣りが生じ難いものとなる。
【０１７２】
なお、本実施の形態１のタック部２２においては、上述したように、タック部２２の折畳み長さは、その上端側から下方に向かって徐々に小さくなるように設定され、タック部２２を形成する２本の折り目２２１及び折り目２２２間の間隔、即ち、横幅長さが上端側から下方に向かって徐々に縮小しているから、第１の折り目２２１と第２の折り目２２２の間の間隔、即ち、横幅長さが、向こう布２１Ｂの上端（裁ち切り線）の横幅長さｗの、例えば、０．２〜０．６倍、より好ましくは、０．４〜０．６倍となる位置がタック部２２の縫合の終点７８ｔとされる。
【０１７３】
こうして、本実施の形態１では、向こう布２１Ｂの上がり線ＯＬの３ｃｍ〜６ｃｍ下の位置から、３ｃｍ〜６ｃｍの長さ（縦幅Ｙｂ）でタック部２２の襞の一部を縫合線７８にて縫合する。
【０１７４】
特に、本実施の形態１において、中縫いにより中間布地２１ＢＭと前側布地２１ＢＦを縫合するときの縫合線７８は、縫製の分かり易さから、第１の折り目２２１に平行させる斜めとする。そして、好ましくは、第１の折り目２２１から１ｃｍ以下の範囲内、より好ましくは、０．１ｃｍ以上、０．８ｃｍ以下の範囲内、更に好ましくは、０．１ｃｍ以上、０．６ｃｍ以下の範囲内でタック部２２の襞を縫合線７８にて縫合する。つまり、縫合線７８と第１の折り目２２１の間隔幅をＤ1（ｃｍ）とすると（図１１（ｄ）参照）、好ましくは、Ｄ1≦１、より好ましくは、０．１≦Ｄ1≦０．８、更に好ましくは、０．１≦Ｄ1≦０．６である。このように第１の折り目２２１に平行する斜めの縫合線７８の位置を第１の折り目２２１から所定範囲内とすると、タックの開きにより余裕がでるから、ウエストベルト部１０が伸びたときの袋布２１の引き攣りをより少なくできる。
【０１７５】
即ち、第１の折り目２２１から、好ましくは、１ｃｍ以下の範囲内、より好ましくは、０．１ｃｍ以上、０．８ｃｍ以下の範囲内、より好ましくは、０．１ｃｍ以上、０．６ｃｍ以下の範囲内でタック部２２の襞の一部を中縫いの縫合線７８によって縫合すると、縫合線７８と第２の折り目２２２との間には、幅が約０．５ｃｍ以上のキセＫが設けられることになる。
【０１７６】
例えば、タック部２２の折畳み長さがその上端側から下方に向かって徐々に小さくなるように設定されている袋布２１において、向こう布２１Ｂの上端で第１の折り目２２１と第２の折り目２２２の間の間隔、即ち、横幅長さｗを２ｃｍとしたタック部２２の襞に対し、その下方で第１の折り目２２１と第２の折り目２２２の横幅長さが１．５ｃｍとなる位置から下を縫合線７８にて縫合したとき、縫合線７８が第１の折り目２２１から０．５ｃｍ幅の間隔をあけて第１の折り目２２１に平行している場合、縫合線７８の始点７８ｓの位置では、縫合線７８の始点７８ｓから第２の折り目２２２までの間が１ｃｍ幅となる。よって、縫合線７８の始点７８ｓの位置では、１ｃｍ幅のキセＫを設けていることになる。そして、縫合線７８の始点７８ｓの位置では、第１の折り目２２１と第２の折り目２２２の横幅長さが１．５ｃｍであることで、襞が縫合されない場合には、タックの開きが３ｃｍとなるが、縫合線７８によりタックを閉じた場合の開きは１ｃｍ幅のキセＫの部分が開かれることで２ｃｍのタックの開きとなる。また、第１の折り目２２１と第２の折り目２２２の横幅長さが１ｃｍとなる位置を縫合線７８の終点７８ｔとしたとき、その縫合線７８の終点７８ｔの位置では、縫合線７８の終点７８ｔから第２の折り目２２２までの間のキセＫ幅が０．５ｃｍとなる。よって、縫合線７８の終点７８ｔの位置では、第１の折り目２２１と第２の折り目２２２の横幅長さが１ｃｍであることで、襞が縫合されない場合には、タックの開きが２ｃｍとなるが、縫合線７８によりタックを閉じた場合の開きは０．５ｃｍ幅のキセＫの部分が開くことで１ｃｍのタックの開きとなる。
【０１７７】
本実施の形態１においては、このような所定幅のキセＫを設けていることで、３≦Ｙａ≦６であっても、即ち、後述する変形例２と比較して、タック部２２の襞を袋布２１のより上方で閉じる構成であっても、タック部２２のキセＫの部分でタックが多少開くから、ウエストベルト部１０が伸びる際に、袋布２１の上方に引き攣りが生じ難く、袋布２１が歪んだり袋布２１及びその周辺で皺が寄ったりし難いものとなる。
【０１７８】
このように、本実施の形態１の袋布２１では、向こう布２１Ｂに形成したタック部２２において、向こう布２１Ｂの上がり線ＯＬより３ｃｍ〜６ｃｍ下から下方を３ｃｍ〜６ｃｍの縦幅（垂直方向の長さＹｂ）で縫合線７８による中縫いによって中間布地２１ＢＭと前側布地２１ＢＦとを縫合することにより、タック部２２の襞の一部を閉じで、タックの開きを制限している。即ち、タック部２２の上端から下に所定の長さ範囲では、タック部２２の襞を閉じることなく開放し、タック部２２の下方で中間布地２１ＢＭと前側布地２１ＢＦを縫合線７８にて縫合していることでタック部２２の開きを制限している。
【０１７９】
これより、本実施の形態１のズボン１では、ウエストベルト部１０のカーブによって着用時に身体のウエスト周りに対するフィット性が高くても、袋布２１の向こう布２１Ｂに所定の長さのタック部２２を形成し、そのタック部２２の襞の一部をタック部２２の上方を除いて中縫いによって縫合してタックの開きを制限したことで、袋布２１の遊びが少なくなり、図１５（ｂ）に示したように、ズボン１の表側（外側）から見て、袋布２１（共布向こう布２５を含む）の布地がポケット口２３から吹き出すのが抑制され、また、袋布２１の変形が抑えられ、脇ポケット部２０及びその周囲に皺寄りが生じ難くなり、見栄えの良い脇ポケット部２０を形成し、美観を維持できる。
【０１８０】
特に、本実施の形態１では、タック部２２の襞を縫合する始点７８ｓは、袋布２１の向こう布２１の上がり線ＯＬから垂直方向に下に３ｃｍ以上、６ｃｍ以下の範囲内にあり、そこから垂直方向の長さで、３ｃｍ以上、６ｃｍ以下の範囲内でタック部２２の襞を中縫いによって縫合しており、後述する変形例２と比較して、タック部２２の襞を袋布２１の縦幅の中間部から上側で縫合する構成であり、袋布２１の下方に余裕を持たせている。したがって、ウエストベルト部１０が伸びたときでも、脇ポケット部２０の下方のポケット止まり７５の周囲で引き攣り、引張りが生じ難くて、袋布２１に歪みや皺寄りが生じ難いものである。よって、ズボン１を表側から見たときの見栄えに優れるものである。
【０１８１】
また、このようにタック部２２の襞を袋布２１の縦幅の中間部から上側で縫合する構成であると、婦人用のボトムスのように袋布２１を落ち着かるためのアイロン等のプレスを行わず、袋布２１のタック部２２を比較的短いものとするボトムスにも好適であり、タックが比較的短くても、袋布２１の縦幅の中間部から上側でタック部２２の襞を縫合することによって、ズボン１の外側のポケット口２３から袋布２１（共布向こう布２５を含む）が吹き出すのを効果的に抑制できる。
【０１８２】
そして、本実施の形態１では、袋布２１の縦幅の中間部から上側で縫合されるタック部２２の襞は、タック部２２の折畳み状態で袋布２１の向こう布２１Ｂの外面に表れない第１の折り目２２１から、好ましくは１ｃｍ以内、より好ましくは、０．１ｃｍ以上、０．８ｃｍ以内、更に好ましくは、０．１ｃｍ以上、０．６ｃｍ以内で縫合するから、タック部２２の襞を縫合した部分において、タックの開きが制限されるも、所定の展開量は確保される。よって、後述する変形例２と比較してタック部２２の縫合位置を袋布２１の中間部から上側としていても、袋布２１のタック部２２の所定の展開量を確保できることで、ウエストベルト部１０に引張り力が掛かった際でも、袋布２１の上方の引き攣り、歪み、皺寄りが抑えられて見栄えを維持できると共に、ウエストベルト部１０をスムースに伸ばすことができる。
なお、本発明を実施する場合、袋布２１の中間布地２１ＢＭと前側布地２１ＢＦを縫合する縫合線７８は、第１の折り目２２１と平行させず直線状としてもよい。また、本発明を実施する場合には、コバステッチにより中間布地２１ＢＭと前側布地２１ＢＦと後側布地２１ＢＢを縫合することも可能である。
【０１８３】
ここで、脇ポケット部２０の変形例１及び変形例２について説明する。
まず、変形例１の脇ポケット部２０１について図１６及び図１７を参照して説明する。
上述した脇ポケット部２０は、袋布２１の向こう布２１Ｂに設けたタック部２２を形成する第１の折り目２２１と第２の折り目２２２の間隔を上端から下方に向かって縮小させているものである。
これに対し、本変形例１に係る脇ポケット部２０１においては、第１の折り目２２１と第２の折り目２２２を平行に形成し、第１の折り目２２１と第２の折り目２２２の間隔を上端から下方に向かって一定としている。即ち、ウエストベルト部１０の伸び量に応じウエストベルト部１０の伸び長さ以上に設定されるタック部２２の折畳み長さは、上端から下方に向かって一定としている。
【０１８４】
例えば、平ゴム１５Ｅに縫着した伸び止め材１６の折畳み長さを４ｃｍとし、その伸び止め材１６の折畳み長さによって平ゴム１５Ｅの最大伸びを約４ｃｍに規制する場合には、即ち、ウエストベルト部１０の伸び長さを４ｃｍとする場合には、袋布２１の向こう布２１Ｂに形成される第１の折り目２２１と第２の折り目２２２の間の横幅長さを、上端から下方に向かって一定の２ｃｍ以上とする。
なお、第１の折り目２２１と第２の折り目２２２は、上端から下方に向かって垂直方向の直線としもよいし、前中心ＦＣ側から脇線ＬＳ，ＲＳ側に傾く斜めとしてもよい。
【０１８５】
そして、本変形例１に係る脇ポケット部２０１においても、上述した脇ポケット部２０と同様、タック部２２において向こう布２１Ｂの上がり線ＯＬの３ｃｍ〜６ｃｍ下から下方を３ｃｍ〜６ｃｍの縦幅（垂直方向の長さ）で中縫いによって中間布地２１ＢＭと前側布地２１ＢＦとを縫合線７８にて縫合することにより、タック部２２の襞の一部を縫合し、タックの開きを制限する。
【０１８６】
よって、本変形例１においても、上述した脇ポケット部２０と同様と同様、ズボン１の表側（外側）から見て、袋布２１（共布向こう布２５を含む）の布地がポケット口２３から吹き出すのが抑制され、脇ポケット部２０及びその周囲に皺寄りを生じ難くして、見栄えの良い脇ポケット部２０１を形成し、美観を維持できる。
【０１８７】
また、本変形例１の脇ポケット部２０１においても、上述した脇ポケット部２０と同様、タック部２２の襞を袋布２１の縦幅の中間部から上側で縫合する構成であるから、婦人用のボトムスのように袋布２１を落ち着かるためのアイロン等のプレスを行わず、袋布２１のタック部２２を比較的短いものとするボトムスにも好適であり、タックが比較的短くても、袋布２１の縦幅の中間部から上側でタック部２２の襞を縫合することによって、ズボン１の外側のポケット口２３から袋布２１（共布向こう布２５を含む）が吹き出すのを効果的に抑制できる。
【０１８８】
更に、本変形例１においても、上述した脇ポケット部２０と同様、タック部２２の襞を縫合する始点７１ｓは、袋布２１の向こう布２１Ｂの上がり線ＯＬから垂直方向に下に３ｃｍ以上、６ｃｍ以下の範囲内にあり、そこから垂直方向の長さで、３ｃｍ以上、６ｃｍ以下の範囲内でタック部２２の襞を中縫いによって縫合しており、後述する変形例２と比較して、袋布２１の下方に余裕を持たせている。したがって、ウエストベルト部１０が伸びたときでも、脇ポケット部２０の下方のポケット止まり７５の周囲で引き攣り、引張りが生じ難くて、袋布２１に歪みや皺寄りが生じ難いものである。よって、ズボン１を表側から見たときの見栄えに優れるものである。
【０１８９】
そして、本変形例１においても、上述した脇ポケット部２０と同様、袋布２１の縦幅の中間部から上側で縫合されるタック部２２の襞は、タック部２２の折畳み状態で袋布２１の向こう布２１Ｂの外面に表れない第１の折り目２２１から、好ましくは、１ｃｍ以内、より好ましくは、０．１ｃｍ以上、０．８ｃｍ以内、更に好ましくは、０．１ｃｍ以上、０．６ｃｍ以内の中縫いによって縫合する。つまり、縫合線７８と第１の折り目２２１の間隔幅Ｄ1は、好ましくは、Ｄ1≦１、より好ましくは、０．１≦Ｄ1≦１．０、更に好ましくは、０．１≦Ｄ1≦０．６とする。これによって、タック部２２の襞を縫合した部分において、タック部２２の開きが制限されるも、所定の展開量は確保される。よって、後述する変形例２と比較して、タック部２２の縫合位置を袋布２１の中間部から上側としていても、袋布２１のタック部２２の所定の展開量を確保できることで、ウエストベルト部１０に引張り力が掛かった際でも、袋布２１の上方の引き攣り、歪み、皺寄りが抑えられて見栄えを維持できると共に、ウエストベルト部１０をスムースに伸ばすことができる。
【０１９０】
特に、本変形例１において、第１の折り目２２１及び第２の折り目２２２を平行にしていることで、タック部２２の襞を縫合する縫合線７８は、それら第１の折り目２２１及び第２の折り目２２２に対し平行させる縫製とすると分かり易く、生産性を向上できる。
例えば、本変形例１において、第１の折り目２２１及び第２の折り目２２２の間隔の横幅を２ｃｍとしたとき、襞が縫合されない部分では、タックの開きが４ｃｍとなるが、第１の折り目２２１から０．５ｃｍ離した位置で襞を中縫いした場合には、そのときの縫合線７８と第２の折り目２２２の間のキセＫの幅は１．５ｃｍとなるから、中縫いした部分のタックの開きは３ｃｍに制限される。
そして、本変形例１において、中間布地２１ＢＭと前側布地２１ＢＦを縫合する縫合線７８が第１の折り目２２１及び第２の折り目２２２に平行させていると、その縫合した部分のタックの開きも一定となる。
【０１９１】
このように、変形例１の脇ポケット部２０１においては、平行する第１の折り目２２１と第２の折り目２２２に対し、タック部２２において中間布地２１ＢＭと前側布地２１ＢＦを縫合する縫合線７８を平行させ、縫合線７８と第１の折り目２２１の間隔幅Ｄ1を例えば、０．５ｃｍとした場合、上述した脇ポケット部２０と比較して、縫合線７８と第２の折り目２２２との間のキセＫの量が増えるので、タックの開き量が多いものとなる。よって、袋布２１に余裕を持たせることができるから、ウエストベルト部１０が伸びたときのポケット止まり部７５の周辺の引き攣り、引張りを効果的に抑え、見栄えを向上させることができる。一方、上述した脇ポケット部２０では、変形例１の脇ポケット部２０１と比較して、タックの開き量の制限を大きくできるので、着用時にポケット口２３からの袋布２１の吹き出しを抑制する効果を向上させることができる。
【０１９２】
なお、袋布２１の生地、共布向こう布２５の生地、身頃４Ｂ，４Ｆの生地、ウエストベルト部１０の表側及び裏側の生地等によって、また、ポケット口２３の開口の大きさ等によって、上述した脇ポケット部２０または変形例１の脇ポケット部２０１を適宜選択することも可能である。例えば、身頃４Ｂ，４Ｆ等の生地が薄いものやポケット口２３の開口が大きいものでは、ポケット口２３から袋布２１が吹き出しやすくなるから、タックの開き量の制限を大きくできる上述した脇ポケット部２０に係る袋布２１の構造を採用することで、より効果的にポケット口２３からの袋布２１の吹き出しを抑えることが可能である。一方で、生地が厚いものやポケット口２３の開口が小さいものでは、ウエスト部Ｗが伸びたときの引き攣り、引張りが大きくなり、特に、ポケット止まり部７５周辺で引き攣り、引張りが大きくなるが、タックの開き量の制限を少なくした変形例１の脇ポケット部２０１の袋布２１の構造を採用することで、ウエスト部Ｗが伸びたときでもポケット止まり部７５の周辺の引き攣り、引張りを効果的に抑え、見栄えを良好に維持することが可能となる。
勿論、変形例１においても、中間布地２１ＢＭと前側布地２１ＢＦを縫合する縫合線７８は必ずしも第１の折り目２２１及び第２の折り目２２２に平行でなくともよい。また、本発明を実施する場合には、コバステッチにより中間布地２１ＢＭと前側布地２１ＢＦと後側布地２１ＢＢを縫合することも可能である。
【０１９３】
次に、変形例２の脇ポケット部２０２（２０２Ａ，２０２Ｂ）について、図１８乃至図２０を参照して説明する。
上述の脇ポケット部２０については、タック部２２において向こう布２１Ｂの上がり線ＯＬの３ｃｍ〜６ｃｍ下から下方を３ｃｍ〜６ｃｍの縦幅（垂直方向の長さ）で中縫いによって中間布地２１ＢＭと前側布地２１ＢＦとを縫合線７８にて縫合することにより、袋布２１の縦幅の中間部から上側でタック部２２の襞の一部を閉じるものである。
【０１９４】
このように、上述の脇ポケット部２０については、袋布２１の縦幅の中間部から上側でタック部２２の襞の一部を閉じるから、タック部２２を形成するための２本の折り目２２１、２２２にしっかりクセを付したり、また、袋布２１のクセとりをしたりするためのアイロン等のプレス処理を行わない婦人用のボトムス等のように、袋布２１の下方に余裕を持たせる形態、デザインに好適である。即ち、婦人用のボトムス等のように、折り目２２１、２２２を安定させたり袋布２１を落ち着かせたりするためのアイロン等のプレス処理を行わずに、タック部２２の形成を袋布２１の中間部分までの長さとする設計に好適である。
【０１９５】
これに対し、変形例２の脇ポケット部２０２は、紳士用のボトムスのように、折り目２２１、２２２を安定させるために折り目２２１、２２２にアイロン等のプレスを施してしっかり折り目を付したり、袋布２１をアイロン等でプレスしてクセとりをしたりする設計に好適なものである。
即ち、変形例２の脇ポケット部２０２においては、タック部２２の折り目２２１、２２２について、袋布２１の下方まで延ばし、袋布２１のより下側でタック部２２の襞の一部を閉じることで、袋布２１の皺、歪み、膨らみ、浮きをより抑え、袋布２１をより落ち着かせたものである。
【０１９６】
具体的には、本変形例２においては、タック部２２の末端が、ポケット口２３の末端の高さ、即ち、ポケット口外縁７６の下端と脇線ＬＳ，ＲＳの交点であるポケット止まり７５の高さに対応する位置７５ｔに対し、それよりも２ｃｍ以上、下方に位置するように、向こう布２１Ｂの一部を折畳んで向こう布２１Ｂの上端から下方に向かってタック部２２を形成する。
これにより、袋布２１の下方の遊び、余り、ダブつき、浮き等が少なくなり、アイロン等でプレスすればそれらのクセとりができるから、袋布２１の歪み、皺、膨らみ、浮き等が少なくて見栄えに優れた脇ポケット部２０２に仕上げることができる。
【０１９７】
本発明者らの実験研究によれば、例えば、ズボン１の表側（外側）からみたときの脇ポケット部２０２のポケット口２３の開口幅（縦幅）ｍ（図８（ｂ）参照）が１５〜１７ｃｍで、前中心ＦＣ側から脇線ＬＳ，ＲＳ側に向かって傾斜するポケット口外縁７６の長さｌ（図８（ｂ）参照）が１５．５〜１７．５ｃｍとされる紳士用のズボン１の袋布２１では、タック部２２の縦幅の長さｘを、ポケット口２３の開口幅（縦幅）ｍよりも２〜４ｃｍ長くすることで、袋布２１の下方の遊び、余り、ダブつき、浮きが少なくなり、アイロン等でプレスすればそれらのクセとりができるから、袋布２１の歪み、皺、膨らみ、浮き等が少なくて極めて見栄えの良い脇ポケット部２０２に仕上げることができる。
【０１９８】
より詳しくは、例えば、伸び止め材１６の折畳み長さを２〜５ｃｍとし、その伸び止め材１６の折畳み長さによって平ゴム１５Ｅの最大伸びを２〜５ｃｍに規制する場合、即ち、ウエストベルト部１０の伸びを２〜５ｃｍに設定する場合、脇ポケット部２０２のポケット口２３の開口幅（縦幅）ｍが１５ｃｍのズボン１の袋布２１では、タック部２２の縦幅長さｘはポケット口２３の開口幅（縦幅）ｍよりも２〜４ｃｍ長くして１７ｃｍ〜１９ｃｍあれば、それよりも下方は袋布２１の布地の特性、種類等を問わずアイロン等でプレスすればクセとりできるから、袋布２１の歪み、皺、膨らみ、浮き等が少なく見栄えに優れた脇ポケット部２０２に仕上げることができる。
【０１９９】
また、例えば、脇ポケット部２０２のポケット口２３の開口幅（縦幅）ｍが１７ｃｍのズボン１の袋布２１では、タック部２２の縦幅長さｘはポケット口２３の開口幅（縦幅）ｍよりも２〜３ｃｍ長くして１９ｃｍ〜２０ｃｍあれば、それよりも下方は袋布２１の布地の特性、種類等を問わずアイロン等でプレスすればクセとりできるから、袋布２１の歪み、皺、膨らみ、浮き等が少なく見栄えに優れた脇ポケット部２０２に仕上げることができる。
【０２００】
更に、ズボン１の表側（外側）からみたときの脇ポケット部２０２のポケット口２３の開口幅（縦幅）ｍ（図８（ｂ）参照）が１３〜１５ｃｍで、前中心ＦＣ側から脇線ＬＳ，ＲＳ側に向かって傾斜するポケット口外縁７６の長さｌ（図８（ｂ）参照）が１３．５〜１５．５ｃｍとされる婦人用のズボン１の袋布２１では、タック部２２の縦幅の長さｘを、開口幅（縦幅）ｍよりも２〜５ｃｍ長くすることで袋布２１の下方の遊び、余り、ダブつきが少なくなり、アイロン等でプレスすればそれらのクセとりができるから、袋布２１の歪み、皺、膨らみ、浮き等が少なくて見栄えの良い脇ポケット部２０２に仕上げることができる。
【０２０１】
例えば、伸び止め材１６の折畳み長さを２〜５ｃｍとし、その伸び止め材１６の折畳み長さによって平ゴム１５Ｅの最大伸びを２〜５ｃｍに規制する場合、即ち、ウエストベルト部１０の伸びを２〜５ｃｍに設定する場合、脇ポケット部２０２のポケット口２３の開口幅（縦幅）ｍが１３ｃｍのズボン１の袋布２１では、タック部２２の縦幅長さｘはポケット口２３の開口幅（縦幅）ｍよりも２〜５ｃｍ長くして１５ｃｍ〜１８ｃｍあれば、それよりも下方は袋布２１の布地の特性、種類等を問わずアイロン等でプレスすればクセとりできるから、袋布２１の歪み、皺、膨らみ、浮き等が少なく見栄えに優れた脇ポケット部２０２に仕上げることができる。
【０２０２】
つまり、本変形例２においては、ポケット口２３の開口幅（縦幅）ｍ（ｃｍ）とタック部２２の縦幅の長さｘ（ｃｍ）との関係を、ｘ≧ｍ＋２（１３≦ｍ≦１７）とすることで、袋布２１の歪み、皺、膨らみ、浮き等が少なくて美観に優れた脇ポケット部２０２に仕上げることができ、身頃４Ｆ，４Ｂが薄い生地であっても、ズボン１の表側に袋布２１の歪み、皺、膨らみ、浮き等が響かずに美感に優れたものとなる。好ましくは、１３≦ｍ＜１５であるとき、ｘ≧ｍ＋４であり、１５≦ｈ≦１７であるとき、ｘ≧ｍ＋３である。
なお、ここでは、ポケット口２３の開口幅（縦幅）ｍを異にしても袋布２１の大きさは統一した大きさ（同一の大きさ）とした場合を基準としている。
【０２０３】
勿論、本発明を実施する場合、袋布２１の縦幅の大きさによっては、袋布２１の上端から下までの全長に亘って、正確には、袋布２１の上端から向こう布２１Ｂ及び手前布２１Ｒを縫合した下端の縫合線７３の位置まで、タック部２２の折り目２２１，２２２をアイロン等のプレスでしっかり付すようにしてもよい。
【０２０４】
そして、本変形例２に係る脇ポケット部２０２においては、タック部２２に対し、ポケット口２３の末端、即ち、ポケット口外縁７６の下端と脇線ＬＳ，ＲＳの交点であるポケット止まり７５の高さに対応する位置７５ｔから上に垂直方向で２ｃｍ以上、８ｃｍ以下、好ましくは、２．５ｃｍ以上、７．５ｃｍ以下、より好ましくは、３ｃｍ以上、７ｃｍ以下の範囲内で縫合線７８にてタック部２２の襞を閉じている。
即ち、本変形例２においては、タック部２２の襞を閉じる縫合線７８の始点７８ｓがポケット止まり７５の高さに対応する位置７５ｔから上に垂直方向で２ｃｍ以上、８ｃｍ以下、好ましくは、２．５ｃｍ以上、７．５ｃｍ以下、より好ましくは、３ｃｍ以上、７ｃｍ以下の範囲内にある。
【０２０５】
このとき、本変形例２においては、向こう布２１Ｂの上がり線ＯＬとタック部２２の襞を縫合する縫合線７８の始点７８ｓとの間の垂直方向の長さ（縦幅）をＹａ（ｃｍ）とすると、７≦Ｙａ≦１１が好ましい。即ち、タック部２２の縫合の始点７８ｓは、向こう布２１Ｂの上がり線ＯＬから下に７ｃｍ以上、１１ｃｍ以下の範囲内に位置させるのが好ましい。
【０２０６】
ここで、Ｙａが短すぎる場合、即ち、タック部２２の縫合の始点７８ｓがタック部２２の上端に近すぎる場合、タック部２２の展開量を十分に確保できない。このため、ウエストベルト部１０に引張り力が掛かった際にウエスト部Ｗのスムースな動きを確保できず窮屈感を生じさせたりする。また、袋布２１の上方で引き攣り、引っ張りによる歪み、皺寄り等が生じ、それがズボン１の表側にも響いて、見栄えが低下したりする。一方で、Ｙａが長すぎる場合、即ち、タック部２２の縫合する位置が下方に下がり過ぎる場合、袋布２１の布地の遊びが多くなるから、布地の種類によっては、ズボン１の着用時に脇ポケット部２０の袋布２１（共布向こう布２５を含む）がポケット口２３から吹き出しやすくなる。
【０２０７】
しかし、本変形例２において、向こう布２１Ｂの上がり線ＯＬとタック部２２の縫合の始点７８ｓとの間の垂直方向の長さＹａが、７ｃｍ以上、１１ｃｍ以下の範囲内であれば、タックの開きが十分に確保され、ウエストベルト部１０が伸びたときでも、袋布２１の上方に引き攣りが生じ難く、脇ポケット部２０２が歪んだり脇ポケット部２０の周辺に皺が寄ったりするのが防止され良好な見栄えを確保でき、かつ、袋布２１（共布向こう布２５を含む）がポケット口２３から吹き出す事態を効果的に抑えることができ、ズボン１を表側から見たときの良好な見栄えを保つことができる。より好ましくは、８≦Ｙａ≦１０である。
【０２０８】
ここで、本変形例２の脇ポケット部２０２において、ポケット口２３からの袋布２１（共布向こう布２５を含む）の吹き出しを効果的に抑えるためにタック部２２の襞を縫合する縫合線７８は、タック部２２を形成する第２の折り目２２２に平行で第２の折り目２２２から、好ましくは、６ｍｍ以内、より好ましくは、０．１ｍｍ以上、５ｍｍ以内、更に好ましくは、０．１ｍｍ以上、０．４ｍｍ以内としている。即ち、縫合線７８と第２の折り目２２２の間隔幅をＤ2（ｃｍ）とすると、好ましくは、Ｄ2≦０．６、より好ましくは、０．１≦Ｄ1≦０．５、更に好ましくは、０．１≦Ｄ1≦０．４である。これより、本変形例２においては、タック部２２の襞が縫合線７８にて縫合された範囲では、タックの開閉が殆どなく、タック部２２の襞が略完全に閉じられた状態となる。そして、タック部２２の襞を縫合した部分ではその襞が殆ど展開しないから、身頃４Ｆ，４Ｂ等の生地が薄いものでも、脇ポケット部２０の皺寄りを効果的に抑え、見栄えを維持できる。
【０２０９】
このとき本実施例２におけるタック部２２の襞の縫合線７８での縫合は、図１８（Ｃ）及び図１８（ｄ）で示した脇ポケット部２０２Ａのように、中縫いにより中間布地２１ＢＭと前側布地２１ＢＦとを縫合するようにしてもよいし、図１９で示した脇ポケット部２０２Ｂのように、コバステッチで後側布地２１ＢＢと中間布地２１ＢＭと前側布地２１ＢＦとを縫合するようしてもよい。
図１８（Ｃ）及び図１８（ｄ）で示した脇ポケット部２０２Ａのように、中縫いによる中間布地２１ＢＭと前側布地２１ＢＦの縫合では、縫合線７８の縫い目が中間布地２１ＢＭと前側布地２１ＢＦを貫通しているが後側布地２１ＢＢには表出しないのに対し、図１９で示した脇ポケット部２０２Ｂのように、コバステッチによる後側布地２１ＢＢと中間布地２１ＢＭと前側布地２１ＢＦとの縫合では、縫合線７８の縫い目が後側布地２１ＢＢと中間布地２１ＢＭと前側布地２１ＢＦを貫通し後側布地２１ＢＢの外面に表出する。即ち、図１８（Ｃ）及び図１８（ｄ）で示した脇ポケット部２０２Ａでは、中縫いにより中間布地２１ＢＭと前側布地２１ＢＦを縫合する縫合線７８の縫い目が、ズボン１の腰裏側から見て表れず、後側布地２１ＢＢに表出しないのに対し、図１９で示した脇ポケット部２０２Ｂでは、コバステッチにより後側布地２１ＢＢと中間布地２１ＢＭと前側布地２１ＢＦとを縫合する縫合線７８の縫い目が、ズボン１の腰裏側から見て後側布地２１ＢＢに表れる。
【０２１０】
なお、本変形例２においては、ウエストベルト部１０の伸びによる引張り力が、袋布２１において、ウエストベルト部１０の配設側の上端側から下方に向かって徐々に減少するのに併せて、上述した脇ポケット部２０と同様、タック部２２の折畳み長さは、その上端側から下方に向かって徐々に小さくなるように設定されている。即ち、第１の折り目２２１及び第２の折り目２２２の間隔が上端から下方にかけて縮小するようにしている。これにより、ウエストベルト部１０の伸縮による袋布２１の布地の遊び、ダブつき、浮きを減らし、見栄えの良い脇ポケット部２０に仕上げることができる。しかし、本発明を実施する場合には、上記変形例１のときと同様、第１の折り目２２１と第２の折り目２２２を平行とし、それらの間隔が上端から下方にかけて一定となるようにしてもよい。
【０２１１】
そして、本変形例２において、タック部２２の襞を縫合線７８にて閉じる位置は、少なくともポケット止まり７５の高さに対応する位置７５ｔから上に所定の長さであればよい。即ち、ポケット口２３からの袋布２１（共布向こう布２５を含む）の吹き出しを抑えるためには、ポケット止まり７５の高さに対応する位置７５ｔから上に所定の長さだけタック部２２の襞を閉じればよく、ポケット止まり７５の高さに対応する位置７５ｔより下では、タック部２２の襞を縫合しても良いし、縫合しなくても良い。ポケット止まり７５の高さに対応する位置７５ｔより下を縫合しない場合には、ウエスト部Ｗが伸びたときの脇ポケット部２０の下方のポケット止まり７５の周囲における引き攣り、引張りが抑制され、袋布２１の歪みや皺寄りを防止して、ズボン１を表側から見たときの美感、見栄えの向上が可能となる。一方で、ポケット止まり７５の高さに対応する位置７５ｔより下を縫合した場合には、袋布２１がより落ち着くから、商品として陳列した際の美感、見栄えの向上が可能となる。
【０２１２】
ここで、ポケット止まり７５の高さに対応する位置７５ｔから上でタック部２２の襞を縫合する長さは身頃４Ｆ，４ｂの布地、共布向こう布２５の布地、ウエストベルト部１０の表側及び裏側を形成する収容部１２及び延出部１１の布地の種類、厚み、伸縮性等に応じて、また、ポケット口２３の開口幅（縦幅）ｍに応じて設定される。なお、本変形例２においても、袋布２１の共布向こう布２５の布地や、ウエストベルト部１０の表側及び裏側を形成する収容部１２及び延出部１１の布地は身頃４Ｆ、４Ｂと共地である。
【０２１３】
本発明者らの実験研究によれば、例えば、綾織り（斜文織、ツイルともいう）のチノパン生地（主に綿やポリエステルからなる生地で、ここでは、綿６５％、ポリエステル３２％、ポリウレタン３％の生地を使用）からなる布地を身頃４Ｆ，４Ｂに使用した場合、脇ポケット部２０のポケット口２３の開口幅（縦幅）ｍ（図８（ｂ）参照）を１２ｃｍ以上、１５ｃｍ未満（１２≦ｍ＜１５）としたズボン１の袋布２１に設けたタック２２では、ポケット口２３の末端であるポケット止まり７５の高さに対応する位置７５ｔから上に垂直方向の長さで４ｃｍ以上、５ｃｍ以下の範囲内でタック部２２の襞を縫合線７８にて縫合するのが好ましい。即ち、ポケット止まり７５の高さに対応する位置７５ｔから縫合線７８の始点７８ｓまでの間の垂直方向の縦幅長さをＹｃ（ｃｍ）としたとき、４≦Ｙｃ≦５が好ましい。
また、脇ポケット部２０のポケット口２３の開口幅（縦幅）ｍを１５ｃｍ以上、１８ｃｍ以下（１５≦ｍ≦１８）としたズボン１の袋布２１に設けたタック２２では、ポケット口２３の末端であるポケット止まり７５の高さに対応する位置７５ｔから上に垂直方向の長さで５ｃｍ以上、７ｃｍ以下の範囲内でタック部２２の襞を縫合線７８にて縫合するのが好ましい。即ち、５≦Ｙｃ≦７が好ましい。
【０２１４】
更に、例えば、平織りの生地（ここでは、綿６５％、ポリエステル３２％、ポリウレタン３％の生地を使用）からなる布地を身頃４Ｆ，４Ｂに使用した場合、脇ポケット部２０のポケット口２３の開口幅（縦幅）ｍを１２ｃｍ以上、１５ｃｍ未満（１２≦ｍ＜１５）としたズボン１の袋布２１に設けたタック２２では、ポケット口２３の末端であるポケット止まり７５の高さに対応する位置７５ｔから上に垂直方向の長さで３ｃｍ以上、５ｃｍ以下の範囲内でタック部２２の襞を縫合線７８にて縫合するのが好ましい。即ち、３≦Ｙｃ≦５が好ましい。
また、脇ポケット部２０のポケット口２３の開口幅（縦幅）ｍを１５ｃｍ以上、１８ｃｍ以下（１５≦ｍ≦１８）としたズボン１の袋布２１に設けたタック２２では、ポケット口２３の末端であるポケット止まり７５の高さに対応する位置７５ｔから上に垂直方向の長さで３ｃｍ以上、７ｃｍ以下の範囲内でタック部２２の襞を縫合線７８にて縫合するのが好ましい。即ち、３≦Ｙｃ≦７が好ましい。
【０２１５】
特に、このような平織り組織では、綾織りの組織と比べ、通気性に富む構成で皺が寄り難いものであるため、タック部２２の襞を縫合する長さが短くても、ズボン１の着用時にズボン１の表側（外側）からみて、袋布２１（共布向こう布２５を含む）がポケット口２３から吹き出るのが抑制され、脇ポケット部２０及びその周辺に皺寄りが生じ難く、見栄えに優れた脇ポケット部２０２となる。
【０２１６】
こうして、本変形例２に係る脇ポケット部２０２（２０２Ａ，２０２Ｂ）においても、タック部２２の上方を除いてタック部２２の襞が縫合されていることで、袋布２１の遊びが抑えられるから、ウエストベルト部１０のカーブによって、ウエスト周りのフィット性が向上することで袋布２１の引き攣り量が大きくなっても、袋布２１の布地がポケット口２３から吹き出すのが抑制され、脇ポケット部２０２の袋布２１（共布向こう布２５を含む）に皺寄りが生じ難く、見栄えの良い脇ポケット部２０２となり、ズボン１の見栄え、美観を維持できる。
【０２１７】
特に、本変形例２に係る脇ポケット部２０２では、袋布２１の向こう布２１Ｂにおいて２本の折り目２２１，２２２に沿って折畳んで形成したタック部２２に対し、ポケット止まり７５の高さに対応する位置７５ｔから上に３ｃｍ以上、８ｃｍ以下、好ましくは、３ｃｍ以上、７ｃｍ以下でタック部２２の襞を縫合線７８で縫合し、即ち、ポケット止まり７５の高さに対応する位置７５ｔから縫合線７８の始点７８ｓまでの間の縦幅長さＹｃ（ｃｍ）を、２≦Ｙｃ≦８、好ましくは、２．５≦Ｙｃ≦７．５、更に好ましくは、３≦Ｙｃ≦７とし、袋布２１の縦幅の中間部から下側が縫合されている。
【０２１８】
よって、例えば、紳士用のボトムスでは袋布２１をより落ち着かせるためにアイロン等のプレス処理によってタック部２２を形成するための２本の折り目２２１、２２２にしっかりクセを付したり、また、袋布２１のクセとりをしたりするが、こうしたボトムスの袋布２１をより落ち着かせるためにタック部２２の形成を袋布２１の下方までの長さとする設計に好適である。
特に、本変形例２に係る脇ポケット部２０２では、タック部２２の長さを向こう布２１Ｂの上端から、ポケット止まり７５の高さに対応する位置７５ｔよりも２ｃｍ以上、下までの長さとすることで、それよりも下方は袋布２１の布地の特性、種類等を問わずアイロン等でプレスすればクセとりできるから、袋布２１の歪み、皺、膨らみ、浮き等が少なく商品として陳列した際の美感、見栄えに優れた脇ポケット部２０２に仕上げることができる。
【０２１９】
そして、本変形例２に係る脇ポケット部２０２では、タック部２２の襞（折り返し部分）を縫合する始点７８ｓを、脇ポケット部２０２のポケット口外縁７６の末端７５の高さに対応する位置７５ｔから垂直方向に上に２ｃｍ以上、８ｃｍ以下の範囲内とする。向こう布２１Ｂの上がり線ＯＬ側からすると、タック部２２の縫合の始点７８ｓは、向こう布２１Ｂの上がり線ＯＬから下に、好ましくは、７ｃｍ以上、１１ｃｍ以下の範囲内の位置である。また、タック部２２の襞を縫合する終点７８ｔは、脇ポケット部２２のポケット口外縁７６の末端７５の高さに対応する位置７５ｔまたはそれよりも下とする。
【０２２０】
これにより、布地の種類、厚み、伸び特性や、袋布２１やポケット口の大きさ等を問わず、タック部２２の上方の襞の展開量を確保しつつ、タック部２２の下方で襞の展開を制限できる。よって、ウエストベルト部１０が伸びたときでも袋布２１の上方の引き攣りによる見栄えを損なうことなく、ズボン１の表側（外側）からみて、袋布２１（共布向こう布２５を含む）がズボン１の外側のポケット口２３から吹き出すのを抑え、良好な見栄えを確保する。更に、本発明者らの実験研究によれば、タック部２２の襞（折り返し部分）を縫合する始点７８ｓを、脇ポケット部２０２のポケット口外縁７６の末端７５の高さに対応する位置７５ｔから垂直方向に上に２．５ｃｍ以上、７．５ｃｍ以下の範囲内が好ましく、より好ましくは、３ｃｍ以上、７ｃｍ以下の範囲内であれば、身頃４Ｆ，４Ｂ等が薄生地であっても、ウエスト部Ｗが伸びたときの袋布２１のポケット口２３からの吹き出し、袋布２１の変形を抑え、脇ポケット２０部及びその周囲の皺寄りの発生を防止でき、かつ、脇ポケット部２０の上方で引き攣りが生じ難いものとなる。
【０２２１】
特に、本変形例２に係る脇ポケット部２０２においては、タック部２２を袋布２１の下方まで形成し、袋布２１の縦幅の中間部から下側を縫合するものであるから、ウエストベルト部１０を伸ばしたときでも袋布２１の上方で引き攣りによる袋布２１の歪み等が生じ難く、見栄えが維持されると共に、ウエストベルト部１０が伸びていないときでも、袋布２１の皺、歪み、膨らみ、浮き等が少なく見栄えに優れた脇ポケット部２０２に仕上げることができる。故に、身頃４Ｂ、４Ｆ等の布地が薄いものでも、袋布２１の歪み等がズボン１の表側に響かないので、見栄えが良好であり、商品として陳列した際の美感や見栄えにも優れる。更に、着用時において、ウエスト部Ｗが伸びたときでも、スムースな伸びを確保しまた、見栄えも維持できる。
【０２２２】
こうして、本変形例２に係る脇ポケット部２０２においても、ウエストベルト部１０のカーブによって着用者のウエスト周りにフィットし、ウエストベルト部１０に接続する身頃４Ｆ，４Ｂの上部の引き攣り量、引張り量が多くなっても、ズボン１の表側（外側）からみて、袋布２１の布地がポケット口２３から吹き出すのが抑制され、脇ポケット部２０の共布向こう布２５や脇ポケット部周囲の身頃４Ｂ，４Ｆに皺寄りが生じることはなく、ズボン１の見栄え、美観を良好に維持できる。
【０２２３】
このように本実施の形態１のズボン１においては、ウエストベルト部１０のカーブによって着用者のウエスト周りへのフィット性が向上しても、袋布２１の向こう布２１Ｂに設けた所定長さのタック部２２の襞をその上方を除いて縫合線７８に縫合していることにより、袋布２１が引き攣られて袋布２１の歪み、変形等によって、袋布２１がポケット口２３から吹き出して露出したり、脇ポケット部２０の袋布２１や脇ポケット部２０周囲の身頃４Ｂ，４Ｆに皺寄りが生じたりするのが抑えられ、ズボン１を表側から見たときの良好な見栄えを保つことができる。
【０２２４】
更に、本実施の形態１のズボン１においては、収容部１２及び延出部１１の間を接続する平ゴム１５Ｅとは別に補助弾性材として幅の細い所定長さの平ゴム２８を脇ポケット部２０の袋布２１に縫着している。詳細には、平ゴム２８の一端部を、袋布２１の向こう布２１Ｂの後側布地２１ＢＢの上端部であってタック部２２を形成する第２の折り目２２２の近傍に縫付け、また、反対側の他端部を、向こう布２１Ｂの前側布地２１ＢＦの上端部であって、閉端部付近に延出部表ベルト１１Ｆの内折りした下部及び前身頃４Ｆの上端部に縫付けられている。なお、この平ゴム２８を縫付けるときの縫付線はズボン１の表側（外側）からは見えないようになっている。
【０２２５】
このときの平ゴム２８としては、例えば、織ゴム、編ゴム、コールゴム、ゴムテープ等が使用されるが、本発明を実施する場合、十分な弾性を有するものであれば、ゴム製板、ストレッチテープ（ゴム入り布）、パワーネット生地、サテンネット生地、ストレッチサテン生地、ストレッチレース生地等の様々な弾性を有する素材を用いることも可能である。
【０２２６】
このように、本実施の形態１のズボン１においては、平ゴム２８の一端部を、袋布２１の向こう布２１Ｂの後側布地２１ＢＢの上端部に対して縫付け、反対側の他端部を、向こう布２１Ｂの前側布地２１ＢＦの上端部に対して、前身頃４Ｆの上端部及び延出部表ベルト１１Ｆの下側の折り返し部分と共に縫付け、この平ゴム２８によって脇ポケット部２０の袋布２１のタック部２２近傍と延出部表ベルト１１Ｆ側とを弾性的に接続することで、延出部１１の先端部側が収容部１２から繰り返し出たり入ったりする場合でも、平ゴム２８の弾性力によりタック部２２の形状を維持し、袋布２１の形状が崩れたり、ウエストベルト部１０と身頃４Ｆ，４Ｂの境界付近で袋布２１や身頃４Ｆ，４Ｂに皺が寄り見栄えが悪くなるのを防いでいる。
【０２２７】
特に、平ゴム２８の長さ方向の両端部のうち延出部表ベルト１１Ｆの折り返した下部及び前身頃４Ｆの上端部へ縫付け位置を、反対側のタック部２２近傍の縫付け位置よりも若干高くし、平ゴム２８の両端の縫付け高さに高低を付していると、タック部２２から前中心ＦＣ寄りの前側布地２１ＢＦに皺が入り難いものとのなる。
なお、このような補助弾性材としての平ゴム２８の縫付けは、例えば、長さ方向の一端を、後側布地２１ＢＢの上端部に縫付ける一方で、反対側の他端部を前側布地２１ＢＦの上方であって延出部表ベルト１１Ｆの上側の折り返し部分に縫付けることも可能である。このような縫付位置でも、袋布２１の形状を維持し、皺寄りの発生を防止してズボン１の見栄えを良好に維持できる。
【０２２８】
こうして、本実施の形態１のズボン１は、図１（ａ）及び図１（ｂ）に示したように、両脇の脇線ＬＳ，ＲＳに沿って前身頃４Ｆ及び後身頃４Ｂを重ねた状態で見たときに、ウエスト方向に延びる帯状のウエストベルト部１０が前中心ＦＣ及び後中心ＢＣ側から両脇ＬＳ、ＲＳ側に向かって上昇する曲線形状に形成されたものである。
そして、本実施の形態１において、この曲線形状のウエストベルト部１０は、そのウエスト長を収容部１２と延出部１１に分割し、先端部１１ｔを除いて前身頃４Ｆに縫合された延出部１１と後身頃４Ｂに縫合された収容部１２とを脇線ＬＳ，ＲＳ近傍の上部で重ね合わせ、即ち、脇線ＬＳ，ＲＳ近傍の上部で延出部１１の先端部１１ｔ側を前身頃４Ｆに縫着することなく収容部１２の端部に挿入し、更に、収容部１２に対し延出部１１が収容されている状態で収容部１２の内部において収容部１２及び延出部１１の間を平ゴム１５Ｅの接続部１５によって弾性的に接続してなるものである。
【０２２９】
このように本実施の形態１のズボン１において、曲線状に形成されたウエストベルト部１０は、先端部１１ｔを除いて前身頃４Ｆに縫合された延出部１１と後身頃４Ｂに縫合された収容部１２とを、脇線ＬＳ，ＲＳ近傍の上部で収容部１２に対し延出部１１の端部を挿入することで重ね合わせ、そして、収容部１２に対し延出部１１が収容されている状態で収容部１２の内部において収容部１２及び延出部１１の間を平ゴム１５Ｅによって弾性的に接続した構成であることで、ウエストベルト部１０に引張り力が掛かった際には、平ゴム１５Ｅの弾性力により、収容部１２から延出部１１を延出自在とする。
【０２３０】
このとき、延出部１１に接続している前身頃４Ｆ側には、脇ポケット部２０を構成する袋布２１が設けられ、その袋布２１の向こう布２１Ｂに所定幅で折重ねた襞状のタック部２２を設けていることで、収容部１２から延出部１１が抜き出る移動に伴い、タック部２２の所定の襞が展開される。即ち、ウエストベルト部１０に引張り力が掛かったときに、収容部１２から延出部１１が抜き出るが、この延出部１１の移動に伴って、タック部２２の襞が開かれる（広げられる）ことになるから、脇ポケット部２０を構成する袋布２１にかかる引張り力がタック部２２の開きによって逃される。よって、ウエストベルト部１０に引張り力が掛かったとき、延出部１１は収容部１２からスムースに延出する。
【０２３１】
こうして、本実施の形態１のズボン１においては、ウエストベルト部１０に引張り力が掛かった際には、平ゴム１５Ｅの伸長によって収容部１２から延出部１１が引き出されて延出し、また、脇ポケット部２０のタック部２２が所定量展開され、ウエストベルト部１０及びその付近のウエスト部Ｗが伸長する。そして、ウエスト周りを伸ばそうとする力が解除されると、平ゴム１５Ｅが弾性力によって元の本来の長さに戻るから、再び延出部１１が収容部１２内に収容される方向に移動して元の状態に戻り、また、脇ポケット部２０のタック部２２も折畳まれて元の状態に戻る。
このようにして、本実施の形態のズボン１は、カーブしたウエストベルト部１０及びその付近のウエスト部Ｗが伸縮自在である。
【０２３２】
よって、本実施の形態のズボン１によれば、ウエストベルト部１０のカーブによって、着用時に身体のウエストラインに沿ってフィットさせることができるうえ、カーブしているウエストベルト部１０及びその周囲のウエスト部Ｗは平ゴム１５Ｅの弾性力により伸縮自在であることで、身体の動きに追随できるから、ウエストベルト部１０のカーブに伴うウエスト周りの圧迫感、窮屈感を解消しながら、ウエスト周りへのフィット性を高めることができる。
【０２３３】
即ち、ウエストベルト部１０がカーブしているから、着用者が着座、しゃがんだ際でも浮きが生じることなく、背中側のウエスト周りでウエストベルト部１０がフィットして、下着が見え難いものとなるが、カーブしているウエストベルト部１０及びその周囲のウエスト部Ｗが伸縮自在であるから、着用者が着座やしゃがむ際、また、立ちあがる際でも、その動きに追従して伸長または収縮するため、ウエスト周りに圧迫感、窮屈感を与えることがない。勿論、ウエストベルト部１０がカーブしているうえ、伸縮自在な構成であるから、身体のウエスト周りの体型に常にフィットしている感覚や適度な締め付け感を与えることができる。また、ウエストベルト部１０がカーブしていても、ウエストベルト部１０及びその周囲を含むウエスト部Ｗが伸縮自在であるから、着脱も容易にできる。
【０２３４】
特に、本実施の形態１のウエストベルト部１０の伸縮自在構造は、ウエスト長を収容部１２及び延出部１１に分割し、後身頃４Ｂ側に接続した収容部１２に対し前身頃４Ｆ側に接続した延出部１１を両脇の脇線ＬＳ，ＲＳの上部付近で挿入し、収容部１２の内部で収容部１２と延出部１１の先端を平ゴム１５Ｅで接続する構成であり、弾性材がズボン１の外観に露出しないから、見た目に伸縮するのが分かり難く、外観性に優れる。
【０２３５】
更に、本実施の形態のズボン１によれば、ウエストベルト部１０がカーブ形状であり、図１（ａ）及び図１（ｂ）に示したように、両脇の脇線ＬＳ，ＲＳに沿って前身頃４Ｆ及び後身頃４Ｂを重ねた状態で見たときに、身頃４Ｆ，４Ｂの上端とウエストベルト部１０の上端及び下端が前中心ＦＣ及び後中心ＢＣに向かって上昇する曲線ラインであるから、着用時に着用者のウエストラインに沿う。よって、着用したときに、ストレートのウエストベルトと比べ、脇線ＬＳ，ＲＳ側で身頃の上端４Ｆ，４Ｂとウエストベルト部１０の下端で段差、角張りが少なくなり、ウエストベルト部１０と身頃４の繋がりがスムーズですっきりとしたシルエットが得られ、ウエスト周りの見栄えがすっきりとした滑らかなシルエットを形成することができる。
よって、本実施の形態１のズボン１によれば、着用時の美感に優れるものである。
【０２３６】
そして、本実施の形態１のズボン１によれば、収容部１２の内部で収容部１２及び延出部１１に縫着した平ゴム１５Ｅは、その長さ方向の一端部側を延出部１１に縫付けたときの縫付線５１が、平ゴム１５Ｅの幅方向に並行する直線である一方、反対側の他端部側を収容部１２に縫付けたときの縫付線５２が、平ゴム１５Ｅの幅方向の下端から上端に向かい延出部１１側に傾く斜めであり、その上端から下端に向かって伸縮自在な長さを長くしている。
これより、平ゴム１５Ｅの下方がその上方よりも長く伸びる分、平ゴム１５Ｅの下方で上方よりもゴムの伸びによる張力を大きくできるから、即ち、ゴムが伸びたときに平ゴム１５Ｅの上方にかかる張力を下方よりも小さくできるから、上方と下方の張力差を小さくしバランスさせることができる。つまり、ウエストベルト部１０に引張り力が掛かった際でも、平ゴム１５Ｅの上方と下方の張力差によるゴムの降下量、変形量は小さく抑えることができる。
よって、平ゴム１５Ｅは延出部側に下降し難い直線運動に近い伸びとなり、ゴムの延出部１１側が下方に下がり難くなる。故に、ウエストベルト部１０に引張り力が掛かり収容部１２から延出部１１が引き出される際でも、カーブしている延出部１１が下方へ下がり難いので、収容部１２と延出部１１の間に段差が生じ難く、見栄えのよいウエスト周りとなる。
【０２３７】
即ち、本実施の形態１のズボン１によれば、平ゴム１５Ｅの一端側を、先端１１ｅに向かって上昇するカーブ形状の延出部１１の先端部１１ｔ側に縫付け、平ゴム１５Ｅの反対側の他端側を、端部１２ｅ側から後中心ＢＣ側に向かって上昇するカーブ形状の収容部１２の内部に縫付けたときに、接続部１５の下方から上方に向かってテンションが掛かりやすい縫着となっても、平ゴム１５Ｅの伸縮自在な長さをその上端から下端に向かって長くした縫着によって、ウエストベルト部１０に引張り力が掛かった際に、平ゴム１５Ｅがのびたときにゴムに掛かる張力を下方よりも上方で小さくできることで、平ゴム１５Ｅが直線運動に近い伸びとなる。よって、カーブしている延出部１１が下方へ下がり難く、収容部１２と延出部１１の間の段差が目立だたず見栄えのよいウエスト周りとなる。更に、平ゴム１５Ｅの縫付位置の誤差による延出部１１と収容部１２の段差のバラつきも生じ難い。よって、平ゴム１５Ｅの縫付位置に高い精度が要求されず、熟練者による縫製でなくとも一定の品質及び信頼性を確保できる。
【０２３８】
ここで、上記実施の形態１においては、平ゴム１５Ｅを延出部１１に縫付けるときの縫付線５１を、平ゴム１５Ｅの幅方向に並行する直線とする一方で、収容部１２に縫付ける縫付線５２を、平ゴム１５Ｅの幅方向の下端から上端に向かい延出部１１側に傾く斜めとしていることで、平ゴム１５Ｅの上端から下端に向かって伸縮自在な長さを長くしている。
しかし、本発明を実施する場合には、平ゴム１５Ｅを延出部１１に縫付けるときの縫付線５１を斜めとし、収容部１２に縫付ける縫付線５２を平ゴム１５Ｅの幅方向に並行する直線として、平ゴム１５Ｅの上端から下端に向かって伸縮自在な長さを長くしてもよい。また、縫付線５１及び縫付線５２の両者を斜めとして平ゴム１５Ｅの上端から下端に向かって伸縮自在な長さを長くしてもよい。
【０２３９】
更に、本実施の形態１のズボン１によれば、両脇線ＬＳ，ＲＳに沿って設けた脇ポケット部２０，２０１，２０２を構成する袋布２１の向こう布２１Ｂに所定幅で折畳んでなる襞状の所定長さのタック部２２を形成し、タック部２２の襞（折り返し部分）をその上方を除いて縫合線７８にて縫合している。
したがって、ウエストベルト部１０のカーブによって、着用者のウエスト周りの体型にフィットすることでウエスト周りの引き攣りが大きくなっても、襞状のタック部２２に対して所定の範囲の一部でタック部２２の襞が縫合されて閉じられていることで、ウエストベルト部１０に引張り力が掛かりウエスト周りが伸びて脇ポケット部２０，２０１，２０２の共布向こう布２５が表出する面積が拡大したときでも、袋布２１の遊び部分がポケット口２３から吹き出したり、脇ポケット部２０，２０１，２０２及びその周囲で皺寄りが生じたりするのが抑制され、脇ポケット部２０，２０１，２０２の見栄えが維持される。
【０２４０】
以上、説明してきたように、本実施の形態１に係るボトムスとしてのズボン１は、ウエスト方向に延びる帯状をなすウエストベルト部１０がカーブしたズボン１であって、ウエストベルト部１０のカーブに対応する曲線形状を有してウエストベルト部１０の表側及び裏側を形成し、前身頃４Ｆに縫着しない端部１１ｔが延出自在な延出部１１と、ウエストベルト部１０のカーブに対応する曲線形状を有して延出部１１と共にウエストベルト部１０の表側及び裏側を形成し、延出部１１の前身頃４Ｆに縫着しない端部１１ｔを収容した収容部１２と、収容部１２の内部で弾性材としての平ゴム１５Ｅによって収容部１２と延出部１１の間を弾性的に接続した接続部１５とを具備し、接続部１５の平ゴム１５Ｅは、その上端から下端に向かって伸縮自在な長さを長くして収容部１２と延出部１１の間を接続しているものである。
【０２４１】
この本実施の形態１に係るズボン１によれば、ウエストベルト部１０がカーブしているから、ウエストベルト部１０のカーブによって、着用者のウエスト周りに対するフィット性を向上できる。しかも、カーブしたウエストベルト部１０に対しウエスト方向に引張り力が掛かった際には、延出部１１と収容部１２の間を弾性的に接続した接続部１５の平ゴム１５Ｅの伸びによって、収容部１２から延出部１１が延出することにより、ウエストベルト部１０が伸長する。また、引張り力が解放されると、平ゴム１５Ｅの弾性力によって、伸長したウエストベルト部１０は元に戻る。即ち、カーブしたウエストベルト部１０は、延出部１１と収容部１２の間を弾性的に接続した平ゴム１５Ｅの弾性力によって伸縮自在である。
【０２４２】
したがって、本実施の形態１に係るズボン１によれば、ウエストベルト部１０のカーブによって、着用者のウエスト周りのフィット性を向上させることができるうえ、延出部１１と収容部１２の間を弾性的に接続した平ゴム１５Ｅの弾性力によりカーブしたウエストベルト部１０が伸縮自在であることで、身体のウエスト周りの動きに追随できるから、ウエストベルト部１０のカーブ形状に伴うウエスト周りの圧迫感、窮屈感を解消できる。よって、ウエスト周りへの締め付け力、窮屈感を強調させることなく、ウエストベル部１０のカーブ形状及び伸縮自在な構造によってウエスト周りへのフィット性を高めることができる。
【０２４３】
特に、本実施の形態１に係るズボン１によれば、収容部１２と延出部１１の間を接続する接続部１５の弾性材としての平ゴム１５Ｅは、その上端から下端に向かって伸縮自在な長さを長くしているから、延出部１１と収容部１２の間を接続したときに平ゴム１５Ｅの上下でテンションの相違があったとしても、平ゴム１５Ｅが伸びたときは平ゴム１５Ｅの上方と下方で張力差がバランスされ、直線運動に近づく。よって、平ゴム１５Ｅが伸びたときの張力の相違による平ゴム１５Ｅの下がりを小さく抑えることができる。
【０２４４】
即ち、カーブしているウエストベルト部１０の表側及び裏側を構成する収容部１２及び延出部１１は所定の曲線形状を有するから、それらの間で接続部１５の平ゴム１５Ｅによって収容部１２及び延出部１１を接続するとき、平ゴム１５Ｅの下方よりも上方にテンションが掛かりやすい縫着となる。
ここで、ウエスト方向に引張り力が掛かった際に平ゴム１５Ｅにおいて上方よりも下方にかかる張力が弱くなると、平ゴム１５Ｅが伸びたときに平ゴム１５Ｅの延出部１１側が下に下がりやすくなる。即ち、収容部１２から延出部１１が引き出される際に延出部１１が下方に下がりやすくなる。
しかし、平ゴム１５Ｅの上端から下端に向かって伸縮自在な長さを長くしていることで、平ゴム１５Ｅの下方が上方より長く伸びるから、平ゴム１５Ｅの伸びによる張力を上方よりも下方で大きくできる。よって、平ゴム１５Ｅが伸びたときには接続部１５の上方と下方で張力差がバランスされ、直線運動に近づく。
これより、ウエストベルト部１０に引っ張り力が掛かって収容部１２から延出部１１が引き出される際に延出部１１が下方に下がるのを抑制することができ、収容部１２と延出部１１の間で段差が生じて見栄えが低下するのを防止できる。
【０２４５】
こうして、本実施の形態１に係るズボン１によれば、ウエストベルト部１０をカーブさせていても、ウエストベルト部１０に掛かる引張り力により収容部１２から延出部１１が引き出される際に収容部１２と延出部１１の間の段差が目立たず、良好な見栄えを維持できる。
【０２４６】
このとき、ウエストベルト部１０の内部において収容部１２及び延出部１１に縫着した平ゴム１５Ｅが、収容部１２への縫付側から延出部１１への縫付側に向かって斜めに上昇する配設であると、平ゴム１５Ｅが伸びたときでも延出部１１に縫付けた端部を収容部１２の上端部側に近づけることができるから、ウエストベルト部１０に引張り力が掛かって収容部１２から延出部１１が引き出される際でも、延出部１１と収容部１２の段差が全く気にならなくなり、見栄えにより優れたものとなる。
【０２４７】
また、本実施の形態１に係るズボン１は、前身頃４Ｆ側であって両脇の脇線ＬＳ，ＲＳに沿って取付けた脇ポケット部２０，２０１，２０２を具備し、脇ポケット部２０，２０１，２０２には、それを構成する袋布２１の向こう布２１Ｂにその上端から下方に向かって延びた襞状のタック部２２が形成され、タック部２２の襞（折り返し部分）がその上方を除いて縫合線７８にて縫合されているものである。
【０２４８】
即ち、本実施の形態１に係るボトムスとしてのズボン１は、ウエスト方向に延びる帯状をなすウエストベルト部１０がカーブしたズボン１であって、ウエストベルト部１０のカーブに対応する曲線形状を有してウエストベルト部１０の表側及び裏側を形成し、前身頃４Ｆに縫着しない端部１１ｔが延出自在な延出部１１と、ウエストベルト部１０のカーブに対応する曲線形状を有して延出部１１と共にウエストベルト部１０の表側及び裏側を形成し、延出部１１の前身頃４Ｆに縫着しない端部１１ｔを収容した収容部１２と、収容部１２の内部で並列させた平ゴム１５Ｅによって収容部１２と延出部１１の間を弾性的に接続した接続部１５と、前身頃４Ｆ側であって両脇の脇線ＬＳ，ＲＳに沿って取付けた脇ポケット部２０，２０１，２０２とを具備し、接続部１５の平ゴム１５Ｅは、その上端から下端に向かって伸縮自在な長さを長くして収容部１２と延出部１１の間を接続していものであり、また、脇ポケット部２０，２０１，２０２には、それを構成する袋布２１の向こう布２１Ｂにその上端から下方に向かって延びた襞状のタック部２２が形成され、タック部２２の襞がその上方を除いて縫合されているものである。
【０２４９】
したがって、本実施の形態１に係るズボン１によれば、タック部２２の開きが制限され袋布２１の生地の遊び、余裕が少なくなるから、ウエストベルト部１０のカーブによる着用者のウエスト周りへのフィット性の向上によって、脇ポケット部２０の袋布２１に掛かる引き攣り量が増大しても、ズボン１の外側のポケット口２３から袋布２１が吹き出す事態が防止され、見栄えや外観性を維持できる。
【０２５０】
特に、上記実施の形態１及び変形例１に係る脇ポケット部２０，２０１によれば、タック部２２の襞は、袋布２１の縦幅の中間部から上側の所定範囲が縫合されているから、タックが短い設計のズボン１であっても、ポケット口２３から袋布２１が吹き出すのを効果的に抑制できる。即ち、例えば、婦人用のボトムスのように袋布２１を落ち着かるためのアイロン等のプレスを行わないときにはその袋布２１のタックの長さは比較的短いものとなるが、そのようなタックが比較的短いものでも、タック部２２の上方を除いて、袋布２１の縦幅の中間部から上側の所定範囲でタック部２２の襞を縫合線７８にて縫合することによって、ズボン１の外側のポケット口２３から袋布２１が吹き出すのを効果的に抑制できる。
【０２５１】
また、上記実施の形態１及び変形例１に係る脇ポケット部２０，２０１によれば、タック部２２の襞を縫合する縫合線７８の始点（始端）７８ｓは、袋布２１の上がり線ＯＬから垂直方向に下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあり、縫合線７８の終点（終端）７８ｔは、始点７８ｓから垂直方向に、３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にある。即ち、タック部２２の襞を縫合する縫合線７８の始端７８ｓは、袋布２１の上がり線ＯＬから垂直方向に下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあり、そこから垂直方向の長さで、３ｃｍ以上、６ｃｍ以下、好ましくは、３．５ｃｍ以上、５．５ｃｍ以下、より好ましくは、４ｃｍ以上、５ｃｍ以下でタック部２２の襞を中縫いによって縫合することで、タック部２２の上方の襞の展開量を確保しつつ、タック部２２の一部の襞の展開を制限することができる。よって、ウエストベルト部１０に引張り力が掛かった際でも袋布２１の上方で引き攣りが生じることによる見栄えを損なうことがなく、ズボン１の外側でポケット口２３から袋布２１が吹き出すのを効果的に防止できる。
【０２５２】
更に、上記実施の形態１及び変形例１に係る脇ポケット部２０，２０１によれば、タック部２２の折畳み状態で袋布２１の向こう布２１Ｂの外面側に表れない第１の折り目２２１から１ｃｍ以内、好ましくは、０．１ｃｍ以上、０．８ｃｍ以内、より好ましくは、０．１ｃｍ以上、０．６ｃｍ以内でタック部２２の襞が縫合線７８にて縫合されているから、タック部２２の襞を縫合した部分でも所定の展開量を確保できることで、ウエストベルト部１０に引張り力が掛かった際でも、袋布２１の引き攣り、特に、ポケット止まり７５の周囲に生じやすい引き攣りを抑制して、見栄えを向上させることができる。
【０２５３】
また、変形例２に係る脇ポケット部２０２によれば、袋布２１の縦幅の中間部から下側でタック部２２の襞が縫合されているから、タックが比較的長い設計のズボン１に好適であり、タックが比較的長いズボン１のポケット口２３から袋布２１が吹き出すのを効果的に抑制できる。即ち、例えば、紳士用のボトムスのように、アイロン等のプレスによってタック部２２の折り目をしっかり付したり、袋布２１の皺とり、クセとりを行ったりして袋布２１を落ち着かるものでは、その袋布２１のタックの長さは比較的長いものとなるが、そのようなタックが比較的長いものでも、タック部２２の上方を除いて、袋布２１の縦幅の中間部から下側の所定範囲でタック部２２の襞を縫合線７８にて縫合することによって、ズボン１の外側のポケット口２３から袋布２１が吹き出すのを効果的に抑制できる。
【０２５４】
特に、変形例２に係る脇ポケット部２０２によれば、タック部２２の襞を縫合する縫合線７８の始点７８ｓは、脇ポケット部２０２のポケット口外縁７６の末端７５の高さに対応する位置７５ｔから垂直方向に上に２ｃｍ以上、８ｃｍ以下、好ましくは、２．５ｃｍ以上、７．５ｃｍ以下、より好ましくは、３ｃｍ以上、７ｃｍ以下の範囲内にあり、タック部２２の襞を縫合する終点７８ｔは、脇ポケット部２０のポケット口外縁７６の末端７５の高さに対応する位置７５ｔまたはそれよりも下にある。
これより、タック部２２の上方の襞の展開量を確保しつつ、タック部２２の一部で襞の展開を制限できる。よって、ウエストベルト部１０が伸びるときでも袋布２１の上方の引き攣りを抑えて見栄えを損なうことなく、袋布２１がズボン１の外側のポケット口２３から吹き出すのを効果的に防止できる。
【０２５５】
更に、変形例２に係る脇ポケット部２０２によれば、タック部２２の襞は、タック部２２の折畳み状態で袋布２１の向こう布２１Ｂの外面側に表れる第２の折り目２２２から０．６ｃｍ以内、好ましくは、０．１ｃｍ以上、０．５ｃｍ以内、より好ましくは、０．１ｃｍ以上、０．４ｃｍ以内で縫合線７８にて縫合されている。よって、タック部２２の襞を縫合した部分ではその襞が殆ど展開しないから、身頃４Ｆ，４Ｂ等の生地が薄いものでも、脇ポケット部２０２の皺寄りを効果的に抑え、見栄えを維持できる。
【０２５６】
なお、本実施の形態１では、ウエストベルト部１０の表側及び裏側を身頃４Ｂ，４Ｆと共地（綿生地、ウール生地等）とし、即ち、収容部１２を構成する収容部表ベルト１２Ｆ及び収容部裏ベルト１２Ｂ並びに延出部１１を構成する延出部表ベルト１１Ｆ及び延出部裏ベルト１１Ｂを身頃４Ｂ，４Ｆと共地とし、ウエストベルト部１０の上端部で表側と裏側の生地を接ぐ構成としている。しかし、本発明を実施する場合には、ウエストベルト部１０の表側と裏側を別生地で構成することも可能である。例えば、ウエストベルト部１０の表側の生地は、身頃４Ｂ，４Ｆと共地とし、ウエストベルト部１０部の裏側は、タックインしたシャツがズボン１から食み出るのを防止する滑り止め機能を持たせたポリエステル系、ナイロン系、レーヨン系、綿、スレーキ、リボンテープ、ラバー等からなる、所謂、マーベルト仕様とすることもできる。勿論、ウエストベルト部１０の表側も身頃４Ｆ，４Ｂとは別生地で作製することも可能であるし、収容部１２側と延出部１１側で異なる生地を使用することも可能である。
【０２５７】
そして、本発明を実施する場合には、ウエストベルト部１０の裏側では、表側と同様に身頃４Ｂ，４Ｆと共生地とする場合であっても、また、表側の生地と別生地、例えば、マーベルトとする場合であっても、直線形状に形成されたものをウエストベルト部１０の表側に縫着する際にいせ込んで（細かくダブらせて）縫付けることによって、ウエストベルト部１０の表側を形成する収容部表ベルト１２Ｆ及び延出部表ベルト１１Ｆの曲線形状に対応させてもよい。
【０２５８】
ここで、上記実施の形態１の変形例３に係るズボン１００について、図２１乃至図２６を参照して、説明する。
本変形例３においては、カーブしたウエストベルト部１０の表側のみを収容部１２から延出部１１が延出自在な構成とし、カーブしたウエストベルト部１０の裏側はウエスト方向に一体に連続して形成した腰裏ベルト部３０で構成した点で上記ズボン１と相違する。その他の構成については、上記ズボン１と同様であるためここでは重複する詳細な説明を省略し、相違する点のみを説明する。
【０２５９】
即ち、上記ズボン１においては、カーブしたウエストベルト部１０の表側及び裏側のウエスト長を収容部１２と延出部１１に分割し、ウエストベルト部１０の表側及び裏側が収容部１２及びそれに挿入された延出部１１によって形成されており、延出部１１の前身頃４Ｆに縫着されない端部をウエストベルト部１０の表面及び裏面の意匠面側から隠れるように収容部１２内に入れることで、ウエストベルト部１０の表側及び裏側で収容部１２に対し延出部１１が挿入された構成である。つまり、ウエストベルト部１０の表側及び裏側から見て、収容部１２に対し延出部１１の端部１１ｔが重ねられ収められており、収容部１２と延出部１１はウエスト周囲で一体に連続しておらず分離している構成である。そして、これら収容部１２及び延出部１１は、収容部１２の内部で平ゴム１５Ｅによって接続されている。
【０２６０】
このような上記ズボン１においては、ウエストベルト部１０の表側及び裏側に弾性材が露呈しないことで、見た目にも伸縮することが分かりづらいものとなっている。一方で、ウエストベルト部１０の表側で収容部１２に対し延出部１１が収められるその収容部１２の開口端１２ｅはベルト通し５を使用すればそれによって収容部１２から延出部１１が延出する部分を隠すことができるが、ウエストベルト部１０の裏側では収容部１２の開口端１２ｅが露呈することになるから、興味本位でその開口から内部構造を引き出して平ゴム１５Ｅによる伸縮機構を壊してしまう恐れがある。
【０２６１】
これに対し、本変形例３に係るズボン１００では、カーブしたウエストベルト部１０の表側のみが、そのウエスト長を収容部１２と延出部１１に分割されて収容部１２及びそれに挿入された延出部１１によって形成されており、延出部１１の前身頃４Ｆに縫着されない先端部１１ｔをウエストベルト部１０の表面の意匠面側から隠れるように収容部１２に重ね入れることで、ウエストベルト部１０の表側のみで収容部１２に対し延出部１１が挿入された構成である。
【０２６２】
つまり、ウエストベルト部１０の表側のみ収容部１２に対し延出部１１の端部が重ねられ収められており、収容部１２と延出部１１はウエスト周囲で一体に連続しておらず分離している構成である。そして、延出部１１の先端部１１ｔが収められた収容部１２の内面側において、延出部１１と収容部１２の内面側とが弾性材としての平ゴム１５Ｅによって弾性的に接続されている。
【０２６３】
一方、ウエストベルト部１０の裏側は、収容部１２に縫着した収容部側裏ベルト３２と延出部１１に縫着した延出部側裏ベルト３１との間を平ゴム３３で接続してなる腰裏ベルト部３０で形成され、ウエスト周囲で一体に連続した構成である。
即ち、本変形例３では、カーブしたウエストベルト部１０の裏側は、ウエスト周囲で分離しておらず一体に連続している構成であり、ウエストベルト部１０の表側を形成している収容部１２に縫合した収容部側裏ベルト３２と、ウエストベルト部１０の表側を形成している延出部１１にその先端部１１ｔ側を除いて縫合した延出部側裏ベルト３１と、延出部側裏ベルト３１及び収容部側裏ベルト３２の間を接続した平ゴム３３からなる腰裏ベルト部３０で形成されている。
【０２６４】
このように、本変形例３では、ウエスト方向に延びる帯状がカーブしたウエストベルト部１０の裏側をウエスト方向に一体に連続した腰裏ベルト部３０で構成し、収容部１２に縫合した収容部側裏ベルト３２と延出部１１の長さ方向の一部に縫合した延出部側裏ベルト３１と間を平ゴム３３によって弾性的に接続することで、平ゴム３３の弾性力により腰裏ベルト部３０を伸縮自在とする。
【０２６５】
したがって、ウエストベルト部１０に引張り力が掛かった際には、収容部１２と延出部１１の間を弾性的に接続する接続部１５の平ゴム１５Ｅの伸長によって、ウエストベルト部１０の表側では収容部１２から延出部１１が引き出されて延出すると共に、平ゴム３３の伸長によって、ウエストベルト部１０の裏側では腰裏ベルト部３０が伸長する。そして、ウエスト周りを伸ばそうとする力が解除されると、ウエストベルト部１０の内部の平ゴム１５Ｅ及び腰裏ベルト部３０の平ゴム３３の弾性力によって元の本来の長さに戻るから、ウエストベルト部１０の表側では、再び延出部１１が収容部１２内に収容される方向に移動し元の状態に戻り、また、ウエストベルト部１０の裏側の腰裏ベルト部３０も元の本来の長さ状態に戻る。このようにして、本変形例３においても、ウエストベルト部１０を伸縮自在としている。
【０２６６】
ここで、本変形例３においては、ズボン１００の表側（外面側）を形成する延出部１１及び収容部１２と、ズボン１００の裏側を形成する腰裏ベルト部３０の延出部側裏ベルト３１
及び収容部側裏ベルト３２は、前身頃４Ｆ及び後身頃４Ｂと共地（例えば、綿生地、ウール生地等）である。そして、図２２及び図２３で示すように、表側の収容部１２とそれに対応した裏側の収容部側裏ベルト３２の両者は、ウエストベルト部１０の上端側で縫合線６２Ａにて接続し、表側の延出部１１とそれに対応した裏側の延出部側裏ベルト３１の両者は、ウエストベルト部１０の上端側で縫合線６１Ａにて接続する構成である。
【０２６７】
詳しくは、ウエストベルト部１０の表側を構成する収容部１２とそれに対応するウエストベルト部１０の裏側を構成する収容部側裏ベルト３２は、身頃４Ｆ，４Ｂと共地からなりカーブ状に切り出された所定幅の収容部１２及び収容部側裏ベルト３２の布地の各上下端部が内折りされ、折り返した上端部の折り目の近傍で収容部１２及び収容部側裏ベルト３２の両者が縫合線６２Ａにて縫合わされている（図２２及び図２３参照）。また、収容部１２の下側は、その折り返した下端部の折り目の近傍で後身頃４Ｂの上端部に縫合線６２Ｃにて縫合わされ、収容部１２に対応する収容部側裏ベルト３２の下側もその折り返した下端部の折り目の近傍で後身頃４Ｂの上端部に縫合線６２Ｂにて縫合わされている（図２２及び図２３参照）。収容部側裏ベルト３２の下端は、必要に応じ、パイピング処理等による補強を行ってもよい。
【０２６８】
なお、本変形例３においても、上記ズボン１と同様、収容部１２や収容部側裏ベルト３２の布地の内面（裏面）には、接着芯等の芯材としてのソフト芯やハード芯がアイロンプレス等によって貼付けられる。
そして、本変形例３においても、収容部１２の布地のそれぞれに対し、所定の曲率及び幅でカーブ状に切り出されたハード芯ＨＣが貼付けられ、そのカーブ状のハード芯ＨＣの形状に沿って収容部１２の布地の上下端部を内折りすることで、ウエスト方向に均一な幅となるようにその幅が設定されている。一方、延出部側裏ベルト３１の裏側にはソフト芯ＳＣが貼付けられ、それらの上下端部を内折りすることでウエスト方向に均一な幅となるようにその幅が設定され延出部１１のカーブに対応させている。そして、収容部１２及び収容部側裏ベルト３２の両者は、それらの上方で縫合線６２Ａにて接がれ、また、下方で後身頃４Ｂと縫合され、これら収容部１２及び収容部側裏ベルト３２は、帯状のウエストベルト部１０の曲線形状を形成している。
【０２６９】
また、ウエストベルト部１０の表側を構成する延出部１１及びそれに対応するウエストベルト部１０の裏側の延出部側裏ベルト３１についても、身頃４Ｆ，４Ｂと共地からなりカーブ状に切り出された所定幅の延出部１１及び延出部側裏ベルト３１の布地の各上下端部が内折りされ、折り返した上端部の折り目の近傍で延出部１１及び延出部側裏ベルト３１の両者が縫合線６１Ａにて縫合わされている（図２３及び図２４参照）。このとき、延出部１１に縫合する延出部側裏ベルト３１は、延出部１１の先端部１１ｔ側を除く延出部１１の一部に取付けられている。延出部１１の下側は、収容部１２に挿入される先端部１１ｔ側を除いて、袋布２１と共に、前身頃４Ｆに縫合線６１Ｃにて縫合わされている。また、延出部側裏ベルト３１Ｂの下側も、袋布２１の向こう布２１Ｂ（正確には前側布地２１ＢＦ）と共に前身頃４Ｆに縫合線６１Ｂにて縫合わされている（図２３及び図２４参照）。そして、本変形例３においても、上記のズボン１と同様に、収容部１２内に収容される延出部１１の先端部１１ｔは、前身頃４Ｆの上端部と縫合わされず自由な状態になっている。これより、収容部１２に入れられた延出部１１の先端部１１ｔは収容部１２から延出自在、つまり、ウエスト方向に相対移動自在とされる。
【０２７０】
なお、延出部１１や延出部側裏ベルト３１も、収容部１２及び収容部側裏ベルト３２と同様、それらの内面（裏面）には、接着芯等の芯材としてのソフト芯やハード芯がアイロンプレス等で貼付けられる。
そして、本変形例３においても、延出部１１の布地に対し、所定の曲率及び幅でカーブ状に切り出されたハード芯ＨＣが貼付けられ、そのカーブ状のハード芯ＨＣに沿って延出部１１の布地の上下端部を内折りすることで、収容部１２に挿入される先端部１１ｔを除いてウエスト方向に均一な幅となるようにその幅が設定されている。また、延出部１１の収容部１２に挿入される先端部１１ｔでは、先端に向かって徐々に幅が細く設定されている。一方、延出部側裏ベルト３１の裏側にはソフト芯ＳＣが貼付けられ、それらの上下端部を内折りすることによりウエスト方向に均一な幅となるようにその幅が設定され、延出部１１のカーブに対応させている。そして、延出部１１及び延出部側裏ベルト３１の両者はそれらの上方で縫合線６１Ａにて接がれ、また、下方で前身頃４Ｆと縫合され、延出部１１及び延出部側裏ベルト３１も帯状のウエストベルト部１０の曲線形状を形成している。
なお、本変形例３の収容部１２及び延出部１１は、機能的には上記ズボン１の収容部１２及び延出部１１と同様であるが、その構成は、上記ズボン１の収容部１２を形成する収容部表ベルト１２Ｆ及び延出部１１を形成する延出部表ベルト１１Ｆに相当する。
【０２７１】
更に、本変形例３においては、延出部１１に縫合線６１Ａにて縫合した延出部側裏ベルト３１の端部と収容部１２に縫合線６２Ａにて縫合した収容部側裏ベルト３２の端部の間が１本の平ゴム３３で接続されている。この平ゴム３３は、その一端部側が縫付線３６２にて収容部側裏ベルト３２の端部に縫付けられ、反対側の他端部側が縫付線３６１にて延出部側裏ベルト３１に縫付けられている。平ゴム３３をその両端部側で縫付けるときの縫付線３６１，３６２は、縫付け強度を確保できれば１本であってもよいし、２本以上としてもよい。
【０２７２】
このとき、本変形例３において、収容部側裏ベルト３２及び延出部側裏ベルト３１の間を接続する平ゴム３３は、延出部１１の先端部１１ｔ側が重ねられている収容部１２の一端の端１２ｅから前中心ＦＣ側に向かう延出部１１側に位置するが、その部分では延出部１１に縫着されていない。これにより、ウエストベルト部１０に引張り力がかかった際には、平ゴム３３による所定の伸びを確保し、腰裏ベルト部３０がスムースに伸びるようにしている。なお、平ゴム３３による収容部側裏ベルト３２と延出部側裏ベルト３１の端の間の接続長さ（縫付線３６１及び縫付線３６２間の伸縮自在な長さ）は、平ゴム３３の弾性力にもよるが、平ゴム３３の未伸縮状態で、例えば、３．５ｃｍ〜６ｃｍ程度、好ましくは、４ｃｍ〜５ｃｍ程度に設定される。また、平ゴム３３の縦幅は、例えば、３ｃｍ〜５ｃｍ程度である。
【０２７３】
ここで、このように平ゴム３３は延出部１１に縫着されていないため、ウエストベルト部１０の上方で平ゴム３３と延出部１１の間から、延出部１１の内面側、例えば、延出部１１の上下で内折りした布地の裁ち切り線やハード芯ＨＣといった内部構造が見えると商品イメージを低下させる恐れがある（図２４（ａ）参照）。そこで、図２３及び図２４に示すように、本変形例３においては、平ゴム３３の配設位置に対応する延出部１１の内面側に、図２５に示すように、略長方形の裏地１１Ｃを縫付けるのが好ましい。
【０２７４】
例えば、図２４（ｂ）や図２４（ｃ）に示すように、裏地１１Ｃの上端は、延出部１１の内面においてその内折りした上部の外面側に縫付けられ、裏地１１Ｃの下端は、延出部１１の内面においてその内折りした下部の外面側（図２４（ｂ））または内面側（図２４（ｃ））に縫付けられる。このとき、裏地１１Ｃの長さは、延出部１１の先端から前中心ＦＣ側に向かって平ゴム３３の配設位置に対応する部分まであってもよいし、収容部１２の開口近傍の平ゴム３３の配設位置に対応する部分のみであってもよい。何れにせよ、平ゴム３３と延出部１１の隙間から見える延出部１１の内面には、裏地１１Ｃが見えるようにすればよい。
【０２７５】
このように延出部１１の内面において平ゴム３３の配設位置に対応する箇所に裏地１１Ｃを取付けることにより、平ゴム３３と延出部１１の間から延出部１１の内面が見えても、裏地１１Ｃが見えるだけであるから、商品イメージが低下しない。また、着用者が延出部１１の内部構造に興味を抱いて延出部１１を引き出すことで伸縮自在構造を壊してしまう事態を防止することもできる。
【０２７６】
このように延出部１１の内面に設ける裏地１１Ｃとしては、特に、伸縮性を有しない生地、例えば、ポリエステル系の生地、ナイロン系の生地、スレーキ生地、リボンテープ等の生地であれば、接触抵抗が少なく、収容部１２に対する延出部１１の摺動性を向上させ、収容部１２と延出部１１の滑らかな動きを得ることができる。しかし、見栄えを維持するものとしては、その他の布地、芯地等であってもよい。
【０２７７】
こうして、本変形例３のズボン１００は、ウエストベルト部１０の表側が互いに端部側を重ねた収容部１２及び延出部１１からなる構成とし、その間を所定の伸縮自在な長さ及び太さの平ゴム１５Ｅで弾性的に接続することで、収容部１２から延出部１１を延出自在とする伸縮自在構造である。一方、ウエストベルト部１０の裏側は、収容部１２に縫合した収容部側裏ベルト３２と、延出部１１の一部に縫合した延出部側裏ベルト３１との間を平ゴム３３で弾性的に接続することで、平ゴム３３の弾性力によりウエストベルト部１０の裏側を形成する腰裏ベルト部３０を伸縮自在とする構造である。
【０２７８】
このような本変形例３のズボン１００によれば、ウエストベルト部１０の裏側が延出部１１に縫合した延出部側裏ベルト３１と、収容部１２に縫合した収容部側裏ベルト３２と、それらの間を接続する平ゴム３３とからなり、ウエスト方向で連続して一体に形成された腰裏ベルト部３０で構成されているから、ウエストベルト部１０の裏側では収容部１２の開口端１２ｅが露出して目立つことがないので、興味本位で収容部１２の開口側から内部構造を引き出して壊してしまう事態を防止できる。そして、ウエストベルト部１０の表側では、収容部１２に対し延出部１１が収められるその収容部１２の開口端１２ｅはベルト通し５を使用すればそれによって収容部１２から延出部１１が延出する部分を隠すこともできる。
【０２７９】
更に、本変形例３のズボン１００によれば、収容部１２及び延出部１１を接続する平ゴム１５Ｅに加え、ウエストベルト部１０の裏側を構成する腰裏ベルト部３０にも収容部側裏ベルト３２及び延出部側裏ベルト３１の間を接続する平ゴム３３が用いられていることから、弾性力を強化でき、ウエストベルト部１０をより伸ばすことも可能であり、また、少ない外力で高い伸縮力を得ることができる。よって、平ゴム１５Ｅの耐久性の向上を可能とする。
なお、その他の構成については、上記ズボン１と同様であり、本変形例３に係るズボン１００においても、上記ズボン１と同様の作用効果が得られる。
【０２８０】
ここで、更に、腰裏ベルト部３０の変形例について、図２５及び図２６を参照して、説明する。
変形例４に係る腰裏ベルト部３０は、収容部側裏ベルト３２及び延出部側裏ベルト３１を接続する弾性材として２本の平ゴムを用い、互いに一部の厚みを重複させて上下に配置した点で上記変形例３と相違する。その他の構造については、上記変形例３に係る腰裏ベルト部３０と同様であるためここでは重複する詳細な説明を省略する。
【０２８１】
即ち、上記変形例３に係る腰裏ベルト部３０は、収容部側裏ベルト３２と延出部側裏ベルト３１の間を弾性的に接続している平ゴム３３は、１本の帯ゴムとしているが、本変形例４に係る腰裏ベルト部３０においては、図２５及び図２６に示すように、互いに一部の厚みを重複させて上下に配設した平ゴムからなる上方側の上位ゴム３３Ａ及び下方側の下位ゴム３３Ｂによって収容部側裏ベルト３２と延出部側裏ベルト３１の間を接続する構成である。本変形例４では、収容部側裏ベルト３２と延出部側裏ベルト３１の間を２本の上位ゴム３３Ａ及び下位ゴム３３Ｂで接続することによって、それら上位ゴム３３Ａ及び下位ゴム３３Ｂの弾性力により、腰裏ベルト部３０を伸縮自在としている。
【０２８２】
この変形例４においては、別体である上位ゴム３３Ａ及び下位ゴム３３Ｂがそれらの一部を重ねて上下方向（ウエスト周方向に対して直角方向）に配設され、上側の上位ゴム３３Ａとその下側に位置する下位ゴム３３Ｂの各両端部が収容部側裏ベルト３２と延出部側裏ベルト３１に縫付けられている。このとき、収容部側裏ベルト３２及び延出部側裏ベルト３１の間に縫着されている上位ゴム３３Ａと下位ゴム３３Ｂの両者は、収容部側裏ベルト３２の一端及び延出部側裏ベルト３１の一端の間で縫合されることなく分離した状態にある。
【０２８３】
なお、上位ゴム３３Ａと下位ゴム３３Ｂの厚みの重複部分は、上位ゴム３３Ａ及び下位ゴム３３Ｂが重なった状態での上下端間の長さ距離である縦幅全長の１／１０以上、８／１０以下の範囲内とするのが好ましく、より好ましくは、２／１０以上、５／１０以下、更に好ましくは、３／１０以上、５／１０以下である。ここで、上位ゴム３３Ａ及び下位ゴム３３Ｂの厚みの重複領域が大きいと、伸び力が高くなり、人体の動きに対するフィット性の向上が可能となる。しかし、上位ゴム３３Ａ及び下位ゴム３３Ｂの厚みの重複領域が大き過ぎると、着用時の重厚感が増して着心地が低下したり、弾性力が強くなり過ぎてウエストの締め付け力が大きくなり窮屈感が増大したりする。
そこで、上位ゴム３３Ａ及び下位ゴム３３Ｂの厚みが重なる重複領域の縦幅長さが、上位ゴム３３Ａ及び下位ゴム３３Ｂが重なり合った状態での上下端間の長さ距離である縦幅全長に対して、１／１０以上、８／１０以下の範囲内であれば、より好ましくは２／１０以上、５／１０以下の範囲内、更に好ましくは３／１０以上、５／１０以下の範囲内であれば、締め付け力、窮屈感が強調されることなく、フィット感の増大を可能とする。
【０２８４】
また、上位ゴム３３Ａと下位ゴム３３Ｂの各縦幅長さ（本来の長さ）は、厚みを重複させた状態での上位ゴム３３Ａと下位ゴム３３Ｂの縦幅の全長の５／１０以上、８／１０以下の範囲内が好ましく、より好ましくは、６／１０以上、８／１０以下の範囲内である。上記範囲内あれば、重なりによる重厚感も少なくて、より少ない力で伸び易くてフィット性が良く、締め付け感、窮屈感もより少ないものとなる。
【０２８５】
なお、互いに一部を重ねて上下に配設する上位ゴム３３Ａと下位ゴム３３Ｂの縦幅の全長は、ウエストベルト部１０表側の収容部１２及び延出部１１に縫付けた延出部側裏ベルト３１や収容部側裏ベルト３２の縦幅の全長と比較して２ｃｍ以内の差（増減）はあるも、通常、同程度に設定され、例えば、３．５ｃｍ〜５ｃｍ程度に設定される。
そして、上位ゴム３３Ａの上端と延出部側裏ベルト３１や収容部側裏ベルト３２の上端との高さ位置の差が大きいと、ウエストベルト部１０の裏側において上位ゴム３３Ａの上側で延出部１１の露出量が増えるために、延出部１１等の内部構造や縫製の仕方に興味を持って伸縮機構を無理に引き出して壊してしまったり、延出部１１等の縫製を壊してしまったりする恐れがある。また、上位ゴム３３Ａの上端が低位置にあると、見栄えの確保等のために、上位ゴム３３Ａが縫付けられている延出部側裏ベルト３１の一端側の上端部や収容部側裏ベルト３２の一端側の上端部の縫い代の浮きを抑えるべくそこを延出部側裏ベルト３１の内面に縫付ける必要がある。しかし、上位ゴム３３Ａの上端を延出部側裏ベルト３１や収容部側裏ベルト３２の上端の高さと一致させて連続的であると、或いは、２ｃｍ以内の差であれば、上記事態を防止でき、縫製工程もより簡単で済む。
【０２８６】
ここで、上位ゴム３３Ａと下位ゴム３３Ｂの前後（表裏）方向の配置関係は、腰裏ベルト部３０の表側（意匠面側、身体側）から見て、図２５及び図２６に示したように、下位ゴム３３Ｂの前方（手前側）に上位ゴム３３Ａが配設され両者の一部が重ねられても良いし、下位ゴム３３Ｂの後方に上位ゴム３３Ａが配設され両者の一部が重ねられても良い。
即ち、上位ゴム３３Ａ及び下位ゴム３３Ｂの関係は、上位ゴム３３Ａの下方に下位ゴム３３Ｂの上方が重ねられ互いに一部を重ね合わせて厚みを重複させていれば、腰裏ベルト部３０の表側（意匠面側、身体側）から見たときに、上位ゴム３３Ａの下方の手前側（上側）に下位ゴム３３Ｂの上方を重ねてもよいし、図２５及び図２６に示したように、上位ゴム３３Ａの下方の後ろ側（下側）に下位ゴム３３Ｂの上方を重ねてもよい。
そして、例えば、図２５及び図２６に示したように、腰裏ベルト部３０の表側（意匠面側、身体側）から見て、下位ゴム３３Ｂよりも上位ゴム３３Ａが手前にあり、上位ゴム３３Ａの下端縁が下位ゴム３３Ｂよりも手前に位置するものでは、タックインしたシャツのずれ上がりを防止する滑り止め機能を持たせたることもできる。
【０２８７】
また、変形例４において、上位ゴム３３Ａと下位ゴム３３Ｂは、共に、そのウエスト方向の一端部側が収容部側裏ベルト３２の端部に縫付けられ、反対側の他端部側が延出部側裏ベルト３１に縫付けられるが、上位ゴム３３Ａと下位ゴム３３Ｂは、伸縮自在な長さを同一としていてもよいし、伸縮自在な長さを相違させてもよい。上位ゴム３３Ａと下位ゴム３３Ｂの収容部側裏ベルト３２及び延出部側裏ベルト３１間の接続長さ、即ち、伸縮自在な長さを同一とする場合には、両者を所定に重複させた状態でまとめて延出部側裏ベルト３１や収容部側裏ベルト３２に縫製することから、縫製に不慣れな作業者でも縫製が分かりやすく、作業効率を向上できる。一方で、下位ゴム３３Ｂと上位ゴム３３Ａとで伸縮自在な長さを相違させていると、引張り力がかかった際に、下位ゴム３３Ｂと上位ゴム３３Ａにかかる負荷が分散されるから、下位ゴム３３Ｂと上位ゴム３３Ａを長持ちさせることができる。また、延出部側裏ベルト３１や収容部側裏ベルト３２への下位ゴム３３Ｂと上位ゴム３３Ａの縫製の縫い目にかかる負荷等も分散されるから、それら縫い目の解れも生じ難く、生地も傷め難い。
【０２８８】
例えば、図２５及び図２６に示すように、腰裏ベルト部３０の表側（意匠面側、身体側）、つまり、ズボンの腰裏側からみて、上方側の上位ゴム３３Ａを手前とし、下位ゴム３３Ｂを上位ゴム３３Ａの後方に配設したとき、その上位ゴム３３Ａは、収容部側裏ベルト３２の端部に縫付線３６２Ａにて縫付け、また、延出部側裏ベルト３１の端部に縫付線３６１Ａにて縫付ける一方で、下位ゴム３３Ａは、縫付線３６２Ａよりも収容部側裏ベルト３２の端部側から離れた位置で縫付線３６２Ｂにて縫付け、また、縫付線３６１Ａよりも延出部側裏ベルト３１の端部側から離れた位置で縫付線３６１Ｂにて縫付ける。これにより、上位ゴム３３Ａよりも下位ゴム３３Ｂの伸縮自在な長さ（接続長さ）を長くして、伸びによる変化を相違させることで、負荷を分散させゴム等を長持ちさせることができる。特に、このように上位ゴム３３Ａよりも下位ゴム３３Ｂの伸縮自在な長さ（接続長さ）を長くすることで、上位ゴム３３Ａ及び下位ゴム３３Ｂの全体縦幅を短くしなくとも、ウエストベルト部１０に引張り力が掛かった際に、上位ゴム３３Ａが上方に凸に湾曲して、ズボン１００の表側で延出部１１の上に上位ゴム３３Ａが突出して露呈するのを防止し、見栄えを維持できる。勿論、本発明を実施する場合は、上位ゴム側３３Ａで伸縮自在な長さを長くすることも可能である。
【０２８９】
このような変形例４に係る腰裏ベルト部３０においては、別体に形成された上位ゴム３３Ａと下位ゴム３３Ｂをそれらの一部で重ねて上下方向に配設して延出部側裏ベルト３１と収容部側裏ベルト３２の間を接続し、上位ゴム３３Ａと下位ゴム３３Ｂが延出部側裏ベルト３１及び収容部側裏ベルト３２の間で一体化されずに分離している構成であるため、ウエストベルト部１０に引張り力がかかった際に上位ゴム３３Ａと下位ゴム３３Ｂにかかる負荷が分散される。よって、長期間の着用でもゴムの弾性力が低下し難く、腰裏ベルト部３０の伸縮性、弾力性が低下しにくい。
【０２９０】
そして、変形例４に係る腰裏ベルト部３０においては上位ゴム３３Ａと下位ゴム３３Ｂの厚みの重複により弾性力を高くできるから、伸び量を向上できる。このとき、上位ゴム３３Ａと下位ゴム３３Ｂはそれぞれの一部分が重なっており、しかも、延出部側裏ベルト３１と収容部側裏ベルト３２の間で上位ゴム３３Ａと下位ゴム３３Ｂが結合されていないと互いに動きが拘束され難いことから、伸ばす外力も少なくて済む。よって、強力な締め付け感、窮屈感を増大させることなく、弾性力を向上させることができる。そして、少ない外力で高い伸縮力が得られヤング率を小さくできるから弾性力も低下し難く、耐久性が維持される。即ち、このような相互に一部を重ねて上下に配設した上位ゴム３３Ａ及び下方側の下位ゴム３３Ｂによれば、強力な締め付け感、窮屈感を生じさせることなく弾性力を強化でき、少ない外力で高い伸縮力を得ることができる。よって、ヤング率の高い弾性材を選択しなくとも少ない外力で伸び易く、ヤング率を小さくできるから耐久性も維持される。故に、耐久性を確保しつつ、強力な締め付け感、窮屈感を生じさせることなく少ない外力でも容易に伸縮して人体のウエストの動きに追従する滑らかな伸縮によりフィット性を高めることができる。
【０２９１】
こうして、変形例４に係る腰裏ベルト部３０によれば、厚みを重複させた上位ゴム３３Ａ及び下位ゴム３３Ｂの並列構造によって、着用時の締め付け感、窮屈感の低減を可能とする。よって、ウエストベルト部１０のカーブ形状に伴う締め付け感、圧迫感の増大を大きく抑えることができる。
【０２９２】
特に、互いに一部の厚みを重複させて上下に配設した上位ゴム３３Ａと下位ゴム３３Ｂは、それら厚みを重複させた状態での縦幅の全長の１０％以上、８０％以下の範囲内で厚みを重複させていると、締め付け力、窮屈感が強調されることなく、より人体のウエストの動きに追従するフィット感が得られる。
また、上位ゴム３３Ａと下位ゴ３２の各縦幅長さは、互いに厚みを重複させているときの上位ゴム３３Ａと下位ゴム３３Ｂの縦幅の全長の５０％以上、８０％以下の範囲内であると、重厚感も少なくて、より少ない力で伸び易くてフィット性が良く、締め付け感、窮屈感もより少なくなる。
【０２９３】
更に、本発明を実施する場合には、上位ゴム３３Ａと下位ゴム３３Ｂの間に１対のドット釦、１対のホック、釦とループ、１対の接着布、１対のファスナー等の結合具を取付け、上位ゴム３３Ａと下位ゴム３３Ｂを分離及び結合自在とする構成としてもよい。これにより、結合具によって、上位ゴム３３Ａと下位ゴム３３Ｂの伸びを制限できるから、上位ゴム３３Ａと下位ゴム３３Ｂの伸びを好みで調節でき、着用しながらウエストの締め付け強さを調節できる。よって、着用者の好み、体形、ウエストの動き等に応じてウエストのフィット感、着用感を調節できる。
【０２９４】
以上、説明してきたように、本変形例３，４に係るボトムスとしてのズボン１００は、ウエスト方向に延びる帯状をなすウエストベルト部１０がカーブしたズボン１００であって、ウエストベルト部１０のカーブに対応する曲線形状を有してウエストベルト部１０の表側を形成し、前身頃４Ｆに縫着しない端部１１ｔが延出自在な延出部１１と、ウエストベルト部１０のカーブに対応する曲線形状を有して延出部１１と共にウエストベルト部１０の表側を形成し、延出部１１の前身頃４Ｆに縫着しない端部１１ｔを収容した収容部１２と、収容部１２の内部で弾性材としての平ゴム１５Ｅによって収容部１２と延出部１１の間を弾性的に接続した接続部１５と、ウエスト方向に一体に連続してウエストベルト部１０の裏側を形成し、収容部１２の裏側に縫付けた収容部側裏ベルト３１と延出部１１の裏側に縫付けた延出部側裏ベルト３１の間を平ゴム１５Ｅとは異なる他の弾性材としての平ゴム３３または上位ゴム３３Ａ及び下位ゴム３３Ｂによって弾性的に接続してなり、平ゴム１５Ｅとは別の他の弾性材としての平ゴム３３または上位ゴム３３Ａ及び下位ゴム３３Ｂによって伸縮自在な腰裏ベルト部３０を具備し、接続部１５の平ゴム１５Ｅは、その上端から下端に向かって伸縮自在な長さを長くして収容部１２と延出部１１の間を接続しているものである。
【０２９５】
この本変形例３，４に係るズボン１００においても、ウエストベルト部１０がカーブしているから、ウエストベルト部１０のカーブによって、着用者のウエスト周りのフィット性を向上できる。しかも、カーブしたウエストベルト部１０に対しウエスト方向に引張り力が掛かった際には、延出部１１と収容部１２の間を弾性的に接続した接続部１５の弾性材の平ゴム１５Ｅの伸びによって、収容部１２から延出部１１が延出すると共に、腰裏ベルト部３０の弾性材としての平ゴム３３または上位ゴム３３Ａ及び下位ゴム３３Ｂの伸びによって腰裏ベルト部３０が伸びることにより、ウエストベルト部１０が伸長する。また、引張り力が解放されると、平ゴム１５Ｅの弾性力、腰裏ベルト部３０の平ゴム３３または上位ゴム３３Ａ及び下位ゴム３３Ｂの弾性力によって、伸長したウエストベルト部１０は元に戻る。即ち、カーブしたウエストベルト部１０は、延出部１１と収容部１２の間を弾性的に接続した平ゴム１５Ｅの弾性力、並びに、腰裏ベルト部３０の平ゴム３３または上位ゴム３３Ａ及び下位ゴム３３Ｂの弾性力によって伸縮自在である。
【０２９６】
更に、本変形例３，４に係るズボン１００においても、ウエストベルト部１０のカーブによって、着用者のウエスト周りのフィット性を向上できるうえ、延出部１１と収容部１２の間を弾性的に接続した弾性材の平ゴム１５Ｅの弾性力により、また、腰裏ベルト部３０の平ゴム３３または上位ゴム３３Ａ及び下位ゴム３３Ｂの弾性力により、カーブしたウエストベルト部１０が伸縮自在であることで、身体のウエスト周りの動きに追随できるから、ウエストベルト部１０のカーブ形状に伴うウエスト周りの圧迫感、窮屈感を解消できる。よって、ウエスト周りへの締め付け力、窮屈感を強調させることなく、ウエストベル部１０のカーブ形状及び伸縮自在な構造によってウエスト周りへのフィット性を高めることができる。
【０２９７】
また、本変形例３，４に係るズボン１００によれば、ウエストベルト部１０の表側を形成する延出部１１の内面側には、腰裏ベルト部３０の平ゴム３３または上位ゴム３３Ａ及び下位ゴム３３Ｂに対応する位置で、延出部１１の上部に裏地１１Ｃの上端が縫付けによって取付けられ、延出部１１の下部に裏地１１Ｃの下端が縫付けによって取付けられている。よって、延出部１１と腰裏ベルト部３０の平ゴム３３または上位ゴム３３Ａとの間から延出部１１の内面が見えても裏地１１Ｃが見えるだけであるから、商品イメージの低下を防止できる。そして、本変形例３，４に係るズボン１００では、ウエストベルト部１０の裏側においてウエスト方向の一部に平ゴム３３または上位ゴム３３Ａ及び下位ゴム３３Ｂを配設するものであるから、低コストで済み、また、伸縮に伴う弛みも少なくて見栄えも良い。
なお、その他の構成については、上記ズボン１と同様であり、本変形例３，４に係るズボン１００においても、上記ズボン１と同様の作用効果が得られる。
【０２９８】
［実施の形態２］
次に、本実施の形態２に係るズボン２００について、図９を参照して、説明する。
本実施の形態２において、カーブしたウエストベルト部１０の収容部１２及び延出部１１の間を接続する弾性材としての平ゴム１５Ｅは、その幅方向で伸縮自在な長さを変化させずに一定とし、収容部１２の内部に対し、ウエストベルト部１０の幅方向の下端寄りに縫付け、延出部１１側に縫付けた一端部側よりも、収容部１２側に縫付けた他端部側の方を低位置とした点で上記実施の形態１と相違する。その他の構造については、上記実施の形態１と同様であるためここでは重複する詳細な説明を省略する。
【０２９９】
上記実施の形態１において、接続部１５の平ゴム１５Ｅは、その上端から下端に向かって伸縮自在な長さを長くして収容部１２と延出部１１の間を接続しているものであるのに対し、本実施の形態２においては、図９（ａ）に示すように、収容部１２及び延出部１１の間を接続する平ゴム１５Ｅは、収容部１２の内部に対し、ウエストベルト部１０の幅方向の下端寄りに縫付線５２にて縫付け、延出部１１側に縫付線５１にて縫付けた一端部側よりも、収容部１２側に縫付けた他端部側の方を低位置としている。
【０３００】
なお、本実施の形態２では、図９（ａ）に示したように、延出部１１と収容部１２間を接続する平ゴム１５Ｅにおいて、その長さ方向の一端部側を延出部１１に縫付けるときの縫付線５１及び反対側の他端部側を収容部１２に縫付けるときの縫付線５２は、平ゴム１５Ｅの幅方向に並行する直線状とし、互いに平行しており、平ゴム１５Ｅは、その幅方向で伸縮自在な長さを変化させずに一定としている。
【０３０１】
そして、本実施の形態２では、このように、収容部表ベルト１２Ｆの幅方向の下端寄りで平ゴム１５Ｅを縫付線５２にて縫付けていることによって、平ゴム１５Ｅは、収容部１２側に縫付ける他端部側が延出部１１側に縫付けた一端部側よりも低位置で、収容部１２の内面に縫付けた一方の端部側から延出部１１に縫付けた反対の端部側に向かって斜めに上昇する挿入状態となっている。よって、平ゴム１５Ｅの延出部１１側に縫付けた一端部は、収容部１２の上端に近づく配置となる。これにより、ウエストベルト部０に引張り力が掛かり平ゴム１５Ｅが伸びたときでも、平ゴム１５Ｅの延出部１１側は収容部１１の上端に近い高い位置にできるから、収容部１２から延出部１１が引き出されても延出部１１と収容部１２の段差は小さく、見栄えを維持できる。
【０３０２】
こうして、本実施の形態２に係るボトムスとしてのズボン２００は、ウエスト方向に延びる帯状をなすウエストベルト部１０がカーブしたズボン１であって、ウエストベルト部１０のカーブに対応する曲線形状を有してウエストベルト部１０の表側及び裏側を形成し、前身頃４Ｆに縫着しない端部１１ｔが延出自在な延出部１１と、ウエストベルト部１０のカーブに対応する曲線形状を有して延出部１１と共にウエストベルト部１０の表側及び裏側を形成し、延出部１１の前身頃４Ｆに縫着しない端部１１ｔを収容した収容部１２と、収容部１２の内部で弾性材としての平ゴム１５Ｅによって収容部１２と延出部１１の間を弾性的に接続した接続部１５とを具備し、接続部１５の平ゴム１５Ｅは、収容部１２の内部に対し、ウエストベルト部１０の幅方向の下端寄りに縫付け、延出部１１側に縫付けた端部側よりも、収容部１２側に縫付けた端部側の方を低位置としたものである。
【０３０３】
このように、収容部表ベルト１２Ｆの幅方向の下端寄りで平ゴム１５Ｅを縫付線５２にて縫付け、平ゴム１５Ｅの収容部１２側に縫付けた他端部側を延出部１１側に縫付けた一端部側よりも低位置とすることによっても、ウエストベルト部１０に引張り力が掛かり収容部１２から延出部１１が延びたときの延出部１１と収容部１２の段差を気にならなくすることができる。
【０３０４】
即ち、本実施の形態２に係るズボン２００によれば、平ゴム１５Ｅの収容部１２側に接続する一方の端部側は、ウエストベルト部１０の幅方向の下端寄りに縫付けて、延出部１１側に縫付けた他方の端部側よりも収容部１２側に縫付けた一端部側の方を低位置としたから、平ゴム１５Ｅは、収容部１２の内面に縫付けた一端部側から延出部１１に縫付けた反対側の他端部側に向かって斜めに上昇する縫付け状態とされる。よって、平ゴム１５Ｅの延出部１１側の端部は、収容部１２の上端に近い位置となる。これにより、ウエストベルト部１０に引っ張り力が掛かり平ゴム１５Ｅが伸びたときでも、平ゴム１５Ｅの延出部１１側は収容部１２の上端に近くできるから、延出部１１と収容部１２の段差が殆ど気にならず、見栄えを維持できる。
その他の構成については、上記実施の形態１とほぼ同一であるから、上記実施の形態１と同様の作用効果が得られる。なお、本実施の形態２においても、上記実施の形態１の変形例３と同様、ウエストベルト部１０の裏側を腰裏ベルト部３０で形成してもよい。
【０３０５】
なお、上記実施の形態のズボン１，１００，２００は、例えば、スーツ、スラックス等のカジュアルでないボトムス、チノパン等の綿パンやジーンズ（Ｇパン）等のカジュアルなボトムス、スポーツウエアのボトムス等に適用されるものであるが、ボトムスとしてはズボンに限られるものではなく、スカートやキュロットスカート等にも適用できる。また、収容部１２及び延出部１１を重ね合わせ、収容部１２の内側でそれらの間を平ゴム１５Ｅによって接続することで、ウエストベルト部１０の表側に弾性材が露出しないから、見栄えを損なうことなく人体のウエストの動きに追従するフィット性を高めることができる。よって、ゴルフ等の運動(スポーツ)時に着用するゴルフスラックス等のトレーニングウエア、スポーツウエアにも好適であり、高いフィット性により激しい動きにも追従し、高い着用感を得ることができる。
【０３０６】
また、上記実施の形態１，２では、左右の脇線ＬＳ，ＲＳの近傍の２箇所に収容部１２及び延出部１１を重ね合わせた重ね合わせ部１３を有し、それに対応して平ゴム１５Ｅを左右の２箇所に配設したズボン１，１００，２００で説明した。加えて、上記変形例３では、腰裏ベルト部３０の平ゴム３３または上位ゴム３３Ａ及び下位ゴム３３Ｂを収容部１２の開口側の近傍である左右の２箇所に配設したズボン１００で説明した。しかし、本発明を実施する場合には、収容部１２及び延出部１１の重ね合わせ部１３を１箇所以上とし、また、それに対応する平ゴム１５Ｅや、腰裏ベルト部３０の平ゴム３３または上位ゴム３３Ａ及び下位ゴム３３Ｂも１箇所以上であればよい。
【０３０７】
更に、上記実施の形態１，２では、ウエストベルト部１０の構成について、前身頃４Ｆ側に延出部１１を設け、後身頃４Ｂ側に収容部１２を設ける構成としたが、本発明を実施する場合には、前身頃４Ｆ側に収容部１２を設け、後身頃４Ｂ側に延出部１１を設ける構成としてもよい。
【０３０８】
加えて、上記実施の形態１，２のズボン１，１００，２００では、ウエストベルト部１０の動きに追従して身頃４Ｆ、４Ｂに皺が生じないようするために、両脇の脇線ＬＳ，ＲＳに沿って脇ポケット部２０，２０１，２０２を設け、この脇ポケット部２０，２０１，２０２は、そのポケット口２３のポケット口外縁７６が、前中心ＦＣ側から脇線ＬＳ，ＲＳ側に向かって傾く直線状としている。
しかし、脇ポケット部２０，２０１，２０２の形状としては、外縁が略Ｌ字型形状のＬポケット、その変形で外縁が略Ｓ字型形状のＳポケット等を始めとしてどのような外縁形状を有するものでも良い。外縁が略Ｌ字型形状を有するＬポケットの形状としては、例えば、角張ったＬ字形状の外縁を有するＬポケット、縦方向に長い角張ったＬ字形状の外縁を有するＬポケット等が挙げられる。
特に、ポケット口外縁が略Ｌ字型形状のＬポケットは、骨盤が大きい女性でも、着用したときにポケット口が変形し難く、また、ポケット口の周辺に皺等が生難く、見栄えを良くすることができるため、例えば、女性用スラックス等の婦人用パンツのポケットとして好ましい。
【０３０９】
更に、脇ポケット部のポケット口は、複数設ける構成としても良い。例えば、図２７及び図２８に示すように、脇線ＬＳ，ＲＳに沿ってまたは脇線ＬＳ，ＲＳの近傍で前中心ＦＣ寄りに略直線状のポケット口外縁７６Ｓを有する小ポケットの脇中間ポケット部２０３Ｓ(例えば、ポケット口２３Ｓの縦幅長さが３ｃｍ以上、１５ｃｍ以下の範囲内)を設け、更に、その小ポケットよりも前中心ＦＣ寄りで小ポケットよりも容量が大きなＬ字形状のポケット口外縁７６Ｌを有する大ポケット部２０３Ｌを設ける構成とすることができる。
【０３１０】
図２７及び図２８に示した脇ポケット部２０３は、Ｌ字形状のポケット口外縁７６Ｌを有する大ポケット部２０３Ｌとそれよりも容量が小さく直線状のポケット口外縁７６Ｓを有する小ポケット部である脇中間ポケット部２０３Ｓとから構成され、図２８に示すように、ズボンの裏側から見て、大ポケット部２０３Ｌを構成する袋布２１Ｌの手前側に脇中間ポケット部２０３Ｓを構成する袋布２１Ｓが重ねられているものである。
このように大ポケット部２０３Ｌ及び小ポケットの脇中間ポケット部２０３Ｓからなる脇ポケット部２０３においては、脇中間ポケット部２０３Ｓを構成する袋布２１Ｓの向こう布２１Ｂ側に、上記実施の形態１，２のときと同様に上端から下方に向かって延びるタック部２２が形成される。そして、この脇中間ポケット部２０３Ｓのタック部２２において、上記実施の形態１、変形例１、変形例２のときと同様に、上方を除く一部のタック部２２の襞（折り返し部分）を縫合線７８にて縫合することによって、その縫合した部分ではタック部２２の展開が制限されることで、ポケット口２３Ｓ，２３Ｌからの袋布２１Ｓ，２１Ｌの吹き出しを抑えることができる。このときのタック部２２の襞の縫合線７８による縫合の位置は、上記実施の形態１、変形例１、変形例２と同様に、例えば、図２８においては、少なくとも、脇中間ポケット部２０３Ｓのポケット口２３Ｓの下端であるポケット止まり７５Ｓの高さに対応する位置から上に、２ｃｍ〜５ｃｍの範囲内、好ましくは、３ｃｍ〜４ｃｍの範囲内を縫合線７８にて縫合している。そして、タック部２２Ｓの縫合線７８の始点７８ｓは、向こう布２１Ｂの上がり線ＯＬから下に、７ｃｍ以上、１０ｃｍ以下、好ましくは、８ｃｍ以上、９ｃｍ以下の範囲内に位置させるのが好ましい。これにより、ウエストベルト部１０に引張り力が掛かった際でも袋布２１Ｓの上方の引き攣りが防止され、見栄えを維持できる。
【０３１１】
このように、Ｌ字形状のポケット口外縁７６Ｌを有する大ポケット部２０３Ｌとそれよりも容量が小さく直線状のポケット口外縁７６Ｓを有する小ポケットである脇中間ポケット部２０３Ｓとからなる脇ポケット部２０３においては、脇中間ポケット部２０３Ｓを構成する袋布２１Ｓにタック部２２を形成することによって、ウエストベルト部１０に引張り力が掛かった際には、折畳まれたタック部２２の展開によりウエスト部Ｗのスムースな伸びを確保することができる。特に、このように脇線ＬＳ，ＲＳに沿ってまたは脇線ＬＳ，ＲＳの近傍で前中心ＦＣ寄りに直線状のポケット口外縁７６Ｓを有する脇中間ポケット部２０３Ｓ(例えば、ポケット口の縦幅長さが３ｃｍ以上、１５ｃｍ以下の範囲内)を設けると、骨盤が大きい女性でも、着用したときにポケット口が変形し難くなる。一方で、大ポケット部２０３Ｌと脇中間ポケット部２０３Ｓを設けた脇ポケット部２０３においては、大ポケット部２０３Ｌの袋布２１Ｌと脇中間ポケット２０３Ｓの袋布２１Ｓの布地が重なり合い生地量も増すから、着用者の身体に対するズボンのフィット性が高いと、Ｌ字形状外縁のポケット口２３Ｓ，２３Ｌから袋布２１Ｌ，２１Ｓの布地が吹き出したり、脇ポケット部２０３に皺等が生じたりし、見栄えを損なう恐れがある。しかし、上方を除いてタック部２２の襞の一部を縫合線７８にて縫合し、タック部２２の襞の開きを制限して生地の遊びを少なくすることで、着用者に対しズボン１のフィット性が高いときでも、Ｌ字形状外縁のポケット口２３Ｓ，２３Ｌから袋布２１Ｌ，２１Ｓが吹き出したり脇ポケット部２０に皺等が生じたりし難くなり、見栄えを維持することが可能である。
【０３１２】
なお、脇ポケット部は、片玉縁のポケット口を有する片玉縁のポケット、両玉縁のポケット口を有する両玉縁のポケット、フラップ付きのポケット口を有するフラップ付きポケットであってもよい。
また、本発明を実施する場合には、両脇のポケットが左右対称でなくても良く、左右でポケットの種類が異なっていても構わない。
【０３１３】
更に、上記実施の形態１，２では、脇ポケット部２０，２０１，２０２において襞状のタック部（折り返し）２２を設けることで、ウエスト部Ｗの見栄えを維持しているが、襞状のタック部２２に代えて、袋布２１の一部を切り欠いて分割する構造としてもよい。即ち、脇ポケット部２０，２０１，２０２を構成する袋布２１の向こう布２１Ｂの中央側でその上端部に切込みを入れて分割し、その分割した部分の周囲には強度確保等のためのパイピングを施した構成とする。このとき、その分割部分から前中心ＦＣ寄りの向こう布２１Ｂはウエストベルト部１０に縫付けられる一方で、分割部分から脇線ＬＳ，ＲＳ寄りの向こう布２１Ｂの上端の一部は、ウエストベルト部１０の何れにも縫付けられない。このような袋布２１を分割する構造によっても、ウエストベルト部１０に引張り力がかかった際には、分割部分が開かれ、ウエストベルト部１０の伸長を妨げることのないようにすることができる。
【０３１４】
加えて、上記実施の形態１，２では、前身頃４Ｆと後身頃４Ｂが接続した両脇の脇線ＬＳ，ＲＳに沿って脇ポケット部２０，２０１，２０２を設け、タック部２２により生地の余裕がある脇ポケット部２０，２０１，２０２の近傍に収容部１２及び延出部１１の重ね合わせ部１３を設けていることによって、ウエスト周りが伸縮する際に、身頃４Ｆ，４Ｂに皺が寄ることがなく、見栄えの良いものとしている。しかし、本発明を実施する場合には、そのような脇ポケット部に代えて身頃４Ｂ，４Ｆ自体にタック構造を設けることも可能である。即ち、脇線ＬＳ，ＲＳの近傍で身頃４Ｂ，４Ｆにタックを設けることによっても、身頃４Ｆ、４Ｂの皺寄りを防止しウエストベルト部１０の長さを伸縮自在とすることも可能である。例えば、ウエストベルト部１０に引張り力がかかっていない場合には、身頃４Ｂ，４Ｆの折畳まれた状態のタック脇線ＬＳ，ＲＳと一体となるようにし、ウエストベルト部１０に引張り力がかかってウエスト周りが伸びると、タックが拡げられる構成であれば、見栄えも良好である。このようなタックは、例えば、身頃４Ｆ，４Ｂの両脇の脇線ＬＳ，ＲＳに沿って、身頃４Ｆ，４Ｂの両脇の脇線ＬＳ，ＲＳの上端または上端の近傍の裏側に設けることできる。
【０３１５】
また、上記実施の形態１，２では、収容部１２の内部において延出部１１及び収容部１２の間を接続する平ゴム１５Ｅに対し、伸び止め材１６を並設する構成を説明したが、本発明を実施する場合には、伸び止め材１６は、延出部１１を収容部１２側に伸ばして延出部１１と一体としたストッパー部分として形成し、そのストッパー部分に、平ゴム１５Ｅの最大伸びを制限する伸び止め材１６の役割を持たせることも可能である。即ち、延出部１１の先端を細くして延長し、共布で伸び止め材１６の役割をするストッパー部分を設けることによって、伸び止め材１６を形成してもよい。このような場合には、単独の伸び止め材１６をリボンテープ等で設ける必要がなく、縫製工程も簡略化されるため、コストがかからず安価にゴムを長持ちさせることができる。また、伸び止め材１６以外にも、伸縮するゴムの伸びの限界を綿等の繊維の織り込みによって規定することも可能である。
【０３１６】
更に、上記実施の形態１，２では、袋布２１やタック部２２の形状維持、皺寄り防止、見栄えの向上のために補助弾性材としての平ゴム２８を設けている。この補助弾性材としての平ゴム２８の弾性力は、主弾性材としての平ゴム１５Ｅの弾性力に比較すると小さく、ウエストサイズの伸縮のための主弾性材としての平ゴム１５Ｅの弾性力からすれば無視できる程度である。また、見栄えに影響する皺が入る可能性も低いことから、当然、省略することも可能である。
そして、本発明を実施する場合、十分な弾性を有するものであれば、収容部１２と延出部１１の間を弾性的に接続する弾性材や、腰裏ベルト部３０の弾性材は、平ゴムに限定されず、ゴム製板、ストレッチテープ（ゴム入り布）、パワーネット生地、サテンネット生地、ストレッチサテン生地、ストレッチレース生地等の様々な弾性を有する素材を用いることも可能である。補助弾性材としての平ゴム２８についても同様である。
【０３１７】
そして、本発明を実施するに際しては、ボトムスの構造、形状、材質、生地、大きさ、長さ、幅、接続関係等についても、上記実施の形態や変形例に限定されるものではない。例えば、ジーンズ（Ｇパン）、綿パンを始めとするカジュアルなボトムス、特に、紳士用のズボン１,１００，２００においては、ウエストベルト部１０の上下の両端や、脇ポケット部２０，２０１，２０２，２０３のポケット口外縁７６等に布を落ち着かせたり縫い代を安定させたり強度を補完するためにステッチを施すこともある。
なお、本発明の実施の形態で挙げている数値は、臨界値を示すものではなく、実施に好適な好適値を示すものであるから、上記数値を若干変更してもその実施を否定するものではない。
【符号の説明】
【０３１８】
１，１００，２００    ズボン
４Ｆ  前身頃
４Ｂ  後身頃
１０  ウエストベルト部
１１  延出部
１２  収容部
１５  接続部
１５Ｅ  平ゴム
２０，２０１，２０２，２０３  脇ポケット部
２１  袋布
２２  タック部
２３  ポケット口
３０  腰裏ベルト部
７８  縫合線
ＬＳ  左脇線
ＲＳ  右脇線
【図１】
2020105650.tif 000003
【図２】
2020105650.tif 000004
【図３】
2020105650.tif 000005
【図４】
2020105650.tif 000006
【図５】
2020105650.tif 000007
【図６】
2020105650.tif 000008
【図７】
2020105650.tif 000009
【図８】
2020105650.tif 000010
【図９】
2020105650.tif 000011
【図１０】
2020105650.tif 000012
【図１１】
2020105650.tif 000013
【図１２】
2020105650.tif 000014
【図１３】
2020105650.tif 000015
【図１４】
2020105650.tif 000016
【図１５】
2020105650.tif 000017
【図１６】
2020105650.tif 000018
【図１７】
2020105650.tif 000019
【図１８】
2020105650.tif 000020
【図１９】
2020105650.tif 000021
【図２０】
2020105650.tif 000022
【図２１】
2020105650.tif 000023
【図２２】
2020105650.tif 000024
【図２３】
2020105650.tif 000025
【図２４】
2020105650.tif 000026
【図２５】
2020105650.tif 000027
【図２６】
2020105650.tif 000028
【図２７】
2020105650.tif 000029
【図２８】
2020105650.tif 000030
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
ウエスト方向に延びる帯状をなすウエストベルト部がカーブしたボトムスであって、
前記ウエストベルト部のカーブに対応する曲線形状を有して前記ウエストベルト部の表側及び裏側を形成し、身頃に縫着しない端部側が延出自在な延出部と、
前記ウエストベルト部のカーブに対応する曲線形状を有して前記延出部と共に前記ウエストベルト部の表側及び裏側を形成し、前記延出部の前記身頃に縫着しない前記端部側を収容した収容部と、
前記収容部の内部で前記収容部と前記延出部の間を弾性材によって弾性的に接続した接続部と
を具備し、
前記延出部の前記収容部に収容された先端部は、前記ボトムスの側面側から見たときに、前記収容部の前記延出部が挿入された開口端側から前記延出部の前記先端に向かって上昇する曲線形状であり、
前記接続部の弾性材は、その上端から下端に向かって伸縮自在な長さを長くして前記収容部と前記延出部の間を接続し、前記延出部側に縫付けた一端部よりも前記収容部側に縫付けた他端部の方を低位置としたことを特徴とするボトムス。
【請求項２】
ウエスト方向に延びる帯状をなすウエストベルト部がカーブしたボトムスであって、
前記ウエストベルト部のカーブに対応する曲線形状を有して前記ウエストベルト部の表側及び裏側を形成し、身頃に縫着しない端部側が延出自在な延出部と、
前記ウエストベルト部のカーブに対応する曲線形状を有して前記延出部と共に前記ウエストベルト部の表側及び裏側を形成し、前記延出部の前記身頃に縫着しない前記端部側を収容した収容部と、
前記収容部の内部で前記収容部と前記延出部の間を弾性材によって弾性的に接続した接続部と
を具備し、
前記延出部の前記収容部に収容された先端部は、前記ボトムスの側面側から見たときに、前記収容部の前記延出部が挿入された開口端側から前記延出部の前記先端に向かって上昇する曲線形状であり、
前記接続部の前記弾性材は、前記収容部側に縫付ける一端部側の下端が、前記ウエストベルト部の幅方向の下端に一致するようにして前記収容部の内部に縫付けられ、前記収容部側に縫付けた一端部側を前記延出部側に縫付けた他端部側よりも低位置とすることにより前記収容部の内部に縫付けた一端部側から前記延出部に縫付けた他端部側に向かって斜めの配設とし、前記延出部側に縫付けたときの縫付線と前記収容部側に縫い付けたときの縫付線とが前記弾性材の幅方向に並行の直線状で互いに平行であることを特徴とするボトムス。
【請求項３】
ウエスト方向に延びる帯状をなすウエストベルト部がカーブしたボトムスであって、
前記ウエストベルト部のカーブに対応する曲線形状を有して前記ウエストベルト部の表側を形成し、身頃に縫着しない端部側が延出自在な延出部と、
前記ウエストベルト部のカーブに対応する曲線形状を有して前記延出部と共に前記ウエストベルト部の表側を形成し、前記延出部の前記身頃に縫着しない前記端部側を収容した収容部と、
前記収容部の内部で弾性材によって前記収容部と前記延出部の間を弾性的に接続した接続部と、
前記ウエスト方向に一体に連続して前記ウエストベルト部の裏側を形成し、前記弾性材とは別の他の弾性材によって伸縮自在な腰裏ベルト部と
を具備し、
前記延出部の前記収容部に収容された先端部は、前記ボトムスの側面側から見たときに、前記収容部の前記延出部が挿入された開口端側から前記延出部の前記先端に向かって上昇する曲線形状であり、
前記接続部の弾性材は、その上端から下端に向かって伸縮自在な長さを長くして前記収容部と前記延出部の間を接続し、前記延出部側に縫付けた一端部よりも前記収容部側に縫付けた他端部の方を低位置としたことを特徴とするボトムス。
【請求項４】
ウエスト方向に延びる帯状をなすウエストベルト部がカーブしたボトムスであって、
前記ウエストベルト部のカーブに対応する曲線形状を有して前記ウエストベルト部の表側を形成し、身頃に縫着しない端部側が延出自在な延出部と、
前記ウエストベルト部のカーブに対応する曲線形状を有して前記延出部と共に前記ウエストベルト部の表側を形成し、前記延出部の前記身頃に縫着しない前記端部側を収容した収容部と、
前記収容部の内部で弾性材によって前記収容部と前記延出部の間を弾性的に接続した接続部と、
前記ウエスト方向に一体に連続して前記ウエストベルト部の裏側を形成し、前記弾性材とは別の他の弾性材によって伸縮自在な腰裏ベルト部と
を具備し、
前記延出部の前記収容部に収容された先端部は、前記ボトムスの側面側から見たときに、前記収容部の前記延出部が挿入された開口端側から前記延出部の前記先端に向かって上昇する曲線形状であり、
前記接続部の前記弾性材は、前記収容部側に縫付ける一端部側の下端が、前記ウエストベルト部の幅方向の下端に一致するように前記収容部の内部に縫付けられ、前記収容部側に縫付けた一端部側を前記延出部側に縫付けた他端部側よりも低位置とすることにより前記収容部の内部に縫付けた一端部側から前記延出部に縫付けた他端部側に向かって斜めの配設とし、前記延出部側に縫付けたときの縫付線と前記収容部側に縫い付けたときの縫付線とが前記弾性材の幅方向に並行の直線状で互いに平行であることを特徴とするボトムス。
【請求項５】
前記腰裏ベルト部は、前記収容部の裏側に縫付けた収容部側裏ベルトと前記延出部の裏側に縫付けた延出部側裏ベルトの間を前記他の弾性材によって弾性的に接続してなることを特徴とする請求項３または請求項４に記載のボトムス。
【請求項６】
前記腰裏ベルト部の前記他の弾性材は、上方の弾性材及び下方の弾性材の２本の弾性材によって形成され、前記上方の弾性材の下方に前記下方の弾性材の上方を重複させて上下に配設されていることを特徴とする請求項５に記載のボトムス。
【請求項７】
前記ウエストベルト部の表側を形成する前記延出部の内面側には、前記腰裏ベルト部の前記他の弾性材に対応する位置に裏地が取付けられていることを特徴とする請求項５または請求項６に記載のボトムス。
【請求項８】
更に、前記身頃の前身頃側であって片側の脇線または両脇の脇線に沿って取付けた脇ポケット部を有し、
前記脇ポケット部には、それを構成する袋布の向こう布側にその上端から下方に向かって延びた襞状のタック部が形成され、前記タック部の襞がその上方を除いて縫合されていることを特徴とする請求項１乃至請求項７の何れか１つに記載のボトムス。
【請求項９】
前記タック部の襞は、前記袋布の縦幅の中間部から上寄りで縫合されていることを特徴とする請求項８に記載のボトムス。
【請求項１０】
前記タック部の襞を縫合する始点は、前記袋布の上がり線から垂直方向に下に３ｃｍ以上、６ｃｍ以下の範囲内にあり、前記タック部の襞を縫合する終点は、前記始点から下に垂直方向の長さで、３ｃｍ以上、６ｃｍ以下の範囲内にあることを特徴とする請求項９に記載のボトムス。
【請求項１１】
前記タック部の襞は、前記タック部の折畳み状態で前記袋布の向こう布の外面に表れない方の折り目から１ｃｍ以内で中縫いによって縫合されていることを特徴とする請求項９または請求項１０に記載のボトムス。
【請求項１２】
前記タック部の襞は、前記袋布の縦幅の中間部から下寄りで縫合されていることを特徴とする請求項８に記載のボトムス。
【請求項１３】
前記タック部の襞を縫合する始点は、前記脇ポケット部のポケット口外縁の末端の高さに対応する位置から垂直方向の長さで上に２ｃｍ以上、８ｃｍ以下の範囲内にあり、前記タック部の襞を縫合する終点は前記脇ポケット部のポケット口外縁の末端の高さに対応する位置またはそれよりも下にあることを特徴とする請求項１２に記載のボトムス。
【請求項１４】
前記タック部の襞は、前記タック部の折畳み状態で前記袋布の向こう布の外面側に表れている方の折り目から０．６ｃｍ以内で縫合されていることを特徴とする請求項１２または請求項１３に記載のボトムス。
【手続補正２】
【補正対象書類名】明細書
【補正対象項目名】全文
【補正方法】変更
【補正の内容】
【発明の詳細な説明】
【技術分野】
【０００１】
本発明は、カーブベルトを採用した被服、すなわち、綿パン等のズボン（パンツ）、スカート、キュロットスカート等（以下、「ボトムス（bottoms）」という）に関するもので、特に、ウエストサイズを伸縮自在としたボトムスに関するものである。
【背景技術】
【０００２】
近年、特に、女性用のボトムスにおいては、ファッションの多様化、着用時の美観向上の要求が高まり、身体のウエスト周りに位置するウエストベルト部を直線的なラインではなく、カーブするラインとする、所謂、カーブベルトが普及している。このようなカーブベルトを採用すると、着用時にウエスト周りにフィットすることから、着用時に滑らかなシルエットを形成できると共に、着用者がしゃがんだ際に背中側のウエスト周りで下着が見え難いものとなる。このため、主に若い人の間で流行している股上が浅い、ウエスト周りが低い（ローウエストタイプ、ローライズタイプ）ボトムスを中心にカーブベルトが広く普及した。そして、最近では、ミセス世代のボトムスでも股上をやや浅くする傾向にあり、主に女性用のボトムスにおいて、年代を問わずカーブベルトの取り入れが主流になりつつある。
ところが、このようなカーブベルトは、ウエスト周りへのフィット性を高めることができる反面、ウエスト周りに窮屈感を与える問題がある。
【０００３】
そこで、特許文献１では、身頃開口縁に帯状を成すベルトの前身のうち少なくとも一部を、平面視において直状又は略直状に延在する第１のベルト部で形成し、後身のうち身体背面中心を跨ぐ部位の少なくとも一部を、平面視において弧状又は略弧状に延在する第２のベルト部で形成することによって、即ち、腹部（前身）にはストレートベルトを、背中（後身）の後側にはカーブベルトをというようにベルトを区分することによって、腹部へのくい込みを防止して腹部の迫り出しを抑止でき、穿き心地や装着感の改善を図る方法を開示している。
【先行技術文献】
【特許文献】
【０００４】
【特許文献１】特開２００６−３２８６２５号公報
【発明の概要】
【発明が解決しようとする課題】
【０００５】
この特許文献１の技術によれば、前身側は従来と同様に直線状に延びる帯状に形成することで、前身側では、カーブベルトによるフィット性の向上による窮屈感の増大の問題はない。しかしながら、後身側はカーブベルトであるから、依然としてウエスト周りに窮屈感を与える問題がある。特に、着用者のウエストの動きによっては、強力な締め付け感、窮屈感が増大することもある。
【０００６】
そこで、本発明は、窮屈感を生じさせることなく、ウエスト周りへのフィット性を高めることができるボトムスの提供を課題とするものである。
【課題を解決するための手段】
【０００７】
請求項１の発明のボトムスは、曲線形状を有し、身頃に縫着しない端部側が延出自在な延出部と、曲線形状を有し、前記延出部の前記身頃に縫着しない前記端部側を収容した収容部と、前記収容部の内部で前記収容部と前記延出部の間を弾性材によって弾性的に接続した接続部とによって、ウエスト方向に延びる帯状がカーブしたウエストベルト部を構成しているものである。そして、前記接続部の前記弾性材が、その上端から下端に向かって伸縮自在な長さを長くし、前記収容部と前記延出部の間を接続しているものである。
【０００８】
ここで、上記ウエストベルト部は、着用時に人体のウエスト周りに配設する部位であり、身頃に縫合わされてボトムスの履き口となる上部において、ウエスト周囲に亘って延びる帯状であり、その帯がカーブ状に形成されて曲線形状を有するものである。
【０００９】
そして、上記カーブの曲線形状は、ボトムスの両脇の脇線に沿って前身頃及び後身頃を重ねた状態で見たときに、一般的には、前身頃の前中心方向及び後身頃の後中心方向から両脇方向に向かって上昇する曲線形状である。左側の前身頃及び後身頃と右側の前身頃及び後身頃とを重ねた状態でみると、両脇の脇線方向から前身頃の前中心方向及び後身頃の後中心方向に向かって上昇する曲線形状である。特に、通常は、ウエストベルト部の前側よりも後ろ側でそのカーブを強くする。しかし、ボトムスのデザイン、生地の素材、縫製等によっては、或いは、デザイナー、製造者、購買者の要望等によって、少なくともボトムスの後ろ側でウエストベルト部が大きくカーブしていればストレートのものと比較してフィット性等が向上するから、必ずしも、ボトムスの前側では、即ち、前身頃への接続側ではウエストベルト部をカーブさせずに略直線状とすることもある。つまり、ボトムスの両脇の脇線に沿って前身頃及び後身頃を重ねた状態で見たときに、前身頃の前中心方向から両脇方向に向かっては、略直線状とする場合もある。即ち、左側の前身頃及び後身頃並びに右側の前身頃及び後身頃を重ねた状態で見たときに、両脇の脇線方向から前身頃の前中心方に向かっては、略直線状とする場合もある。
したがって、上記ウエストベルト部は、ボトムスの両脇の脇線に沿って前身頃及び後身頃を重ねた状態で見たときに、少なくとも、後身頃の後中心方向から両脇方向に向かって上昇する曲線形状を有すればよい。即ち、左側の前身頃及び後身頃並びに右側の前身頃及び後身頃を重ねた状態で見たときには、少なくとも、両脇の脇線方向から後身頃の後中心方に向かって上昇する曲線形状を有していればよい。
【００１０】
上記延出部は、前記ウエストベルト部のウエスト方向の長さの一部でその表裏を形成する帯状をなし、前記ウエストベルト部のカーブに対応する曲線形状を有するものであり、その長さ方向の端部（一端部または両端部）側が身頃に縫着されずに収容部に挿入されて収容され、かつ、収容部から延出自在とされるものである。
【００１１】
上記収容部は、前記延出部を除く残りの前記ウエストベルト部のウエスト方向の長さの一部でその表裏を形成する帯状をなし、前記ウエストベルト部のカーブに対応する曲線形状を有するものであり、その長さ方向の端部（一端部または両端部）側に前記延出部の身頃に縫着されない端部側が挿入されて収められたものである。
【００１２】
上記延出部と収容部の関係は、例えば、ボトムスの前中心側に収容部を配設し、後中心側に延出部を配設してもよいし、その逆の配置、つまり、前中心側を延出部、後中心側を収容部としてもよい。通常は、ボトムスの脇線の上方付近で、延出部の延出自在な端部が前記ウエストベルト部の表裏の外面側（表裏面側）から隠れるように収容部内に入れられ、収容部に対し延出部の端部側が収容されて収容部と延出部が重複する。
このような延出部及び収容部によって、ウエストベルト部の表側及び裏側を形成する構成は、例えば、延出部や収容部の表側と裏側は、１枚布をウエストベルト部の上端部で折り曲げる構成としてもよいし、ウエストベルト部の上端部で表裏の生地を接ぐ構成としてもよい。
【００１３】
上記接続部は、前記収容部に対し前記延出部の前記身頃に縫着しない端部側を入れて重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本または３本以上であってもよい。即ち、２本以上の弾性材を前記収容部と前記延出部の間に並列的に配置し、ウエストの周方向に対し略垂直な方向で各弾性材が上下方向に配置するようにしてもよい。このときの各弾性材同士は離間していてもよいし、互いに近接していてもよいし、一部で厚みを重複させていてもよい。
【００１４】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材としての伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００１５】
更に、上記接続部の前記弾性材は、その上端から下端に向かって伸縮自在な長さを長くしているものである。
上記伸縮自在な長さとは、前記弾性材の全体長さを意味するものではなく、前記ウエストベルト部に引張り力が掛かった際に伸ばすことができる部分の長さであり、弾性材の弾性力が機能する部分の長さである。前記収容部と前記延出部に直接的に弾性材を縫付けによって取付けたときには、前記収容部に縫付けたときの縫付線と前記延出部に縫付けたときの縫付線との間の弾性材の未伸長状態での長さ（前記収容部と前記延出部を接続する接続長さ）のことである。
そして、上記弾性材の上端から下端に向かって伸縮自在な長さを長くしているとは、上端の伸びによる変化よりも下端の伸びによる変化を大きくしていることを意味する。
【００１６】
請求項２の発明のボトムスは、曲線形状を有し、身頃に縫着しない端部側が延出自在な延出部と、曲線形状を有し、前記延出部の前記身頃に縫着しない前記端部側を収容した収容部と、前記収容部の内部で前記収容部と前記延出部の間を弾性材によって弾性的に接続した接続部とによって、ウエスト方向に延びる帯状がカーブしたウエストベルト部を構成しているものである。そして、前記接続部の前記弾性材が、前記収容部の内部に対し、前記ウエストベルト部の幅方向の下端寄りに縫付けられ、前記延出部側に縫付けた端部側よりも、前記収容部側に縫付けた端部側の方を低位置としているものである。
【００１７】
ここで、上記ウエストベルト部は、着用時に人体のウエスト周りに配設する部位であり、身頃に縫合わされてボトムスの履き口となる上部において、ウエスト周囲に亘って延びる帯状であり、その帯がカーブ状に形成されて曲線形状を有するものである。
【００１８】
そして、上記カーブの曲線形状は、ボトムスの両脇の脇線に沿って前身頃及び後身頃を重ねた状態で見たときに、一般的には、前身頃の前中心方向及び後身頃の後中心方向から両脇方向に向かって上昇する曲線形状である。左側の前身頃及び後身頃と右側の前身頃及び後身頃とを重ねた状態でみると、両脇の脇線方向から前身頃の前中心方向及び後身頃の後中心方向に向かって上昇する曲線形状である。特に、通常は、ウエストベルト部の前側よりも後ろ側でそのカーブを強くする。しかし、ボトムスのデザイン、生地の素材、縫製等によっては、或いは、デザイナー、製造者、購買者の要望等によって、少なくともボトムスの後ろ側でウエストベルト部が大きくカーブしていればストレートのものと比較してフィット性等が向上するから、必ずしも、ボトムスの前側では、即ち、前身頃への接続側ではウエストベルト部をカーブさせずに略直線状とすることもある。つまり、ボトムスの両脇の脇線に沿って前身頃及び後身頃を重ねた状態で見たときに、前身頃の前中心方向から両脇方向に向かっては、略直線状とする場合もある。即ち、左側の前身頃及び後身頃並びに右側の前身頃及び後身頃を重ねた状態で見たときに、両脇の脇線方向から前身頃の前中心方に向かっては、略直線状とする場合もある。
したがって、上記ウエストベルト部は、ボトムスの両脇の脇線に沿って前身頃及び後身頃を重ねた状態で見たときに、少なくとも、後身頃の後中心方向から両脇方向に向かって上昇する曲線形状を有すればよい。即ち、左側の前身頃及び後身頃並びに右側の前身頃及び後身頃を重ねた状態で見たときには、少なくとも、両脇の脇線方向から後身頃の後中心方に向かって上昇する曲線形状を有していればよい。
【００１９】
上記延出部は、前記ウエストベルト部のウエスト方向の長さの一部でその表裏を形成する帯状をなし、前記ウエストベルト部のカーブに対応する曲線形状を有するものであり、その長さ方向の端部（一端部または両端部）側が身頃に縫着されずに収容部に挿入されて収容され、かつ、収容部から延出自在とされるものである。
【００２０】
上記収容部は、前記延出部を除く残りの前記ウエストベルト部のウエスト方向の長さの一部でその表裏を形成する帯状をなし、前記ウエストベルト部のカーブに対応する曲線形状を有するものであり、その長さ方向の端部（一端部または両端部）側に前記延出部の身頃に縫着されない端部側が挿入されて収められたものである。
【００２１】
上記延出部と収容部の関係は、例えば、ボトムスの前中心側に収容部を配設し、後中心側に延出部を配設してもよいし、その逆の配置、つまり、前中心側を延出部、後中心側を収容部としてもよい。通常は、ボトムスの脇線の上方付近で、延出部の延出自在な端部が前記ウエストベルト部の表裏の外面側（表裏面側）から隠れるように収容部内に入れられ、収容部に対し延出部の端部側が収容されて収容部と延出部が重複する。
このような延出部及び収容部によって、ウエストベルト部の表側及び裏側を形成する構成は、例えば、延出部や収容部の表側と裏側は、１枚布をウエストベルト部の上端部で折り曲げる構成としてもよいし、ウエストベルト部の上端部で表裏の生地を接ぐ構成としてもよい。
【００２２】
上記接続部は、前記収容部に対し前記延出部の前記身頃に縫着しない端部側を入れて重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本または３本以上であってもよい。即ち、２本以上の弾性材を前記収容部と前記延出部の間に並列的に配置し、ウエストの周方向に対し略垂直な方向で各弾性材が上下方向に配置するようにしてもよい。このときの各弾性材同士は離間していてもよいし、互いに近接していてもよいし、一部で厚みを重複させていてもよい。
【００２３】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材としての伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００２４】
更に、上記接続部の弾性材は、前記収容部の内部に対し、前記ウエストベルト部の幅方向の下端寄りに縫付け、前記延出部側に縫付けた端部側よりも、前記収容部側に縫付けた端部側の方を低位置としたものである。つまり、上記接続部の弾性材は、収容部の内部のウエスト方向において、収容部への縫付側から延出部への縫付側に向かって斜めに上昇する挿入状態である。
【００２５】
請求項３の発明のボトムスは、曲線形状を有し、身頃に縫着しない端部側が延出自在な延出部と、曲線形状を有し、前記延出部の前記身頃に縫着しない前記端部側を収容した収容部とによって、ウエスト方向に延びる帯状がカーブしたウエストベルト部の表側を形成し、また、前記収容部の内部で前記収容部と前記延出部の間を弾性材によって弾性的に接続し、更に、前記弾性材とは別の他の弾性材を設けた腰裏ベルト部によって、前記ウエスト方向に一体に連続してウエスト方向に延びる帯状がカーブした前記ウエストベルト部の裏側を形成したものである。そして、前記接続部の前記弾性材が、その上端から下方に向かって伸縮自在な長さを長くし、前記収容部と前記延出部の間を接続しているものである。
【００２６】
ここで、上記ウエストベルト部は、着用時に人体のウエスト周りに配設する部位であり、身頃に縫合わされてボトムスの履き口となる上部において、ウエスト周囲に亘って延びる帯状であり、その帯がカーブ状に形成されて曲線形状を有するものである。
【００２７】
そして、上記カーブの曲線形状は、ボトムスの両脇の脇線に沿って前身頃及び後身頃を重ねた状態で見たときに、一般的には、前身頃の前中心方向及び後身頃の後中心方向から両脇方向に向かって上昇する曲線形状である。左側の前身頃及び後身頃と右側の前身頃及び後身頃とを重ねた状態でみると、両脇の脇線方向から前身頃の前中心方向及び後身頃の後中心方向に向かって上昇する曲線形状である。特に、通常は、ウエストベルト部の前側よりも後ろ側でそのカーブを強くする。しかし、ボトムスのデザイン、生地の素材、縫製等によっては、或いは、デザイナー、製造者、購買者の要望等によって、少なくともボトムスの後ろ側でウエストベルト部が大きくカーブしていればストレートのものと比較してフィット性等が向上するから、必ずしも、ボトムスの前側では、即ち、前身頃への接続側ではウエストベルト部をカーブさせずに略直線状とすることもある。つまり、ボトムスの両脇の脇線に沿って前身頃及び後身頃を重ねた状態で見たときに、前身頃の前中心方向から両脇方向に向かっては、略直線状とする場合もある。即ち、左側の前身頃及び後身頃並びに右側の前身頃及び後身頃を重ねた状態で見たときに、両脇の脇線方向から前身頃の前中心方に向かっては、略直線状とする場合もある。
したがって、上記ウエストベルト部は、ボトムスの両脇の脇線に沿って前身頃及び後身頃を重ねた状態で見たときに、少なくとも、後身頃の後中心方向から両脇方向に向かって上昇する曲線形状を有すればよい。即ち、左側の前身頃及び後身頃並びに右側の前身頃及び後身頃を重ねた状態で見たときには、少なくとも、両脇の脇線方向から後身頃の後中心方に向かって上昇する曲線形状を有していればよい。
【００２８】
上記延出部は、前記ウエストベルト部のウエスト方向の長さの一部でその表側を形成する帯状をなし、前記ウエストベルト部のカーブに対応する曲線形状を有するものであり、その長さ方向の端部（一端部または両端部）側が身頃に縫着されずに収容部に挿入されて収容され、かつ、収容部から延出自在とされるものである。
【００２９】
上記収容部は、前記延出部を除く残りの前記ウエストベルト部のウエスト方向の長さの一部でその表側を形成する帯状をなし、前記ウエストベルト部のカーブに対応する曲線形状を有するものであり、その長さ方向の端部（一端部または両端部）側に前記延出部の身頃に縫着されない端部側が挿入されて収められたものである。
【００３０】
前記延出部及び前記収容部の関係は、例えば、ボトムスの前中心側に収容部を配設し、後中心側に延出部を配設してもよいし、その逆の配置、つまり、前中心側を延出部、後中心側を収容部としてもよい。通常は、ボトムスの脇線の上方付近で、前記延出部の延出自在な端部が前記ウエストベルト部の表裏の外面側（表裏面側）から隠れるように前記収容部内に入れられ、前記収容部に対し前記延出部の端部側が収容されて前記収容部と前記延出部が重複する。
【００３１】
上記接続部は、前記収容部に対し前記延出部の前記身頃に縫着しない端部側を入れて重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本以上であってもよい。即ち、２本以上の弾性材を前記収容部と前記延出部の間に並列的に配置し、ウエストの周方向に略垂直な方向で各弾性材が上下方向に配置するようにしてもよい。このときの各弾性材同士は離間していてもよいし、互いに近接していてもよいし、一部で厚みを重複させていてもよい。
【００３２】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材として伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００３３】
更に、上記接続部の前記弾性材は、その上端から下端に向かって伸縮自在な長さを長くしているものである。
上記伸縮自在な長さとは、前記弾性材の全体長さを意味するものではなく、前記ウエストベルト部に引張り力が掛かった際に伸ばすことができる部分の長さであり、弾性材の弾性力が機能する部分の長さである。前記収容部と前記延出部に直接的に弾性材を縫付けによって取付けたときには、前記収容部に縫付けたときの縫付線と前記延出部に縫付けたときの縫付線との間の弾性材の未伸長状態での長さ（前記収容部と前記延出部を接続する接続長さ）のことである。
そして、上記弾性材の上端から下端に向かって伸縮自在な長さを長くしているとは、上端の伸びによる変化よりも下端の伸びによる変化を大きくしていることを意味する。
【００３４】
また、上記腰裏ベルト部は、前記ウエスト方向に一体に連続して前記ウエストベルト部の裏側を形成し、前記弾性材とは別の他の弾性材によって伸縮自在なものであり、全体を前記弾性材とは別の他の弾性材で構成することで伸縮自在な構成としてもよいし、腰裏ベルト部の一部に前記弾性材とは別の他の弾性材を配設する構成であってもよい。即ち、前記ウエストベルト部の裏側の全周を他の弾性材で形成してもよいし、前記ウエストベルト部のウエスト周方向の一部を１または２以上の弾性材で形成するものであってもよい。例えば、上記腰裏ベルト部は、前記延出部に縫付けた延出部側裏ベルトと、前記収容部に縫付けた収容部側裏ベルトと、前記延出部側裏ベルトの一端及び前記収容部側裏ベルトの一端の間を接続した前記弾性材とは別の他の弾性材とから構成されて、前記延出部側裏ベルトと前記収容部側裏ベルトの間の弾性材によってウエスト方向に伸縮自在とされるものであってもよい。この腰裏ベルト部は、前記ウエストベルト部の表側を形成する収容部及び延出部に対応する曲線形状に形成されたものとしてもよいし、前記ウエストベルト部の表側に縫着する際にいせ込んで（細かくダブらせて）縫付けることによって、前記ウエストベルト部の表側を形成する収容部及び延出部の曲線形状に対応させてもよい。
【００３５】
請求項４の発明のボトムスは、曲線形状を有し、身頃に縫着しない端部側が延出自在な延出部と、曲線形状を有し、前記延出部の前記身頃に縫着しない前記端部側を収容した収容部とによって、ウエスト方向に延びる帯状がカーブしたウエストベルト部の表側を形成し、また、前記収容部の内部で前記収容部と前記延出部の間を弾性材によって弾性的に接続し、更に、前記弾性材とは別の他の弾性材を設けた腰裏ベルト部によって、前記ウエスト方向に一体に連続してウエスト方向に延びる帯状がカーブした前記ウエストベルト部の裏側を形成したものである。そして、前記接続部の前記弾性材が、前記収容部の内部に対し、前記ウエストベルト部の幅方向の下端寄りに縫付けられ、前記延出部側に縫付けた端部側よりも、前記収容部側に縫付けた端部側の方を低位置としているものである。
【００３６】
ここで、上記ウエストベルト部は、着用時に人体のウエスト周りに配設する部位であり、身頃に縫合わされてボトムスの履き口となる上部において、ウエスト周囲に亘って延びる帯状であり、その帯がカーブ状に形成されて曲線形状を有するものである。
【００３７】
そして、上記カーブの曲線形状は、ボトムスの両脇の脇線に沿って前身頃及び後身頃を重ねた状態で見たときに、一般的には、前身頃の前中心方向及び後身頃の後中心方向から両脇方向に向かって上昇する曲線形状である。左側の前身頃及び後身頃と右側の前身頃及び後身頃とを重ねた状態でみると、両脇の脇線方向から前身頃の前中心方向及び後身頃の後中心方向に向かって上昇する曲線形状である。特に、通常は、ウエストベルト部の前側よりも後ろ側でそのカーブを強くする。しかし、ボトムスのデザイン、生地の素材、縫製等によっては、或いは、デザイナー、製造者、購買者の要望等によって、少なくともボトムスの後ろ側でウエストベルト部が大きくカーブしていればストレートのものと比較してフィット性等が向上するから、必ずしも、ボトムスの前側では、即ち、前身頃への接続側ではウエストベルト部をカーブさせずに略直線状とすることもある。つまり、ボトムスの両脇の脇線に沿って前身頃及び後身頃を重ねた状態で見たときに、前身頃の前中心方向から両脇方向に向かっては、略直線状とする場合もある。即ち、左側の前身頃及び後身頃並びに右側の前身頃及び後身頃を重ねた状態で見たときに、両脇の脇線方向から前身頃の前中心方に向かっては、略直線状とする場合もある。
したがって、上記ウエストベルト部は、ボトムスの両脇の脇線に沿って前身頃及び後身頃を重ねた状態で見たときに、少なくとも、後身頃の後中心方向から両脇方向に向かって上昇する曲線形状を有すればよい。即ち、左側の前身頃及び後身頃並びに右側の前身頃及び後身頃を重ねた状態で見たときには、少なくとも、両脇の脇線方向から後身頃の後中心方に向かって上昇する曲線形状を有していればよい。
【００３８】
上記延出部は、前記ウエストベルト部のウエスト方向の長さの一部でその表側を形成する帯状をなし、前記ウエストベルト部のカーブに対応する曲線形状を有するものであり、その長さ方向の端部（一端部または両端部）側が身頃に縫着されずに収容部に挿入されて収容され、かつ、収容部から延出自在とされるものである。
【００３９】
上記収容部は、前記延出部を除く残りの前記ウエストベルト部のウエスト方向の長さの一部でその表側を形成する帯状をなし、前記ウエストベルト部のカーブに対応する曲線形状を有するものであり、その長さ方向の端部（一端部または両端部）側に前記延出部の身頃に縫着されない端部側が挿入されて収められたものである。
【００４０】
前記延出部及び前記収容部の関係は、例えば、ボトムスの前中心側に収容部を配設し、後中心側に延出部を配設してもよいし、その逆の配置、つまり、前中心側を延出部、後中心側を収容部としてもよい。通常は、ボトムスの脇線の上方付近で、前記延出部の延出自在な端部が前記ウエストベルト部の表裏の外面側（表裏面側）から隠れるように前記収容部内に入れられ、前記収容部に対し前記延出部の端部側が収容されて前記収容部と前記延出部が重複する。
【００４１】
上記接続部は、前記収容部に対し前記延出部の前記身頃に縫着しない端部側を入れて重ねた状態で、前記収容部の内部においてゴム等の弾性材によって前記収容部と前記延出部の間を弾性的に接続したものである。
ここで、上記弾性材は、略直線状の１本の弾性材或いは縫合等によって１本に一体化された略直線状のゴム等の弾性材であってもよいし、２本以上であってもよい。即ち、２本以上の弾性材を前記収容部と前記延出部の間に並列的に配置し、ウエストの周方向に略垂直な方向で各弾性材が上下方向に配置するようにしてもよい。このときの各弾性材同士は離間していてもよいし、互いに近接していてもよいし、一部で厚みを重複させていてもよい。
【００４２】
また、上記接続部の弾性材によって前記収容部と前記延出部の間を弾性的に接続は、前記収容部や前記延出部に対する弾性材の接続が直接的または間接的かは問われない。弾性材を直接的に前記収容部と前記延出部に縫付けて前記収容部と前記延出部の間に取付けてもよいし、例えば、弾性材に対しその最大伸びを規定する非弾性材として伸び止め材を併設し、その伸び止め材を前記収容部側や前記延出部側に縫付けることで、つまりは、非弾性材としての伸び止め材を弾性材の両端部側に縫付け、更に、弾性材の他端よりも突出させて、前記収容部や前記延出部に縫付けることで、伸び止め材を介して間接的に弾性材を前記収容部と前記延出部の間に取付けるようにしてもよい。即ち、上記接続部は、弾性材を用いて前記収容部と前記延出部の間を弾性的に接続している構成であれば、弾性材のみからなる構成であってもよいし、弾性材と伸び止め材等の非弾性材との組合わせで前記収容部と前記延出部の間を接続してもよい。
【００４３】
更に、上記接続部の弾性材は、前記収容部の内部に対し、前記ウエストベルト部の幅方向の下端寄りに縫付け、前記延出部側に縫付けた端部側よりも、前記収容部側に縫付けた端部側の方を低位置としたものである。つまり、上記接続部の弾性材は、収容部の内部のウエスト方向において、収容部への縫付側から延出部への縫付側に向かって斜めに上昇する挿入状態である。
【００４４】
また、上記腰裏ベルト部は、前記ウエスト方向に一体に連続して前記ウエストベルト部の裏側を形成し、前記弾性材とは別の他の弾性材によって伸縮自在なものであり、全体を前記弾性材とは別の他の弾性材で構成することで伸縮自在な構成としてもよいし、腰裏ベルト部の一部に前記弾性材とは別の他の弾性材を配設する構成であってもよい。即ち、前記ウエストベルト部の裏側の全周を他の弾性材で形成してもよいし、前記ウエストベルト部のウエスト周方向の一部を１または２以上の弾性材で形成するものであってもよい。例えば、上記腰裏ベルト部は、前記延出部に縫付けた延出部側裏ベルトと、前記収容部に縫付けた収容部側裏ベルトと、前記延出部側裏ベルトの一端及び前記収容部側裏ベルトの一端の間を接続した前記弾性材とは別の他の弾性材とから構成されて、前記延出部側裏ベルトと前記収容部側裏ベルトの間の弾性材によってウエスト方向に伸縮自在とされるものであってもよい。この腰裏ベルト部は、前記ウエストベルト部の表側を形成する収容部及び延出部に対応する曲線形状に形成されたものとしてもよいし、前記ウエストベルト部の表側に縫着する際にいせ込んで（細かくダブらせて）縫付けることによって、前記ウエストベルト部の表側を形成する収容部及び延出部の曲線形状に対応させてもよい。
【００４５】
請求項５の発明のボトムスの前記腰裏ベルト部は、請求項３または請求項４の構成において、前記収容部の裏側に縫付けた収容部側裏ベルトと前記延出部の裏側に縫付けた延出部側裏ベルトの間を前記他の弾性材によって弾性的に接続してなるものである。
即ち、上記腰裏ベルト部は、前記延出部に縫付けた延出部側裏ベルトと、前記収容部に縫付けた収容部側裏ベルトと、前記延出部側裏ベルトの一端及び前記収容部側裏ベルトの一端の間を接続した前記弾性材とは別の他の弾性材とから構成されて、前記延出部側裏ベルトと前記収容部側裏ベルトの間の弾性材によってウエスト方向に伸縮自在とされるものである。
このような腰裏ベルト部は、前記ウエストベルト部の表側を形成する前記延出部及び前記収容部に対し、通常、前記ウエストベルト部の上端部で、延出部側裏ベルトが前記延出部に接がれ、また、収容部側裏ベルトが前記収容部に接がれる。そして、延出部側裏ベルトと収容部側裏ベルトの間を接続する前記弾性材とは別の弾性材は、前記延出部が入れられる前記収容部の開口端側付近で前記延出部に縫着されず前記延出部の裏側に配設される。上記延出部側裏ベルトと収容部側裏ベルトの間を接続する弾性材は、１本のゴム等の弾性材であっても良いし、２本または３本以上の弾性材を並列的に配置し、ウエストの周方向に対し略垂直な方向で各弾性材が上下方向に配置するようにしてもよい。
【００４６】
請求項６の発明のボトムスは、請求項５の構成において、前記腰裏ベルト部の前記他の弾性材が、上方の弾性材及び下方の弾性材の２本の弾性材によって形成され、前記上方の弾性材の下方に前記下方の弾性材の上方を重複させて上下に配設されているものである。
上記上方の弾性材と下方の弾性材は、上方の弾性材の下方に下方の弾性材の上方が重ねられており、互いに厚みの一部を重ねて重複させているものであり、ボトムスの裏側から見て上方の弾性材の手前側に下方の弾性材を重ねてもよいし、上方の弾性材の後ろで下方の弾性材を重ねてるようにしてもよい。
【００４７】
請求項７の発明のボトムスは、請求項５または請求項６の構成において、前記ウエストベルト部の表側を形成する前記延出部の内面側であって、前記腰裏ベルト部の前記他の弾性材に対応する位置で、裏地が取付けられているものである。
上記裏地の取付けは、例えば、前記延出部の上部及び下部が内折りされ、前記延出部の内折りされた上部の外側に裏地の上端を縫付けまたは貼付け、また、前記延出部の内折りされた下部の外側または内側に前記裏地の下端を縫付けまたは貼付けることによって取付けられる。この裏地は、前記延出部とそれに縫着されてない前記腰裏ベルト部の前記他の弾性材との間から、前記延出部の内面側が見えたときにその見栄えを損なわないように取付けるものであるから、少なくとも前記延出部の前記腰裏ベルト部の前記他の弾性材に対応する位置に取付けられていればよく、前記延出部の先端部側であればよい。
上記裏地としては、好ましくは、ポリエステル系の生地、ナイロン系の生地、スレーキ、リボンテープ等の伸縮性を有しない生地（接着芯等の芯材を含む）を用いることで前記収容部に対する前記延出部の摺動性を向上させることも可能である。
【００４８】
請求項８の発明のボトムスは、請求項１乃至請求項７の何れか１つの構成において、前記身頃の前身頃側であって片方の脇または両脇の脇線に沿って取付けられた脇ポケット部を構成する袋布の向こう布において、その上端から下方に向かって延びた襞状のタック部が形成され、前記タック部の襞がその上方を除いて縫合されているものである。
【００４９】
上記脇ポケット部は、後身頃及び前身頃からなる身頃のうちの前身頃側であってボトムスの片側または両脇の脇線に沿って設けられているものである。上記脇ポケット部の形状としては、ボトムスの表側のポケット口の外縁が直線状、外縁が略Ｌ字型形状（Ｌポケット）、その変形で外縁が略Ｓ字型形状（Ｓポケット）等が挙げられる。また、上記脇ポケット部は、左右のどちらかの脇または左右の両脇に設けられるが、両脇のポケットが左右対称であってもよいし、左右対称でなくともよく、右脇のポケットと左脇のポケットとが種類、形態が異なっていてもよい。
【００５０】
そして、上記脇ポケット部は、それを形成している袋布の向こう布側にその上端から下方に向かって延びた襞状のタック部を有するものである。
ここで、上記タック部とは、袋布の向こう布の布地に形成した所定の折り目に沿って折り返す、即ち、折畳むことで襞状に形成されたものであり、ウエストベルト部の伸びに伴い袋布に掛かる引張り力を襞の展開によって逃がすものである。そして、上記タック部では、その上方を除いて一部の襞が縫合されており、その縫合の部分では襞の展開が制限されるものである。なお、上記タック部の上方を除いた一部の襞が縫合とは、タック部の上方除いて一部の襞が縫合されていることを意味するが、タックの襞を縫合する位置は、必ずしもタック部の下端までタックの襞が縫合されていることまでを要するものではない。即ち、タック部の襞の縫合は、ウエストベルト部が伸びたときに袋布の上方で所定の展開量を確保する点から、少なくともタック部の上方を除く必要があるが、タック部の下端側まで縫合されている必要はない。なお、タック部の上方を除いては、タックの長さの中間位置から上でタックの襞が縫合されていないことを意味するものではなく、タックの上端から下に所定範囲ではタックの襞が縫合されていないことを意味する。つまり、上記タック部の襞がその上方を除いて縫合とは、タック部の襞（折り返し部分）が少なくともその上方を除く縫合であることを意味する。
【００５１】
なお、上記向こう布とは、ボトムスの外側（表側）において袋布の布地（裏布）が見えないように袋布に貼付けられる身頃等の共地向こう布を意味するものではなく、袋状の袋布のうちボトムスの裏面側（身体側）に配設する側を向こう布とし、ボトムスの表面側に近い方に配設する手前布と区別するものである。身頃と共地であってもよいし、身頃とは異なる生地、例えば、スレーキ生地等の裏地を使用することも可能である。
【００５２】
請求項９の発明のボトムスは、請求項８の構成において、前記タック部の襞が、前記袋布の縦幅の中間部から上寄りで縫合されているものであり、比較的長さが短いタックに好適なものである。即ち、例えば、婦人用のボトムスのように袋布を落ち着かるためのアイロン等のプレスを行わないときにはその袋布のタックの長さは比較的短くなるが、そのような比較的短いタックの場合にも好適である。
【００５３】
請求項１０の発明のボトムスは、請求項９の構成において、前記タック部の襞を縫合する始点が、前記袋布の前記向こう布の上がり線から垂直方向に下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあり、前記タック部の襞を縫合する終点が前記始点から下に垂直方向の長さで、３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあるものである。即ち、前記タック部の襞を縫合する始点が、前記袋布の前記向こう布の上がり線から垂直方向に下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあり、そこから下に垂直方向の長さで、３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内で前記タック部の襞を縫合するものである。
【００５４】
上記向こう布の上がり線とは、ボトムスの表側からみてウエストベルト部の下端に相当する仕上がり線を意味し、裁ち切り線よりも下に、例えば、１ｃｍ下に位置するものである。
また、上記始点、終点は、前記タック部の襞（折り返し部分）を縫合したときの縫合線の端を意味し、縫製時の縫い始め、縫い終わりの縫製方向までを意味するものではない。
そして、上記終点が前記始点から下に垂直方向の長さで、３ｃｍ以上、６ｃｍ以下の範囲内とは、前記タック部の襞を縫合したときの縫合線の長さや方向を意味するものではなく、襞を縫合する縦幅（垂直方向）の範囲を意味するものである。
なお、上記の数値は、厳格なものでなく概ねであり、当然、生地の種類、縫製糸の種類、縫い目の種類等による誤差を含む概略値であり、数割の誤差を否定するものではない。
【００５５】
請求項１１の発明のボトムスは、請求項９または請求項１０の構成において、前記タック部の襞が、前記襞を形成する２本の折り目のうち、前記タック部の折畳み状態で前記袋布の向こう布の外面に表れていない折り目から１ｃｍ以内、好ましくは、０．１ｃｍ以上、０．８ｃｍ以内、より好ましくは、０．１ｃｍ以上、０．６ｃｍ以内で中縫いにより縫合されているものである。
上記袋布の向こう布の外面側に表れていない折り目とは、タックの襞を形成するために谷折りした折り目線を意味するものである。
また、中縫いは、襞を縫合するときの縫合線（縫い目）が向こう布の外面側にでないように襞を縫合する縫い方である。
なお、上記の数値は、厳格なものでなく概ねであり、当然、生地の種類、縫製糸の種類、縫い目の種類等による誤差を含む概略値であり、数割の誤差を否定するものではない。
【００５６】
請求項１２の発明のボトムスは、請求項８の構成において、前記タック部の襞が、前記袋布の縦幅の中間部から下寄りで縫合されているものであり、比較的長さが長いタックの場合に好適なものである。例えば、紳士用のボトムスのようにアイロン等のプレスで皺とり、クセとりを行い袋布を落ち着かせるときには、その袋布のタックの長さは比較的長くなるが、そのような比較的長いタックの場合に好適である。
【００５７】
請求項１３の発明のボトムスは、請求項１２の構成において、前記タック部の襞（折り返し部分）を縫合する始点が、前記脇ポケット部のポケット口外縁の末端の高さに対応する位置から垂直方向に上に２ｃｍ以上、８ｃｍ以下、好ましくは、２．５ｃｍ以上、７．５ｃｍ以下、より好ましくは、３ｃｍ以上、７ｃｍ以下の範囲内にあり、前記タック部の襞を縫合する終点は前記脇ポケット部のポケット口外縁の末端の高さに対応する位置またはそれよりも下にあるものである。
上記ポケット口外縁の末端は、ボトムスの表側に表出しているポケット口の外縁の下端であって、脇線との交点である。
また、上記始点、終点とは、前記タック部の襞（折り返し部分）を縫合した縫合線の端を意味し、縫製時の縫い始め、縫い終わりの縫製方向までを意味するものではない。そして、このときの襞の縫合は、その縫合線（縫い目）が向こう布の外面側にでないように襞を縫合する中縫いであってもよいし、縫合線（縫い目）が向こう布の外面側にでることになるコバステッチであってもよい。
なお、上記の数値は、厳格なものでなく概ねであり、当然、生地の種類、縫製糸の種類、縫い目の種類等による誤差を含む概略値であり、数割の誤差を否定するものではない。
【００５８】
請求項１４の発明のボトムスは、請求項１２または請求項１３の構成において、前記タック部の襞が、前記襞を形成する２本の折り目のうち、前記タック部の折畳み状態で前記袋布の向こう布の外面に表れている折り目から０．６ｃｍ以内、好ましくは、０．１ｃｍ以上、０．５ｃｍ以下、より好ましくは、０．１ｃｍ以上、０．４ｃｍ以内で縫合されているものである。
上記袋布の向こう布の外面側に表れている折り目とは、タックの襞を形成するために山折りした折り目線を意味するものである。
なお、上記の数値は、厳格なものでなく概ねであり、当然、生地の種類、縫製糸の種類、縫い目の種類等による誤差を含む概略値であり、数割の誤差を否定するものではない。
【発明の効果】
【００５９】
請求項１の発明に係るボトムスによれば、ウエスト方向に延びる帯状がカーブしたウエストベルト部の表側及び裏側が前記ウエストベルト部のカーブに対応する曲線形状を有する延出部及び収容部で形成されており、前記収容部に対し前記延出部の身頃に縫着しない端部側が収容されて前記収容部から前記延出部の端部が延出自在であり、前記収容部の内部で前記延出部と前記収容部の間が接続部の弾性材によって弾性的に接続されている。そして、前記接続部の前記弾性材は、その上端から下端に向かって伸縮自在な長さを長くし、前記収容部と前記延出部の間を接続している。
【００６０】
このように、請求項１の発明に係るボトムスによれば、ウエストベルト部がカーブしているから、ウエストベルト部のカーブによって、着用者のウエスト周りに対するフィット性を向上させることができる。しかも、カーブしたウエストベルト部に対しウエスト方向に引張り力が掛かった際には、ウエストベルト部を構成する延出部と収容部の間を弾性的に接続した接続部の弾性材の伸びによって、収容部から延出部が延出することにより、ウエストベルト部が伸長する。また、引張り力が解放されると、弾性材の弾性力によって、伸長したウエストベルト部は元に戻る。即ち、カーブしたウエストベルト部は、延出部と収容部の間を弾性的に接続した弾性材の弾性力によって伸縮自在である。
【００６１】
したがって、請求項１の発明に係るボトムスによれば、ウエストベルト部のカーブによって、着用者のウエスト周りのフィット性を向上させることができるうえ、延出部と収容部の間を弾性的に接続した弾性材の弾性力によりカーブしたウエストベルト部が伸縮自在であることで、身体のウエスト周りの動きに追随できるから、ウエストベルト部のカーブ形状に伴うウエスト周りの圧迫感、窮屈感を解消できる。よって、ウエスト周りへの締め付け力、窮屈感を強調させることなく、ウエストベル部のカーブ形状及び伸縮自在な構造によってウエスト周りへのフィット性を高めることができる。
【００６２】
請求項２の発明に係るボトムスによれば、ウエスト方向に延びる帯状がカーブしたウエストベルト部の表側及び裏側が前記ウエストベルト部のカーブに対応する曲線形状を有する延出部及び収容部で形成されており、前記収容部に対し前記延出部の身頃に縫着しない端部側が収容されて前記収容部から前記延出部の端部が延出自在であり、前記収容部の内部で前記延出部と前記収容部の間が接続部の弾性材によって弾性的に接続されている。そして、前記接続部の前記弾性材が、前記収容部の内部に対し、前記ウエストベルト部の幅方向の下端寄りに縫付けられ、前記延出部側に縫付けた端部側よりも、前記収容部側に縫付けた端部側の方を低位置としている。
【００６３】
このように、請求項２の発明に係るボトムスによれば、ウエストベルト部がカーブしているから、ウエストベルト部のカーブによって、着用者のウエスト周りに対するフィット性を向上させることができる。しかも、カーブしたウエストベルト部に対しウエスト方向に引張り力が掛かった際には、ウエストベルト部を構成する延出部と収容部の間を弾性的に接続した接続部の弾性材の伸びによって、収容部から延出部が延出することにより、ウエストベルト部が伸長する。また、引張り力が解放されると、弾性材の弾性力によって、伸長したウエストベルト部は元に戻る。即ち、カーブしたウエストベルト部は、延出部と収容部の間を弾性的に接続した弾性材の弾性力によって伸縮自在である。
【００６４】
したがって、請求項２の発明に係るボトムスによれば、ウエストベルト部のカーブによって、着用者のウエスト周りのフィット性を向上させることができるうえ、延出部と収容部の間を弾性的に接続した弾性材の弾性力によりカーブしたウエストベルト部が伸縮自在であることで、身体のウエスト周りの動きに追随できるから、ウエストベルト部のカーブ形状に伴うウエスト周りの圧迫感、窮屈感を解消できる。よって、ウエスト周りへの締め付け力、窮屈感を強調させることなく、ウエストベル部のカーブ形状及び伸縮自在な構造によってウエスト周りへのフィット性を高めることができる。
【００６５】
請求項３の発明に係るボトムスによれば、ウエスト方向に延びる帯状をなすカーブしたウエストベルト部の表側が前記ウエストベルト部のカーブに対応する曲線形状を有する延出部及び収容部で形成されており、前記収容部に対し前記延出部の身頃に縫着しない端部側が収容され、収容部から延出部の端部が延出自在であり、前記収容部の内部で前記延出部とゼ前記収容部の間が接続部の弾性材によって弾性的に接続されている。また、カーブしたウエストベルト部の裏側は、前記弾性材とは別の他の弾性材によって伸縮自在な腰裏ベルト部で形成されている。そして、前記接続部の前記弾性材は、その上端から下端に向かって伸縮自在な長さを長くし、前記収容部と前記延出部の間を接続している。
【００６６】
このように、請求項３の発明に係るボトムスによれば、ウエストベルト部がカーブしているから、ウエストベルト部のカーブによって、着用者のウエスト周りに対するフィット性を向上させることができる。しかも、カーブしたウエストベルト部に対しウエスト方向に引張り力が掛かった際には、ウエストベルト部の表側を構成する延出部と収容部の間を弾性的に接続した接続部の弾性材の伸びによって、収容部から延出部が延出すると共に、ウエストベルト部の裏側を構成する腰裏ベルト部の弾性材の伸びによって腰裏ベルト部が伸びることにより、ウエストベルト部が伸長する。また、引張り力が解放されると、それら弾性材の弾性力によって伸長したウエストベルト部は元に戻る。即ち、カーブしたウエストベルト部は、延出部と収容部の間を弾性的に接続した弾性材の弾性力及び腰裏ベルト部の弾性材の弾性力によって伸縮自在である。
【００６７】
したがって、請求項３の発明に係るボトムスによれば、ウエストベルト部のカーブによって、着用者のウエスト周りのフィット性を向上させることができるうえ、延出部と収容部の間を弾性的に接続した弾性材及び腰裏ベルト部の弾性材の弾性力によりカーブしたウエストベルト部が伸縮自在であることで、身体のウエスト周りの動きに追随できるから、ウエストベルト部のカーブ形状に伴うウエスト周りの圧迫感、窮屈感を解消できる。よって、ウエスト周りへの締め付け力、窮屈感を強調させることなく、ウエストベル部のカーブ形状及び伸縮自在な構造によってウエスト周りへのフィット性を高めることができる。
【００６８】
請求項４の発明に係るボトムスによれば、ウエスト方向に延びる帯状をなすカーブしたウエストベルト部の表側が前記ウエストベルト部のカーブに対応する曲線形状を有する延出部及び収容部で形成されており、前記収容部に対し前記延出部の身頃に縫着しない端部側が収容され、収容部から延出部の端部が延出自在であり、前記収容部の内部で前記延出部とゼ前記収容部の間が接続部の弾性材によって弾性的に接続されている。また、カーブしたウエストベルト部の裏側は、前記弾性材とは別の他の弾性材によって伸縮自在な腰裏ベルト部で形成されている。そして、前記接続部の前記弾性材が、前記収容部の内部に対し、前記ウエストベルト部の幅方向の下端寄りに縫付けられ、前記延出部側に縫付けた端部側よりも、前記収容部側に縫付けた端部側の方を低位置としている。
【００６９】
このように、請求項４の発明に係るボトムスによれば、ウエストベルト部がカーブしているから、ウエストベルト部のカーブによって、着用者のウエスト周りに対するフィット性を向上させることができる。しかも、カーブしたウエストベルト部に対しウエスト方向に引張り力が掛かった際には、ウエストベルト部の表側を構成する延出部と収容部の間を弾性的に接続した接続部の弾性材の伸びによって、収容部から延出部が延出すると共に、ウエストベルト部の裏側を構成する腰裏ベルト部の弾性材の伸びによって腰裏ベルト部が伸びることにより、ウエストベルト部が伸長する。また、引張り力が解放されると、それら弾性材の弾性力によって伸長したウエストベルト部は元に戻る。即ち、カーブしたウエストベルト部は、延出部と収容部の間を弾性的に接続した弾性材の弾性力及び腰裏ベルト部の弾性材の弾性力によって伸縮自在である。
【００７０】
したがって、請求項４の発明に係るボトムスによれば、ウエストベルト部のカーブによって、着用者のウエスト周りのフィット性を向上させることができるうえ、延出部と収容部の間を弾性的に接続した弾性材及び腰裏ベルト部の弾性材の弾性力によりカーブしたウエストベルト部が伸縮自在であることで、身体のウエスト周りの動きに追随できるから、ウエストベルト部のカーブ形状に伴うウエスト周りの圧迫感、窮屈感を解消できる。よって、ウエスト周りへの締め付け力、窮屈感を強調させることなく、ウエストベル部のカーブ形状及び伸縮自在な構造によってウエスト周りへのフィット性を高めることができる。
【００７１】
請求項５の発明に係るボトムスによれば、前記ウエストベルト部の裏側は、前記収容部の裏側に縫付けた収容部側裏ベルトと前記延出部の裏側に縫付けた延出部側裏ベルトの間を前記弾性材とは別の他の弾性材によって弾性的に接続してなる腰裏ベルト部で形成されているものである。したがって、請求項３または請求項４に記載の効果に加えて、前記弾性材とは別の他の弾性材が一部のみの配設であるから、低コストで済み、また、伸縮に伴う弛みも少なくなるから見栄えも良い。
【００７２】
請求項６の発明に係るボトムスによれば、前記腰裏ベルト部の前記他の弾性材は、上方の弾性材及び下方の弾性材の２本の弾性材によって形成され、前記上方の弾性材の下方に前記下方の弾性材の上方を重複させて上下に配設されているから、強力な締め付け感、窮屈感を生じさせることなく弾性力を強化でき、少ない外力で高い伸縮力を得ることができる。よって、請求項５に記載の効果に加えて、より少ない締め付け感、窮屈感で人体のウエストの動きに追従するフィット性を高めることができ、着用感を向上させることができる。
【００７３】
請求項７の発明に係るボトムスによれば、前記ウエストベルト部の表側を形成する前記延出部の内面側には、前記腰裏ベルト部の前記他の弾性材に対応する位置で、裏地が取付けられている。よって、請求項５または請求項６に記載の効果に加えて、前記延出部と前記腰裏ベルト部の前記他の弾性材との間から前記延出部の内面が見えたときでも裏地が見えるだけであるから、商品イメージの低下を防止できる。
【００７４】
請求項８の発明に係るボトムスによれば、前身頃側であって片側または両脇の脇線に沿って取付けた脇ポケット部を構成する袋布の向こう布側において、その上端から下方に向かって延びた襞状のタック部を形成し、タック部の襞をその上方を除いて縫合している。これより、タック部の開きが制限され袋布の生地の遊び、余裕が少なくなるから、請求項１乃至請求項７の何れか１つに記載の効果に加えて、ウエストベルト部のカーブによる着用者のウエスト周りへのフィット性の向上によって、脇ポケット部の袋布に掛かる引き攣り量が増大しても、ズボンの外側のポケット口から袋布が吹き出す事態が防止され、見栄えや外観性を維持できる。
【００７５】
請求項９の発明に係るボトムスによれば、前記タック部の襞は、前記袋布の縦幅の中間部から上寄りで縫合されているから、請求項８に記載の効果に加えて、比較的タックが短い設計のズボンであっても、例えば、婦人用のボトムスのように袋布を落ち着かるためのアイロン等のプレスを行わないときにはその袋布のタックの長さは比較的短くなるが、そのような比較的タックが短いものでも、前記袋布の縦幅の中間部から上側の所定範囲で縫合することによって、ボトムス外側のポケット口から袋布が吹き出すのを効果的に抑制できる。
【００７６】
請求項１０の発明に係るボトムスによれば、前記タック部の襞を縫合する始点は、前記袋布の上がり線から垂直方向に下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあり、前記タック部の襞を縫合する終点は、前記始点から垂直方向に、３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にある。これより、タック部の上方の襞の展開量を確保しつつ、タック部の下方で襞の展開を制限することができる。よって、請求項９に記載の効果加えて、ウエストベルト部に引張り力が掛かった際でも袋布の上方の引き攣りを抑えて見栄えを損なうことなく、ボトムスの外側のポケット口から袋布が吹き出るのを抑制できる。
【００７７】
請求項１１の発明の前記タック部の襞は、前記タック部の折畳み状態で前記袋布の向こう布の外面に表れていない折り目から１ｃｍ以内、好ましくは、０．１ｃｍ以上、０．８ｃｍ以内、より好ましくは、０．１ｃｍ以上、０．６ｃｍ以内で中縫いによって縫合されているから、前記タック部の襞を縫合した部分でも所定の展開量を確保できる。よって、請求項９または請求項１０に記載の効果に加えて、脇ポケット部のポケット止まりの周囲に生じやすい引き攣りを抑制して見栄えを向上させることができる。更に、袋布の上方の引き攣りを抑えて見栄えを向上できる。
【００７８】
請求項１２の発明のボトムスの前記タック部の襞は、前記袋布の縦幅の中間部から下寄りで縫合されているから、請求項８に記載の効果に加えて、比較的タックが長い場合、例えば、紳士用のボトムスのようにアイロン等のプレスで皺とり、クセとりを行い袋布を落ち着かせるときには、その袋布のタックの長さは比較的長くなるが、そのようにタックが比較的長いものでは、前記袋布の縦幅の中間部から下寄りで縫合することによって、ボトムス外側のポケット口から袋布が吹き出すのを効果的に抑制できる。
【００７９】
請求項１３の発明に係るボトムスによれば、前記タック部の襞（折り返し部分）を縫合する始点は、前記脇ポケット部のポケット口外縁の末端の高さに対応する位置から垂直方向に上に２ｃｍ以上、８ｃｍ以下、好ましくは、２．５ｃｍ以上、７．５ｃｍ以下、より好ましくは、３ｃｍ以上、７ｃｍ以下の範囲内にあり、前記タック部の襞を縫合する終点は、前記脇ポケット部のポケット口外縁の末端の高さに対応する位置またはそれよりも下にある。これより、タック部の上方の襞の展開量を確保しつつ、タック部の一部で襞の展開を制限できる。よって、請求項１２に記載の効果に加えて、ウエストベルト部に引張り力が掛かった際でも袋布の上方の引き攣りを抑えて見栄えを損なうことなく、ボトムスの外側のポケット口から袋布が吹き出るのを抑制できる。
【００８０】
請求項１４の発明のボトムスの前記タック部の襞は、前記タック部の折畳み状態で前記袋布の向こう布の外面に表れている折り目から０．６ｃｍ以内、好ましくは、０．１ｃｍ以上、０．５ｃｍ以下、より好ましくは、０．１ｃｍ以上、０．４ｃｍ以内で縫合されているから、前記タック部の襞を縫合した部分では、その襞が殆ど展開しない。よって、請求項１２または請求項１３に記載の効果に加えて、身頃等の生地が薄いものでも、脇ポケット部の皺寄りを効果的に抑え、見栄えを維持できる。
【図面の簡単な説明】
【００８１】
【図１】図１（ａ）は本発明の実施の形態１に係るズボンの正面図であり、図１（ｂ）は本発明の実施の形態１に係るズボンの背面図であり、図１（ｃ）は本発明の実施の形態１に係るズボンを右側面から見たときのウエスト部周辺の部分拡大図であり、図１（ｄ）は本発明の実施の形態１に係るズボンを左側面から見たときのウエスト部周辺の部分拡大図である。
【図２】図２は本発明の実施の形態１に係るズボンのウエスト周りを示す斜視図である。
【図３】図３は本発明の実施の形態１に係るズボンのウエスト周りを展開して裏側から見た展開図である。
【図４】図４（ａ）は本発明の実施の形態１に係るズボンの延出部及び弾性材の構造を説明するための部分展開図であり、図４（ｂ）は本発明の実施の形態１に係るズボンの延出部及び弾性材の構造を説明するための説明図である。
【図５】図５（ａ）は本発明の実施の形態１に係るズボンのウエストベルト部の構造を説明するための部分展開図であり、図５（ｂ）は本発明の実施の形態１に係るズボンの接続部の構造を説明するための部分拡大図である。
【図６】図６（ａ）は本発明の実施の形態１に係るズボンのウエストベルト部及びその周囲の構造をズボンの裏側から見た部分拡大図であり、図６（ｂ）は本発明の実施の形態１に係るズボンのウエストベルト部及びその周囲の構造をズボンの表側から見た部分拡大図である。
【図７】図７（ａ）は本発明の実施の形態１に係るズボンのウエスト周りが伸長する前のウエストベルト部及びその周囲の構造をズボンの表側から見た部分拡大図であり、図７（ｂ）は本発明の実施の形態１に係るズボンのウエスト周りが伸長した状態のウエストベルト部及びその周囲の構造をズボンの表側から見た部分拡大図である。
【図８】図８（ａ）は本発明の実施の形態１に係るズボンの収容部と延出部の間を平ゴムで接続した構成を示してゴムの縫着状態、伸長時のゴムの動き及び収容部から抜き出る延出部の動きを説明する説明図であり、図８（ｂ）は本発明の実施の形態１に係るズボンにおいてウエストベルト部に引張り力が掛かった際に、収容部から延出部が引き出されるときの延出部の動きを説明する説明図である。
【図９】図９（ａ）は本発明の実施の形態２に係るズボンの収容部と延出部の間を平ゴムで接続した構成を示してゴムの縫着状態、伸長時のゴムの動き及び収容部から抜き出る延出部の動きを説明するための説明図であり、図９（ｂ）は本発明の実施の形態２に係るズボンにおいてウエストベルト部に引張り力が掛かった際に、収容部から延出部が引き出されるときの延出部の動きを説明する説明図である。
【図１０】図１０（ａ）は本発明の実施の形態１に係るズボンの収容部と延出部の間を接続する平ゴムを、収容部の裏面側に縫付けたときのウエストベルト部の構造を示す部分展開図であり、図１０（ｂ）は本発明の実施の形態１に係るズボンの収容部と延出部の間を接続する平ゴムを、収容部の裏面側に縫付けたときの接続部の構造を示す部分拡大図である。
【図１１】図１１（ａ）は本発明の実施の形態１に係るズボンの脇ポケット部を形成する袋布の身頃に縫付ける前の部品展開図であり、図１１（ｂ）は本発明の実施の形態１に係るズボンの脇ポケット部を形成する袋布を身頃に縫付ける前の袋布の作製途中の構成を示す説明図であり、図１１（ｃ）は本発明の実施の形態１に係るズボンの脇ポケット部を形成する袋布を身頃に縫付ける前の袋布の作製途中の構成であって、タック部を形成し、一部のタック部の襞を縫合した状態を示す説明図であり、図１１（ｄ）は本発明の実施の形態１に係るズボンの脇ポケット部を形成する袋布を身頃に縫付ける前の袋布の作製途中の構成であって、袋布の内面側を示して、一部のタック部の襞が縫合されていることを説明するための説明図である。
【図１２】図１２（ａ）は本発明の実施の形態１に係るズボンの脇ポケット部を形成する袋布の身頃への縫着状態をズボンの裏側から見て示す説明図であり、図１２（ｂ）は本発明の実施の形態１に係るズボンの脇ポケット部を形成する袋布の身頃への縫着状態をズボンの表側から見て示す説明図である。
【図１３】図１３（ａ）は本発明の実施の形態１に係るズボンの脇ポケット部を形成する袋布が身頃及びウエストベルト部に縫着された状態のウエストベルト部及びその周囲の構造をズボンの裏側から見て示す部分拡大展開図であり、図１３（ｂ）は本発明の実施の形態１に係るズボンの脇ポケット部を形成する袋布が身頃及びウエストベルト部に縫着された状態のウエストベルト部及びその周囲の構造をズボンの裏側から見て示す部分拡大図である。
【図１４】図１４（ａ）は本発明の実施の形態１に係るズボンのウエスト周りが伸長する前のウエスト部の構造をズボンの表側から見た部分拡大図であり、図１４（ｂ）は本発明の実施の形態１に係るズボンのウエスト周りが伸長した状態のウエスト部の構造をズボンの表側から見た部分拡大図である。
【図１５】図１５（ａ）はウエストベルト部がカーブしたズボンを着用した際に、脇ポケット部の袋布がポケット口から吹き出したり、脇ポケット部及びその周囲で皺寄りが生じたりする状態を示す説明図であり、図１５（ａ）は本発明の実施の形態１に係るズボンを着用した際の脇ポケット部及びその周囲の状態を示す説明図である。
【図１６】図１６（ａ）は本発明の実施の形態１に係るズボンの変形例１の脇ポケット部を形成する袋布の身頃に縫付ける前の部品展開図であり、図１６（ｂ）は本発明の実施の形態１に係るズボンの変形例１の脇ポケット部を形成する袋布を身頃に縫付ける前の袋布の作製途中の構成を示す説明図であり、図１６（ｃ）は本発明の実施の形態１に係るズボンの変形例１の脇ポケット部を形成する袋布を身頃に縫付ける前の袋布の作製途中の構成であって、タック部を形成し、一部のタック部の襞を縫合した状態を示す説明図であり、図１６（ｄ）は本発明の実施の形態１に係るズボンの変形例１の脇ポケット部を形成する袋布を身頃に縫付ける前の袋布の作製途中の構成であって、袋布の内面側を示して、一部のタック部の襞が縫合されていることを説明するための説明図である。
【図１７】図１７（ａ）は本発明の実施の形態１に係るズボンのウエスト周りが伸長する前の変形例１の脇ポケット部の状態を説明するために、ズボンの表側から見たウエスト部の部分拡大図であり、図１７（ｂ）は本発明の実施の形態１に係るズボンのウエスト周りが伸長した状態の変形例１の脇ポケット部を説明するために、ズボンの表側から見たウエスト部の部分拡大図である。
【図１８】図１８（ａ）は本発明の実施の形態１に係るズボンの変形例２の脇ポケット部を形成する袋布の身頃に縫付ける前の部品展開図であり、図１８（ｂ）は本発明の実施の形態１に係るズボンの変形例２の脇ポケット部を形成する袋布を身頃に縫付ける前の袋布の作製途中の構成を示す説明図であり、図１８（ｃ）は本発明の実施の形態１に係るズボンの変形例２の脇ポケット部を形成する袋布を身頃に縫付ける前の袋布の作製途中の構成であって、タック部を形成し、一部のタック部の襞を中縫いによって縫合した状態を示す説明図であり、図１８（ｄ）は本発明の実施の形態１に係るズボンの変形例２の脇ポケット部を形成する袋布を身頃に縫付ける前の袋布の作製途中の構成であって、袋布の内面側を示して、一部のタック部の襞が中縫いで縫合されていることを説明するための説明図であり、図１８（ｅ）は本発明の実施の形態１に係るズボンの変形例２の脇ポケット部を形成する袋布を身頃に縫付ける前の袋布の作製途中の構成であって、タック部を形成し、一部のタック部の襞をコバステッチで縫合した状態を示す説明図である。
【図１９】図１９（ａ）は本発明の実施の形態１に係るズボンの変形例２の脇ポケット部を形成する袋布が身頃及びウエストベルト部に縫着された状態のウエストベルト部及びその周囲の構造をズボンの裏側から見て示す部分拡大展開図であり、図１９（ｂ）は本発明の実施の形態１に係るズボンの変形例２の脇ポケット部を形成する袋布が身頃及びウエストベルト部に縫着された状態のウエストベルト部及びその周囲の構造をズボンの裏側から見て示す部分拡大図である。
【図２０】図２０（ａ）は本発明の実施の形態１に係るズボンのウエスト周りが伸長する前の変形例２の脇ポケット部の状態を説明するために、ズボンの表側から見たウエスト部の部分拡大図であり、図２０（ｂ）は本発明の実施の形態１に係るズボンのウエスト周りが伸長した状態の変形例２の脇ポケット部の状態を説明するために、ズボンの表側から見たウエスト部の部分拡大図である。
【図２１】図２１は変形例３に係るズボンのウエスト周りを示す斜視図である。
【図２２】図２２は変形例３に係るズボンのウエスト周りを展開して裏側から見た展開図である。
【図２３】図２３は変形例３に係るズボンのウエストベルト部の構成を説明するための要部分解斜視図である。
【図２４】図２４（ａ）は変形例３に係るズボンの延出部の内面に裏地を取付ける説明図であり、図２４（ｂ）は本発明の実施の形態２に係るズボンの延出部の内面に対し、裏地の上端を延出部の上端部の外面側に縫付け、裏地の下端を延出部の下端部の外面側に縫付けた例の説明図であり、図２４（ｃ）は本発明の実施の形態２に係るズボンの延出部の内面に対し、裏地の上端を延出部の上端部の外面側に縫付け、裏地の下端を延出部の下端部の内面側に縫付けた例の説明図である。
【図２５】図２５は変形例４の腰裏ベルト部の構成を説明するためのウエストベルト部の要部分解斜視図である。
【図２６】図２６（ａ）は変形例４の腰裏ベルト部の表面側を弾性材の一部を展開した（捲った）状態で示した説明図であり、図２６（ｂ）は変形例４の腰裏ベルト部の裏面側を弾性材の一部を展開した（捲った）状態で示した説明図である。
【図２７】図２７は、脇ポケット部のその他の例として、Ｌ字形状の大ポケット部及び脇中間ポケット部を説明する説明図である。
【図２８】図２８（ａ）は、図２７に示したＬ字形状の大ポケット部及び脇中間ポケット部からなる脇ポケット部の構造を説明するために、ズボンの裏側から見て脇中間ポケット部を形成する袋布を一部捲った状態で示した説明図であり、図２８（ｂ）は、図２７に示したＬ字形状の大ポケット部及び脇中間ポケット部からなる脇ポケット部の構造をズボンの裏側から見て示す説明図である。
【発明を実施するための形態】
【００８２】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００８３】
［実施の形態１］
まず、本発明の実施の形態１に係るボトムスとしてのズボン１の概略構成について、図１を参照して説明する。
【００８４】
本実施の形態１に係るズボン１は、下半身を包む前身頃４Ｆ及び後身頃４Ｂと、それら前身頃４Ｆ及び後身頃４Ｂの上部に接続され着用時に人体のウエスト周りに位置するウエストベルト部１０とを有するものである。
【００８５】
また、本実施の形態１に係るズボン１は、着用時に人体のウエスト付近に位置するウエスト部Ｗにおいて、前身頃４Ｆ側であって左脇線ＬＳの近傍及び右脇線ＲＳの近傍に左右で一対の脇ポケット部２０を有している。
【００８６】
ここで、本実施の形態１に係るズボン１において、人体のウエスト方向の全長に沿って延びる帯状のウエストベルト部１０はカーブしている。即ち、図１（ａ）に示すように、前身頃４Ｆ及び後身頃４Ｂが縫合された左脇線ＬＳ及び右脇線ＲＳに沿って前身頃４Ｆ及び後身頃４Ｂを重ねた状態で、ウエストベルト部１０の正面側（前側）が前中心ＦＣ側から左脇線ＬＳ及び右脇線ＲＳの両脇側に向かって上昇する弧状に延びた曲線形状に形成されている。また、図１（ｂ）に示すように、ウエストベルト部１０の背面側（後側）も後中心ＢＣ側から左脇線ＬＳ及び右脇線ＲＳの両脇側に向かって上昇する弧状に延びた曲線形状に形成されている。
【００８７】
つまり、本実施の形態１のウエストベルト部１０は、その正面側（前側）では、上端（上辺）及び下端（下辺）が前中心ＦＣ側から左脇線ＬＳ及び右脇線ＲＳの両脇側に向かって上昇する曲線ラインを有し、背面側（後側）では、上端（上辺）及び下端（下辺）が後中心ＢＣ側から左脇線ＬＳ及び右脇線ＲＳの両脇側に向かって上昇する曲線ラインを有するカーブベルトであり、上端（上辺）よりも下端（下辺）のウエスト周りの長さが長くなっている。
勿論、ウエストベルト部１０の下部には前身頃４Ｆ及び後身頃４Ｂが縫合されているから、ウエストベルト部１０の下端は、それに接続した前身頃４Ｆ及び後身頃４Ｆの上端と共に、前中心ＦＣ側及び後中心ＢＣ側から左脇線ＬＳ及び右脇線ＲＳの両脇に向かって上昇する曲線状となっている。
【００８８】
なお、本実施の形態１のカーブしたウエストベルト部１０をズボン１の側面側からみると、図１（ｃ）及び図１（ｄ）に示すように、左脇線ＬＳ及び右脇線ＲＳ側から後中心ＢＣ側に向かって上昇する曲線形状に形成され、また、左脇線ＬＳ及び右脇線ＲＳ側から前中心ＦＣ側に向かっても僅かに上昇する曲線形状に形成されている。特に、左脇線ＬＳ及び右脇線ＲＳ側から前中心ＦＣ側に向かっては、僅かに上昇する緩いカーブ形状であるが、左脇線ＬＳ及び右脇線ＲＳ側から後中心ＢＣ側に向かっては、前中心ＦＣ側と比較して急な上昇のカーブ形状となっている。
【００８９】
因みに、左脇線ＬＳ、右脇線ＲＳとは、身頃部においては、前身頃４Ｆ及び後身頃４Ｂが縫合された縫い目であるが、ウエストベルト部１０においては、図１（ａ）及び図１（ｂ）に示したように、前身頃４Ｆ及び後身頃４Ｂが縫合された左脇線ＬＳ及び右脇線ＲＳに沿って前身頃４Ｆ及び後身頃４Ｂを重ねた状態で、前身頃４Ｆ及び後身頃４Ｂを接いだときの縫い目からウエストベルト部１０に延長した外形線を左脇線ＬＳ及び右脇線ＲＳとする。即ち、後述するように、本実施の形態１のウエストベルト部１０の表側及び裏側においては、別体である収容部１２及び延出部１１によって形成され、脇ポケット部２０の上部近傍で収容部１２及び延出部１１が重ねられた重ね合わせ部１３を有し、収容部１２及び延出部１１の境界が脇ポケット部２０の上部近傍に位置するが、左脇線ＬＳ、右脇線ＲＳは、それら収容部１２及び延出部１１の境界を示すものではなく、図１（ａ）及び図１（ｂ）に示したように、前身頃４Ｆ及び後身頃４Ｂを接いだときの縫い目に沿って前身頃４Ｆ及び後身頃４Ｂを重ねたときの延長でウエストベルト部１０の前側と後側を重ねたときの側部の外形線である。なお、ズボン１のデザイン、規格等によっては、収容部１２及び延出部１１の境界が左脇線ＬＳ及び右脇線ＲＳと一致させる場合もあるし、不一致とする場合もある。
【００９０】
ここで、このような曲線形状をなす本実施の形態１のウエストベルト部１０の構造について、主に、図２、図３、図５、図７を参照して、詳細に説明する。
図２及び図３に示すように、本実施の形態１において、ウエスト方向に延びる帯状、かつ、カーブ状のウエストベルト部１０は、ウエスト長を収容部１２と延出部１１に分割し、後身頃４Ｂに縫合わされる収容部１２と端部を除いて前身頃４Ｆに縫合わされる延出部１１とを脇線ＬＳ，ＲＳ近傍の各脇ポケット部２０の上方で重ね合わせて重ね合わせ部１３を形成している。
即ち、脇線ＬＳ，ＲＳ近傍で、収容部１２の端部に延出部１１の端部を挿入し収容することで、特に、延出部１１の前身頃４Ｆに縫着されない端部をウエストベルト部１０の表裏の意匠面側から隠れるように収容部１２内に入れることで、収容部１２及び延出部１１の重なりによる重ね合わせ部１３を形成し、このような収容部１２及び延出部１１によってウエストベルト部１０の表側及び裏側が形成されている。
【００９１】
そして、本実施の形態１のウエストベルト部１０においては、延出部１１の端部が収められた収容部１２の内部（内側）において、図５等に示すように、延出部１１の端部と収容部１２の内面側とが弾性材としての平ゴム１５Ｅで構成される接続部１５によって弾性的に接続されている。
【００９２】
このように、本実施の形態１では、ウエスト方向に延びる帯状のウエストベルト部１０を収容部１２及び延出部１１の別体で構成し、延出部１１の前身頃４Ｆに縫着しない端部側を収容部１２に挿入し、収容部１２に対し延出部１１が収容されている状態で収容部１２の内部において収容部１２及び延出部１１の間を平ゴム１５Ｅによって弾性的に接続していることで、平ゴム１５Ｅの弾性力により収容部１２から延出部１１を延出自在としている。
【００９３】
即ち、ウエストベルト部１０に引張り力が掛かった際には、図７等に示すように、平ゴム１５Ｅの伸長によって収容部１２から延出部１１が引き出されて延出し、ウエストベルト部１０が伸長する。そして、ウエスト周りを伸ばそうとする力が解除されると、平ゴム１５Ｅが弾性力によって元の本来の長さに戻るから、再び延出部１１が収容部１２内に収容される方向に移動し元の状態に戻る。
こうして、本実施の形態１では、カーブ状としたウエストベルト部１０を伸縮自在な構成としている。
【００９４】
このような本実施の形態１のウエストベルト部１０の伸縮自在な構造について、図４乃至図８を参照して、より具体的に説明する。
本実施の形態１では、収容部１２及び延出部１１は何れも前身頃４Ｆ及び後身頃４Ｂと共地（例えば、綿系、ポリエステル系、ウール系の生地等）で作製され、ウエストベルト部１０の表側の生地と裏側の生地の両者をウエストベルト部１０の上端側で接続している構成である。
【００９５】
即ち、本実施の形態１では、ズボン１の外観側となるウエストベルト部１０の表側（外側）を形成する延出部表ベルト１１Ｆの布地、及び、身体が挿入される側となるウエストベルト部１０の裏側（内側）を形成する延出部裏ベルト１１Ｂの布地は、共に身頃４Ｆ，４Ｂと共地とし、延出部表ベルト１１Ｆ及び延出部裏ベルト１１Ｂの両者を上側で接いで延出部１１を構成している。また、ウエストベルト部１０の表側（外側）を形成する収容部表ベルト１２Ｆの布地及びウエストベルト部１０の裏側（内側）を形成する収容部裏ベルト１２Ｂの布地も共に身頃４Ｆ，４Ｂと共地とし、収容部表ベルト１２Ｆ及び収容部裏ベルト１２Ｂの両者を上側で接いで収容部１２を構成している。
【００９６】
詳しくは、ウエストベルト部１０の表側及び裏側を構成する収容部１２は、身頃４Ｆ，４Ｂと共地からなりカーブ状に切り出された所定幅の収容部表ベルト１２Ｆ及び収容部裏ベルト１２Ｂの布地の各上下端部が内折りされ、折り返した上端部の折り目に沿ってまたはその近傍で収容部表ベルト１２Ｆ及び収容部裏ベルト１２Ｂの両者が縫合線６２Ａにて縫合わされている（図５等参照）。また、収容部表ベルト１２Ｆの下側は、その折り返した下端部の折り目に沿ってまたはその近傍で後身頃４Ｂの上端部に縫合線６２Ｃにて縫合わされ、収容部表ベルト１２Ｆに対応する収容部裏ベルト１２Ｂの下側もその折り返した下端部の折り目の近傍で後身頃４Ｂの上端部に縫合線６２Ｂにて縫合わされている（図５及び図６参照）。なお、縫合線６２Ｃと縫合線６２Ｂは、通常、統一されるが、収容部裏ベルト１２Ｂの下側は、後身頃４Ｂに対しウエスト方向の数箇所の部分的な縫付けであってもよい。
【００９７】
このとき収容部表ベルト１２Ｆや収容部裏ベルト１２Ｂの布地の内面（裏面）には、接着芯等の芯材としてのソフト芯やハード芯がアイロンプレス等によって貼付けられる。本実施の形態１では、ハード芯ＨＣが収容部表ベルト１２Ｆ及び収容部裏ベルト１２Ｂの布地において折り返しのない中央部分に貼付けられている。また、必要に応じで、ソフト芯が収容部表ベルト１２Ｆや収容部裏ベルト１２Ｂの布地の上端部や下端部の折り返し部分に貼付けられる。更に、必要に応じ、収容部１２に入れられる延出部１１の滑りを良くするために、延出部１１が挿入される収容部１２の端部（開口側）の内面においてソフト芯やハード芯の上に、伸縮性を有しない生地、例えば、ポリエステル系生地等からなる接着布、裏地等を、アイロンプレス等によって貼付けることもある。
【００９８】
即ち、本実施の形態１では、収容部表ベルト１２Ｆ及び収容部裏ベルト１２Ｂの布地のそれぞれに対し、所定の曲率及び幅でカーブ状に切り出されたハード芯ＨＣが貼付けられ、そのカーブしたハード芯ＨＣの形状に沿って収容部表ベルト１２Ｆや収容部裏ベルト１２Ｂの布地の上下端部を内折りすることで、収容部表ベルト１２Ｆ及び収容部裏ベルト１２Ｂがウエスト周方向で均一な幅となるようにその幅が設定され、収容部表ベルト１２Ｆ及び収容部裏ベルト１２の両者がそれらの上方で縫合線６２Ａにて接がれ、また、下方で後身頃４Ｂと縫合され、それら収容部表ベルト１２Ｆ及び収容部裏ベルト１２によって、帯状をなす曲線形状の収容部１２を形成している。
【００９９】
また、ウエストベルト部１０を構成する延出部１１についても、身頃４Ｆ，４Ｂと共地からなりカーブ状に切り出された所定幅の延出部表ベルト１１Ｆ及び延出部裏ベルト１１Ｂの布地の各上下端部が内折りされ、折り返した上端部の折り目に沿ってまたはその近傍で延出部表ベルト１１Ｆ及び延出部裏ベルト１１Ｂの両者が縫合線６１Ａにて縫合わされている（図４乃至図６参照）。更に、延出部表ベルト１１Ｆの下側は、収容部１２に挿入される先端部１１ｔを除いて、前身頃４Ｆ及び後述するポケットの袋布２１の一部に縫合線６１Ｃにて縫合わされ、それに対応する延出部裏ベルト１１Ｂの下側も、収容部１２に挿入される先端部１１ｔ側の一部を除いて前身頃４Ｆ及び後述するポケットの袋布２１の一部に縫合線６１Ｂにて縫合わされている（図５及び図６参照）。なお、縫合線６１Ｃと縫合線６１Ｂも、通常、統一されるが、延出部裏ベルト１１Ｂの下側は、前身頃４Ｆに対しウエスト方向の数箇所の部分的な縫付けであってもよい。
一方で、収容部１２内に挿入される延出部１１の先端部１１ｔは、前身頃４Ｆの上端部と縫合わされず自由な状態になっている。これより、図７及び図８に示すように、収容部１２に入れられた延出部１１の先端部１１ｔは、収容部１２から延出自在、つまり、ウエスト方向に相対移動自在とされる。
【０１００】
そして、収容部１２と同様、延出部１１についても、延出部表ベルト１１Ｆや延出部裏ベルト１１Ｂの布地の内面（裏面）には、接着芯等の芯材としてのソフト芯やハード芯がアイロンプレス等で貼付けられる。本実施の形態１では、ハード芯ＨＣが延出部表ベルト１１Ｆ及び延出部裏ベルト１１Ｂの布地において折り返しのない中央部分に貼付けられている。また、必要に応じて、ソフト芯が延出部表ベルト１１Ｆや延出部裏ベルト１１Ｂの布地の上端部や下端部の折り返し部分に貼付けられる。
【０１０１】
ここで、本実施の形態１において、図４乃至図８で示したように、延出部表ベルト１１Ｆ及び延出部裏ベルト１１Ｂからなる延出部１１は、収容部１２に対して摺動し易いように、前身頃４Ｆに縫着されない先端部１１ｔにおいて、その先端側に向かって徐々に幅を細くしている。詳細には、本実施の形態１の延出部１１の収容部１２に挿入される先端部１１ｔでは、その上端が先端１１ｅに向かって緩やかに上昇するラインである一方で、下端は上端よりも急な傾斜で先端に向かって上昇するラインである。一方、延出部１１の収容部１２に挿入される先端部１１ｔを除いては、収容部１２と同様に延出部１１の延出部表ベルト１１Ｆ及び延出部裏ベルト１１Ｂがウエスト周方向で均一な幅となるようにその幅が設定されている。
【０１０２】
即ち、本実施の形態１では、延出部表ベルト１１Ｆ及び延出部裏ベルト１１Ｂの布地のそれぞれに対し、所定の曲率及び幅でカーブ状に切り出されたハード芯ＨＣが貼付けられ、そのカーブしたハード芯ＨＣの形状に沿って延出部表ベルト１１Ｆや延出部裏ベルト１１Ｂの布地の上下端部を内折りすることで、収容部１２に挿入される先端部１１ｔを除いては、延出部表ベルト１１Ｆ及び延出部裏ベルト１１Ｂがウエスト方向に均一な幅となるようにその幅が設定され、また、収容部１２に挿入される先端部１１ｔでは、その端に向かって徐々に幅が細くなるように延出部表ベルト１１Ｆ及び延出部裏ベルト１１Ｂの幅が設定されている。これら延出部表ベルト１１Ｆ及び延出部裏ベルト１１Ｂは、両者がそれらの上方で縫合線６１Ａにて接がれ、また、下方で前身頃４Ｆと縫合され、それら延出部表ベルト１１Ｆ及び延出部裏ベルト１１Ｂによって、帯状をなす曲線形状の延出部１１を形成している。
なお、ウエストベルト部１０の表側のベルト縦幅は、例えば、３ｃｍ〜５ｃｍ程度である。
【０１０３】
そして、本実施の形態１のウエストベルト部１０の表側及び裏側を構成するこれら収容部１２と延出部１１は、延出部１１の前身頃４Ｂに縫着されていない先端部１１ｔが収容部１２内に挿入されて収容され、収容部１２及び延出部１１が重なる重ね合わせ部１３（図２、図３、図６等参照）を形成している。
【０１０４】
ここで、本実施の形態１において、ウエストベルト部１０の表側及び裏側を構成する収容部１２は、後身頃４Ｂの上端部に接続して、着用時に人の胴体の後ろ側、即ち、人体の背面、臀部側から脇側（側部側）の範囲に位置するものであり、延出部１１が延出する収容部１２の端１２ｅは、各脇ポケット部２０の上方に位置し、左脇線ＬＳ及び右脇線ＲＳの付近にある。
このような本実施の形態１の収容部１２は、図１（ａ）及び図（ｂ）に示したように、左脇線ＬＳ及び右脇線ＲＳに沿って前身頃４Ｆ及び後身頃４Ｂを重ねた状態で、背面側から見たときに、後中心ＢＣ側から左脇線ＬＳ及び右脇線ＲＳ側、即ち、延出部１１が挿入される端１２ｅ側に向かって上昇する曲線形状に形成される。図１（ｃ）及び図１（ｄ）に示したように、ズボン１の側面側から見たときには、左脇線ＬＳ及び右脇線ＲＳ側、即ち、延出部１１が挿入される端１２ｅ側から、後中心ＢＣ側に向かって上昇する曲線形状である。
【０１０５】
一方、ウエストベルト部１０の表側及び裏側を構成する延出部１１は、人の胴体の前側、即ち、人体の腹部側から脇側（側部側）の範囲に位置するものであり、延出部１１の先端部１１ｔは左脇線ＬＳ及び右脇線ＲＳの付近で収容部１２の端１２ｅ側に挿入される。
このような本実施の形態１の延出部１１は、図１（ａ）に示したように、左脇線ＬＳ及び右脇線ＲＳに沿って前身頃４Ｆ及び後身頃４Ｂを重ねた状態で、正面側から見たときに、前中心ＦＣ側から左脇線ＬＳ及び右脇線ＲＳ側、即ち、収容部１２に挿入される側に向かって上昇する曲線形状に形成される。
【０１０６】
このとき、本実施の形態１では、延出部１１が挿入される側の収容部１２の端１２ｅは、脇線ＬＳ，ＲＳの近傍で僅かにウエストベルト部１０の前側（例えば、脇線ＬＳ，ＲＳから１ｃｍ〜２ｃｍ程度前中心ＦＣ側）に位置している。
一方、収容部１２に挿入される延出部１１の端部１１ｔは、脇線ＬＳ，ＲＳの近傍であるが、収容部１２に深く挿入されて、その端部１１ｔの先端１１ｅは、ウエストベルト部１０の後側の深い位置（例えば、脇線ＬＳ，ＲＳから４ｃｍ〜１０ｃｍ程度後中心ＢＣ側）まで挿入される。
【０１０７】
このため、本実施の形態１の延出部１１について、図５乃至図７等で示したように、ズボン１の側面側から見たとき、収容部１２に挿入されない範囲では、収容部１２の開口している端１２ｅ側から前中心ＦＣ側に向かって僅かに上昇する曲線形状とし、一方、収容部１２に重ね合わせられる先端部１１ｔでは、その先端１１ｅが収容部１２に深く挿入され後中心ＢＣ側に近づくから、収容部１２のカーブ形状に対応し、収容部１２の開口している端１２ｅ側から延出部１１の先端１１ｅ側に向かって上昇する曲線形状としている。
即ち、収容部１２に重ね合わせられる延出部１１の先端部１１ｔでは、収容部１２の形状が、上述したように、延出部１１が挿入される端１２ｅ側から、後中心ＢＣ側に向かって上昇する曲線形状であるから、その収容部１２の形状に対応し、収容部１２の開口端１２ｅ側から延出部１１の先端１１ｅ側に向かって上昇する曲線形状に形成されている。
【０１０８】
したがって、ウエストベルト部１０の表側及び裏側を形成している延出部１１の全体形状は、図４（ｂ）及び図８（ａ）等に示したように、下方に凸状に湾曲する曲線形状に近く、特に、延出部１１の前中心ＦＣ側に向かっては、僅かに上昇する緩いカーブ形状であるが、収容部１２に挿入される先端１１ｅ側に向かっては、前中心ＦＣ側と比較して急な上昇の曲線形状である。なお、図８（ａ）においては、後述する伸び止め材１６については省略している。
【０１０９】
そして、本実施の形態１のウエストベルト部１０では、このように所定のカーブ状に形成された収容部１２と延出部１１は、図５乃至図７に示したように、収容部１２の内部（内面側）において、それらの間が所定長さの平ゴム１５Ｅからなる接続部１５によって接続されている。
平ゴム１５Ｅとしては、例えば、織ゴム、編ゴム、コールゴム、ゴムテープ等が使用される。平ゴム１５Ｅには、例えば、１５ｍｍ〜３０ｍｍの範囲内、好ましくは、２３ｍｍ〜２８ｍｍの範囲内のゴム幅のものが用いられ、その全体長さが、例えば、５ｃｍ〜１０ｃｍ、好ましくは、６ｃｍ〜８ｃｍの範囲内のものが用いられるが、このゴムの幅及び全長は弾性力、コスト等に応じて設定できる。
【０１１０】
本実施の形態１において、平ゴム１５Ｅは、その長さ方向の一端部側を延出部１１の先端１１ｅ付近であって延出部１１を構成する延出部表ベルト１１Ｆの上部の内折りする内面側に縫付線５１にて縫付け、また、反対側の他端部側を収容部１２を構成する収容部表ベルト１１Ｆの折り返しのない内面側に縫付線５２にて縫付けることで、収容部１２と延出部１１の間を接続している。なお、平ゴム１５の延出部１１側とは反対側の他端は、収容部１２に深く入り込んで後中心ＢＣ寄りであり、収容部１２の端１２ｅから遠く離れた位置で縫付けられている。
【０１１１】
このとき、本実施の形態１では、延出部１１の先端１１ｅ側に縫付ける平ゴム１５Ｅの一端部側は、後述する帯状の伸び止め材１６の一方の端部側と共に、延出部表ベルト１１Ｆと延出部裏ベルト１１Ｂの間に挟まれて縫付線５１にて縫付けられている。この縫付線５１は、縫付強度を確保できれば、１本であってもよいし、２本以上としてもよいが、少なくとも１本の縫付線は、延出部表ベルト１１Ｆと延出部裏ベルト１１Ｂを貫通する縫い目としている。また、平ゴム１５Ｅの反対側の他端部側も、後述する帯状の伸び止め材１６の他方の端部側と共に、収容部表ベルト１１Ｆに対しその表裏を貫通する縫い目の縫付線５２にて縫付けられている。この縫付線５２も、縫付強度を確保できれば、１本であってもよいし、２本以上としてもよい。
【０１１２】
ここで、上述したように、本実施の形態１のウエストベルト部１０はカーブ形状であり、ズボン１の側面側から見たときに、ウエストベルト部１０を構成する延出部１１の収容部１２の挿入される先端部１１ｔでは、収容部１２の端１２ｅ側から延出部１１の先端１１ｅ側に向かって上昇する曲線形状であるから（図５乃至図７参照）、まず、その所定のカーブ形状の延出部１１の先端部１１ｔ側に直線状の平ゴム１５Ｅを縫付線５１にて縫付けると、図４及び図８（ａ）の上段に示すように、平ゴム１５Ｅは延出部１１に縫付けた一端部側から反対側の他端部側に向かって上昇するラインとなる。即ち、図４及び図８（ａ）の上段に示すように、平ゴム１５Ｅは、その長さ方向において、延出部１１側に縫付けた一端側よりも未縫着の反対側の他端側が高位置となる。
【０１１３】
ところが、この状態の平ゴム１５Ｅの反対側の他端部を収容部１２の所定の深さで収容部１２の内部に縫付線５２にて縫付けようとすると、平ゴム１５Ｅの上端が収容部１２の上端に当接しやすく、平ゴム１５Ｅの弾性力によるスムースな動き及び所定の伸びを確保することができない。
そこで、平ゴム１５Ｅの上端が収容部１２の上端に当接して滑りが悪くならいように、図８（ａ）の中段に示したように、延出部１１に縫付けた平ゴム１５Ｅの反対側の他端部を収容部１２の内部に縫付ける際には、平ゴム１５Ｅの延出部１１側とは反対側の他端部を幾分下方に下げて収容部１２の内面に縫付線５２にて縫付けることになる。
【０１１４】
即ち、平ゴム１５Ｅは、その長さ方向において、収容部１２側に縫付ける他端部側を、延出部１１側に縫付けた一端部側と高さが略同等の位置となるように、或いは、延出部１１側に縫付けた一端部側よりも低位置となるように、収容部１２の内面に縫付線５２にて縫付けることになる。例えば、ウエストベルト部１０のカーブの曲率にもよるが、縫製の分かり易さからすると、収容部表ベルト１２Ｆの折り返しのない中央部分において、図８（ａ）の中段に示したように、収容部表ベルト１２Ｆの幅方向の中間位置への縫付けであれば縫製に不慣れな作業者でも縫製が分かりやすく作業効率が良好である。そして、この収容部表ベルト１２Ｆの幅方向の中間位置へ平ゴム１５Ｅを縫付けるとなると、図８（ａ）の中段に示したように、収容部１２側に縫付ける他端部側は延出部１１側に縫付けた一端部側よりも低位置となる。即ち、収容部１２の内面において、平ゴム１５Ｅは、延出部１１側に縫付けた一端部側よりも収容部１２側に縫付けた他端部側の方が低位置となり、収容部１２の内面に縫付けた一方の端部側から延出部１１に縫付けた反対の端部側に向かって斜めに上昇する挿入状態となる。
【０１１５】
このとき、図８（ａ）の上段に示した延出部１１に縫付線５１にて縫付けた平ゴム１５Ｅは、延出部１１側とは反対側の他端部側が延出部１１側の一端部側の高さ位置と略同等或いはそれよりも低位置となるように、図８（ａ）の中段に示すように、平ゴム１５Ｅの他端部側を下方に落として収容部１２の内面に縫付線５２にて縫付けることになるため、収容部１２及び延出部１１に縫着した平ゴム１５Ｅは、その下方で浮き、弛み、歪み、撚れ等が生じることになる。即ち、収容部１２及び延出部１１に縫着した平ゴム１５Ｅは、その上方側でテンションが高く、下方でテンションが低い状態となる。
【０１１６】
ここで、収容部１２及び延出部１１の間に縫着した平ゴム１５Ｅの上方側のテンションが高く、下方のテンションが低い状態にあると、つまり、上方と下方で張力に差があると、ウエストベルト部１０に引張り力が掛かり平ゴム１５Ｅが伸びたときに、平ゴム１５Ｅの延出部１１側が下がり、平ゴム１５Ｅの延出部１１側に縫付けた一端部側が下方に落ちやすくなる。そして、平ゴム１５Ｅの延出部１１側に縫付けた一端部側が下方に落ちると、平ゴム１５Ｅが縫付けられた延出部１１が、収容部１２から抜き出た際に下方へ下がり、収容部１２と延出部１１の間に大きな段差が生じて見栄え、外観性が大きく損なわれてしまう。
【０１１７】
特に、延出部１１は、収容部１２に対して摺動しやすいように、収容部１２に挿入される先端部１１ｔにおいて、平ゴム１５Ｅが縫付けられた先端１１ｅ側に向かってその下端側を上端側よりも急な傾きで上昇させることによって、幅を細くしているから、それによっても、ウエストベルト部１０に引張り力が掛かり収容部１２から延出部１１が引き出される際に、平ゴム１５Ｅが下方へ下がりやすいものとなっている。また、延出部１１は、収容部１２に挿入される先端部１１ｔが、その先端１１ｅ側に向かって上昇するカーブ形状、換言すれば、先端１１ｅ側から延出部１１が引き出される方向に向かって下降するカーブ形状である。このため、収容部１２の開口端１２ｅから延出部１１が引き出されたときに、延出部１１が見た目に大きく下降しやすい。
【０１１８】
そこで、本実施の形態１では、図５及び図８（ａ）に示したように、延出部１１と収容部１２間を接続する平ゴム１５Ｅにおいて、その長さ方向の一端部側を延出部１１に縫付けるときの縫付線５１は、平ゴム１５Ｅの幅方向に並行する直線とする一方、反対側の他端部側を収容部１２に縫付けるときの縫付線５２は、平ゴム１５Ｅの幅方向の下端から上端に向かい延出部１１側に傾く斜めとした。これより、平ゴム１５Ｅは、その下端で、縫付線５１と縫付線５２の間の長さが最も長く、その上端で、縫付線５１と縫付線５２の間の長さが最も短くなる。
【０１１９】
ここで、平ゴム１５Ｅの上端の伸縮自在な長さは、縫付線５１の上端と縫付線５２の上端の間のゴム長さ（距離）ＬAであり、平ゴム１５Ｅの下端の伸縮自在な長さは、縫付線５１の下端と縫付線５２の下端の間のゴム長さ（距離）ＬBであるから、平ゴム１５Ｅの上端の縫付線５１と縫付線５２の間の長さが最も短いとは、平ゴム１５Ｅの上端の伸縮自在な長さＬAが最も短いことを意味し、平ゴム１５Ｅの下端の縫付線５１と縫付線５２の間の長さが最も長いとは、平ゴム１５Ｅの下端の伸縮自在な長さＬBが最も長いことを意味する。
【０１２０】
つまり、本実施の形態１では、延出部１１と収容部１２の間で縫着した平ゴム１５Ｅの伸縮自在な長さを、その下端から上端に向かって短くしている。換言すると、延出部１１と収容部１２の間で縫着した平ゴム１５Ｅの伸縮自在な長さは、その上端から下端に向かって長くなっている。これより、平ゴム１５Ｅの下方がその上方よりも長く伸びる分、平ゴム１５Ｅの下方にテンションが掛かり易くなり、平ゴム１５Ｅが伸びたときの上方と下方のテンションの差を小さくできる。よって、平ゴム１５Ｅの延出部１１側に縫付けた一端部側を下方に落ち難くでき、平ゴム１５Ｅの伸び方向が延出部１１と収容部１２間で縫着した平ゴム１５Ｅの未伸長状態での長さ方向になる直線運動に近づく。したがって、平ゴム１５Ｅが縫付けられた延出部１１が、収容部１２から抜き出た際に下方へ下がり難く、収容部１２と延出部１１の間の段差が目立たずに、ウエストベルト部１０の見栄えが維持される。特に、本発明者らの実験研究によれば、縫付線５１の下端と縫付線５２の下端の間のゴム長さ（距離）ＬBは、縫付線５１の上端と縫付線５２の上端の間のゴム長さ（距離）ＬAの１．０５倍〜１．５倍の範囲内とするのが好ましく、より好ましくは、１．１倍〜１．３倍の範囲内である。
【０１２１】
更に、本実施の形態１においては、下方寄り、中央側、または上方寄りかによる張力差の大きさの相違がゴムの落ちに表れ難く、平ゴム１５Ｅの縫付位置の誤差による延出部１１と収容部１２の段差のバラつきが生じ難い。即ち、平ゴム１５Ｅの縫付位置に高い精度が要求されず、熟練者による縫製でなくとも一定の品質及び信頼性を確保できる。
【０１２２】
こうして、本実施の形態１のウエストベルト部１０においては、収容部１２の内部で収容部１２及び延出部１１を接続する弾性材としての平ゴム１５Ｅは、その上端から下端に向かって伸縮自在な長さを長くしていることによって、ウエストベルト部１０に引張り力が掛かった際に、平ゴム１５Ｅは、上端から下端に向かって長く伸びるから、ゴムの伸びによる張力を下方から上方に向かって小さくできる。
【０１２３】
したがって、平ゴム１５Ｅの下方から上方に向かってテンションが掛かりやすい縫着であっても、ゴムの伸びによる張力は下方から上方に向かって小さくすることで、上方と下方の張力差を小さくしバランスさせることができる。故に、張力差によるゴムの降下、変形を抑えることが可能となる。
【０１２４】
即ち、平ゴム１５Ｅの一端側を、先端１１ｅに向かって上昇するカーブ形状の延出部１１の先端部１１ｔ側に縫付け、平ゴム１５Ｅの反対側の他端側を、端部１２ｅ側から後中心ＢＣ側に向かって上昇するカーブ形状の収容部１２の内部に縫付けたときに、接続部１５の下方から上方に向かってテンションが掛かりやすい縫着となっても、ウエストベルト部１０に引張り力が掛かった際に、ゴムの伸びによる張力を下方から上方に向かって小さくできることで、上方と下方の張力差を小さくして、平ゴム１５Ｅが上に凸に湾曲したカーブ状に伸び難く、延出部１１側に下降し難い直線運動に近い伸びとなり、ゴムの延出部１１側が下方に下がり難くなる。
【０１２５】
よって、本実施の形態１のズボン１によれば、ウエストベルト部１０をカーブさせていても、ウエストベルト部１０の収容部１２及び延出部１１を弾性的に接続する接続部１５の平ゴム１５Ｅの上端から下端に向かって伸縮自在な長さを長くしていることで、ウエストベルト部１０に引張り力が掛かった際でも、平ゴム１５Ｅの下方と上方の張力差が小さくて、平ゴム１５Ｅが上に凸に湾曲したカーブ状に伸び難く、延出部１１側に下降し難い直線運動に近い伸びとなる。
故に、ウエストベルト部１０に引張り力が掛かり収容部１２から延出部１１が引き出される際でも、カーブしている延出部１１が下方へ下がり難いから、収容部１２と延出部１１の間に段差が生じ難く、見栄えのよいウエスト周りとなる。
【０１２６】
ところで、本実施の形態１では、平ゴム１５Ｅに対しては、平ゴム１５Ｅの厚さよりも薄い非伸縮性の生地、例えば、リボンテープ等からなる帯状の伸び止め材１６を縫着しており、この伸び止め材１６によって平ゴム１５Ｅの最大の伸び長さを規定している。即ち、平ゴム１５Ｅの最大伸びに相当する長さだけ弛ませて伸び止め材１６が平ゴム１５Ｅに並設して縫着されている。
【０１２７】
伸び止め材１６としては、平ゴム１５Ｅの伸びを規定する役割からすれば、伸縮性に乏しく、適度な強度を有する生地が好適であり、更に、平ゴム１５Ｅよりも厚みが薄いと嵩を抑制できる点で好ましく、例えば、スレーキ生地や、リボンテープや、ポリエステル系、ナイロン系、レーヨン系、綿等からなる生地等が使用できる。
【０１２８】
本実施の形態１において、この伸び止め材１６は、その長手方向の一端部側が、収容部１２内に挿入される延出部１１の先端部１１ｔ側に平ゴム１５Ｅを縫付けるときの縫付線５１にて、延出部１１と共に平ゴム１５Ｅの一端部側に縫付けられている。また、伸び止め材１６の延出部１１側とは反対側の他端部側は、平ゴム１５Ｅを収容部表ベルト１２Ｆに縫付けるときの縫付線５２にて、収容部表ベルト１２Ｆと共に平ゴム１５Ｅの他端部側に縫付けられている。このように本実施の形態１において、帯状の伸び止め材１６は、平ゴム１５Ｅに対しその両端部側に縫付線５１、縫付線５２にて縫付けている。
【０１２９】
このとき、伸び止め材１６は、平ゴム１５Ｅの伸びを許容する分だけ、即ち、平ゴム１５Ｅの伸びる許容範囲の長さ（例えば、１．５ｃｍ〜５ｃｍ）だけ弛ませ平ゴム１５Ｅの両端部側に縫付線５１，縫付線５２にて縫付けている。なお、平ゴム１５Ｅの最大伸びに相当する長さだけ弛ませて平ゴム１５Ｅに縫付けている伸び止め材１６は縫付線５１及び縫付線５２間の弛みを折畳む折り目の形成により、嵩張りを少なくできる。
【０１３０】
これにより、平ゴム１５Ｅに引張り力が掛かっても、この伸び止め材１６が縫付線５１及び縫付線５２間で弛ませている（折畳まれている）長さまでしか平ゴム１５Ｅが伸びることのないようにし、平ゴム１５Ｅの過度の伸びを防止している。即ち、伸び止め材１６によって平ゴム１５Ｅに無理な引張り力が掛かるのを防止するから、平ゴム１５Ｅを長持ちさせることができる。
なお、図５等において、伸び止め材１６は、平ゴム１５Ｅの表裏面のうち収容部表ベルト１２Ｆ側とは反対面側、即ち、収容部裏ベルト１２Ｂ側に取付けられているが、本発明を実施する場合には、収容部表ベルト１２Ｆ側に取付けてもよい。
【０１３１】
こうして、本実施の形態１のカーブ状としたウエストベルト部１０では、平ゴム１５Ｅが延出部１１の先端部１１ｔ側に接続すると共に、収容部１２の内部に接続し、平ゴム１５Ｅによって収容部１２と延出部１１の間が弾性的に接続されていることによって、ウエストベルト部１０に引張り力が掛かった際には、平ゴム１５Ｅの弾性力により収容部１２に挿入された延出部１１を、ウエスト方向に延出自在、即ち、相対移動自在とする。つまり、収容部１２と延出部１１の間を接続した平ゴム１５Ｅの弾性力により、ウエストベルト部１０を伸縮自在としている。
【０１３２】
このとき、本実施の形態１では、平ゴム１５Ｅの本来の長さよりも長くて伸縮性のない生地からなる帯状の伸び止め材１６が折畳まれてまたは弛んだ状態で平ゴム１５Ｅの両端部に対して縫付けられているため、ウエストベルト部１０に引張り力がかかった際には、伸び止め材１６が折畳まれていた長さまたは弛ませていた長さ（縫付線５１及び縫付線５２の間で平ゴム１５Ｅに接続する伸び止め材１６の接続長さ）までしか平ゴム１５Ｅが伸びることができないようになっている。即ち、平ゴム１５Ｅに並設して取付けた伸び止め材１６によって、平ゴム１５Ｅの伸びの限界が規定されている。
【０１３３】
したがって、本実施の形態１のズボン１においては、平ゴム１５Ｅに無理な引張り力が掛かり平ゴム１５Ｅが過度に伸びてしまう事態を防止して、ゴムを長持ちさせることができる。そして、平ゴム１５Ｅの最大の伸びが伸び止め材１６で規制されると、平ゴム１５Ｅに過剰な張力が加わって収容部１２から抜き出る延出部１１が下方に落ちて見栄えが低下する事態を防止でき、長期の使用によってもゴムのヘタリ、破れが生じ難いものとなる。更に、ウエストベルト部１０が伸縮する布地で形成されていても、特定の伸縮性に設定できる。また、このように平ゴム１５Ｅにその最大伸びを特定する伸び止め材１６を並設していることで、収容部１２及び延出部１１の重ね合わせ部１３に過度な張力が加えられないようにその伸び長さを制限できることから、重ね合わせ部１３の見栄えを維持することもできる。
【０１３４】
なお、本実施の形態１では、伸び止め材１６の両端部を平ゴム１５Ｅの両端部に縫付ける構成としているが、本発明を実施する場合には、伸び止め材１６を長くし、その長くした伸び止め材１６を上平ゴム１５Ｅの最大伸びに相当する長さだけ弛ませて平ゴム１５Ｅの長さ方向の両端側に縫付け、更に、平ゴム１５Ｅの一端または両端よりも突出させて延出部１１や収容部１２の内部に縫付けるようにしてもよい。この場合には、平ゴム１５Ｅを収容部表ベルト１２Ｆや延出部１１に直接縫い付けず、伸び止め材１６を収容部表ベルト１２Ｆや延出部１１に縫付けることで、平ゴム１５Ｅが収容部表ベルト１２Ｆや延出部１１に対し伸び止め材１６を介して接続する構成となる。このような構成によって、収容部１２及び延出部１１の間を平ゴム１５Ｅによって弾性的に接続する接続部１５を形成してもよい。
【０１３５】
例えば、伸び止め材１６の端部の一方を平ゴム１５Ｅの一方の端部に縫付け、また、伸び止め材１６の途中に平ゴム１５Ｅの端部の他方を縫付け、そして、伸び止め材１６の端部の他方を、収容部表ベルト布１２Ｆの内面に縫付ける構成では、伸び止め材１６の端部の他方を、収容部表ベルト布１２Ｆの内面に縫付けるときの縫付線を収容部１２の開口端１２ｅ側からより離れた遠い位置に持ってくることができる。このため、後述するように、収容部表ベルト布１２Ｆの内面に縫付けるときの縫付線をベルト通し５Ａで隠す場合には、隣り合ったベルト通し５の間隔を長くすることができるようになり、ベルト通しの配置数を少なくすることが可能となる。
【０１３６】
しかし、本発明を実施する場合、伸び止め材１６については省略することも可能である。伸び止め材１６を省略した場合には、例えば、脇ポケット部２０を構成する袋布２１のタック部２２の展開量によって、平ゴム１５Ｅの最大の伸び長さを特定することも可能である。
【０１３７】
ところで、本実施の形態１のズボン１において、延出部１１の先端部１１ｔ側に伸び止め材１６と共に平ゴム１５Ｅを縫付けたときの縫付線５１は、延出部１１の先端が収容部１２内に収容されるため、ズボン１の表側及び裏側の意匠面側からは見えない。
しかしながら、平ゴム１５Ｅを伸び止め材１６と共に収容部表ベルト１２Ｆに縫付けたときの縫付線５２は収容部表ベルト１２Ｆの表裏面を貫通しズボン１の表側に出ることとなる。
【０１３８】
そこで、本発明を実施する場合には、美観を向上させるために、図２で示すように、ウエストベルト部１０の表側で縫付線５２及び縫付線５２をベルト通し５Ａで隠すようにすることも可能である。また、このようなベルト通し５は、図２で示すように、例えば、ウエストベルト部１０の表側で、延出部１１が延出される収容部１２の開口端１２ｅを覆い隠すように収容部１２の表側の開口端１２ｅ縁にも取付けると、ウエストベルト部１０の見栄えや美感を向上させることができる。勿論、図２で示すように、ズボン１のウエストベルト部１０の正面側及び背面側にも、同様のベルト通し５が適当な間隔をとって取付けられる。なお、図２以外の図面においては、ベルト通し５，５Ａを省略している。
【０１３９】
また、本実施の形態１では、平ゴム１５Ｅの延出部１１側とは反対側の他端部を収容部１２の収容部表ベルト１２Ｆの内面（裏面）側に縫付けている。このように、平ゴム１５Ｅを収容部表ベルト１２Ｆの内面（裏面）側に縫付ける場合には、平ゴム１５Ｅの面方向と並行方向への縫付けであるから、縫製に不慣れな熟練者にもその縫付けが分かりやすく、熟練の有無に関わらず、正確な縫製が容易にでき作業効率も良好となる。
【０１４０】
しかし、本発明を実施する場合には、図１０に示すように、平ゴム１５Ｅの延出部１１側とは反対側の他端部を、収容部１２の収容部裏ベルト１２Ｂの内面（裏面）側に縫付線５２及び縫付線５２にて縫付けてもよい。図１０に示すように、平ゴム１５Ｅを収容部裏ベルト１２Ｂの内面側に縫付けても、収容部表ベルト１２Ｆの内面側に縫付けたときと同様に、ウエストベルト部１０に引張り力が掛かった際に収容部１２から抜き出る延出部１１が下方に落ち難くなる効果は得られる。
【０１４１】
特に、平ゴム１５Ｅを収容部裏ベルト１２Ｂの内面側に縫付けると、平ゴム１５Ｅを収容部１２に縫付けるときの縫付線５２及び縫付線５２は、収容部１２の表側から見えなくなるから、婦人用のスカート等のベルト通しを設けないボトムスであっても、見栄え、美感を維持できる。
なお、図１０において、伸び止め材１６は、平ゴム１５Ｅの表裏面のうちの収容部裏ベルト１２Ｂ側に取付けられているが、勿論、収容部裏ベルト１２Ｂ側とは反対面側の収容部表ベルト１２Ｆ側に取付けてもよい。
【０１４２】
次に、ウエストベルト部１０の周辺の構造について詳細を説明する。
上述したように、本実施の形態１のウエストベルト部１０は、後身頃４Ｂ側に縫合した収容部１２の内部に前身頃４Ｆ側に縫合した延出部１１の先端部１１ｔが挿入されてウエスト周りが形成され、収容部１２の内部において平ゴム１５Ｅにより収容部１２と延出部１１の間が接続されている構成である。
【０１４３】
ここで、図７等に示したように、本実施の形態１のズボン１において、カーブ状に形成したウエストベルト部１０の収容部１２及び延出部１１は、両脇の脇線ＬＳ，ＲＳの上方付近で収容部１２に延出部１１が挿入されることで重ね合わせられて、収容部１２及び延出部１１が重複した重ね合わせ部１３を形成している。そして、本実施の形態１のズボン１においては、この収容部１２と延出部１１の重ね合わせ部１３付近の下方であって、脇線ＬＳ，ＲＳの近傍に脇ポケット部２０が形成されている。
【０１４４】
脇ポケット部２０の製作及び取付けについての詳細を、主に、図１１乃至図１５を参照にして説明する。
本実施の形態１の脇ポケット部２０は、ズボン１の脇線ＬＳ，ＲＳに沿って前身頃４Ｆと後身頃４Ｂの間で袋布２１を縫付けることによって脇線ＬＳ，ＲＳ近傍の前身頃４Ｆ側に形成されている。
この袋布２１は、図１１（ａ）及び図１１（ｂ）に示すように、例えば、綿生地、スレーキ生地等の１枚の布地を所定形状に切断し、それを中央側で折畳み、図１１（ａ）に示した略直線状に近い一方の端部２１ｂ側を、図１２（ａ）に示すように、ズボン１の後身頃４Ｂに縫付けて脇線ＬＳ、ＲＳを形成すると共に、図１１（ａ）に示した端部２１ｂ側とは反対側の他方の斜めの端部２１ｆ側を、図１２（ａ）及び図１２（ｂ）に示すように、前身頃４Ｆの上部の斜めの端部に縫付け、前中心ＦＣ側から脇線ＬＳ，ＲＳ側に向かって傾斜するポケット口外縁７６を形成している。即ち、袋布２１は、前身頃４Ｆと後身頃４Ｂの間で縫着されている。
【０１４５】
そして、この袋布２１は、その表側（反身体側）の手前布２１Ｆの下端及びその裏側（身体側）の向こう布２１Ｂの下端をステッチ７３で閉じることで袋状に形成され、手前布２１Ｆのポケット口外縁７６とそれに対向する向こう布２１Ｂとの間がポケット口２３となり、手前布２１Ｆと向こう布２１Ｂの間がポケットとしての収容空間となっている。
なお、ズボン１の表側（外側）からみたときのポケット口外縁７６の下端と脇線ＬＳ，ＲＳの交点であるポケット止まり７５には、必要に応じ、縫製の縫い目を補強する閂止めが施される。
【０１４６】
このような袋布２１によって構成される脇ポケット部２０のサイズ、容量は、ズボン１の種類、デザイン、紳士用・婦人用等に応じて任意に設定され、例えば、ズボン１の表側（外側）からみたときの脇ポケット部２０のポケット口２３の開口幅（縦幅）ｍ（図８（ｂ）参照）は、紳士用のズボン１で１５〜１７ｃｍ、婦人用のズボン１で１３〜１５ｃｍ程度に設定され、前中心ＦＣ側から脇線ＬＳ，ＲＳ側に向かって傾斜するポケット口外縁７６の長さｌ（図８（ｂ）参照）は、紳士用のズボン１で１５．５〜１７．５ｃｍ、婦人用のズボン１で１３．５〜１５．５ｃｍ程度に設定される。なお、ポケット口２３の開口幅（縦幅）ｍは、ウエストベルト部１０の下端からポケット止まり７５の位置までの垂直方向の長さ（距離）である。また、ポケット口外縁７６の長さｌは、斜めのポケット口外縁７６のウエストベルト部１０の下端からポケット止まり７５の位置までの長さである。
そして、袋布２１の上端から下端までの垂直方向の縦幅は、例えば、２２〜２９ｃｍ程度、好ましくは、２３〜２８ｃｍ程度であり、後述する上がり線ＯＬを基準とするとそこから下端までは、２３〜２８ｃｍ程度、好ましくは、２４〜２７ｃｍ程度である。また、袋布２１の左端から右端までの上端の最大横幅は、タック部２２が折畳まれ状態において、１３ｃｍ〜１８ｃｍ程度、好ましくは、１４ｃｍ〜１７ｃｍ程度である。
【０１４７】
ここで、上述したように、延出部１１の延出部表ベルト１１Ｆは、前身頃４Ｆに対し、前中心ＦＣ側から脇ポケット部２０のポケット口外縁７６の上端の位置まで縫合線６１Ｃにて縫付けられ（図１４等参照）、延出部１１の延出部裏ベルト１１Ｂも、前身頃４Ｆに対し前中心ＦＣ側から袋布２１のタック部２２の第１の折り目２２１の位置まで縫合線６１Ｂにて縫付けられているが（図６参照）、延出部１１の収容部１２に挿入される先端部１１ｔ側は前身頃４Ｆに縫着されておらず収容部１２から延出自在となっている。
これより、図８（ｂ）及び図１４に示されるように、ウエストベルト部１０に引張り力が掛かったときには、脇ポケット部２０のポケット口外縁７６の上部も延出部１１が収容部１２から抜き出る方向に延出部１１と一体に移動し、収容部１２の開口端１２ｅ側、即ち、脇線ＬＳ，ＲＳ側から離れる方向に位置する。
【０１４８】
このとき、本実施の形態１では、脇ポケット部２０の袋布２１がズボン１の表側（外側）から見えないようにするために、前身頃４と共地の共布向こう布２５が脇ポケット部２０の外側に縫付けられている。即ち、袋布２１の生地が脇ポケット部２０の表側（外側）から見えないようにするため、図１１（ａ）に示した袋布２１を形成する所定形状の綿生地、スレーキ生地等の布地に対し、向こう布２１Ｂとなる方に前身頃４と共地の共布向こう布２５を重ねて縫付けている。なお、必要に応じて、前身頃４Ｆの斜めの端部に縫付ける手前布２１Ｆ側にも、前身頃４と共地の補強布２６が重ねて縫付けられ、ポケット口外縁７６側の補強がなされる。
【０１４９】
更に、本実施の形態１では、図１１（ａ）に示した袋布２１の向こう布２１Ｂとなる方において、ズボン１の後身頃４Ｂに縫合される前に、予め、図１１（ｂ）及び図１１（ｃ）に示すように、所定の位置にて２本の折り目２２１、２２２を付しそれらの折り目に沿って所定幅で折重ねることにより、タック（折り返し）部２２を形成している。
このタック部２２は、図１１（ｂ）及び図１１（ｃ）に示すように、袋布２１の向こう布２１Ｂにおいて、上端から下方に延びる２本の折り目２２１、２２２を形成し、２本の折り目２２１、２２２のうち手前布２１Ｆ及び向こう布２１Ｂの閉鎖端部側に近い方（図１１（ｂ）において右側）の第１の折り目２２１を谷折りとし、もう一方の第２の折り目２２２を山折りにすることで襞状に形成されている。
なお、このとき、タック部２２を形成するための２本の折り目２２１、２２２にアイロン等によりプレスしてしっかり折り目を付すことも可能であるが、例えば、婦人用のボトムスでは、そのような処理を施すことなく、タック部２２が形成される場合もある。
【０１５０】
このように向こう布２１Ｂの一部を折畳んだタック部２２の形成により、ウエスト部Ｗに引張り力が掛かった際には、ウエストベルト部１０の延出部１１が収容部１２から抜き出る移動と共に、折畳んだタック部２２が開くから、袋布２１に掛かる引張り力を逃すことができ、ウエスト周りをスムースに伸ばすことができる。そして、タック部２２が開閉することによってウエストベルト部１０が伸縮する際でも、ウエストベルト部１０の下部の身頃４Ｆ，４Ｂの生地に皺等を生じさせないから、見栄えの良いズボン１となる。
【０１５１】
このときタック部２２の上端部の折畳み長さは、ウエストベルト部１０の伸び量に応じウエストベルト部１０を伸ばしたときに袋布２１の上方の引き攣りが少なくウエストベルト部１０のスムースな伸びを確保できる長さであればよく、好ましくは、ウエストベルト部１０の伸び長さ以上に設定される。タック部２２の襞（折り返し部分）の幅、即ち、２本の折り目２２１と折り目２２２の間の間隔幅からすると、袋布２１の向こう布２１Ｂの上端で第１の折り目２２１と第２の折り目２２２の間の間隔、即ち、横幅長さｗ（図１２（ｂ）参照）は、好ましくは、ウエストベルト部１０の最大の伸び長さの０．５倍〜０．７倍である。
【０１５２】
例えば、平ゴム１５Ｅに縫着した伸び止め材１６の折畳み長さを３ｃｍとし、その伸び止め材１６の折畳み長さによって平ゴム１５Ｅの最大伸びを約３ｃｍに規制する場合、即ち、ウエストベルト部１０の伸び長さを３ｃｍとする場合には、袋布２１の向こう布２１Ｂの上端で第１の折り目２２１と第２の折り目２２２の間の横幅長さｗを約１．５ｃｍ以上とする。より好ましくは、約１．５ｃｍ以上、２ｃｍ以下である。
また、例えば、平ゴム１５Ｅに縫着した伸び止め材１６の折畳み長さを４ｃｍとし、その伸び止め材１６の折畳み長さによって平ゴム１５Ｅの最大伸びを約４ｃｍに規制する場合、即ち、ウエストベルト部１０の伸び長さを４ｃｍとする場合には、袋布２１の向こう布２１Ｂの上端で第１の折り目２２１と第２の折り目２２２の間の横幅長さｗを約２ｃｍ以上とする。より好ましくは、２ｃｍ以上、２．５ｃｍ以下である。
上述したように、タック部２２の上端部の折り返し幅によって、ウエストベルト部１０の伸びの限界を規定することも可能である。
【０１５３】
なお、ウエストベルト部１０が伸びるときに袋布２１に掛かる引張り力は、袋布２１において、ウエストベルト部１０の配設側の上端側から下方に向かって徐々に減少する。そこで、それに併せて、本実施の形態１においては、タック部２２の折畳み長さは、その上端側から下方に向かって徐々に小さくなるように設定されている。即ち、本実施の形態１においては、２本の折り目２２１及び折り目２２２は上端側から下方に向かって徐々に近づくように設定されている。例えば、図１１（ｃ）において、第１の折り目２２１及び第２の折り目２２２は両方とも上端側から下方に向かって前中心ＦＣ側から脇線ＬＳ，ＲＳ側に傾く斜めに形成されているが、第１の折り目２２１を第２の折り目２２２よりも急な傾きとし、２本の折り目２２１及び折り目２２２が上端側から下方に向かって徐々に近づくようにしている。
これにより、ウエストベルト部１０の伸縮による袋布２１の引き攣りを減らすことができて見栄えを良くできる。
【０１５４】
そして、タック部２２を形成した向こう布２１Ｂにおいて、後身頃４Ｂ側に縫付ける端部２１ｂ側から第２の折り目２２２までの間の布地を後側布地２１ＢＢとし、端部２１ｂとは反対側の閉鎖端部側から第１の折り目２２１までの間の布地を前側布地２１ＢＦとし、後側布地２１ＢＢと前側布地２１ＢＦの間の布地、即ち、第２の折り目２２２と第１の折り目１１１の間の布地を中間布地２１ＢＭとしたとき、第１の折り目２２１及び第２の折り目２２２に沿って折畳んで形成した襞状のタック部２２では、それら後側布地２１ＢＢと中間布地２１ＢＭと前側布地２１ＢＦとが重なり合って重複している。
【０１５５】
ところで、本実施の形態１のズボン１においては、ウエストベルト部１０がカーブしているから、着用したときに身体のウエストラインに沿ってウエストベルト部１０をフィットさせることができ、ウエスト周りへのフィット性を向上させることができる。しかしながら、このようなカーブ状のウエストベルト部１０を採用すると、ストレート（直線状）のベルトと比べて、着用した際に、身体のウエスト周りの立体的な体型へのフィット性、密着性の向上によって、脇線ＲＳ，ＬＳ付近に設けた袋布２１の引き攣り量、引張り量が大きくなる。特に、女性の体型では、ウエストが細い一方で骨盤やヒップが大きく、ウエストからヒップにかけての脇ラインが極端に変化しているから、着用時にウエストベルト部１０に接続する身頃４Ｆ，４Ｂの上部に引き攣り、引張りが生じやすい。このため、ズボン１の着用時に、ウエストベルト部１０が伸びた際、図１５（ａ）に示したように、脇ポケット部２０の袋布２１（共布向こう布２５を含む）がポケット口２３から吹き出して露出したり、袋布２１（共布向こう布２５を含む）や脇ポケット部２０周囲の身頃４Ｂ，４Ｆに皺寄りが生じたりし、見栄えが大きく低下する問題がある。
【０１５６】
そこで、本実施の形態１では、この問題を解決するために、２本の折り目２２１，２２２に沿って折畳んで形成した襞状のタック部２２を長く形成し、その一部でタック部２２の襞（折り返し部分）を閉じるように中縫いを行って、タック部２２の中間布地２１ＢＭと前側布地２１ＢＦを縫合線７８にて縫合している。
【０１５７】
即ち、本実施の形態１のタック部２２では、後側布地２１ＢＢと中間布地２１ＢＭと前側布地２１ＢＦのうち、中縫いを行うことによって、第１の折り目２２１と第２の折り目２２２の間の布地である中間布地２１ＢＭと、第１の折り目２２１から閉鎖端部側（ループ側）の間の布地である前側布地２１ＢＦとを、タックの長さ方向の一部で縫合線７８にて縫合することにより、一部の襞を閉じている。
なお、中縫いによる中間布地２１ＢＭと表側布地２２Ｆの縫合では、縫合線７８の縫い目が中間布地２１ＢＭと表側布地２１Ｆを貫通しているのみで、裏側布地２１Ｂを貫通していないから、ズボン１の腰裏側から見て縫合線７８の縫い目は表出していない。
【０１５８】
特に、本実施の形態１のタック部２２においては、向こう布２１Ｂの上端から所定範囲は、タック部２２の襞を縫合することなくタックの折畳みの開閉を自在とし、タックの上端から所定位置より下で中縫いによって中間布地２１ＢＭと後側布地２１ＢＢを縫合線７８にて縫合している。即ち、タック部２２の上方を除いてタック部２２の襞が縫合されている。
【０１５９】
ここで、本実施の形態１において、タック部２２の縦幅の長さｘ（図１３参照）は、例えば、向こう布２１Ｂの上がり線ＯＬ（図１３参照）から垂直方向の長さで、９ｃｍ以上、１５ｃｍ以下が好ましく、より好ましくは、１０ｃｍ以上、１４ｃｍ以下である。なお、ここでの上がり線ＯＬとは、ウエストベルト部１０の表側の下端、詳しくは、ウエストベルト部１０の表側の延出部表ベルト１１の下端のラインに一致するものである。向こう布２１Ｂの裁ち切り線からすると、上がり線ＯＬはその裁ち切り線よりも、通常、１ｃｍ程度下位に位置する。
【０１６０】
このような所定長さのタック部２２の形成により袋布２１の下方の布地の遊びもズボン１の表側に響かない程度になる。そして、この所定の長さのタック部２２の襞に対し、その上方を除いて縫合線７８にて中間布地２１ＢＭと後側布地２１ＢＢを縫合することで、ズボン１の着用時に袋布２１（共布向こう布２５を含む）がポケット口２３から吹き出して露出したり、袋布２１の変形、歪み等により袋布２１（共布向こう布２５を含む）や脇ポケット部２０周囲の身頃４Ｂ，４Ｆに皺寄りが発生したりするのが抑制される。
【０１６１】
特に、本実施の形態１においては、タック部２２の襞を中縫いすることで、向こう布２１Ｂの中間布地２１ＢＭと前側布地２１ＢＦを縫合線７８で縫合するが、後側布地２１ＢＢの上端（裁ち切り線）から下に所定長さの範囲は、タック部２２の襞を縫合することなく、タック部２２の下方側を縫合する。
【０１６２】
図１３を参照して具体的に説明すると、本実施の形態１では、向こう布２１Ｂの上がり線ＯＬとタック部２２を縫合する始点７８ｓとの間の垂直方向の長さ（縦幅）をＹａ（ｃｍ）としたとき、３≦Ｙａ≦６が好ましい。即ち、タック部２２の縫合の始点７８ｓは、向こう布２１Ｂの上がり線ＯＬから下に３ｃｍ以上、６ｃｍ以下の範囲内に位置させるのが好ましい。
【０１６３】
ここで、Ｙａが短すぎる場合、即ち、タック部２２の襞を縫合する位置が向こう布２１Ｂの上端に近すぎる場合、タック部２２の展開量を十分に確保できない。このため、ウエストベルト部１０に引張り力が掛かった際にウエストベルト部１０のスムースな動きを確保できず窮屈感を生じさせたり、また、袋布２１の上方で引き攣り、引っ張りによる歪み、皺寄り等が生じ、それがズボン１の表側にも響いて、見栄えが低下したりする。一方で、Ｙａが長すぎる場合、即ち、タック部２２の襞を縫合する位置が下方に下がり過ぎる場合、袋布２１の布地の遊びが多くなって、ズボン１の着用時に脇ポケット部２０の袋布２１（共布向こう布２５を含む）がポケット口２３から吹き出しやすくなる。
【０１６４】
しかし、向こう布２１Ｂの上がり線ＯＬとタック部２２の縫合の始点７８ｓとの間の垂直方向の長さＹａが、３ｃｍ以上、６ｃｍ以下の範囲内であれば、布地の種類、厚み、伸び特性や、袋布２１やポケット口の大きさ等を問わず、ウエストベルト部１０が伸びたときでも袋布２１の上方の見栄えを損なうことなく、ズボン１の着用時に袋布２１（共布向こう布２５を含む）がポケット口２３から吹き出して露出するのを効果的に抑えることができ、ズボン１を表側から見たときの良好な見栄えを保つことができる。更に、本発明者らの実験研究によれば、より好ましくは、３．５≦Ｙａ≦５．５、更に、好ましくは、４≦Ｙａ≦５であれば、身頃４Ｆ，４Ｂ等が薄生地であっても、ウエスト部Ｗが伸びたときの袋布２１のポケット口２３からの吹き出し、袋布２１の変形を抑え、脇ポケット２０部及びその周囲の皺寄りの発生を防止でき、かつ、脇ポケット部２０の上方で引き攣りが生じ難いものとなる。
【０１６５】
こうして、本実施の形態１では、向こう布２１Ｂの裁ち切り線（上端）と上がり線ＯＬとの間を含め、向こう布２１Ｂの上がり線ＯＬから下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内はタック部２２の襞を縫合することなく、上がり線ＯＬの３ｃｍ〜６ｃｍ下の位置から下方で中縫いにより中間布地２１ＢＭと前側布地２１ＢＦを縫合線７８にて縫合することで、タック部２２の一部の襞を縫合している。
なお、向こう布２１Ｂの裁ち切り線（上端）と上がり線ＯＬとの間を１ｃｍとし、前側布地２１ＢＦの裁ち切り線（上端）を基準にすると、その裁ち切り線（上端）から下に４ｃｍ以上、７ｃｍ以下の範囲内、好ましくは、４．５ｃｍ以上、６．５ｃｍ以下の範囲内、より好ましくは、５ｃｍ以上、６ｃｍ以下はタック部２２の襞が縫合されることなく、断ち切り線（上端）の４ｃｍ〜７ｃｍ下の位置から下方で中縫いにより中間布地２１Ｍと前側布地２１ＢＦが縫合線７８にて縫合されていることになる。
【０１６６】
このとき、本実施の形態１のタック部２２においては、上述したように、タック部２２の折畳み長さは、その上端側から下方に向かって徐々に小さくなるように設定され、タック部２２を形成する２本の折り目２２１及び折り目２２２間の間隔、即ち、横幅長さが上端側から下方に向かって徐々に縮小しているから、第１の折り目２２１と第２の折り目２２２の間の間隔、即ち、横幅長さが向こう布２１Ｂの上端（断ち切り線）の横幅長さｗの、例えば、０．５〜０．９倍、より好ましくは、０．６〜０．８倍となる位置がタック部２２の縫合の始点７８ｓとされ、そこから下が縫合線７８にて縫合されることになる。
【０１６７】
つまり、本実施の形態１では、第１の折り目２２１と第２の折り目２２２間の間隔である横幅長さが向こう布１１の上端における横幅長さｗの、例えば、０．５〜０．９倍、より好ましくは、０．６〜０．８倍となる位置までは、タック部２２の襞を閉じることなく、第１の折り目２２１と第２の折り目２２２の間の間隔である横幅長さが向こう布１１の上端における横幅長さｗの０．５〜０．９倍、より好ましくは、０．６〜０．８倍となる位置から下を縫合線７８にて縫合する。
【０１６８】
そして、タック部２２の襞を縫合する長さ、即ち、縫合線７８の長さは、タック部２２の襞を縫合する始点７８ｓと終点７８ｔの間の垂直方向の長さ（縦幅）をＹｂ（ｃｍ）としたとき、３≦Ｙｂ≦６が好ましい。
【０１６９】
ここで、Ｙｂが短すぎると、即ち、タック部２２を縫合する長さが短すぎる場合、袋布２１の遊びが多くなることで、布地の種類によっては、ズボン１の着用時に脇ポケット部２０の袋布２１（共布向こう布２５を含む）がポケット口２３から吹き出しやすくなる。一方で、Ｙｂが長すぎると、即ち、タック部２２を縫合する長さが長すぎる場合、袋布２１の布地の余裕が少なくなることで、ウエストベルト部１０が伸びたときに、袋布２１に引き攣りによる歪みが生じたり皺が寄ったりし、それがズボン１の表側に響いて、外観性や見栄えを損なう恐れがある。
【０１７０】
特に、ポケット口外縁７６の下端と脇線ＬＳ，ＲＳの交点であるポケット止まり７５が前身頃４Ｆ、後身頃４Ｂ及び袋布２１ａの接続点であるから、ウエストベルト部１０が伸びたときに、ポケット止まり７５の周囲に引張り力が生じ易く、更に、そこに強度向上のために閂止めが施されている場合には、その周囲でより強い引張り力が生じやすくなる。このため、Ｙｂが長すぎると、脇ポケット部２０の下方のポケット止まり７５の周囲で袋布２１の引き攣り量、引っ張り量が多くなり、そこに負荷がかかって布地が損傷しやすくなる。また、脇ポケット部２０のポケット止まり７５の周辺で袋布２１の引き攣りによる歪みが生じたり皺が寄ったりし、ズボン１を表側から見たときの外観性や見栄えを損なう恐れがある。
【０１７１】
しかし、タック部２２の縫合の始点７８ｓと終点７８ｔの間の垂直方向の長さ（縦幅）Ｙｂが、３ｃｍ以上、６ｃｍ以下であれば、布地の種類、厚み、伸び特性や、袋布２１やポケット口の大きさ等を問わず、ズボン１の着用時に袋布２１（共布向こう布２５を含む）がポケット口２３から吹き出して露出するのを効果的に抑えることができ、かつ、ウエストベルト部１０が伸びたときでも脇ポケット部２０及びその周辺に引き攣りが生じ難く、ズボン１を表側から見たときの良好な見栄えを保つことができる。更に、本発明者らの実験研究によれば、より好ましくは、３．５≦Ｙｂ≦５．５、更に、好ましくは、４≦Ｙｂ≦５であれば、身頃４Ｆ，４Ｂ等が薄生地であっても、ウエスト部Ｗが伸びたときの袋布２１のポケット口２３からの吹き出し、袋布２１の変形を抑え、脇ポケット２０部及びその周囲の皺寄りの発生を防止でき、かつ、脇ポケット部２０及びその周辺に引き攣りが生じ難いものとなる。
【０１７２】
なお、本実施の形態１のタック部２２においては、上述したように、タック部２２の折畳み長さは、その上端側から下方に向かって徐々に小さくなるように設定され、タック部２２を形成する２本の折り目２２１及び折り目２２２間の間隔、即ち、横幅長さが上端側から下方に向かって徐々に縮小しているから、第１の折り目２２１と第２の折り目２２２の間の間隔、即ち、横幅長さが、向こう布２１Ｂの上端（裁ち切り線）の横幅長さｗの、例えば、０．２〜０．６倍、より好ましくは、０．４〜０．６倍となる位置がタック部２２の縫合の終点７８ｔとされる。
【０１７３】
こうして、本実施の形態１では、向こう布２１Ｂの上がり線ＯＬの３ｃｍ〜６ｃｍ下の位置から、３ｃｍ〜６ｃｍの長さ（縦幅Ｙｂ）でタック部２２の襞の一部を縫合線７８にて縫合する。
【０１７４】
特に、本実施の形態１において、中縫いにより中間布地２１ＢＭと前側布地２１ＢＦを縫合するときの縫合線７８は、縫製の分かり易さから、第１の折り目２２１に平行させる斜めとする。そして、好ましくは、第１の折り目２２１から１ｃｍ以下の範囲内、より好ましくは、０．１ｃｍ以上、０．８ｃｍ以下の範囲内、更に好ましくは、０．１ｃｍ以上、０．６ｃｍ以下の範囲内でタック部２２の襞を縫合線７８にて縫合する。つまり、縫合線７８と第１の折り目２２１の間隔幅をＤ1（ｃｍ）とすると（図１１（ｄ）参照）、好ましくは、Ｄ1≦１、より好ましくは、０．１≦Ｄ1≦０．８、更に好ましくは、０．１≦Ｄ1≦０．６である。このように第１の折り目２２１に平行する斜めの縫合線７８の位置を第１の折り目２２１から所定範囲内とすると、タックの開きにより余裕がでるから、ウエストベルト部１０が伸びたときの袋布２１の引き攣りをより少なくできる。
【０１７５】
即ち、第１の折り目２２１から、好ましくは、１ｃｍ以下の範囲内、より好ましくは、０．１ｃｍ以上、０．８ｃｍ以下の範囲内、より好ましくは、０．１ｃｍ以上、０．６ｃｍ以下の範囲内でタック部２２の襞の一部を中縫いの縫合線７８によって縫合すると、縫合線７８と第２の折り目２２２との間には、幅が約０．５ｃｍ以上のキセＫが設けられることになる。
【０１７６】
例えば、タック部２２の折畳み長さがその上端側から下方に向かって徐々に小さくなるように設定されている袋布２１において、向こう布２１Ｂの上端で第１の折り目２２１と第２の折り目２２２の間の間隔、即ち、横幅長さｗを２ｃｍとしたタック部２２の襞に対し、その下方で第１の折り目２２１と第２の折り目２２２の横幅長さが１．５ｃｍとなる位置から下を縫合線７８にて縫合したとき、縫合線７８が第１の折り目２２１から０．５ｃｍ幅の間隔をあけて第１の折り目２２１に平行している場合、縫合線７８の始点７８ｓの位置では、縫合線７８の始点７８ｓから第２の折り目２２２までの間が１ｃｍ幅となる。よって、縫合線７８の始点７８ｓの位置では、１ｃｍ幅のキセＫを設けていることになる。そして、縫合線７８の始点７８ｓの位置では、第１の折り目２２１と第２の折り目２２２の横幅長さが１．５ｃｍであることで、襞が縫合されない場合には、タックの開きが３ｃｍとなるが、縫合線７８によりタックを閉じた場合の開きは１ｃｍ幅のキセＫの部分が開かれることで２ｃｍのタックの開きとなる。また、第１の折り目２２１と第２の折り目２２２の横幅長さが１ｃｍとなる位置を縫合線７８の終点７８ｔとしたとき、その縫合線７８の終点７８ｔの位置では、縫合線７８の終点７８ｔから第２の折り目２２２までの間のキセＫ幅が０．５ｃｍとなる。よって、縫合線７８の終点７８ｔの位置では、第１の折り目２２１と第２の折り目２２２の横幅長さが１ｃｍであることで、襞が縫合されない場合には、タックの開きが２ｃｍとなるが、縫合線７８によりタックを閉じた場合の開きは０．５ｃｍ幅のキセＫの部分が開くことで１ｃｍのタックの開きとなる。
【０１７７】
本実施の形態１においては、このような所定幅のキセＫを設けていることで、３≦Ｙａ≦６であっても、即ち、後述する変形例２と比較して、タック部２２の襞を袋布２１のより上方で閉じる構成であっても、タック部２２のキセＫの部分でタックが多少開くから、ウエストベルト部１０が伸びる際に、袋布２１の上方に引き攣りが生じ難く、袋布２１が歪んだり袋布２１及びその周辺で皺が寄ったりし難いものとなる。
【０１７８】
このように、本実施の形態１の袋布２１では、向こう布２１Ｂに形成したタック部２２において、向こう布２１Ｂの上がり線ＯＬより３ｃｍ〜６ｃｍ下から下方を３ｃｍ〜６ｃｍの縦幅（垂直方向の長さＹｂ）で縫合線７８による中縫いによって中間布地２１ＢＭと前側布地２１ＢＦとを縫合することにより、タック部２２の襞の一部を閉じで、タックの開きを制限している。即ち、タック部２２の上端から下に所定の長さ範囲では、タック部２２の襞を閉じることなく開放し、タック部２２の下方で中間布地２１ＢＭと前側布地２１ＢＦを縫合線７８にて縫合していることでタック部２２の開きを制限している。
【０１７９】
これより、本実施の形態１のズボン１では、ウエストベルト部１０のカーブによって着用時に身体のウエスト周りに対するフィット性が高くても、袋布２１の向こう布２１Ｂに所定の長さのタック部２２を形成し、そのタック部２２の襞の一部をタック部２２の上方を除いて中縫いによって縫合してタックの開きを制限したことで、袋布２１の遊びが少なくなり、図１５（ｂ）に示したように、ズボン１の表側（外側）から見て、袋布２１（共布向こう布２５を含む）の布地がポケット口２３から吹き出すのが抑制され、また、袋布２１の変形が抑えられ、脇ポケット部２０及びその周囲に皺寄りが生じ難くなり、見栄えの良い脇ポケット部２０を形成し、美観を維持できる。
【０１８０】
特に、本実施の形態１では、タック部２２の襞を縫合する始点７８ｓは、袋布２１の向こう布２１の上がり線ＯＬから垂直方向に下に３ｃｍ以上、６ｃｍ以下の範囲内にあり、そこから垂直方向の長さで、３ｃｍ以上、６ｃｍ以下の範囲内でタック部２２の襞を中縫いによって縫合しており、後述する変形例２と比較して、タック部２２の襞を袋布２１の縦幅の中間部から上側で縫合する構成であり、袋布２１の下方に余裕を持たせている。したがって、ウエストベルト部１０が伸びたときでも、脇ポケット部２０の下方のポケット止まり７５の周囲で引き攣り、引張りが生じ難くて、袋布２１に歪みや皺寄りが生じ難いものである。よって、ズボン１を表側から見たときの見栄えに優れるものである。
【０１８１】
また、このようにタック部２２の襞を袋布２１の縦幅の中間部から上側で縫合する構成であると、婦人用のボトムスのように袋布２１を落ち着かるためのアイロン等のプレスを行わず、袋布２１のタック部２２を比較的短いものとするボトムスにも好適であり、タックが比較的短くても、袋布２１の縦幅の中間部から上側でタック部２２の襞を縫合することによって、ズボン１の外側のポケット口２３から袋布２１（共布向こう布２５を含む）が吹き出すのを効果的に抑制できる。
【０１８２】
そして、本実施の形態１では、袋布２１の縦幅の中間部から上側で縫合されるタック部２２の襞は、タック部２２の折畳み状態で袋布２１の向こう布２１Ｂの外面に表れない第１の折り目２２１から、好ましくは１ｃｍ以内、より好ましくは、０．１ｃｍ以上、０．８ｃｍ以内、更に好ましくは、０．１ｃｍ以上、０．６ｃｍ以内で縫合するから、タック部２２の襞を縫合した部分において、タックの開きが制限されるも、所定の展開量は確保される。よって、後述する変形例２と比較してタック部２２の縫合位置を袋布２１の中間部から上側としていても、袋布２１のタック部２２の所定の展開量を確保できることで、ウエストベルト部１０に引張り力が掛かった際でも、袋布２１の上方の引き攣り、歪み、皺寄りが抑えられて見栄えを維持できると共に、ウエストベルト部１０をスムースに伸ばすことができる。
なお、本発明を実施する場合、袋布２１の中間布地２１ＢＭと前側布地２１ＢＦを縫合する縫合線７８は、第１の折り目２２１と平行させず直線状としてもよい。また、本発明を実施する場合には、コバステッチにより中間布地２１ＢＭと前側布地２１ＢＦと後側布地２１ＢＢを縫合することも可能である。
【０１８３】
ここで、脇ポケット部２０の変形例１及び変形例２について説明する。
まず、変形例１の脇ポケット部２０１について図１６及び図１７を参照して説明する。
上述した脇ポケット部２０は、袋布２１の向こう布２１Ｂに設けたタック部２２を形成する第１の折り目２２１と第２の折り目２２２の間隔を上端から下方に向かって縮小させているものである。
これに対し、本変形例１に係る脇ポケット部２０１においては、第１の折り目２２１と第２の折り目２２２を平行に形成し、第１の折り目２２１と第２の折り目２２２の間隔を上端から下方に向かって一定としている。即ち、ウエストベルト部１０の伸び量に応じウエストベルト部１０の伸び長さ以上に設定されるタック部２２の折畳み長さは、上端から下方に向かって一定としている。
【０１８４】
例えば、平ゴム１５Ｅに縫着した伸び止め材１６の折畳み長さを４ｃｍとし、その伸び止め材１６の折畳み長さによって平ゴム１５Ｅの最大伸びを約４ｃｍに規制する場合には、即ち、ウエストベルト部１０の伸び長さを４ｃｍとする場合には、袋布２１の向こう布２１Ｂに形成される第１の折り目２２１と第２の折り目２２２の間の横幅長さを、上端から下方に向かって一定の２ｃｍ以上とする。
なお、第１の折り目２２１と第２の折り目２２２は、上端から下方に向かって垂直方向の直線としもよいし、前中心ＦＣ側から脇線ＬＳ，ＲＳ側に傾く斜めとしてもよい。
【０１８５】
そして、本変形例１に係る脇ポケット部２０１においても、上述した脇ポケット部２０と同様、タック部２２において向こう布２１Ｂの上がり線ＯＬの３ｃｍ〜６ｃｍ下から下方を３ｃｍ〜６ｃｍの縦幅（垂直方向の長さ）で中縫いによって中間布地２１ＢＭと前側布地２１ＢＦとを縫合線７８にて縫合することにより、タック部２２の襞の一部を縫合し、タックの開きを制限する。
【０１８６】
よって、本変形例１においても、上述した脇ポケット部２０と同様と同様、ズボン１の表側（外側）から見て、袋布２１（共布向こう布２５を含む）の布地がポケット口２３から吹き出すのが抑制され、脇ポケット部２０及びその周囲に皺寄りを生じ難くして、見栄えの良い脇ポケット部２０１を形成し、美観を維持できる。
【０１８７】
また、本変形例１の脇ポケット部２０１においても、上述した脇ポケット部２０と同様、タック部２２の襞を袋布２１の縦幅の中間部から上側で縫合する構成であるから、婦人用のボトムスのように袋布２１を落ち着かるためのアイロン等のプレスを行わず、袋布２１のタック部２２を比較的短いものとするボトムスにも好適であり、タックが比較的短くても、袋布２１の縦幅の中間部から上側でタック部２２の襞を縫合することによって、ズボン１の外側のポケット口２３から袋布２１（共布向こう布２５を含む）が吹き出すのを効果的に抑制できる。
【０１８８】
更に、本変形例１においても、上述した脇ポケット部２０と同様、タック部２２の襞を縫合する始点７１ｓは、袋布２１の向こう布２１Ｂの上がり線ＯＬから垂直方向に下に３ｃｍ以上、６ｃｍ以下の範囲内にあり、そこから垂直方向の長さで、３ｃｍ以上、６ｃｍ以下の範囲内でタック部２２の襞を中縫いによって縫合しており、後述する変形例２と比較して、袋布２１の下方に余裕を持たせている。したがって、ウエストベルト部１０が伸びたときでも、脇ポケット部２０の下方のポケット止まり７５の周囲で引き攣り、引張りが生じ難くて、袋布２１に歪みや皺寄りが生じ難いものである。よって、ズボン１を表側から見たときの見栄えに優れるものである。
【０１８９】
そして、本変形例１においても、上述した脇ポケット部２０と同様、袋布２１の縦幅の中間部から上側で縫合されるタック部２２の襞は、タック部２２の折畳み状態で袋布２１の向こう布２１Ｂの外面に表れない第１の折り目２２１から、好ましくは、１ｃｍ以内、より好ましくは、０．１ｃｍ以上、０．８ｃｍ以内、更に好ましくは、０．１ｃｍ以上、０．６ｃｍ以内の中縫いによって縫合する。つまり、縫合線７８と第１の折り目２２１の間隔幅Ｄ1は、好ましくは、Ｄ1≦１、より好ましくは、０．１≦Ｄ1≦１．０、更に好ましくは、０．１≦Ｄ1≦０．６とする。これによって、タック部２２の襞を縫合した部分において、タック部２２の開きが制限されるも、所定の展開量は確保される。よって、後述する変形例２と比較して、タック部２２の縫合位置を袋布２１の中間部から上側としていても、袋布２１のタック部２２の所定の展開量を確保できることで、ウエストベルト部１０に引張り力が掛かった際でも、袋布２１の上方の引き攣り、歪み、皺寄りが抑えられて見栄えを維持できると共に、ウエストベルト部１０をスムースに伸ばすことができる。
【０１９０】
特に、本変形例１において、第１の折り目２２１及び第２の折り目２２２を平行にしていることで、タック部２２の襞を縫合する縫合線７８は、それら第１の折り目２２１及び第２の折り目２２２に対し平行させる縫製とすると分かり易く、生産性を向上できる。
例えば、本変形例１において、第１の折り目２２１及び第２の折り目２２２の間隔の横幅を２ｃｍとしたとき、襞が縫合されない部分では、タックの開きが４ｃｍとなるが、第１の折り目２２１から０．５ｃｍ離した位置で襞を中縫いした場合には、そのときの縫合線７８と第２の折り目２２２の間のキセＫの幅は１．５ｃｍとなるから、中縫いした部分のタックの開きは３ｃｍに制限される。
そして、本変形例１において、中間布地２１ＢＭと前側布地２１ＢＦを縫合する縫合線７８が第１の折り目２２１及び第２の折り目２２２に平行させていると、その縫合した部分のタックの開きも一定となる。
【０１９１】
このように、変形例１の脇ポケット部２０１においては、平行する第１の折り目２２１と第２の折り目２２２に対し、タック部２２において中間布地２１ＢＭと前側布地２１ＢＦを縫合する縫合線７８を平行させ、縫合線７８と第１の折り目２２１の間隔幅Ｄ1を例えば、０．５ｃｍとした場合、上述した脇ポケット部２０と比較して、縫合線７８と第２の折り目２２２との間のキセＫの量が増えるので、タックの開き量が多いものとなる。よって、袋布２１に余裕を持たせることができるから、ウエストベルト部１０が伸びたときのポケット止まり部７５の周辺の引き攣り、引張りを効果的に抑え、見栄えを向上させることができる。一方、上述した脇ポケット部２０では、変形例１の脇ポケット部２０１と比較して、タックの開き量の制限を大きくできるので、着用時にポケット口２３からの袋布２１の吹き出しを抑制する効果を向上させることができる。
【０１９２】
なお、袋布２１の生地、共布向こう布２５の生地、身頃４Ｂ，４Ｆの生地、ウエストベルト部１０の表側及び裏側の生地等によって、また、ポケット口２３の開口の大きさ等によって、上述した脇ポケット部２０または変形例１の脇ポケット部２０１を適宜選択することも可能である。例えば、身頃４Ｂ，４Ｆ等の生地が薄いものやポケット口２３の開口が大きいものでは、ポケット口２３から袋布２１が吹き出しやすくなるから、タックの開き量の制限を大きくできる上述した脇ポケット部２０に係る袋布２１の構造を採用することで、より効果的にポケット口２３からの袋布２１の吹き出しを抑えることが可能である。一方で、生地が厚いものやポケット口２３の開口が小さいものでは、ウエスト部Ｗが伸びたときの引き攣り、引張りが大きくなり、特に、ポケット止まり部７５周辺で引き攣り、引張りが大きくなるが、タックの開き量の制限を少なくした変形例１の脇ポケット部２０１の袋布２１の構造を採用することで、ウエスト部Ｗが伸びたときでもポケット止まり部７５の周辺の引き攣り、引張りを効果的に抑え、見栄えを良好に維持することが可能となる。
勿論、変形例１においても、中間布地２１ＢＭと前側布地２１ＢＦを縫合する縫合線７８は必ずしも第１の折り目２２１及び第２の折り目２２２に平行でなくともよい。また、本発明を実施する場合には、コバステッチにより中間布地２１ＢＭと前側布地２１ＢＦと後側布地２１ＢＢを縫合することも可能である。
【０１９３】
次に、変形例２の脇ポケット部２０２（２０２Ａ，２０２Ｂ）について、図１８乃至図２０を参照して説明する。
上述の脇ポケット部２０については、タック部２２において向こう布２１Ｂの上がり線ＯＬの３ｃｍ〜６ｃｍ下から下方を３ｃｍ〜６ｃｍの縦幅（垂直方向の長さ）で中縫いによって中間布地２１ＢＭと前側布地２１ＢＦとを縫合線７８にて縫合することにより、袋布２１の縦幅の中間部から上側でタック部２２の襞の一部を閉じるものである。
【０１９４】
このように、上述の脇ポケット部２０については、袋布２１の縦幅の中間部から上側でタック部２２の襞の一部を閉じるから、タック部２２を形成するための２本の折り目２２１、２２２にしっかりクセを付したり、また、袋布２１のクセとりをしたりするためのアイロン等のプレス処理を行わない婦人用のボトムス等のように、袋布２１の下方に余裕を持たせる形態、デザインに好適である。即ち、婦人用のボトムス等のように、折り目２２１、２２２を安定させたり袋布２１を落ち着かせたりするためのアイロン等のプレス処理を行わずに、タック部２２の形成を袋布２１の中間部分までの長さとする設計に好適である。
【０１９５】
これに対し、変形例２の脇ポケット部２０２は、紳士用のボトムスのように、折り目２２１、２２２を安定させるために折り目２２１、２２２にアイロン等のプレスを施してしっかり折り目を付したり、袋布２１をアイロン等でプレスしてクセとりをしたりする設計に好適なものである。
即ち、変形例２の脇ポケット部２０２においては、タック部２２の折り目２２１、２２２について、袋布２１の下方まで延ばし、袋布２１のより下側でタック部２２の襞の一部を閉じることで、袋布２１の皺、歪み、膨らみ、浮きをより抑え、袋布２１をより落ち着かせたものである。
【０１９６】
具体的には、本変形例２においては、タック部２２の末端が、ポケット口２３の末端の高さ、即ち、ポケット口外縁７６の下端と脇線ＬＳ，ＲＳの交点であるポケット止まり７５の高さに対応する位置７５ｔに対し、それよりも２ｃｍ以上、下方に位置するように、向こう布２１Ｂの一部を折畳んで向こう布２１Ｂの上端から下方に向かってタック部２２を形成する。
これにより、袋布２１の下方の遊び、余り、ダブつき、浮き等が少なくなり、アイロン等でプレスすればそれらのクセとりができるから、袋布２１の歪み、皺、膨らみ、浮き等が少なくて見栄えに優れた脇ポケット部２０２に仕上げることができる。
【０１９７】
本発明者らの実験研究によれば、例えば、ズボン１の表側（外側）からみたときの脇ポケット部２０２のポケット口２３の開口幅（縦幅）ｍ（図８（ｂ）参照）が１５〜１７ｃｍで、前中心ＦＣ側から脇線ＬＳ，ＲＳ側に向かって傾斜するポケット口外縁７６の長さｌ（図８（ｂ）参照）が１５．５〜１７．５ｃｍとされる紳士用のズボン１の袋布２１では、タック部２２の縦幅の長さｘを、ポケット口２３の開口幅（縦幅）ｍよりも２〜４ｃｍ長くすることで、袋布２１の下方の遊び、余り、ダブつき、浮きが少なくなり、アイロン等でプレスすればそれらのクセとりができるから、袋布２１の歪み、皺、膨らみ、浮き等が少なくて極めて見栄えの良い脇ポケット部２０２に仕上げることができる。
【０１９８】
より詳しくは、例えば、伸び止め材１６の折畳み長さを２〜５ｃｍとし、その伸び止め材１６の折畳み長さによって平ゴム１５Ｅの最大伸びを２〜５ｃｍに規制する場合、即ち、ウエストベルト部１０の伸びを２〜５ｃｍに設定する場合、脇ポケット部２０２のポケット口２３の開口幅（縦幅）ｍが１５ｃｍのズボン１の袋布２１では、タック部２２の縦幅長さｘはポケット口２３の開口幅（縦幅）ｍよりも２〜４ｃｍ長くして１７ｃｍ〜１９ｃｍあれば、それよりも下方は袋布２１の布地の特性、種類等を問わずアイロン等でプレスすればクセとりできるから、袋布２１の歪み、皺、膨らみ、浮き等が少なく見栄えに優れた脇ポケット部２０２に仕上げることができる。
【０１９９】
また、例えば、脇ポケット部２０２のポケット口２３の開口幅（縦幅）ｍが１７ｃｍのズボン１の袋布２１では、タック部２２の縦幅長さｘはポケット口２３の開口幅（縦幅）ｍよりも２〜３ｃｍ長くして１９ｃｍ〜２０ｃｍあれば、それよりも下方は袋布２１の布地の特性、種類等を問わずアイロン等でプレスすればクセとりできるから、袋布２１の歪み、皺、膨らみ、浮き等が少なく見栄えに優れた脇ポケット部２０２に仕上げることができる。
【０２００】
更に、ズボン１の表側（外側）からみたときの脇ポケット部２０２のポケット口２３の開口幅（縦幅）ｍ（図８（ｂ）参照）が１３〜１５ｃｍで、前中心ＦＣ側から脇線ＬＳ，ＲＳ側に向かって傾斜するポケット口外縁７６の長さｌ（図８（ｂ）参照）が１３．５〜１５．５ｃｍとされる婦人用のズボン１の袋布２１では、タック部２２の縦幅の長さｘを、開口幅（縦幅）ｍよりも２〜５ｃｍ長くすることで袋布２１の下方の遊び、余り、ダブつきが少なくなり、アイロン等でプレスすればそれらのクセとりができるから、袋布２１の歪み、皺、膨らみ、浮き等が少なくて見栄えの良い脇ポケット部２０２に仕上げることができる。
【０２０１】
例えば、伸び止め材１６の折畳み長さを２〜５ｃｍとし、その伸び止め材１６の折畳み長さによって平ゴム１５Ｅの最大伸びを２〜５ｃｍに規制する場合、即ち、ウエストベルト部１０の伸びを２〜５ｃｍに設定する場合、脇ポケット部２０２のポケット口２３の開口幅（縦幅）ｍが１３ｃｍのズボン１の袋布２１では、タック部２２の縦幅長さｘはポケット口２３の開口幅（縦幅）ｍよりも２〜５ｃｍ長くして１５ｃｍ〜１８ｃｍあれば、それよりも下方は袋布２１の布地の特性、種類等を問わずアイロン等でプレスすればクセとりできるから、袋布２１の歪み、皺、膨らみ、浮き等が少なく見栄えに優れた脇ポケット部２０２に仕上げることができる。
【０２０２】
つまり、本変形例２においては、ポケット口２３の開口幅（縦幅）ｍ（ｃｍ）とタック部２２の縦幅の長さｘ（ｃｍ）との関係を、ｘ≧ｍ＋２（１３≦ｍ≦１７）とすることで、袋布２１の歪み、皺、膨らみ、浮き等が少なくて美観に優れた脇ポケット部２０２に仕上げることができ、身頃４Ｆ，４Ｂが薄い生地であっても、ズボン１の表側に袋布２１の歪み、皺、膨らみ、浮き等が響かずに美感に優れたものとなる。好ましくは、１３≦ｍ＜１５であるとき、ｘ≧ｍ＋４であり、１５≦ｈ≦１７であるとき、ｘ≧ｍ＋３である。
なお、ここでは、ポケット口２３の開口幅（縦幅）ｍを異にしても袋布２１の大きさは統一した大きさ（同一の大きさ）とした場合を基準としている。
【０２０３】
勿論、本発明を実施する場合、袋布２１の縦幅の大きさによっては、袋布２１の上端から下までの全長に亘って、正確には、袋布２１の上端から向こう布２１Ｂ及び手前布２１Ｒを縫合した下端の縫合線７３の位置まで、タック部２２の折り目２２１，２２２をアイロン等のプレスでしっかり付すようにしてもよい。
【０２０４】
そして、本変形例２に係る脇ポケット部２０２においては、タック部２２に対し、ポケット口２３の末端、即ち、ポケット口外縁７６の下端と脇線ＬＳ，ＲＳの交点であるポケット止まり７５の高さに対応する位置７５ｔから上に垂直方向で２ｃｍ以上、８ｃｍ以下、好ましくは、２．５ｃｍ以上、７．５ｃｍ以下、より好ましくは、３ｃｍ以上、７ｃｍ以下の範囲内で縫合線７８にてタック部２２の襞を閉じている。
即ち、本変形例２においては、タック部２２の襞を閉じる縫合線７８の始点７８ｓがポケット止まり７５の高さに対応する位置７５ｔから上に垂直方向で２ｃｍ以上、８ｃｍ以下、好ましくは、２．５ｃｍ以上、７．５ｃｍ以下、より好ましくは、３ｃｍ以上、７ｃｍ以下の範囲内にある。
【０２０５】
このとき、本変形例２においては、向こう布２１Ｂの上がり線ＯＬとタック部２２の襞を縫合する縫合線７８の始点７８ｓとの間の垂直方向の長さ（縦幅）をＹａ（ｃｍ）とすると、７≦Ｙａ≦１１が好ましい。即ち、タック部２２の縫合の始点７８ｓは、向こう布２１Ｂの上がり線ＯＬから下に７ｃｍ以上、１１ｃｍ以下の範囲内に位置させるのが好ましい。
【０２０６】
ここで、Ｙａが短すぎる場合、即ち、タック部２２の縫合の始点７８ｓがタック部２２の上端に近すぎる場合、タック部２２の展開量を十分に確保できない。このため、ウエストベルト部１０に引張り力が掛かった際にウエスト部Ｗのスムースな動きを確保できず窮屈感を生じさせたりする。また、袋布２１の上方で引き攣り、引っ張りによる歪み、皺寄り等が生じ、それがズボン１の表側にも響いて、見栄えが低下したりする。一方で、Ｙａが長すぎる場合、即ち、タック部２２の縫合する位置が下方に下がり過ぎる場合、袋布２１の布地の遊びが多くなるから、布地の種類によっては、ズボン１の着用時に脇ポケット部２０の袋布２１（共布向こう布２５を含む）がポケット口２３から吹き出しやすくなる。
【０２０７】
しかし、本変形例２において、向こう布２１Ｂの上がり線ＯＬとタック部２２の縫合の始点７８ｓとの間の垂直方向の長さＹａが、７ｃｍ以上、１１ｃｍ以下の範囲内であれば、タックの開きが十分に確保され、ウエストベルト部１０が伸びたときでも、袋布２１の上方に引き攣りが生じ難く、脇ポケット部２０２が歪んだり脇ポケット部２０の周辺に皺が寄ったりするのが防止され良好な見栄えを確保でき、かつ、袋布２１（共布向こう布２５を含む）がポケット口２３から吹き出す事態を効果的に抑えることができ、ズボン１を表側から見たときの良好な見栄えを保つことができる。より好ましくは、８≦Ｙａ≦１０である。
【０２０８】
ここで、本変形例２の脇ポケット部２０２において、ポケット口２３からの袋布２１（共布向こう布２５を含む）の吹き出しを効果的に抑えるためにタック部２２の襞を縫合する縫合線７８は、タック部２２を形成する第２の折り目２２２に平行で第２の折り目２２２から、好ましくは、６ｍｍ以内、より好ましくは、０．１ｍｍ以上、５ｍｍ以内、更に好ましくは、０．１ｍｍ以上、０．４ｍｍ以内としている。即ち、縫合線７８と第２の折り目２２２の間隔幅をＤ2（ｃｍ）とすると、好ましくは、Ｄ2≦０．６、より好ましくは、０．１≦Ｄ1≦０．５、更に好ましくは、０．１≦Ｄ1≦０．４である。これより、本変形例２においては、タック部２２の襞が縫合線７８にて縫合された範囲では、タックの開閉が殆どなく、タック部２２の襞が略完全に閉じられた状態となる。そして、タック部２２の襞を縫合した部分ではその襞が殆ど展開しないから、身頃４Ｆ，４Ｂ等の生地が薄いものでも、脇ポケット部２０の皺寄りを効果的に抑え、見栄えを維持できる。
【０２０９】
このとき本実施例２におけるタック部２２の襞の縫合線７８での縫合は、図１８（Ｃ）及び図１８（ｄ）で示した脇ポケット部２０２Ａのように、中縫いにより中間布地２１ＢＭと前側布地２１ＢＦとを縫合するようにしてもよいし、図１９で示した脇ポケット部２０２Ｂのように、コバステッチで後側布地２１ＢＢと中間布地２１ＢＭと前側布地２１ＢＦとを縫合するようしてもよい。
図１８（Ｃ）及び図１８（ｄ）で示した脇ポケット部２０２Ａのように、中縫いによる中間布地２１ＢＭと前側布地２１ＢＦの縫合では、縫合線７８の縫い目が中間布地２１ＢＭと前側布地２１ＢＦを貫通しているが後側布地２１ＢＢには表出しないのに対し、図１９で示した脇ポケット部２０２Ｂのように、コバステッチによる後側布地２１ＢＢと中間布地２１ＢＭと前側布地２１ＢＦとの縫合では、縫合線７８の縫い目が後側布地２１ＢＢと中間布地２１ＢＭと前側布地２１ＢＦを貫通し後側布地２１ＢＢの外面に表出する。即ち、図１８（Ｃ）及び図１８（ｄ）で示した脇ポケット部２０２Ａでは、中縫いにより中間布地２１ＢＭと前側布地２１ＢＦを縫合する縫合線７８の縫い目が、ズボン１の腰裏側から見て表れず、後側布地２１ＢＢに表出しないのに対し、図１９で示した脇ポケット部２０２Ｂでは、コバステッチにより後側布地２１ＢＢと中間布地２１ＢＭと前側布地２１ＢＦとを縫合する縫合線７８の縫い目が、ズボン１の腰裏側から見て後側布地２１ＢＢに表れる。
【０２１０】
なお、本変形例２においては、ウエストベルト部１０の伸びによる引張り力が、袋布２１において、ウエストベルト部１０の配設側の上端側から下方に向かって徐々に減少するのに併せて、上述した脇ポケット部２０と同様、タック部２２の折畳み長さは、その上端側から下方に向かって徐々に小さくなるように設定されている。即ち、第１の折り目２２１及び第２の折り目２２２の間隔が上端から下方にかけて縮小するようにしている。これにより、ウエストベルト部１０の伸縮による袋布２１の布地の遊び、ダブつき、浮きを減らし、見栄えの良い脇ポケット部２０に仕上げることができる。しかし、本発明を実施する場合には、上記変形例１のときと同様、第１の折り目２２１と第２の折り目２２２を平行とし、それらの間隔が上端から下方にかけて一定となるようにしてもよい。
【０２１１】
そして、本変形例２において、タック部２２の襞を縫合線７８にて閉じる位置は、少なくともポケット止まり７５の高さに対応する位置７５ｔから上に所定の長さであればよい。即ち、ポケット口２３からの袋布２１（共布向こう布２５を含む）の吹き出しを抑えるためには、ポケット止まり７５の高さに対応する位置７５ｔから上に所定の長さだけタック部２２の襞を閉じればよく、ポケット止まり７５の高さに対応する位置７５ｔより下では、タック部２２の襞を縫合しても良いし、縫合しなくても良い。ポケット止まり７５の高さに対応する位置７５ｔより下を縫合しない場合には、ウエスト部Ｗが伸びたときの脇ポケット部２０の下方のポケット止まり７５の周囲における引き攣り、引張りが抑制され、袋布２１の歪みや皺寄りを防止して、ズボン１を表側から見たときの美感、見栄えの向上が可能となる。一方で、ポケット止まり７５の高さに対応する位置７５ｔより下を縫合した場合には、袋布２１がより落ち着くから、商品として陳列した際の美感、見栄えの向上が可能となる。
【０２１２】
ここで、ポケット止まり７５の高さに対応する位置７５ｔから上でタック部２２の襞を縫合する長さは身頃４Ｆ，４ｂの布地、共布向こう布２５の布地、ウエストベルト部１０の表側及び裏側を形成する収容部１２及び延出部１１の布地の種類、厚み、伸縮性等に応じて、また、ポケット口２３の開口幅（縦幅）ｍに応じて設定される。なお、本変形例２においても、袋布２１の共布向こう布２５の布地や、ウエストベルト部１０の表側及び裏側を形成する収容部１２及び延出部１１の布地は身頃４Ｆ、４Ｂと共地である。
【０２１３】
本発明者らの実験研究によれば、例えば、綾織り（斜文織、ツイルともいう）のチノパン生地（主に綿やポリエステルからなる生地で、ここでは、綿６５％、ポリエステル３２％、ポリウレタン３％の生地を使用）からなる布地を身頃４Ｆ，４Ｂに使用した場合、脇ポケット部２０のポケット口２３の開口幅（縦幅）ｍ（図８（ｂ）参照）を１２ｃｍ以上、１５ｃｍ未満（１２≦ｍ＜１５）としたズボン１の袋布２１に設けたタック２２では、ポケット口２３の末端であるポケット止まり７５の高さに対応する位置７５ｔから上に垂直方向の長さで４ｃｍ以上、５ｃｍ以下の範囲内でタック部２２の襞を縫合線７８にて縫合するのが好ましい。即ち、ポケット止まり７５の高さに対応する位置７５ｔから縫合線７８の始点７８ｓまでの間の垂直方向の縦幅長さをＹｃ（ｃｍ）としたとき、４≦Ｙｃ≦５が好ましい。
また、脇ポケット部２０のポケット口２３の開口幅（縦幅）ｍを１５ｃｍ以上、１８ｃｍ以下（１５≦ｍ≦１８）としたズボン１の袋布２１に設けたタック２２では、ポケット口２３の末端であるポケット止まり７５の高さに対応する位置７５ｔから上に垂直方向の長さで５ｃｍ以上、７ｃｍ以下の範囲内でタック部２２の襞を縫合線７８にて縫合するのが好ましい。即ち、５≦Ｙｃ≦７が好ましい。
【０２１４】
更に、例えば、平織りの生地（ここでは、綿６５％、ポリエステル３２％、ポリウレタン３％の生地を使用）からなる布地を身頃４Ｆ，４Ｂに使用した場合、脇ポケット部２０のポケット口２３の開口幅（縦幅）ｍを１２ｃｍ以上、１５ｃｍ未満（１２≦ｍ＜１５）としたズボン１の袋布２１に設けたタック２２では、ポケット口２３の末端であるポケット止まり７５の高さに対応する位置７５ｔから上に垂直方向の長さで３ｃｍ以上、５ｃｍ以下の範囲内でタック部２２の襞を縫合線７８にて縫合するのが好ましい。即ち、３≦Ｙｃ≦５が好ましい。
また、脇ポケット部２０のポケット口２３の開口幅（縦幅）ｍを１５ｃｍ以上、１８ｃｍ以下（１５≦ｍ≦１８）としたズボン１の袋布２１に設けたタック２２では、ポケット口２３の末端であるポケット止まり７５の高さに対応する位置７５ｔから上に垂直方向の長さで３ｃｍ以上、７ｃｍ以下の範囲内でタック部２２の襞を縫合線７８にて縫合するのが好ましい。即ち、３≦Ｙｃ≦７が好ましい。
【０２１５】
特に、このような平織り組織では、綾織りの組織と比べ、通気性に富む構成で皺が寄り難いものであるため、タック部２２の襞を縫合する長さが短くても、ズボン１の着用時にズボン１の表側（外側）からみて、袋布２１（共布向こう布２５を含む）がポケット口２３から吹き出るのが抑制され、脇ポケット部２０及びその周辺に皺寄りが生じ難く、見栄えに優れた脇ポケット部２０２となる。
【０２１６】
こうして、本変形例２に係る脇ポケット部２０２（２０２Ａ，２０２Ｂ）においても、タック部２２の上方を除いてタック部２２の襞が縫合されていることで、袋布２１の遊びが抑えられるから、ウエストベルト部１０のカーブによって、ウエスト周りのフィット性が向上することで袋布２１の引き攣り量が大きくなっても、袋布２１の布地がポケット口２３から吹き出すのが抑制され、脇ポケット部２０２の袋布２１（共布向こう布２５を含む）に皺寄りが生じ難く、見栄えの良い脇ポケット部２０２となり、ズボン１の見栄え、美観を維持できる。
【０２１７】
特に、本変形例２に係る脇ポケット部２０２では、袋布２１の向こう布２１Ｂにおいて２本の折り目２２１，２２２に沿って折畳んで形成したタック部２２に対し、ポケット止まり７５の高さに対応する位置７５ｔから上に３ｃｍ以上、８ｃｍ以下、好ましくは、３ｃｍ以上、７ｃｍ以下でタック部２２の襞を縫合線７８で縫合し、即ち、ポケット止まり７５の高さに対応する位置７５ｔから縫合線７８の始点７８ｓまでの間の縦幅長さＹｃ（ｃｍ）を、２≦Ｙｃ≦８、好ましくは、２．５≦Ｙｃ≦７．５、更に好ましくは、３≦Ｙｃ≦７とし、袋布２１の縦幅の中間部から下側が縫合されている。
【０２１８】
よって、例えば、紳士用のボトムスでは袋布２１をより落ち着かせるためにアイロン等のプレス処理によってタック部２２を形成するための２本の折り目２２１、２２２にしっかりクセを付したり、また、袋布２１のクセとりをしたりするが、こうしたボトムスの袋布２１をより落ち着かせるためにタック部２２の形成を袋布２１の下方までの長さとする設計に好適である。
特に、本変形例２に係る脇ポケット部２０２では、タック部２２の長さを向こう布２１Ｂの上端から、ポケット止まり７５の高さに対応する位置７５ｔよりも２ｃｍ以上、下までの長さとすることで、それよりも下方は袋布２１の布地の特性、種類等を問わずアイロン等でプレスすればクセとりできるから、袋布２１の歪み、皺、膨らみ、浮き等が少なく商品として陳列した際の美感、見栄えに優れた脇ポケット部２０２に仕上げることができる。
【０２１９】
そして、本変形例２に係る脇ポケット部２０２では、タック部２２の襞（折り返し部分）を縫合する始点７８ｓを、脇ポケット部２０２のポケット口外縁７６の末端７５の高さに対応する位置７５ｔから垂直方向に上に２ｃｍ以上、８ｃｍ以下の範囲内とする。向こう布２１Ｂの上がり線ＯＬ側からすると、タック部２２の縫合の始点７８ｓは、向こう布２１Ｂの上がり線ＯＬから下に、好ましくは、７ｃｍ以上、１１ｃｍ以下の範囲内の位置である。また、タック部２２の襞を縫合する終点７８ｔは、脇ポケット部２２のポケット口外縁７６の末端７５の高さに対応する位置７５ｔまたはそれよりも下とする。
【０２２０】
これにより、布地の種類、厚み、伸び特性や、袋布２１やポケット口の大きさ等を問わず、タック部２２の上方の襞の展開量を確保しつつ、タック部２２の下方で襞の展開を制限できる。よって、ウエストベルト部１０が伸びたときでも袋布２１の上方の引き攣りによる見栄えを損なうことなく、ズボン１の表側（外側）からみて、袋布２１（共布向こう布２５を含む）がズボン１の外側のポケット口２３から吹き出すのを抑え、良好な見栄えを確保する。更に、本発明者らの実験研究によれば、タック部２２の襞（折り返し部分）を縫合する始点７８ｓを、脇ポケット部２０２のポケット口外縁７６の末端７５の高さに対応する位置７５ｔから垂直方向に上に２．５ｃｍ以上、７．５ｃｍ以下の範囲内が好ましく、より好ましくは、３ｃｍ以上、７ｃｍ以下の範囲内であれば、身頃４Ｆ，４Ｂ等が薄生地であっても、ウエスト部Ｗが伸びたときの袋布２１のポケット口２３からの吹き出し、袋布２１の変形を抑え、脇ポケット２０部及びその周囲の皺寄りの発生を防止でき、かつ、脇ポケット部２０の上方で引き攣りが生じ難いものとなる。
【０２２１】
特に、本変形例２に係る脇ポケット部２０２においては、タック部２２を袋布２１の下方まで形成し、袋布２１の縦幅の中間部から下側を縫合するものであるから、ウエストベルト部１０を伸ばしたときでも袋布２１の上方で引き攣りによる袋布２１の歪み等が生じ難く、見栄えが維持されると共に、ウエストベルト部１０が伸びていないときでも、袋布２１の皺、歪み、膨らみ、浮き等が少なく見栄えに優れた脇ポケット部２０２に仕上げることができる。故に、身頃４Ｂ、４Ｆ等の布地が薄いものでも、袋布２１の歪み等がズボン１の表側に響かないので、見栄えが良好であり、商品として陳列した際の美感や見栄えにも優れる。更に、着用時において、ウエスト部Ｗが伸びたときでも、スムースな伸びを確保しまた、見栄えも維持できる。
【０２２２】
こうして、本変形例２に係る脇ポケット部２０２においても、ウエストベルト部１０のカーブによって着用者のウエスト周りにフィットし、ウエストベルト部１０に接続する身頃４Ｆ，４Ｂの上部の引き攣り量、引張り量が多くなっても、ズボン１の表側（外側）からみて、袋布２１の布地がポケット口２３から吹き出すのが抑制され、脇ポケット部２０の共布向こう布２５や脇ポケット部周囲の身頃４Ｂ，４Ｆに皺寄りが生じることはなく、ズボン１の見栄え、美観を良好に維持できる。
【０２２３】
このように本実施の形態１のズボン１においては、ウエストベルト部１０のカーブによって着用者のウエスト周りへのフィット性が向上しても、袋布２１の向こう布２１Ｂに設けた所定長さのタック部２２の襞をその上方を除いて縫合線７８に縫合していることにより、袋布２１が引き攣られて袋布２１の歪み、変形等によって、袋布２１がポケット口２３から吹き出して露出したり、脇ポケット部２０の袋布２１や脇ポケット部２０周囲の身頃４Ｂ，４Ｆに皺寄りが生じたりするのが抑えられ、ズボン１を表側から見たときの良好な見栄えを保つことができる。
【０２２４】
更に、本実施の形態１のズボン１においては、収容部１２及び延出部１１の間を接続する平ゴム１５Ｅとは別に補助弾性材として幅の細い所定長さの平ゴム２８を脇ポケット部２０の袋布２１に縫着している。詳細には、平ゴム２８の一端部を、袋布２１の向こう布２１Ｂの後側布地２１ＢＢの上端部であってタック部２２を形成する第２の折り目２２２の近傍に縫付け、また、反対側の他端部を、向こう布２１Ｂの前側布地２１ＢＦの上端部であって、閉端部付近に延出部表ベルト１１Ｆの内折りした下部及び前身頃４Ｆの上端部に縫付けられている。なお、この平ゴム２８を縫付けるときの縫付線はズボン１の表側（外側）からは見えないようになっている。
【０２２５】
このときの平ゴム２８としては、例えば、織ゴム、編ゴム、コールゴム、ゴムテープ等が使用されるが、本発明を実施する場合、十分な弾性を有するものであれば、ゴム製板、ストレッチテープ（ゴム入り布）、パワーネット生地、サテンネット生地、ストレッチサテン生地、ストレッチレース生地等の様々な弾性を有する素材を用いることも可能である。
【０２２６】
このように、本実施の形態１のズボン１においては、平ゴム２８の一端部を、袋布２１の向こう布２１Ｂの後側布地２１ＢＢの上端部に対して縫付け、反対側の他端部を、向こう布２１Ｂの前側布地２１ＢＦの上端部に対して、前身頃４Ｆの上端部及び延出部表ベルト１１Ｆの下側の折り返し部分と共に縫付け、この平ゴム２８によって脇ポケット部２０の袋布２１のタック部２２近傍と延出部表ベルト１１Ｆ側とを弾性的に接続することで、延出部１１の先端部側が収容部１２から繰り返し出たり入ったりする場合でも、平ゴム２８の弾性力によりタック部２２の形状を維持し、袋布２１の形状が崩れたり、ウエストベルト部１０と身頃４Ｆ，４Ｂの境界付近で袋布２１や身頃４Ｆ，４Ｂに皺が寄り見栄えが悪くなるのを防いでいる。
【０２２７】
特に、平ゴム２８の長さ方向の両端部のうち延出部表ベルト１１Ｆの折り返した下部及び前身頃４Ｆの上端部へ縫付け位置を、反対側のタック部２２近傍の縫付け位置よりも若干高くし、平ゴム２８の両端の縫付け高さに高低を付していると、タック部２２から前中心ＦＣ寄りの前側布地２１ＢＦに皺が入り難いものとのなる。
なお、このような補助弾性材としての平ゴム２８の縫付けは、例えば、長さ方向の一端を、後側布地２１ＢＢの上端部に縫付ける一方で、反対側の他端部を前側布地２１ＢＦの上方であって延出部表ベルト１１Ｆの上側の折り返し部分に縫付けることも可能である。このような縫付位置でも、袋布２１の形状を維持し、皺寄りの発生を防止してズボン１の見栄えを良好に維持できる。
【０２２８】
こうして、本実施の形態１のズボン１は、図１（ａ）及び図１（ｂ）に示したように、両脇の脇線ＬＳ，ＲＳに沿って前身頃４Ｆ及び後身頃４Ｂを重ねた状態で見たときに、ウエスト方向に延びる帯状のウエストベルト部１０が前中心ＦＣ及び後中心ＢＣ側から両脇ＬＳ、ＲＳ側に向かって上昇する曲線形状に形成されたものである。
そして、本実施の形態１において、この曲線形状のウエストベルト部１０は、そのウエスト長を収容部１２と延出部１１に分割し、先端部１１ｔを除いて前身頃４Ｆに縫合された延出部１１と後身頃４Ｂに縫合された収容部１２とを脇線ＬＳ，ＲＳ近傍の上部で重ね合わせ、即ち、脇線ＬＳ，ＲＳ近傍の上部で延出部１１の先端部１１ｔ側を前身頃４Ｆに縫着することなく収容部１２の端部に挿入し、更に、収容部１２に対し延出部１１が収容されている状態で収容部１２の内部において収容部１２及び延出部１１の間を平ゴム１５Ｅの接続部１５によって弾性的に接続してなるものである。
【０２２９】
このように本実施の形態１のズボン１において、曲線状に形成されたウエストベルト部１０は、先端部１１ｔを除いて前身頃４Ｆに縫合された延出部１１と後身頃４Ｂに縫合された収容部１２とを、脇線ＬＳ，ＲＳ近傍の上部で収容部１２に対し延出部１１の端部を挿入することで重ね合わせ、そして、収容部１２に対し延出部１１が収容されている状態で収容部１２の内部において収容部１２及び延出部１１の間を平ゴム１５Ｅによって弾性的に接続した構成であることで、ウエストベルト部１０に引張り力が掛かった際には、平ゴム１５Ｅの弾性力により、収容部１２から延出部１１を延出自在とする。
【０２３０】
このとき、延出部１１に接続している前身頃４Ｆ側には、脇ポケット部２０を構成する袋布２１が設けられ、その袋布２１の向こう布２１Ｂに所定幅で折重ねた襞状のタック部２２を設けていることで、収容部１２から延出部１１が抜き出る移動に伴い、タック部２２の所定の襞が展開される。即ち、ウエストベルト部１０に引張り力が掛かったときに、収容部１２から延出部１１が抜き出るが、この延出部１１の移動に伴って、タック部２２の襞が開かれる（広げられる）ことになるから、脇ポケット部２０を構成する袋布２１にかかる引張り力がタック部２２の開きによって逃される。よって、ウエストベルト部１０に引張り力が掛かったとき、延出部１１は収容部１２からスムースに延出する。
【０２３１】
こうして、本実施の形態１のズボン１においては、ウエストベルト部１０に引張り力が掛かった際には、平ゴム１５Ｅの伸長によって収容部１２から延出部１１が引き出されて延出し、また、脇ポケット部２０のタック部２２が所定量展開され、ウエストベルト部１０及びその付近のウエスト部Ｗが伸長する。そして、ウエスト周りを伸ばそうとする力が解除されると、平ゴム１５Ｅが弾性力によって元の本来の長さに戻るから、再び延出部１１が収容部１２内に収容される方向に移動して元の状態に戻り、また、脇ポケット部２０のタック部２２も折畳まれて元の状態に戻る。
このようにして、本実施の形態のズボン１は、カーブしたウエストベルト部１０及びその付近のウエスト部Ｗが伸縮自在である。
【０２３２】
よって、本実施の形態のズボン１によれば、ウエストベルト部１０のカーブによって、着用時に身体のウエストラインに沿ってフィットさせることができるうえ、カーブしているウエストベルト部１０及びその周囲のウエスト部Ｗは平ゴム１５Ｅの弾性力により伸縮自在であることで、身体の動きに追随できるから、ウエストベルト部１０のカーブに伴うウエスト周りの圧迫感、窮屈感を解消しながら、ウエスト周りへのフィット性を高めることができる。
【０２３３】
即ち、ウエストベルト部１０がカーブしているから、着用者が着座、しゃがんだ際でも浮きが生じることなく、背中側のウエスト周りでウエストベルト部１０がフィットして、下着が見え難いものとなるが、カーブしているウエストベルト部１０及びその周囲のウエスト部Ｗが伸縮自在であるから、着用者が着座やしゃがむ際、また、立ちあがる際でも、その動きに追従して伸長または収縮するため、ウエスト周りに圧迫感、窮屈感を与えることがない。勿論、ウエストベルト部１０がカーブしているうえ、伸縮自在な構成であるから、身体のウエスト周りの体型に常にフィットしている感覚や適度な締め付け感を与えることができる。また、ウエストベルト部１０がカーブしていても、ウエストベルト部１０及びその周囲を含むウエスト部Ｗが伸縮自在であるから、着脱も容易にできる。
【０２３４】
特に、本実施の形態１のウエストベルト部１０の伸縮自在構造は、ウエスト長を収容部１２及び延出部１１に分割し、後身頃４Ｂ側に接続した収容部１２に対し前身頃４Ｆ側に接続した延出部１１を両脇の脇線ＬＳ，ＲＳの上部付近で挿入し、収容部１２の内部で収容部１２と延出部１１の先端を平ゴム１５Ｅで接続する構成であり、弾性材がズボン１の外観に露出しないから、見た目に伸縮するのが分かり難く、外観性に優れる。
【０２３５】
更に、本実施の形態のズボン１によれば、ウエストベルト部１０がカーブ形状であり、図１（ａ）及び図１（ｂ）に示したように、両脇の脇線ＬＳ，ＲＳに沿って前身頃４Ｆ及び後身頃４Ｂを重ねた状態で見たときに、身頃４Ｆ，４Ｂの上端とウエストベルト部１０の上端及び下端が前中心ＦＣ及び後中心ＢＣに向かって上昇する曲線ラインであるから、着用時に着用者のウエストラインに沿う。よって、着用したときに、ストレートのウエストベルトと比べ、脇線ＬＳ，ＲＳ側で身頃の上端４Ｆ，４Ｂとウエストベルト部１０の下端で段差、角張りが少なくなり、ウエストベルト部１０と身頃４の繋がりがスムーズですっきりとしたシルエットが得られ、ウエスト周りの見栄えがすっきりとした滑らかなシルエットを形成することができる。
よって、本実施の形態１のズボン１によれば、着用時の美感に優れるものである。
【０２３６】
そして、本実施の形態１のズボン１によれば、収容部１２の内部で収容部１２及び延出部１１に縫着した平ゴム１５Ｅは、その長さ方向の一端部側を延出部１１に縫付けたときの縫付線５１が、平ゴム１５Ｅの幅方向に並行する直線である一方、反対側の他端部側を収容部１２に縫付けたときの縫付線５２が、平ゴム１５Ｅの幅方向の下端から上端に向かい延出部１１側に傾く斜めであり、その上端から下端に向かって伸縮自在な長さを長くしている。
これより、平ゴム１５Ｅの下方がその上方よりも長く伸びる分、平ゴム１５Ｅの下方で上方よりもゴムの伸びによる張力を大きくできるから、即ち、ゴムが伸びたときに平ゴム１５Ｅの上方にかかる張力を下方よりも小さくできるから、上方と下方の張力差を小さくしバランスさせることができる。つまり、ウエストベルト部１０に引張り力が掛かった際でも、平ゴム１５Ｅの上方と下方の張力差によるゴムの降下量、変形量は小さく抑えることができる。
よって、平ゴム１５Ｅは延出部側に下降し難い直線運動に近い伸びとなり、ゴムの延出部１１側が下方に下がり難くなる。故に、ウエストベルト部１０に引張り力が掛かり収容部１２から延出部１１が引き出される際でも、カーブしている延出部１１が下方へ下がり難いので、収容部１２と延出部１１の間に段差が生じ難く、見栄えのよいウエスト周りとなる。
【０２３７】
即ち、本実施の形態１のズボン１によれば、平ゴム１５Ｅの一端側を、先端１１ｅに向かって上昇するカーブ形状の延出部１１の先端部１１ｔ側に縫付け、平ゴム１５Ｅの反対側の他端側を、端部１２ｅ側から後中心ＢＣ側に向かって上昇するカーブ形状の収容部１２の内部に縫付けたときに、接続部１５の下方から上方に向かってテンションが掛かりやすい縫着となっても、平ゴム１５Ｅの伸縮自在な長さをその上端から下端に向かって長くした縫着によって、ウエストベルト部１０に引張り力が掛かった際に、平ゴム１５Ｅがのびたときにゴムに掛かる張力を下方よりも上方で小さくできることで、平ゴム１５Ｅが直線運動に近い伸びとなる。よって、カーブしている延出部１１が下方へ下がり難く、収容部１２と延出部１１の間の段差が目立だたず見栄えのよいウエスト周りとなる。更に、平ゴム１５Ｅの縫付位置の誤差による延出部１１と収容部１２の段差のバラつきも生じ難い。よって、平ゴム１５Ｅの縫付位置に高い精度が要求されず、熟練者による縫製でなくとも一定の品質及び信頼性を確保できる。
【０２３８】
ここで、上記実施の形態１においては、平ゴム１５Ｅを延出部１１に縫付けるときの縫付線５１を、平ゴム１５Ｅの幅方向に並行する直線とする一方で、収容部１２に縫付ける縫付線５２を、平ゴム１５Ｅの幅方向の下端から上端に向かい延出部１１側に傾く斜めとしていることで、平ゴム１５Ｅの上端から下端に向かって伸縮自在な長さを長くしている。
しかし、本発明を実施する場合には、平ゴム１５Ｅを延出部１１に縫付けるときの縫付線５１を斜めとし、収容部１２に縫付ける縫付線５２を平ゴム１５Ｅの幅方向に並行する直線として、平ゴム１５Ｅの上端から下端に向かって伸縮自在な長さを長くしてもよい。また、縫付線５１及び縫付線５２の両者を斜めとして平ゴム１５Ｅの上端から下端に向かって伸縮自在な長さを長くしてもよい。
【０２３９】
更に、本実施の形態１のズボン１によれば、両脇線ＬＳ，ＲＳに沿って設けた脇ポケット部２０，２０１，２０２を構成する袋布２１の向こう布２１Ｂに所定幅で折畳んでなる襞状の所定長さのタック部２２を形成し、タック部２２の襞（折り返し部分）をその上方を除いて縫合線７８にて縫合している。
したがって、ウエストベルト部１０のカーブによって、着用者のウエスト周りの体型にフィットすることでウエスト周りの引き攣りが大きくなっても、襞状のタック部２２に対して所定の範囲の一部でタック部２２の襞が縫合されて閉じられていることで、ウエストベルト部１０に引張り力が掛かりウエスト周りが伸びて脇ポケット部２０，２０１，２０２の共布向こう布２５が表出する面積が拡大したときでも、袋布２１の遊び部分がポケット口２３から吹き出したり、脇ポケット部２０，２０１，２０２及びその周囲で皺寄りが生じたりするのが抑制され、脇ポケット部２０，２０１，２０２の見栄えが維持される。
【０２４０】
以上、説明してきたように、本実施の形態１に係るボトムスとしてのズボン１は、ウエスト方向に延びる帯状をなすウエストベルト部１０がカーブしたズボン１であって、ウエストベルト部１０のカーブに対応する曲線形状を有してウエストベルト部１０の表側及び裏側を形成し、前身頃４Ｆに縫着しない端部１１ｔが延出自在な延出部１１と、ウエストベルト部１０のカーブに対応する曲線形状を有して延出部１１と共にウエストベルト部１０の表側及び裏側を形成し、延出部１１の前身頃４Ｆに縫着しない端部１１ｔを収容した収容部１２と、収容部１２の内部で弾性材としての平ゴム１５Ｅによって収容部１２と延出部１１の間を弾性的に接続した接続部１５とを具備し、接続部１５の平ゴム１５Ｅは、その上端から下端に向かって伸縮自在な長さを長くして収容部１２と延出部１１の間を接続しているものである。
【０２４１】
この本実施の形態１に係るズボン１によれば、ウエストベルト部１０がカーブしているから、ウエストベルト部１０のカーブによって、着用者のウエスト周りに対するフィット性を向上できる。しかも、カーブしたウエストベルト部１０に対しウエスト方向に引張り力が掛かった際には、延出部１１と収容部１２の間を弾性的に接続した接続部１５の平ゴム１５Ｅの伸びによって、収容部１２から延出部１１が延出することにより、ウエストベルト部１０が伸長する。また、引張り力が解放されると、平ゴム１５Ｅの弾性力によって、伸長したウエストベルト部１０は元に戻る。即ち、カーブしたウエストベルト部１０は、延出部１１と収容部１２の間を弾性的に接続した平ゴム１５Ｅの弾性力によって伸縮自在である。
【０２４２】
したがって、本実施の形態１に係るズボン１によれば、ウエストベルト部１０のカーブによって、着用者のウエスト周りのフィット性を向上させることができるうえ、延出部１１と収容部１２の間を弾性的に接続した平ゴム１５Ｅの弾性力によりカーブしたウエストベルト部１０が伸縮自在であることで、身体のウエスト周りの動きに追随できるから、ウエストベルト部１０のカーブ形状に伴うウエスト周りの圧迫感、窮屈感を解消できる。よって、ウエスト周りへの締め付け力、窮屈感を強調させることなく、ウエストベル部１０のカーブ形状及び伸縮自在な構造によってウエスト周りへのフィット性を高めることができる。
【０２４３】
特に、本実施の形態１に係るズボン１によれば、収容部１２と延出部１１の間を接続する接続部１５の弾性材としての平ゴム１５Ｅは、その上端から下端に向かって伸縮自在な長さを長くしているから、延出部１１と収容部１２の間を接続したときに平ゴム１５Ｅの上下でテンションの相違があったとしても、平ゴム１５Ｅが伸びたときは平ゴム１５Ｅの上方と下方で張力差がバランスされ、直線運動に近づく。よって、平ゴム１５Ｅが伸びたときの張力の相違による平ゴム１５Ｅの下がりを小さく抑えることができる。
【０２４４】
即ち、カーブしているウエストベルト部１０の表側及び裏側を構成する収容部１２及び延出部１１は所定の曲線形状を有するから、それらの間で接続部１５の平ゴム１５Ｅによって収容部１２及び延出部１１を接続するとき、平ゴム１５Ｅの下方よりも上方にテンションが掛かりやすい縫着となる。
ここで、ウエスト方向に引張り力が掛かった際に平ゴム１５Ｅにおいて上方よりも下方にかかる張力が弱くなると、平ゴム１５Ｅが伸びたときに平ゴム１５Ｅの延出部１１側が下に下がりやすくなる。即ち、収容部１２から延出部１１が引き出される際に延出部１１が下方に下がりやすくなる。
しかし、平ゴム１５Ｅの上端から下端に向かって伸縮自在な長さを長くしていることで、平ゴム１５Ｅの下方が上方より長く伸びるから、平ゴム１５Ｅの伸びによる張力を上方よりも下方で大きくできる。よって、平ゴム１５Ｅが伸びたときには接続部１５の上方と下方で張力差がバランスされ、直線運動に近づく。
これより、ウエストベルト部１０に引っ張り力が掛かって収容部１２から延出部１１が引き出される際に延出部１１が下方に下がるのを抑制することができ、収容部１２と延出部１１の間で段差が生じて見栄えが低下するのを防止できる。
【０２４５】
こうして、本実施の形態１に係るズボン１によれば、ウエストベルト部１０をカーブさせていても、ウエストベルト部１０に掛かる引張り力により収容部１２から延出部１１が引き出される際に収容部１２と延出部１１の間の段差が目立たず、良好な見栄えを維持できる。
【０２４６】
このとき、ウエストベルト部１０の内部において収容部１２及び延出部１１に縫着した平ゴム１５Ｅが、収容部１２への縫付側から延出部１１への縫付側に向かって斜めに上昇する配設であると、平ゴム１５Ｅが伸びたときでも延出部１１に縫付けた端部を収容部１２の上端部側に近づけることができるから、ウエストベルト部１０に引張り力が掛かって収容部１２から延出部１１が引き出される際でも、延出部１１と収容部１２の段差が全く気にならなくなり、見栄えにより優れたものとなる。
【０２４７】
また、本実施の形態１に係るズボン１は、前身頃４Ｆ側であって両脇の脇線ＬＳ，ＲＳに沿って取付けた脇ポケット部２０，２０１，２０２を具備し、脇ポケット部２０，２０１，２０２には、それを構成する袋布２１の向こう布２１Ｂにその上端から下方に向かって延びた襞状のタック部２２が形成され、タック部２２の襞（折り返し部分）がその上方を除いて縫合線７８にて縫合されているものである。
【０２４８】
即ち、本実施の形態１に係るボトムスとしてのズボン１は、ウエスト方向に延びる帯状をなすウエストベルト部１０がカーブしたズボン１であって、ウエストベルト部１０のカーブに対応する曲線形状を有してウエストベルト部１０の表側及び裏側を形成し、前身頃４Ｆに縫着しない端部１１ｔが延出自在な延出部１１と、ウエストベルト部１０のカーブに対応する曲線形状を有して延出部１１と共にウエストベルト部１０の表側及び裏側を形成し、延出部１１の前身頃４Ｆに縫着しない端部１１ｔを収容した収容部１２と、収容部１２の内部で並列させた平ゴム１５Ｅによって収容部１２と延出部１１の間を弾性的に接続した接続部１５と、前身頃４Ｆ側であって両脇の脇線ＬＳ，ＲＳに沿って取付けた脇ポケット部２０，２０１，２０２とを具備し、接続部１５の平ゴム１５Ｅは、その上端から下端に向かって伸縮自在な長さを長くして収容部１２と延出部１１の間を接続していものであり、また、脇ポケット部２０，２０１，２０２には、それを構成する袋布２１の向こう布２１Ｂにその上端から下方に向かって延びた襞状のタック部２２が形成され、タック部２２の襞がその上方を除いて縫合されているものである。
【０２４９】
したがって、本実施の形態１に係るズボン１によれば、タック部２２の開きが制限され袋布２１の生地の遊び、余裕が少なくなるから、ウエストベルト部１０のカーブによる着用者のウエスト周りへのフィット性の向上によって、脇ポケット部２０の袋布２１に掛かる引き攣り量が増大しても、ズボン１の外側のポケット口２３から袋布２１が吹き出す事態が防止され、見栄えや外観性を維持できる。
【０２５０】
特に、上記実施の形態１及び変形例１に係る脇ポケット部２０，２０１によれば、タック部２２の襞は、袋布２１の縦幅の中間部から上側の所定範囲が縫合されているから、タックが短い設計のズボン１であっても、ポケット口２３から袋布２１が吹き出すのを効果的に抑制できる。即ち、例えば、婦人用のボトムスのように袋布２１を落ち着かるためのアイロン等のプレスを行わないときにはその袋布２１のタックの長さは比較的短いものとなるが、そのようなタックが比較的短いものでも、タック部２２の上方を除いて、袋布２１の縦幅の中間部から上側の所定範囲でタック部２２の襞を縫合線７８にて縫合することによって、ズボン１の外側のポケット口２３から袋布２１が吹き出すのを効果的に抑制できる。
【０２５１】
また、上記実施の形態１及び変形例１に係る脇ポケット部２０，２０１によれば、タック部２２の襞を縫合する縫合線７８の始点（始端）７８ｓは、袋布２１の上がり線ＯＬから垂直方向に下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあり、縫合線７８の終点（終端）７８ｔは、始点７８ｓから垂直方向に、３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にある。即ち、タック部２２の襞を縫合する縫合線７８の始端７８ｓは、袋布２１の上がり線ＯＬから垂直方向に下に３ｃｍ以上、６ｃｍ以下の範囲内、好ましくは、３．５ｃｍ以上、５．５ｃｍ以下の範囲内、より好ましくは、４ｃｍ以上、５ｃｍ以下の範囲内にあり、そこから垂直方向の長さで、３ｃｍ以上、６ｃｍ以下、好ましくは、３．５ｃｍ以上、５．５ｃｍ以下、より好ましくは、４ｃｍ以上、５ｃｍ以下でタック部２２の襞を中縫いによって縫合することで、タック部２２の上方の襞の展開量を確保しつつ、タック部２２の一部の襞の展開を制限することができる。よって、ウエストベルト部１０に引張り力が掛かった際でも袋布２１の上方で引き攣りが生じることによる見栄えを損なうことがなく、ズボン１の外側でポケット口２３から袋布２１が吹き出すのを効果的に防止できる。
【０２５２】
更に、上記実施の形態１及び変形例１に係る脇ポケット部２０，２０１によれば、タック部２２の折畳み状態で袋布２１の向こう布２１Ｂの外面側に表れない第１の折り目２２１から１ｃｍ以内、好ましくは、０．１ｃｍ以上、０．８ｃｍ以内、より好ましくは、０．１ｃｍ以上、０．６ｃｍ以内でタック部２２の襞が縫合線７８にて縫合されているから、タック部２２の襞を縫合した部分でも所定の展開量を確保できることで、ウエストベルト部１０に引張り力が掛かった際でも、袋布２１の引き攣り、特に、ポケット止まり７５の周囲に生じやすい引き攣りを抑制して、見栄えを向上させることができる。
【０２５３】
また、変形例２に係る脇ポケット部２０２によれば、袋布２１の縦幅の中間部から下側でタック部２２の襞が縫合されているから、タックが比較的長い設計のズボン１に好適であり、タックが比較的長いズボン１のポケット口２３から袋布２１が吹き出すのを効果的に抑制できる。即ち、例えば、紳士用のボトムスのように、アイロン等のプレスによってタック部２２の折り目をしっかり付したり、袋布２１の皺とり、クセとりを行ったりして袋布２１を落ち着かるものでは、その袋布２１のタックの長さは比較的長いものとなるが、そのようなタックが比較的長いものでも、タック部２２の上方を除いて、袋布２１の縦幅の中間部から下側の所定範囲でタック部２２の襞を縫合線７８にて縫合することによって、ズボン１の外側のポケット口２３から袋布２１が吹き出すのを効果的に抑制できる。
【０２５４】
特に、変形例２に係る脇ポケット部２０２によれば、タック部２２の襞を縫合する縫合線７８の始点７８ｓは、脇ポケット部２０２のポケット口外縁７６の末端７５の高さに対応する位置７５ｔから垂直方向に上に２ｃｍ以上、８ｃｍ以下、好ましくは、２．５ｃｍ以上、７．５ｃｍ以下、より好ましくは、３ｃｍ以上、７ｃｍ以下の範囲内にあり、タック部２２の襞を縫合する終点７８ｔは、脇ポケット部２０のポケット口外縁７６の末端７５の高さに対応する位置７５ｔまたはそれよりも下にある。
これより、タック部２２の上方の襞の展開量を確保しつつ、タック部２２の一部で襞の展開を制限できる。よって、ウエストベルト部１０が伸びるときでも袋布２１の上方の引き攣りを抑えて見栄えを損なうことなく、袋布２１がズボン１の外側のポケット口２３から吹き出すのを効果的に防止できる。
【０２５５】
更に、変形例２に係る脇ポケット部２０２によれば、タック部２２の襞は、タック部２２の折畳み状態で袋布２１の向こう布２１Ｂの外面側に表れる第２の折り目２２２から０．６ｃｍ以内、好ましくは、０．１ｃｍ以上、０．５ｃｍ以内、より好ましくは、０．１ｃｍ以上、０．４ｃｍ以内で縫合線７８にて縫合されている。よって、タック部２２の襞を縫合した部分ではその襞が殆ど展開しないから、身頃４Ｆ，４Ｂ等の生地が薄いものでも、脇ポケット部２０２の皺寄りを効果的に抑え、見栄えを維持できる。
【０２５６】
なお、本実施の形態１では、ウエストベルト部１０の表側及び裏側を身頃４Ｂ，４Ｆと共地（綿生地、ウール生地等）とし、即ち、収容部１２を構成する収容部表ベルト１２Ｆ及び収容部裏ベルト１２Ｂ並びに延出部１１を構成する延出部表ベルト１１Ｆ及び延出部裏ベルト１１Ｂを身頃４Ｂ，４Ｆと共地とし、ウエストベルト部１０の上端部で表側と裏側の生地を接ぐ構成としている。しかし、本発明を実施する場合には、ウエストベルト部１０の表側と裏側を別生地で構成することも可能である。例えば、ウエストベルト部１０の表側の生地は、身頃４Ｂ，４Ｆと共地とし、ウエストベルト部１０部の裏側は、タックインしたシャツがズボン１から食み出るのを防止する滑り止め機能を持たせたポリエステル系、ナイロン系、レーヨン系、綿、スレーキ、リボンテープ、ラバー等からなる、所謂、マーベルト仕様とすることもできる。勿論、ウエストベルト部１０の表側も身頃４Ｆ，４Ｂとは別生地で作製することも可能であるし、収容部１２側と延出部１１側で異なる生地を使用することも可能である。
【０２５７】
そして、本発明を実施する場合には、ウエストベルト部１０の裏側では、表側と同様に身頃４Ｂ，４Ｆと共生地とする場合であっても、また、表側の生地と別生地、例えば、マーベルトとする場合であっても、直線形状に形成されたものをウエストベルト部１０の表側に縫着する際にいせ込んで（細かくダブらせて）縫付けることによって、ウエストベルト部１０の表側を形成する収容部表ベルト１２Ｆ及び延出部表ベルト１１Ｆの曲線形状に対応させてもよい。
【０２５８】
ここで、上記実施の形態１の変形例３に係るズボン１００について、図２１乃至図２６を参照して、説明する。
本変形例３においては、カーブしたウエストベルト部１０の表側のみを収容部１２から延出部１１が延出自在な構成とし、カーブしたウエストベルト部１０の裏側はウエスト方向に一体に連続して形成した腰裏ベルト部３０で構成した点で上記ズボン１と相違する。その他の構成については、上記ズボン１と同様であるためここでは重複する詳細な説明を省略し、相違する点のみを説明する。
【０２５９】
即ち、上記ズボン１においては、カーブしたウエストベルト部１０の表側及び裏側のウエスト長を収容部１２と延出部１１に分割し、ウエストベルト部１０の表側及び裏側が収容部１２及びそれに挿入された延出部１１によって形成されており、延出部１１の前身頃４Ｆに縫着されない端部をウエストベルト部１０の表面及び裏面の意匠面側から隠れるように収容部１２内に入れることで、ウエストベルト部１０の表側及び裏側で収容部１２に対し延出部１１が挿入された構成である。つまり、ウエストベルト部１０の表側及び裏側から見て、収容部１２に対し延出部１１の端部１１ｔが重ねられ収められており、収容部１２と延出部１１はウエスト周囲で一体に連続しておらず分離している構成である。そして、これら収容部１２及び延出部１１は、収容部１２の内部で平ゴム１５Ｅによって接続されている。
【０２６０】
このような上記ズボン１においては、ウエストベルト部１０の表側及び裏側に弾性材が露呈しないことで、見た目にも伸縮することが分かりづらいものとなっている。一方で、ウエストベルト部１０の表側で収容部１２に対し延出部１１が収められるその収容部１２の開口端１２ｅはベルト通し５を使用すればそれによって収容部１２から延出部１１が延出する部分を隠すことができるが、ウエストベルト部１０の裏側では収容部１２の開口端１２ｅが露呈することになるから、興味本位でその開口から内部構造を引き出して平ゴム１５Ｅによる伸縮機構を壊してしまう恐れがある。
【０２６１】
これに対し、本変形例３に係るズボン１００では、カーブしたウエストベルト部１０の表側のみが、そのウエスト長を収容部１２と延出部１１に分割されて収容部１２及びそれに挿入された延出部１１によって形成されており、延出部１１の前身頃４Ｆに縫着されない先端部１１ｔをウエストベルト部１０の表面の意匠面側から隠れるように収容部１２に重ね入れることで、ウエストベルト部１０の表側のみで収容部１２に対し延出部１１が挿入された構成である。
【０２６２】
つまり、ウエストベルト部１０の表側のみ収容部１２に対し延出部１１の端部が重ねられ収められており、収容部１２と延出部１１はウエスト周囲で一体に連続しておらず分離している構成である。そして、延出部１１の先端部１１ｔが収められた収容部１２の内面側において、延出部１１と収容部１２の内面側とが弾性材としての平ゴム１５Ｅによって弾性的に接続されている。
【０２６３】
一方、ウエストベルト部１０の裏側は、収容部１２に縫着した収容部側裏ベルト３２と延出部１１に縫着した延出部側裏ベルト３１との間を平ゴム３３で接続してなる腰裏ベルト部３０で形成され、ウエスト周囲で一体に連続した構成である。
即ち、本変形例３では、カーブしたウエストベルト部１０の裏側は、ウエスト周囲で分離しておらず一体に連続している構成であり、ウエストベルト部１０の表側を形成している収容部１２に縫合した収容部側裏ベルト３２と、ウエストベルト部１０の表側を形成している延出部１１にその先端部１１ｔ側を除いて縫合した延出部側裏ベルト３１と、延出部側裏ベルト３１及び収容部側裏ベルト３２の間を接続した平ゴム３３からなる腰裏ベルト部３０で形成されている。
【０２６４】
このように、本変形例３では、ウエスト方向に延びる帯状がカーブしたウエストベルト部１０の裏側をウエスト方向に一体に連続した腰裏ベルト部３０で構成し、収容部１２に縫合した収容部側裏ベルト３２と延出部１１の長さ方向の一部に縫合した延出部側裏ベルト３１と間を平ゴム３３によって弾性的に接続することで、平ゴム３３の弾性力により腰裏ベルト部３０を伸縮自在とする。
【０２６５】
したがって、ウエストベルト部１０に引張り力が掛かった際には、収容部１２と延出部１１の間を弾性的に接続する接続部１５の平ゴム１５Ｅの伸長によって、ウエストベルト部１０の表側では収容部１２から延出部１１が引き出されて延出すると共に、平ゴム３３の伸長によって、ウエストベルト部１０の裏側では腰裏ベルト部３０が伸長する。そして、ウエスト周りを伸ばそうとする力が解除されると、ウエストベルト部１０の内部の平ゴム１５Ｅ及び腰裏ベルト部３０の平ゴム３３の弾性力によって元の本来の長さに戻るから、ウエストベルト部１０の表側では、再び延出部１１が収容部１２内に収容される方向に移動し元の状態に戻り、また、ウエストベルト部１０の裏側の腰裏ベルト部３０も元の本来の長さ状態に戻る。このようにして、本変形例３においても、ウエストベルト部１０を伸縮自在としている。
【０２６６】
ここで、本変形例３においては、ズボン１００の表側（外面側）を形成する延出部１１及び収容部１２と、ズボン１００の裏側を形成する腰裏ベルト部３０の延出部側裏ベルト３１
及び収容部側裏ベルト３２は、前身頃４Ｆ及び後身頃４Ｂと共地（例えば、綿生地、ウール生地等）である。そして、図２２及び図２３で示すように、表側の収容部１２とそれに対応した裏側の収容部側裏ベルト３２の両者は、ウエストベルト部１０の上端側で縫合線６２Ａにて接続し、表側の延出部１１とそれに対応した裏側の延出部側裏ベルト３１の両者は、ウエストベルト部１０の上端側で縫合線６１Ａにて接続する構成である。
【０２６７】
詳しくは、ウエストベルト部１０の表側を構成する収容部１２とそれに対応するウエストベルト部１０の裏側を構成する収容部側裏ベルト３２は、身頃４Ｆ，４Ｂと共地からなりカーブ状に切り出された所定幅の収容部１２及び収容部側裏ベルト３２の布地の各上下端部が内折りされ、折り返した上端部の折り目の近傍で収容部１２及び収容部側裏ベルト３２の両者が縫合線６２Ａにて縫合わされている（図２２及び図２３参照）。また、収容部１２の下側は、その折り返した下端部の折り目の近傍で後身頃４Ｂの上端部に縫合線６２Ｃにて縫合わされ、収容部１２に対応する収容部側裏ベルト３２の下側もその折り返した下端部の折り目の近傍で後身頃４Ｂの上端部に縫合線６２Ｂにて縫合わされている（図２２及び図２３参照）。収容部側裏ベルト３２の下端は、必要に応じ、パイピング処理等による補強を行ってもよい。
【０２６８】
なお、本変形例３においても、上記ズボン１と同様、収容部１２や収容部側裏ベルト３２の布地の内面（裏面）には、接着芯等の芯材としてのソフト芯やハード芯がアイロンプレス等によって貼付けられる。
そして、本変形例３においても、収容部１２の布地のそれぞれに対し、所定の曲率及び幅でカーブ状に切り出されたハード芯ＨＣが貼付けられ、そのカーブ状のハード芯ＨＣの形状に沿って収容部１２の布地の上下端部を内折りすることで、ウエスト方向に均一な幅となるようにその幅が設定されている。一方、延出部側裏ベルト３１の裏側にはソフト芯ＳＣが貼付けられ、それらの上下端部を内折りすることでウエスト方向に均一な幅となるようにその幅が設定され延出部１１のカーブに対応させている。そして、収容部１２及び収容部側裏ベルト３２の両者は、それらの上方で縫合線６２Ａにて接がれ、また、下方で後身頃４Ｂと縫合され、これら収容部１２及び収容部側裏ベルト３２は、帯状のウエストベルト部１０の曲線形状を形成している。
【０２６９】
また、ウエストベルト部１０の表側を構成する延出部１１及びそれに対応するウエストベルト部１０の裏側の延出部側裏ベルト３１についても、身頃４Ｆ，４Ｂと共地からなりカーブ状に切り出された所定幅の延出部１１及び延出部側裏ベルト３１の布地の各上下端部が内折りされ、折り返した上端部の折り目の近傍で延出部１１及び延出部側裏ベルト３１の両者が縫合線６１Ａにて縫合わされている（図２３及び図２４参照）。このとき、延出部１１に縫合する延出部側裏ベルト３１は、延出部１１の先端部１１ｔ側を除く延出部１１の一部に取付けられている。延出部１１の下側は、収容部１２に挿入される先端部１１ｔ側を除いて、袋布２１と共に、前身頃４Ｆに縫合線６１Ｃにて縫合わされている。また、延出部側裏ベルト３１Ｂの下側も、袋布２１の向こう布２１Ｂ（正確には前側布地２１ＢＦ）と共に前身頃４Ｆに縫合線６１Ｂにて縫合わされている（図２３及び図２４参照）。そして、本変形例３においても、上記のズボン１と同様に、収容部１２内に収容される延出部１１の先端部１１ｔは、前身頃４Ｆの上端部と縫合わされず自由な状態になっている。これより、収容部１２に入れられた延出部１１の先端部１１ｔは収容部１２から延出自在、つまり、ウエスト方向に相対移動自在とされる。
【０２７０】
なお、延出部１１や延出部側裏ベルト３１も、収容部１２及び収容部側裏ベルト３２と同様、それらの内面（裏面）には、接着芯等の芯材としてのソフト芯やハード芯がアイロンプレス等で貼付けられる。
そして、本変形例３においても、延出部１１の布地に対し、所定の曲率及び幅でカーブ状に切り出されたハード芯ＨＣが貼付けられ、そのカーブ状のハード芯ＨＣに沿って延出部１１の布地の上下端部を内折りすることで、収容部１２に挿入される先端部１１ｔを除いてウエスト方向に均一な幅となるようにその幅が設定されている。また、延出部１１の収容部１２に挿入される先端部１１ｔでは、先端に向かって徐々に幅が細く設定されている。一方、延出部側裏ベルト３１の裏側にはソフト芯ＳＣが貼付けられ、それらの上下端部を内折りすることによりウエスト方向に均一な幅となるようにその幅が設定され、延出部１１のカーブに対応させている。そして、延出部１１及び延出部側裏ベルト３１の両者はそれらの上方で縫合線６１Ａにて接がれ、また、下方で前身頃４Ｆと縫合され、延出部１１及び延出部側裏ベルト３１も帯状のウエストベルト部１０の曲線形状を形成している。
なお、本変形例３の収容部１２及び延出部１１は、機能的には上記ズボン１の収容部１２及び延出部１１と同様であるが、その構成は、上記ズボン１の収容部１２を形成する収容部表ベルト１２Ｆ及び延出部１１を形成する延出部表ベルト１１Ｆに相当する。
【０２７１】
更に、本変形例３においては、延出部１１に縫合線６１Ａにて縫合した延出部側裏ベルト３１の端部と収容部１２に縫合線６２Ａにて縫合した収容部側裏ベルト３２の端部の間が１本の平ゴム３３で接続されている。この平ゴム３３は、その一端部側が縫付線３６２にて収容部側裏ベルト３２の端部に縫付けられ、反対側の他端部側が縫付線３６１にて延出部側裏ベルト３１に縫付けられている。平ゴム３３をその両端部側で縫付けるときの縫付線３６１，３６２は、縫付け強度を確保できれば１本であってもよいし、２本以上としてもよい。
【０２７２】
このとき、本変形例３において、収容部側裏ベルト３２及び延出部側裏ベルト３１の間を接続する平ゴム３３は、延出部１１の先端部１１ｔ側が重ねられている収容部１２の一端の端１２ｅから前中心ＦＣ側に向かう延出部１１側に位置するが、その部分では延出部１１に縫着されていない。これにより、ウエストベルト部１０に引張り力がかかった際には、平ゴム３３による所定の伸びを確保し、腰裏ベルト部３０がスムースに伸びるようにしている。なお、平ゴム３３による収容部側裏ベルト３２と延出部側裏ベルト３１の端の間の接続長さ（縫付線３６１及び縫付線３６２間の伸縮自在な長さ）は、平ゴム３３の弾性力にもよるが、平ゴム３３の未伸縮状態で、例えば、３．５ｃｍ〜６ｃｍ程度、好ましくは、４ｃｍ〜５ｃｍ程度に設定される。また、平ゴム３３の縦幅は、例えば、３ｃｍ〜５ｃｍ程度である。
【０２７３】
ここで、このように平ゴム３３は延出部１１に縫着されていないため、ウエストベルト部１０の上方で平ゴム３３と延出部１１の間から、延出部１１の内面側、例えば、延出部１１の上下で内折りした布地の裁ち切り線やハード芯ＨＣといった内部構造が見えると商品イメージを低下させる恐れがある（図２４（ａ）参照）。そこで、図２３及び図２４に示すように、本変形例３においては、平ゴム３３の配設位置に対応する延出部１１の内面側に、図２５に示すように、略長方形の裏地１１Ｃを縫付けるのが好ましい。
【０２７４】
例えば、図２４（ｂ）や図２４（ｃ）に示すように、裏地１１Ｃの上端は、延出部１１の内面においてその内折りした上部の外面側に縫付けられ、裏地１１Ｃの下端は、延出部１１の内面においてその内折りした下部の外面側（図２４（ｂ））または内面側（図２４（ｃ））に縫付けられる。このとき、裏地１１Ｃの長さは、延出部１１の先端から前中心ＦＣ側に向かって平ゴム３３の配設位置に対応する部分まであってもよいし、収容部１２の開口近傍の平ゴム３３の配設位置に対応する部分のみであってもよい。何れにせよ、平ゴム３３と延出部１１の隙間から見える延出部１１の内面には、裏地１１Ｃが見えるようにすればよい。
【０２７５】
このように延出部１１の内面において平ゴム３３の配設位置に対応する箇所に裏地１１Ｃを取付けることにより、平ゴム３３と延出部１１の間から延出部１１の内面が見えても、裏地１１Ｃが見えるだけであるから、商品イメージが低下しない。また、着用者が延出部１１の内部構造に興味を抱いて延出部１１を引き出すことで伸縮自在構造を壊してしまう事態を防止することもできる。
【０２７６】
このように延出部１１の内面に設ける裏地１１Ｃとしては、特に、伸縮性を有しない生地、例えば、ポリエステル系の生地、ナイロン系の生地、スレーキ生地、リボンテープ等の生地であれば、接触抵抗が少なく、収容部１２に対する延出部１１の摺動性を向上させ、収容部１２と延出部１１の滑らかな動きを得ることができる。しかし、見栄えを維持するものとしては、その他の布地、芯地等であってもよい。
【０２７７】
こうして、本変形例３のズボン１００は、ウエストベルト部１０の表側が互いに端部側を重ねた収容部１２及び延出部１１からなる構成とし、その間を所定の伸縮自在な長さ及び太さの平ゴム１５Ｅで弾性的に接続することで、収容部１２から延出部１１を延出自在とする伸縮自在構造である。一方、ウエストベルト部１０の裏側は、収容部１２に縫合した収容部側裏ベルト３２と、延出部１１の一部に縫合した延出部側裏ベルト３１との間を平ゴム３３で弾性的に接続することで、平ゴム３３の弾性力によりウエストベルト部１０の裏側を形成する腰裏ベルト部３０を伸縮自在とする構造である。
【０２７８】
このような本変形例３のズボン１００によれば、ウエストベルト部１０の裏側が延出部１１に縫合した延出部側裏ベルト３１と、収容部１２に縫合した収容部側裏ベルト３２と、それらの間を接続する平ゴム３３とからなり、ウエスト方向で連続して一体に形成された腰裏ベルト部３０で構成されているから、ウエストベルト部１０の裏側では収容部１２の開口端１２ｅが露出して目立つことがないので、興味本位で収容部１２の開口側から内部構造を引き出して壊してしまう事態を防止できる。そして、ウエストベルト部１０の表側では、収容部１２に対し延出部１１が収められるその収容部１２の開口端１２ｅはベルト通し５を使用すればそれによって収容部１２から延出部１１が延出する部分を隠すこともできる。
【０２７９】
更に、本変形例３のズボン１００によれば、収容部１２及び延出部１１を接続する平ゴム１５Ｅに加え、ウエストベルト部１０の裏側を構成する腰裏ベルト部３０にも収容部側裏ベルト３２及び延出部側裏ベルト３１の間を接続する平ゴム３３が用いられていることから、弾性力を強化でき、ウエストベルト部１０をより伸ばすことも可能であり、また、少ない外力で高い伸縮力を得ることができる。よって、平ゴム１５Ｅの耐久性の向上を可能とする。
なお、その他の構成については、上記ズボン１と同様であり、本変形例３に係るズボン１００においても、上記ズボン１と同様の作用効果が得られる。
【０２８０】
ここで、更に、腰裏ベルト部３０の変形例について、図２５及び図２６を参照して、説明する。
変形例４に係る腰裏ベルト部３０は、収容部側裏ベルト３２及び延出部側裏ベルト３１を接続する弾性材として２本の平ゴムを用い、互いに一部の厚みを重複させて上下に配置した点で上記変形例３と相違する。その他の構造については、上記変形例３に係る腰裏ベルト部３０と同様であるためここでは重複する詳細な説明を省略する。
【０２８１】
即ち、上記変形例３に係る腰裏ベルト部３０は、収容部側裏ベルト３２と延出部側裏ベルト３１の間を弾性的に接続している平ゴム３３は、１本の帯ゴムとしているが、本変形例４に係る腰裏ベルト部３０においては、図２５及び図２６に示すように、互いに一部の厚みを重複させて上下に配設した平ゴムからなる上方側の上位ゴム３３Ａ及び下方側の下位ゴム３３Ｂによって収容部側裏ベルト３２と延出部側裏ベルト３１の間を接続する構成である。本変形例４では、収容部側裏ベルト３２と延出部側裏ベルト３１の間を２本の上位ゴム３３Ａ及び下位ゴム３３Ｂで接続することによって、それら上位ゴム３３Ａ及び下位ゴム３３Ｂの弾性力により、腰裏ベルト部３０を伸縮自在としている。
【０２８２】
この変形例４においては、別体である上位ゴム３３Ａ及び下位ゴム３３Ｂがそれらの一部を重ねて上下方向（ウエスト周方向に対して直角方向）に配設され、上側の上位ゴム３３Ａとその下側に位置する下位ゴム３３Ｂの各両端部が収容部側裏ベルト３２と延出部側裏ベルト３１に縫付けられている。このとき、収容部側裏ベルト３２及び延出部側裏ベルト３１の間に縫着されている上位ゴム３３Ａと下位ゴム３３Ｂの両者は、収容部側裏ベルト３２の一端及び延出部側裏ベルト３１の一端の間で縫合されることなく分離した状態にある。
【０２８３】
なお、上位ゴム３３Ａと下位ゴム３３Ｂの厚みの重複部分は、上位ゴム３３Ａ及び下位ゴム３３Ｂが重なった状態での上下端間の長さ距離である縦幅全長の１／１０以上、８／１０以下の範囲内とするのが好ましく、より好ましくは、２／１０以上、５／１０以下、更に好ましくは、３／１０以上、５／１０以下である。ここで、上位ゴム３３Ａ及び下位ゴム３３Ｂの厚みの重複領域が大きいと、伸び力が高くなり、人体の動きに対するフィット性の向上が可能となる。しかし、上位ゴム３３Ａ及び下位ゴム３３Ｂの厚みの重複領域が大き過ぎると、着用時の重厚感が増して着心地が低下したり、弾性力が強くなり過ぎてウエストの締め付け力が大きくなり窮屈感が増大したりする。
そこで、上位ゴム３３Ａ及び下位ゴム３３Ｂの厚みが重なる重複領域の縦幅長さが、上位ゴム３３Ａ及び下位ゴム３３Ｂが重なり合った状態での上下端間の長さ距離である縦幅全長に対して、１／１０以上、８／１０以下の範囲内であれば、より好ましくは２／１０以上、５／１０以下の範囲内、更に好ましくは３／１０以上、５／１０以下の範囲内であれば、締め付け力、窮屈感が強調されることなく、フィット感の増大を可能とする。
【０２８４】
また、上位ゴム３３Ａと下位ゴム３３Ｂの各縦幅長さ（本来の長さ）は、厚みを重複させた状態での上位ゴム３３Ａと下位ゴム３３Ｂの縦幅の全長の５／１０以上、８／１０以下の範囲内が好ましく、より好ましくは、６／１０以上、８／１０以下の範囲内である。上記範囲内あれば、重なりによる重厚感も少なくて、より少ない力で伸び易くてフィット性が良く、締め付け感、窮屈感もより少ないものとなる。
【０２８５】
なお、互いに一部を重ねて上下に配設する上位ゴム３３Ａと下位ゴム３３Ｂの縦幅の全長は、ウエストベルト部１０表側の収容部１２及び延出部１１に縫付けた延出部側裏ベルト３１や収容部側裏ベルト３２の縦幅の全長と比較して２ｃｍ以内の差（増減）はあるも、通常、同程度に設定され、例えば、３．５ｃｍ〜５ｃｍ程度に設定される。
そして、上位ゴム３３Ａの上端と延出部側裏ベルト３１や収容部側裏ベルト３２の上端との高さ位置の差が大きいと、ウエストベルト部１０の裏側において上位ゴム３３Ａの上側で延出部１１の露出量が増えるために、延出部１１等の内部構造や縫製の仕方に興味を持って伸縮機構を無理に引き出して壊してしまったり、延出部１１等の縫製を壊してしまったりする恐れがある。また、上位ゴム３３Ａの上端が低位置にあると、見栄えの確保等のために、上位ゴム３３Ａが縫付けられている延出部側裏ベルト３１の一端側の上端部や収容部側裏ベルト３２の一端側の上端部の縫い代の浮きを抑えるべくそこを延出部側裏ベルト３１の内面に縫付ける必要がある。しかし、上位ゴム３３Ａの上端を延出部側裏ベルト３１や収容部側裏ベルト３２の上端の高さと一致させて連続的であると、或いは、２ｃｍ以内の差であれば、上記事態を防止でき、縫製工程もより簡単で済む。
【０２８６】
ここで、上位ゴム３３Ａと下位ゴム３３Ｂの前後（表裏）方向の配置関係は、腰裏ベルト部３０の表側（意匠面側、身体側）から見て、図２５及び図２６に示したように、下位ゴム３３Ｂの前方（手前側）に上位ゴム３３Ａが配設され両者の一部が重ねられても良いし、下位ゴム３３Ｂの後方に上位ゴム３３Ａが配設され両者の一部が重ねられても良い。
即ち、上位ゴム３３Ａ及び下位ゴム３３Ｂの関係は、上位ゴム３３Ａの下方に下位ゴム３３Ｂの上方が重ねられ互いに一部を重ね合わせて厚みを重複させていれば、腰裏ベルト部３０の表側（意匠面側、身体側）から見たときに、上位ゴム３３Ａの下方の手前側（上側）に下位ゴム３３Ｂの上方を重ねてもよいし、図２５及び図２６に示したように、上位ゴム３３Ａの下方の後ろ側（下側）に下位ゴム３３Ｂの上方を重ねてもよい。
そして、例えば、図２５及び図２６に示したように、腰裏ベルト部３０の表側（意匠面側、身体側）から見て、下位ゴム３３Ｂよりも上位ゴム３３Ａが手前にあり、上位ゴム３３Ａの下端縁が下位ゴム３３Ｂよりも手前に位置するものでは、タックインしたシャツのずれ上がりを防止する滑り止め機能を持たせたることもできる。
【０２８７】
また、変形例４において、上位ゴム３３Ａと下位ゴム３３Ｂは、共に、そのウエスト方向の一端部側が収容部側裏ベルト３２の端部に縫付けられ、反対側の他端部側が延出部側裏ベルト３１に縫付けられるが、上位ゴム３３Ａと下位ゴム３３Ｂは、伸縮自在な長さを同一としていてもよいし、伸縮自在な長さを相違させてもよい。上位ゴム３３Ａと下位ゴム３３Ｂの収容部側裏ベルト３２及び延出部側裏ベルト３１間の接続長さ、即ち、伸縮自在な長さを同一とする場合には、両者を所定に重複させた状態でまとめて延出部側裏ベルト３１や収容部側裏ベルト３２に縫製することから、縫製に不慣れな作業者でも縫製が分かりやすく、作業効率を向上できる。一方で、下位ゴム３３Ｂと上位ゴム３３Ａとで伸縮自在な長さを相違させていると、引張り力がかかった際に、下位ゴム３３Ｂと上位ゴム３３Ａにかかる負荷が分散されるから、下位ゴム３３Ｂと上位ゴム３３Ａを長持ちさせることができる。また、延出部側裏ベルト３１や収容部側裏ベルト３２への下位ゴム３３Ｂと上位ゴム３３Ａの縫製の縫い目にかかる負荷等も分散されるから、それら縫い目の解れも生じ難く、生地も傷め難い。
【０２８８】
例えば、図２５及び図２６に示すように、腰裏ベルト部３０の表側（意匠面側、身体側）、つまり、ズボンの腰裏側からみて、上方側の上位ゴム３３Ａを手前とし、下位ゴム３３Ｂを上位ゴム３３Ａの後方に配設したとき、その上位ゴム３３Ａは、収容部側裏ベルト３２の端部に縫付線３６２Ａにて縫付け、また、延出部側裏ベルト３１の端部に縫付線３６１Ａにて縫付ける一方で、下位ゴム３３Ａは、縫付線３６２Ａよりも収容部側裏ベルト３２の端部側から離れた位置で縫付線３６２Ｂにて縫付け、また、縫付線３６１Ａよりも延出部側裏ベルト３１の端部側から離れた位置で縫付線３６１Ｂにて縫付ける。これにより、上位ゴム３３Ａよりも下位ゴム３３Ｂの伸縮自在な長さ（接続長さ）を長くして、伸びによる変化を相違させることで、負荷を分散させゴム等を長持ちさせることができる。特に、このように上位ゴム３３Ａよりも下位ゴム３３Ｂの伸縮自在な長さ（接続長さ）を長くすることで、上位ゴム３３Ａ及び下位ゴム３３Ｂの全体縦幅を短くしなくとも、ウエストベルト部１０に引張り力が掛かった際に、上位ゴム３３Ａが上方に凸に湾曲して、ズボン１００の表側で延出部１１の上に上位ゴム３３Ａが突出して露呈するのを防止し、見栄えを維持できる。勿論、本発明を実施する場合は、上位ゴム側３３Ａで伸縮自在な長さを長くすることも可能である。
【０２８９】
このような変形例４に係る腰裏ベルト部３０においては、別体に形成された上位ゴム３３Ａと下位ゴム３３Ｂをそれらの一部で重ねて上下方向に配設して延出部側裏ベルト３１と収容部側裏ベルト３２の間を接続し、上位ゴム３３Ａと下位ゴム３３Ｂが延出部側裏ベルト３１及び収容部側裏ベルト３２の間で一体化されずに分離している構成であるため、ウエストベルト部１０に引張り力がかかった際に上位ゴム３３Ａと下位ゴム３３Ｂにかかる負荷が分散される。よって、長期間の着用でもゴムの弾性力が低下し難く、腰裏ベルト部３０の伸縮性、弾力性が低下しにくい。
【０２９０】
そして、変形例４に係る腰裏ベルト部３０においては上位ゴム３３Ａと下位ゴム３３Ｂの厚みの重複により弾性力を高くできるから、伸び量を向上できる。このとき、上位ゴム３３Ａと下位ゴム３３Ｂはそれぞれの一部分が重なっており、しかも、延出部側裏ベルト３１と収容部側裏ベルト３２の間で上位ゴム３３Ａと下位ゴム３３Ｂが結合されていないと互いに動きが拘束され難いことから、伸ばす外力も少なくて済む。よって、強力な締め付け感、窮屈感を増大させることなく、弾性力を向上させることができる。そして、少ない外力で高い伸縮力が得られヤング率を小さくできるから弾性力も低下し難く、耐久性が維持される。即ち、このような相互に一部を重ねて上下に配設した上位ゴム３３Ａ及び下方側の下位ゴム３３Ｂによれば、強力な締め付け感、窮屈感を生じさせることなく弾性力を強化でき、少ない外力で高い伸縮力を得ることができる。よって、ヤング率の高い弾性材を選択しなくとも少ない外力で伸び易く、ヤング率を小さくできるから耐久性も維持される。故に、耐久性を確保しつつ、強力な締め付け感、窮屈感を生じさせることなく少ない外力でも容易に伸縮して人体のウエストの動きに追従する滑らかな伸縮によりフィット性を高めることができる。
【０２９１】
こうして、変形例４に係る腰裏ベルト部３０によれば、厚みを重複させた上位ゴム３３Ａ及び下位ゴム３３Ｂの並列構造によって、着用時の締め付け感、窮屈感の低減を可能とする。よって、ウエストベルト部１０のカーブ形状に伴う締め付け感、圧迫感の増大を大きく抑えることができる。
【０２９２】
特に、互いに一部の厚みを重複させて上下に配設した上位ゴム３３Ａと下位ゴム３３Ｂは、それら厚みを重複させた状態での縦幅の全長の１０％以上、８０％以下の範囲内で厚みを重複させていると、締め付け力、窮屈感が強調されることなく、より人体のウエストの動きに追従するフィット感が得られる。
また、上位ゴム３３Ａと下位ゴ３２の各縦幅長さは、互いに厚みを重複させているときの上位ゴム３３Ａと下位ゴム３３Ｂの縦幅の全長の５０％以上、８０％以下の範囲内であると、重厚感も少なくて、より少ない力で伸び易くてフィット性が良く、締め付け感、窮屈感もより少なくなる。
【０２９３】
更に、本発明を実施する場合には、上位ゴム３３Ａと下位ゴム３３Ｂの間に１対のドット釦、１対のホック、釦とループ、１対の接着布、１対のファスナー等の結合具を取付け、上位ゴム３３Ａと下位ゴム３３Ｂを分離及び結合自在とする構成としてもよい。これにより、結合具によって、上位ゴム３３Ａと下位ゴム３３Ｂの伸びを制限できるから、上位ゴム３３Ａと下位ゴム３３Ｂの伸びを好みで調節でき、着用しながらウエストの締め付け強さを調節できる。よって、着用者の好み、体形、ウエストの動き等に応じてウエストのフィット感、着用感を調節できる。
【０２９４】
以上、説明してきたように、本変形例３，４に係るボトムスとしてのズボン１００は、ウエスト方向に延びる帯状をなすウエストベルト部１０がカーブしたズボン１００であって、ウエストベルト部１０のカーブに対応する曲線形状を有してウエストベルト部１０の表側を形成し、前身頃４Ｆに縫着しない端部１１ｔが延出自在な延出部１１と、ウエストベルト部１０のカーブに対応する曲線形状を有して延出部１１と共にウエストベルト部１０の表側を形成し、延出部１１の前身頃４Ｆに縫着しない端部１１ｔを収容した収容部１２と、収容部１２の内部で弾性材としての平ゴム１５Ｅによって収容部１２と延出部１１の間を弾性的に接続した接続部１５と、ウエスト方向に一体に連続してウエストベルト部１０の裏側を形成し、収容部１２の裏側に縫付けた収容部側裏ベルト３１と延出部１１の裏側に縫付けた延出部側裏ベルト３１の間を平ゴム１５Ｅとは異なる他の弾性材としての平ゴム３３または上位ゴム３３Ａ及び下位ゴム３３Ｂによって弾性的に接続してなり、平ゴム１５Ｅとは別の他の弾性材としての平ゴム３３または上位ゴム３３Ａ及び下位ゴム３３Ｂによって伸縮自在な腰裏ベルト部３０を具備し、接続部１５の平ゴム１５Ｅは、その上端から下端に向かって伸縮自在な長さを長くして収容部１２と延出部１１の間を接続しているものである。
【０２９５】
この本変形例３，４に係るズボン１００においても、ウエストベルト部１０がカーブしているから、ウエストベルト部１０のカーブによって、着用者のウエスト周りのフィット性を向上できる。しかも、カーブしたウエストベルト部１０に対しウエスト方向に引張り力が掛かった際には、延出部１１と収容部１２の間を弾性的に接続した接続部１５の弾性材の平ゴム１５Ｅの伸びによって、収容部１２から延出部１１が延出すると共に、腰裏ベルト部３０の弾性材としての平ゴム３３または上位ゴム３３Ａ及び下位ゴム３３Ｂの伸びによって腰裏ベルト部３０が伸びることにより、ウエストベルト部１０が伸長する。また、引張り力が解放されると、平ゴム１５Ｅの弾性力、腰裏ベルト部３０の平ゴム３３または上位ゴム３３Ａ及び下位ゴム３３Ｂの弾性力によって、伸長したウエストベルト部１０は元に戻る。即ち、カーブしたウエストベルト部１０は、延出部１１と収容部１２の間を弾性的に接続した平ゴム１５Ｅの弾性力、並びに、腰裏ベルト部３０の平ゴム３３または上位ゴム３３Ａ及び下位ゴム３３Ｂの弾性力によって伸縮自在である。
【０２９６】
更に、本変形例３，４に係るズボン１００においても、ウエストベルト部１０のカーブによって、着用者のウエスト周りのフィット性を向上できるうえ、延出部１１と収容部１２の間を弾性的に接続した弾性材の平ゴム１５Ｅの弾性力により、また、腰裏ベルト部３０の平ゴム３３または上位ゴム３３Ａ及び下位ゴム３３Ｂの弾性力により、カーブしたウエストベルト部１０が伸縮自在であることで、身体のウエスト周りの動きに追随できるから、ウエストベルト部１０のカーブ形状に伴うウエスト周りの圧迫感、窮屈感を解消できる。よって、ウエスト周りへの締め付け力、窮屈感を強調させることなく、ウエストベル部１０のカーブ形状及び伸縮自在な構造によってウエスト周りへのフィット性を高めることができる。
【０２９７】
また、本変形例３，４に係るズボン１００によれば、ウエストベルト部１０の表側を形成する延出部１１の内面側には、腰裏ベルト部３０の平ゴム３３または上位ゴム３３Ａ及び下位ゴム３３Ｂに対応する位置で、延出部１１の上部に裏地１１Ｃの上端が縫付けによって取付けられ、延出部１１の下部に裏地１１Ｃの下端が縫付けによって取付けられている。よって、延出部１１と腰裏ベルト部３０の平ゴム３３または上位ゴム３３Ａとの間から延出部１１の内面が見えても裏地１１Ｃが見えるだけであるから、商品イメージの低下を防止できる。そして、本変形例３，４に係るズボン１００では、ウエストベルト部１０の裏側においてウエスト方向の一部に平ゴム３３または上位ゴム３３Ａ及び下位ゴム３３Ｂを配設するものであるから、低コストで済み、また、伸縮に伴う弛みも少なくて見栄えも良い。
なお、その他の構成については、上記ズボン１と同様であり、本変形例３，４に係るズボン１００においても、上記ズボン１と同様の作用効果が得られる。
【０２９８】
［実施の形態２］
次に、本実施の形態２に係るズボン２００について、図９を参照して、説明する。
本実施の形態２において、カーブしたウエストベルト部１０の収容部１２及び延出部１１の間を接続する弾性材としての平ゴム１５Ｅは、その幅方向で伸縮自在な長さを変化させずに一定とし、収容部１２の内部に対し、ウエストベルト部１０の幅方向の下端寄りに縫付け、延出部１１側に縫付けた一端部側よりも、収容部１２側に縫付けた他端部側の方を低位置とした点で上記実施の形態１と相違する。その他の構造については、上記実施の形態１と同様であるためここでは重複する詳細な説明を省略する。
【０２９９】
上記実施の形態１において、接続部１５の平ゴム１５Ｅは、その上端から下端に向かって伸縮自在な長さを長くして収容部１２と延出部１１の間を接続しているものであるのに対し、本実施の形態２においては、図９（ａ）に示すように、収容部１２及び延出部１１の間を接続する平ゴム１５Ｅは、収容部１２の内部に対し、ウエストベルト部１０の幅方向の下端寄りに縫付線５２にて縫付け、延出部１１側に縫付線５１にて縫付けた一端部側よりも、収容部１２側に縫付けた他端部側の方を低位置としている。
【０３００】
なお、本実施の形態２では、図９（ａ）に示したように、延出部１１と収容部１２間を接続する平ゴム１５Ｅにおいて、その長さ方向の一端部側を延出部１１に縫付けるときの縫付線５１及び反対側の他端部側を収容部１２に縫付けるときの縫付線５２は、平ゴム１５Ｅの幅方向に並行する直線状とし、互いに平行しており、平ゴム１５Ｅは、その幅方向で伸縮自在な長さを変化させずに一定としている。
【０３０１】
そして、本実施の形態２では、このように、収容部表ベルト１２Ｆの幅方向の下端寄りで平ゴム１５Ｅを縫付線５２にて縫付けていることによって、平ゴム１５Ｅは、収容部１２側に縫付ける他端部側が延出部１１側に縫付けた一端部側よりも低位置で、収容部１２の内面に縫付けた一方の端部側から延出部１１に縫付けた反対の端部側に向かって斜めに上昇する挿入状態となっている。よって、平ゴム１５Ｅの延出部１１側に縫付けた一端部は、収容部１２の上端に近づく配置となる。これにより、ウエストベルト部０に引張り力が掛かり平ゴム１５Ｅが伸びたときでも、平ゴム１５Ｅの延出部１１側は収容部１１の上端に近い高い位置にできるから、収容部１２から延出部１１が引き出されても延出部１１と収容部１２の段差は小さく、見栄えを維持できる。
【０３０２】
こうして、本実施の形態２に係るボトムスとしてのズボン２００は、ウエスト方向に延びる帯状をなすウエストベルト部１０がカーブしたズボン１であって、ウエストベルト部１０のカーブに対応する曲線形状を有してウエストベルト部１０の表側及び裏側を形成し、前身頃４Ｆに縫着しない端部１１ｔが延出自在な延出部１１と、ウエストベルト部１０のカーブに対応する曲線形状を有して延出部１１と共にウエストベルト部１０の表側及び裏側を形成し、延出部１１の前身頃４Ｆに縫着しない端部１１ｔを収容した収容部１２と、収容部１２の内部で弾性材としての平ゴム１５Ｅによって収容部１２と延出部１１の間を弾性的に接続した接続部１５とを具備し、接続部１５の平ゴム１５Ｅは、収容部１２の内部に対し、ウエストベルト部１０の幅方向の下端寄りに縫付け、延出部１１側に縫付けた端部側よりも、収容部１２側に縫付けた端部側の方を低位置としたものである。
【０３０３】
このように、収容部表ベルト１２Ｆの幅方向の下端寄りで平ゴム１５Ｅを縫付線５２にて縫付け、平ゴム１５Ｅの収容部１２側に縫付けた他端部側を延出部１１側に縫付けた一端部側よりも低位置とすることによっても、ウエストベルト部１０に引張り力が掛かり収容部１２から延出部１１が延びたときの延出部１１と収容部１２の段差を気にならなくすることができる。
【０３０４】
即ち、本実施の形態２に係るズボン２００によれば、平ゴム１５Ｅの収容部１２側に接続する一方の端部側は、ウエストベルト部１０の幅方向の下端寄りに縫付けて、延出部１１側に縫付けた他方の端部側よりも収容部１２側に縫付けた一端部側の方を低位置としたから、平ゴム１５Ｅは、収容部１２の内面に縫付けた一端部側から延出部１１に縫付けた反対側の他端部側に向かって斜めに上昇する縫付け状態とされる。よって、平ゴム１５Ｅの延出部１１側の端部は、収容部１２の上端に近い位置となる。これにより、ウエストベルト部１０に引っ張り力が掛かり平ゴム１５Ｅが伸びたときでも、平ゴム１５Ｅの延出部１１側は収容部１２の上端に近くできるから、延出部１１と収容部１２の段差が殆ど気にならず、見栄えを維持できる。
その他の構成については、上記実施の形態１とほぼ同一であるから、上記実施の形態１と同様の作用効果が得られる。なお、本実施の形態２においても、上記実施の形態１の変形例３と同様、ウエストベルト部１０の裏側を腰裏ベルト部３０で形成してもよい。
【０３０５】
なお、上記実施の形態のズボン１，１００，２００は、例えば、スーツ、スラックス等のカジュアルでないボトムス、チノパン等の綿パンやジーンズ（Ｇパン）等のカジュアルなボトムス、スポーツウエアのボトムス等に適用されるものであるが、ボトムスとしてはズボンに限られるものではなく、スカートやキュロットスカート等にも適用できる。また、収容部１２及び延出部１１を重ね合わせ、収容部１２の内側でそれらの間を平ゴム１５Ｅによって接続することで、ウエストベルト部１０の表側に弾性材が露出しないから、見栄えを損なうことなく人体のウエストの動きに追従するフィット性を高めることができる。よって、ゴルフ等の運動(スポーツ)時に着用するゴルフスラックス等のトレーニングウエア、スポーツウエアにも好適であり、高いフィット性により激しい動きにも追従し、高い着用感を得ることができる。
【０３０６】
また、上記実施の形態１，２では、左右の脇線ＬＳ，ＲＳの近傍の２箇所に収容部１２及び延出部１１を重ね合わせた重ね合わせ部１３を有し、それに対応して平ゴム１５Ｅを左右の２箇所に配設したズボン１，１００，２００で説明した。加えて、上記変形例３では、腰裏ベルト部３０の平ゴム３３または上位ゴム３３Ａ及び下位ゴム３３Ｂを収容部１２の開口側の近傍である左右の２箇所に配設したズボン１００で説明した。しかし、本発明を実施する場合には、収容部１２及び延出部１１の重ね合わせ部１３を１箇所以上とし、また、それに対応する平ゴム１５Ｅや、腰裏ベルト部３０の平ゴム３３または上位ゴム３３Ａ及び下位ゴム３３Ｂも１箇所以上であればよい。
【０３０７】
更に、上記実施の形態１，２では、ウエストベルト部１０の構成について、前身頃４Ｆ側に延出部１１を設け、後身頃４Ｂ側に収容部１２を設ける構成としたが、本発明を実施する場合には、前身頃４Ｆ側に収容部１２を設け、後身頃４Ｂ側に延出部１１を設ける構成としてもよい。
【０３０８】
加えて、上記実施の形態１，２のズボン１，１００，２００では、ウエストベルト部１０の動きに追従して身頃４Ｆ、４Ｂに皺が生じないようするために、両脇の脇線ＬＳ，ＲＳに沿って脇ポケット部２０，２０１，２０２を設け、この脇ポケット部２０，２０１，２０２は、そのポケット口２３のポケット口外縁７６が、前中心ＦＣ側から脇線ＬＳ，ＲＳ側に向かって傾く直線状としている。
しかし、脇ポケット部２０，２０１，２０２の形状としては、外縁が略Ｌ字型形状のＬポケット、その変形で外縁が略Ｓ字型形状のＳポケット等を始めとしてどのような外縁形状を有するものでも良い。外縁が略Ｌ字型形状を有するＬポケットの形状としては、例えば、角張ったＬ字形状の外縁を有するＬポケット、縦方向に長い角張ったＬ字形状の外縁を有するＬポケット等が挙げられる。
特に、ポケット口外縁が略Ｌ字型形状のＬポケットは、骨盤が大きい女性でも、着用したときにポケット口が変形し難く、また、ポケット口の周辺に皺等が生難く、見栄えを良くすることができるため、例えば、女性用スラックス等の婦人用パンツのポケットとして好ましい。
【０３０９】
更に、脇ポケット部のポケット口は、複数設ける構成としても良い。例えば、図２７及び図２８に示すように、脇線ＬＳ，ＲＳに沿ってまたは脇線ＬＳ，ＲＳの近傍で前中心ＦＣ寄りに略直線状のポケット口外縁７６Ｓを有する小ポケットの脇中間ポケット部２０３Ｓ(例えば、ポケット口２３Ｓの縦幅長さが３ｃｍ以上、１５ｃｍ以下の範囲内)を設け、更に、その小ポケットよりも前中心ＦＣ寄りで小ポケットよりも容量が大きなＬ字形状のポケット口外縁７６Ｌを有する大ポケット部２０３Ｌを設ける構成とすることができる。
【０３１０】
図２７及び図２８に示した脇ポケット部２０３は、Ｌ字形状のポケット口外縁７６Ｌを有する大ポケット部２０３Ｌとそれよりも容量が小さく直線状のポケット口外縁７６Ｓを有する小ポケット部である脇中間ポケット部２０３Ｓとから構成され、図２８に示すように、ズボンの裏側から見て、大ポケット部２０３Ｌを構成する袋布２１Ｌの手前側に脇中間ポケット部２０３Ｓを構成する袋布２１Ｓが重ねられているものである。
このように大ポケット部２０３Ｌ及び小ポケットの脇中間ポケット部２０３Ｓからなる脇ポケット部２０３においては、脇中間ポケット部２０３Ｓを構成する袋布２１Ｓの向こう布２１Ｂ側に、上記実施の形態１，２のときと同様に上端から下方に向かって延びるタック部２２が形成される。そして、この脇中間ポケット部２０３Ｓのタック部２２において、上記実施の形態１、変形例１、変形例２のときと同様に、上方を除く一部のタック部２２の襞（折り返し部分）を縫合線７８にて縫合することによって、その縫合した部分ではタック部２２の展開が制限されることで、ポケット口２３Ｓ，２３Ｌからの袋布２１Ｓ，２１Ｌの吹き出しを抑えることができる。このときのタック部２２の襞の縫合線７８による縫合の位置は、上記実施の形態１、変形例１、変形例２と同様に、例えば、図２８においては、少なくとも、脇中間ポケット部２０３Ｓのポケット口２３Ｓの下端であるポケット止まり７５Ｓの高さに対応する位置から上に、２ｃｍ〜５ｃｍの範囲内、好ましくは、３ｃｍ〜４ｃｍの範囲内を縫合線７８にて縫合している。そして、タック部２２Ｓの縫合線７８の始点７８ｓは、向こう布２１Ｂの上がり線ＯＬから下に、７ｃｍ以上、１０ｃｍ以下、好ましくは、８ｃｍ以上、９ｃｍ以下の範囲内に位置させるのが好ましい。これにより、ウエストベルト部１０に引張り力が掛かった際でも袋布２１Ｓの上方の引き攣りが防止され、見栄えを維持できる。
【０３１１】
このように、Ｌ字形状のポケット口外縁７６Ｌを有する大ポケット部２０３Ｌとそれよりも容量が小さく直線状のポケット口外縁７６Ｓを有する小ポケットである脇中間ポケット部２０３Ｓとからなる脇ポケット部２０３においては、脇中間ポケット部２０３Ｓを構成する袋布２１Ｓにタック部２２を形成することによって、ウエストベルト部１０に引張り力が掛かった際には、折畳まれたタック部２２の展開によりウエスト部Ｗのスムースな伸びを確保することができる。特に、このように脇線ＬＳ，ＲＳに沿ってまたは脇線ＬＳ，ＲＳの近傍で前中心ＦＣ寄りに直線状のポケット口外縁７６Ｓを有する脇中間ポケット部２０３Ｓ(例えば、ポケット口の縦幅長さが３ｃｍ以上、１５ｃｍ以下の範囲内)を設けると、骨盤が大きい女性でも、着用したときにポケット口が変形し難くなる。一方で、大ポケット部２０３Ｌと脇中間ポケット部２０３Ｓを設けた脇ポケット部２０３においては、大ポケット部２０３Ｌの袋布２１Ｌと脇中間ポケット２０３Ｓの袋布２１Ｓの布地が重なり合い生地量も増すから、着用者の身体に対するズボンのフィット性が高いと、Ｌ字形状外縁のポケット口２３Ｓ，２３Ｌから袋布２１Ｌ，２１Ｓの布地が吹き出したり、脇ポケット部２０３に皺等が生じたりし、見栄えを損なう恐れがある。しかし、上方を除いてタック部２２の襞の一部を縫合線７８にて縫合し、タック部２２の襞の開きを制限して生地の遊びを少なくすることで、着用者に対しズボン１のフィット性が高いときでも、Ｌ字形状外縁のポケット口２３Ｓ，２３Ｌから袋布２１Ｌ，２１Ｓが吹き出したり脇ポケット部２０に皺等が生じたりし難くなり、見栄えを維持することが可能である。
【０３１２】
なお、脇ポケット部は、片玉縁のポケット口を有する片玉縁のポケット、両玉縁のポケット口を有する両玉縁のポケット、フラップ付きのポケット口を有するフラップ付きポケットであってもよい。
また、本発明を実施する場合には、両脇のポケットが左右対称でなくても良く、左右でポケットの種類が異なっていても構わない。
【０３１３】
更に、上記実施の形態１，２では、脇ポケット部２０，２０１，２０２において襞状のタック部（折り返し）２２を設けることで、ウエスト部Ｗの見栄えを維持しているが、襞状のタック部２２に代えて、袋布２１の一部を切り欠いて分割する構造としてもよい。即ち、脇ポケット部２０，２０１，２０２を構成する袋布２１の向こう布２１Ｂの中央側でその上端部に切込みを入れて分割し、その分割した部分の周囲には強度確保等のためのパイピングを施した構成とする。このとき、その分割部分から前中心ＦＣ寄りの向こう布２１Ｂはウエストベルト部１０に縫付けられる一方で、分割部分から脇線ＬＳ，ＲＳ寄りの向こう布２１Ｂの上端の一部は、ウエストベルト部１０の何れにも縫付けられない。このような袋布２１を分割する構造によっても、ウエストベルト部１０に引張り力がかかった際には、分割部分が開かれ、ウエストベルト部１０の伸長を妨げることのないようにすることができる。
【０３１４】
加えて、上記実施の形態１，２では、前身頃４Ｆと後身頃４Ｂが接続した両脇の脇線ＬＳ，ＲＳに沿って脇ポケット部２０，２０１，２０２を設け、タック部２２により生地の余裕がある脇ポケット部２０，２０１，２０２の近傍に収容部１２及び延出部１１の重ね合わせ部１３を設けていることによって、ウエスト周りが伸縮する際に、身頃４Ｆ，４Ｂに皺が寄ることがなく、見栄えの良いものとしている。しかし、本発明を実施する場合には、そのような脇ポケット部に代えて身頃４Ｂ，４Ｆ自体にタック構造を設けることも可能である。即ち、脇線ＬＳ，ＲＳの近傍で身頃４Ｂ，４Ｆにタックを設けることによっても、身頃４Ｆ、４Ｂの皺寄りを防止しウエストベルト部１０の長さを伸縮自在とすることも可能である。例えば、ウエストベルト部１０に引張り力がかかっていない場合には、身頃４Ｂ，４Ｆの折畳まれた状態のタック脇線ＬＳ，ＲＳと一体となるようにし、ウエストベルト部１０に引張り力がかかってウエスト周りが伸びると、タックが拡げられる構成であれば、見栄えも良好である。このようなタックは、例えば、身頃４Ｆ，４Ｂの両脇の脇線ＬＳ，ＲＳに沿って、身頃４Ｆ，４Ｂの両脇の脇線ＬＳ，ＲＳの上端または上端の近傍の裏側に設けることできる。
【０３１５】
また、上記実施の形態１，２では、収容部１２の内部において延出部１１及び収容部１２の間を接続する平ゴム１５Ｅに対し、伸び止め材１６を並設する構成を説明したが、本発明を実施する場合には、伸び止め材１６は、延出部１１を収容部１２側に伸ばして延出部１１と一体としたストッパー部分として形成し、そのストッパー部分に、平ゴム１５Ｅの最大伸びを制限する伸び止め材１６の役割を持たせることも可能である。即ち、延出部１１の先端を細くして延長し、共布で伸び止め材１６の役割をするストッパー部分を設けることによって、伸び止め材１６を形成してもよい。このような場合には、単独の伸び止め材１６をリボンテープ等で設ける必要がなく、縫製工程も簡略化されるため、コストがかからず安価にゴムを長持ちさせることができる。また、伸び止め材１６以外にも、伸縮するゴムの伸びの限界を綿等の繊維の織り込みによって規定することも可能である。
【０３１６】
更に、上記実施の形態１，２では、袋布２１やタック部２２の形状維持、皺寄り防止、見栄えの向上のために補助弾性材としての平ゴム２８を設けている。この補助弾性材としての平ゴム２８の弾性力は、主弾性材としての平ゴム１５Ｅの弾性力に比較すると小さく、ウエストサイズの伸縮のための主弾性材としての平ゴム１５Ｅの弾性力からすれば無視できる程度である。また、見栄えに影響する皺が入る可能性も低いことから、当然、省略することも可能である。
そして、本発明を実施する場合、十分な弾性を有するものであれば、収容部１２と延出部１１の間を弾性的に接続する弾性材や、腰裏ベルト部３０の弾性材は、平ゴムに限定されず、ゴム製板、ストレッチテープ（ゴム入り布）、パワーネット生地、サテンネット生地、ストレッチサテン生地、ストレッチレース生地等の様々な弾性を有する素材を用いることも可能である。補助弾性材としての平ゴム２８についても同様である。
【０３１７】
そして、本発明を実施するに際しては、ボトムスの構造、形状、材質、生地、大きさ、長さ、幅、接続関係等についても、上記実施の形態や変形例に限定されるものではない。例えば、ジーンズ（Ｇパン）、綿パンを始めとするカジュアルなボトムス、特に、紳士用のズボン１,１００，２００においては、ウエストベルト部１０の上下の両端や、脇ポケット部２０，２０１，２０２，２０３のポケット口外縁７６等に布を落ち着かせたり縫い代を安定させたり強度を補完するためにステッチを施すこともある。
なお、本発明の実施の形態で挙げている数値は、臨界値を示すものではなく、実施に好適な好適値を示すものであるから、上記数値を若干変更してもその実施を否定するものではない。
【符号の説明】
【０３１８】
１，１００，２００    ズボン
４Ｆ  前身頃
４Ｂ  後身頃
１０  ウエストベルト部
１１  延出部
１２  収容部
１５  接続部
１５Ｅ  平ゴム
２０，２０１，２０２，２０３  脇ポケット部
２１  袋布
２２  タック部
２３  ポケット口
３０  腰裏ベルト部
７８  縫合線
ＬＳ  左脇線
ＲＳ  右脇線
【手続補正３】
【補正対象書類名】図面
【補正対象項目名】図１９
【補正方法】変更
【補正の内容】
【図１９】
2020105650.tif 000031